(57)【特許請求の範囲】
【請求項１】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは2ビットであり、かつ、前記整数bは1であり、
前記LDPC符号の2ビットの符号ビットは、所定の変調方式で定める22個の信号点のうちのいずれかにマッピングされ、
前記単位記憶領域は、ロウ方向に2×1ビットを記憶する2個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の2個のカラムのうちの1番目のカラムの書き始めの位置を、アドレスが0の位置とし、
前記単位記憶領域の2個のカラムのうちの2番目のカラムの書き始めの位置を、アドレスが3の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理装置。
【請求項２】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは2ビットであり、かつ、前記整数bは2であり
前記LDPC符号の2ビットの符号ビットは、所定の変調方式で定める22個の信号点のうちのいずれかにマッピングされ、
前記単位記憶領域は、ロウ方向に2×2ビットを記憶する4個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の4個のカラムのうちの1番目のカラムの書き始めの位置を、アドレスが0の位置とし、
前記単位記憶領域の4個のカラムのうちの2番目のカラムの書き始めの位置を、アドレスが2の位置とし、
前記単位記憶領域の4個のカラムのうちの3番目のカラムの書き始めの位置を、アドレスが3の位置とし、
前記単位記憶領域の4個のカラムのうちの4番目のカラムの書き始めの位置を、アドレスが0の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理装置。
【請求項３】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは4ビットであり、かつ、前記整数bは1であり、
前記LDPC符号の4ビットの符号ビットは、所定の変調方式で定める24個の信号点のうちのいずれかにマッピングされ、
前記単位記憶領域は、ロウ方向に4×1ビットを記憶する4個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の4個のカラムのうちの1番目のカラムの書き始めの位置を、アドレスが0の位置とし、
前記単位記憶領域の4個のカラムのうちの2番目のカラムの書き始めの位置を、アドレスが2の位置とし、
前記単位記憶領域の4個のカラムのうちの3番目のカラムの書き始めの位置を、アドレスが3の位置とし、
前記単位記憶領域の4個のカラムのうちの4番目のカラムの書き始めの位置を、アドレスが0の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理装置。
【請求項４】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは6ビットであり、かつ、前記整数bは1であり、
前記LDPC符号の6ビットの符号ビットは、所定の変調方式で定める26個の信号点のうちのいずれかにマッピングされ、
前記単位記憶領域は、ロウ方向に6×1ビットを記憶する6個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の6個のカラムのうちの1番目のカラムの書き始めの位置を、アドレスが0の位置とし、
前記単位記憶領域の6個のカラムのうちの2番目のカラムの書き始めの位置を、アドレスが1の位置とし、
前記単位記憶領域の6個のカラムのうちの3番目のカラムの書き始めの位置を、アドレスが3の位置とし、
前記単位記憶領域の6個のカラムのうちの4番目のカラムの書き始めの位置を、アドレスが8の位置とし、
前記単位記憶領域の6個のカラムのうちの5番目のカラムの書き始めの位置を、アドレスが1の位置とし、
前記単位記憶領域の6個のカラムのうちの6番目のカラムの書き始めの位置を、アドレスが6の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理装置。
【請求項５】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは4ビットであり、かつ、前記整数bは2であり、
前記LDPC符号の4ビットの符号ビットは、所定の変調方式で定める24個の信号点のうちのいずれかにマッピングされ、
前記単位記憶領域は、ロウ方向に4×2ビットを記憶する8個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の8個のカラムのうちの1番目のカラムの書き始めの位置を、アドレスが0の位置とし、
前記単位記憶領域の8個のカラムのうちの2番目のカラムの書き始めの位置を、アドレスが1の位置とし、
前記単位記憶領域の8個のカラムのうちの3番目のカラムの書き始めの位置を、アドレスが0の位置とし、
前記単位記憶領域の8個のカラムのうちの4番目のカラムの書き始めの位置を、アドレスが8の位置とし、
前記単位記憶領域の8個のカラムのうちの5番目のカラムの書き始めの位置を、アドレスが2の位置とし、
前記単位記憶領域の8個のカラムのうちの6番目のカラムの書き始めの位置を、アドレスが0の位置とし、
前記単位記憶領域の8個のカラムのうちの7番目のカラムの書き始めの位置を、アドレスが1の位置とし、
前記単位記憶領域の8個のカラムのうちの8番目のカラムの書き始めの位置を、アドレスが5の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理装置。
【請求項６】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは8ビットであり、かつ、前記整数bは1であり、
前記LDPC符号の8ビットの符号ビットは、所定の変調方式で定める28個の信号点のうちのいずれかにマッピングされ、
前記単位記憶領域は、ロウ方向に8×1ビットを記憶する8個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の8個のカラムのうちの1番目のカラムの書き始めの位置を、アドレスが0の位置とし、
前記単位記憶領域の8個のカラムのうちの2番目のカラムの書き始めの位置を、アドレスが1の位置とし、
前記単位記憶領域の8個のカラムのうちの3番目のカラムの書き始めの位置を、アドレスが0の位置とし、
前記単位記憶領域の8個のカラムのうちの4番目のカラムの書き始めの位置を、アドレスが8の位置とし、
前記単位記憶領域の8個のカラムのうちの5番目のカラムの書き始めの位置を、アドレスが2の位置とし、
前記単位記憶領域の8個のカラムのうちの6番目のカラムの書き始めの位置を、アドレスが0の位置とし、
前記単位記憶領域の8個のカラムのうちの7番目のカラムの書き始めの位置を、アドレスが1の位置とし、
前記単位記憶領域の8個のカラムのうちの8番目のカラムの書き始めの位置を、アドレスが5の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理装置。
【請求項７】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは6ビットであり、かつ、前記整数bは2であり、
前記LDPC符号の6ビットの符号ビットは、所定の変調方式で定める26個の信号点のうちのいずれかにマッピングされ、
前記単位記憶領域は、ロウ方向に6×2ビットを記憶する12個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の12個のカラムのうちの1番目のカラムの書き始めの位置を、アドレスが0の位置とし、
前記単位記憶領域の12個のカラムのうちの2番目のカラムの書き始めの位置を、アドレスが12の位置とし、
前記単位記憶領域の12個のカラムのうちの3番目のカラムの書き始めの位置を、アドレスが7の位置とし、
前記単位記憶領域の12個のカラムのうちの4番目のカラムの書き始めの位置を、アドレスが1の位置とし、
前記単位記憶領域の12個のカラムのうちの5番目のカラムの書き始めの位置を、アドレスが3の位置とし、
前記単位記憶領域の12個のカラムのうちの6番目のカラムの書き始めの位置を、アドレスが1の位置とし、
前記単位記憶領域の12個のカラムのうちの7番目のカラムの書き始めの位置を、アドレスが8の位置とし、
前記単位記憶領域の12個のカラムのうちの8番目のカラムの書き始めの位置を、アドレスが7の位置とし、
前記単位記憶領域の12個のカラムのうちの9番目のカラムの書き始めの位置を、アドレスが1の位置とし、
前記単位記憶領域の12個のカラムのうちの10番目のカラムの書き始めの位置を、アドレスが0の位置とし、
前記単位記憶領域の12個のカラムのうちの11番目のカラムの書き始めの位置を、アドレスが3の位置とし、
前記単位記憶領域の12個のカラムのうちの12番目のカラムの書き始めの位置を、アドレスが9の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理装置。
【請求項８】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替えステップを備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは2ビットであり、かつ、前記整数bは1であり、
前記LDPC符号の2ビットの符号ビットは、所定の変調方式で定める22個の信号点のうちのいずれかにマッピングされ、
前記単位記憶領域は、ロウ方向に2×1ビットを記憶する2個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替えステップは、
前記単位記憶領域のカラム方向の先頭の位置のアドレスを0として、前記単位記憶領域のカラム方向の各位置のアドレスを、昇順の整数で表すとき、
前記単位記憶領域の2個のカラムのうちの1番目のカラムの書き始めの位置を、アドレスが0の位置とし、
前記単位記憶領域の2個のカラムのうちの2番目のカラムの書き始めの位置を、アドレスが3の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理方法。
【請求項９】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替えステップを備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは2ビットであり、かつ、前記整数bは2であり、
前記LDPC符号の2ビットの符号ビットは、所定の変調方式で定める22個の信号点のうちのいずれかにマッピングされ、
前記単位記憶領域は、ロウ方向に2×2ビットを記憶する4個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替えステップは、
前記単位記憶領域のカラム方向の先頭の位置のアドレスを0として、前記単位記憶領域のカラム方向の各位置のアドレスを、昇順の整数で表すとき、
前記単位記憶領域の4個のカラムのうちの1番目のカラムの書き始めの位置を、アドレスが0の位置とし、
前記単位記憶領域の4個のカラムのうちの2番目のカラムの書き始めの位置を、アドレスが2の位置とし、
前記単位記憶領域の4個のカラムのうちの3番目のカラムの書き始めの位置を、アドレスが3の位置とし、
前記単位記憶領域の4個のカラムのうちの4番目のカラムの書き始めの位置を、アドレスが0の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理方法。
【請求項１０】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替えステップを備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは4ビットであり、かつ、前記整数bは1であり、
前記LDPC符号の4ビットの符号ビットは、所定の変調方式で定める24個の信号点のうちのいずれかにマッピングされ、
前記単位記憶領域は、ロウ方向に4×1ビットを記憶する4個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替えステップは、
前記単位記憶領域のカラム方向の先頭の位置のアドレスを0として、前記単位記憶領域のカラム方向の各位置のアドレスを、昇順の整数で表すとき、
前記単位記憶領域の4個のカラムのうちの1番目のカラムの書き始めの位置を、アドレスが0の位置とし、
前記単位記憶領域の4個のカラムのうちの2番目のカラムの書き始めの位置を、アドレスが2の位置とし、
前記単位記憶領域の4個のカラムのうちの3番目のカラムの書き始めの位置を、アドレスが3の位置とし、
前記単位記憶領域の4個のカラムのうちの4番目のカラムの書き始めの位置を、アドレスが0の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理方法。
【請求項１１】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替えステップを備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは6ビットであり、かつ、前記整数bは1であり、
前記LDPC符号の6ビットの符号ビットは、所定の変調方式で定める26個の信号点のうちのいずれかにマッピングされ、
前記単位記憶領域は、ロウ方向に6×1ビットを記憶する6個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替えステップは、
前記単位記憶領域のカラム方向の先頭の位置のアドレスを0として、前記単位記憶領域のカラム方向の各位置のアドレスを、昇順の整数で表すとき、
前記単位記憶領域の6個のカラムのうちの1番目のカラムの書き始めの位置を、アドレスが0の位置とし、
前記単位記憶領域の6個のカラムのうちの2番目のカラムの書き始めの位置を、アドレスが1の位置とし、
前記単位記憶領域の6個のカラムのうちの3番目のカラムの書き始めの位置を、アドレスが3の位置とし、
前記単位記憶領域の6個のカラムのうちの4番目のカラムの書き始めの位置を、アドレスが8の位置とし、
前記単位記憶領域の6個のカラムのうちの5番目のカラムの書き始めの位置を、アドレスが1の位置とし、
前記単位記憶領域の6個のカラムのうちの6番目のカラムの書き始めの位置を、アドレスが6の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理方法。
【請求項１２】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替えステップを備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは4ビットであり、かつ、前記整数bは2であり、
前記LDPC符号の4ビットの符号ビットは、所定の変調方式で定める24個の信号点のうちのいずれかにマッピングされ、
前記単位記憶領域は、ロウ方向に4×2ビットを記憶する8個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替えステップは、
前記単位記憶領域のカラム方向の先頭の位置のアドレスを0として、前記単位記憶領域のカラム方向の各位置のアドレスを、昇順の整数で表すとき、
前記単位記憶領域の8個のカラムのうちの1番目のカラムの書き始めの位置を、アドレスが0の位置とし、
前記単位記憶領域の8個のカラムのうちの2番目のカラムの書き始めの位置を、アドレスが1の位置とし、
前記単位記憶領域の8個のカラムのうちの3番目のカラムの書き始めの位置を、アドレスが0の位置とし、
前記単位記憶領域の8個のカラムのうちの4番目のカラムの書き始めの位置を、アドレスが8の位置とし、
前記単位記憶領域の8個のカラムのうちの5番目のカラムの書き始めの位置を、アドレスが2の位置とし、
前記単位記憶領域の8個のカラムのうちの6番目のカラムの書き始めの位置を、アドレスが0の位置とし、
前記単位記憶領域の8個のカラムのうちの7番目のカラムの書き始めの位置を、アドレスが1の位置とし、
前記単位記憶領域の8個のカラムのうちの8番目のカラムの書き始めの位置を、アドレスが5の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理方法。
【請求項１３】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替えステップを備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは8ビットであり、かつ、前記整数bは1であり、
前記LDPC符号の8ビットの符号ビットは、所定の変調方式で定める28個の信号点のうちのいずれかにマッピングされ、
前記単位記憶領域は、ロウ方向に8×1ビットを記憶する8個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替えステップは、
前記単位記憶領域のカラム方向の先頭の位置のアドレスを0として、前記単位記憶領域のカラム方向の各位置のアドレスを、昇順の整数で表すとき、
前記単位記憶領域の8個のカラムのうちの1番目のカラムの書き始めの位置を、アドレスが0の位置とし、
前記単位記憶領域の8個のカラムのうちの2番目のカラムの書き始めの位置を、アドレスが1の位置とし、
前記単位記憶領域の8個のカラムのうちの3番目のカラムの書き始めの位置を、アドレスが0の位置とし、
前記単位記憶領域の8個のカラムのうちの4番目のカラムの書き始めの位置を、アドレスが8の位置とし、
前記単位記憶領域の8個のカラムのうちの5番目のカラムの書き始めの位置を、アドレスが2の位置とし、
前記単位記憶領域の8個のカラムのうちの6番目のカラムの書き始めの位置を、アドレスが0の位置とし、
前記単位記憶領域の8個のカラムのうちの7番目のカラムの書き始めの位置を、アドレスが1の位置とし、
前記単位記憶領域の8個のカラムのうちの8番目のカラムの書き始めの位置を、アドレスが5の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理方法。
【請求項１４】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替えステップを備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは6ビットであり、かつ、前記整数bは2であり、
前記LDPC符号の6ビットの符号ビットは、所定の変調方式で定める26個の信号点のうちのいずれかにマッピングされ、
前記単位記憶領域は、ロウ方向に6×2ビットを記憶する12個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替えステップは、
前記単位記憶領域のカラム方向の先頭の位置のアドレスを0として、前記単位記憶領域のカラム方向の各位置のアドレスを、昇順の整数で表すとき、
前記単位記憶領域の12個のカラムのうちの1番目のカラムの書き始めの位置を、アドレスが0の位置とし、
前記単位記憶領域の12個のカラムのうちの2番目のカラムの書き始めの位置を、アドレスが12の位置とし、
前記単位記憶領域の12個のカラムのうちの3番目のカラムの書き始めの位置を、アドレスが7の位置とし、
前記単位記憶領域の12個のカラムのうちの4番目のカラムの書き始めの位置を、アドレスが1の位置とし、
前記単位記憶領域の12個のカラムのうちの5番目のカラムの書き始めの位置を、アドレスが3の位置とし、
前記単位記憶領域の12個のカラムのうちの6番目のカラムの書き始めの位置を、アドレスが1の位置とし、
前記単位記憶領域の12個のカラムのうちの7番目のカラムの書き始めの位置を、アドレスが8の位置とし、
前記単位記憶領域の12個のカラムのうちの8番目のカラムの書き始めの位置を、アドレスが7の位置とし、
前記単位記憶領域の12個のカラムのうちの9番目のカラムの書き始めの位置を、アドレスが1の位置とし、
前記単位記憶領域の12個のカラムのうちの10番目のカラムの書き始めの位置を、アドレスが0の位置とし、
前記単位記憶領域の12個のカラムのうちの11番目のカラムの書き始めの位置を、アドレスが3の位置とし、
前記単位記憶領域の12個のカラムのうちの12番目のカラムの書き始めの位置を、アドレスが9の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
データ処理方法。
【請求項１５】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは2ビットであり、かつ、前記整数bは1であり、
前記LDPC符号の2ビットの符号ビットは、所定の変調方式で定める22個の信号点のうちのいずれかにマッピングされ、
前記単位記憶領域は、ロウ方向に2×1ビットを記憶する2個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の2個のカラムのうちの1番目のカラムの書き始めの位置を、アドレスが0の位置とし、
前記単位記憶領域の2個のカラムのうちの2番目のカラムの書き始めの位置を、アドレスが3の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
送信装置で得られる、前記並び替え処理後の符号ビットを、元の並びに戻す逆並び替え処理を行う逆並び替え部を備える
データ処理装置。
【請求項１６】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは2ビットであり、かつ、前記整数bは2であり、
前記LDPC符号の2ビットの符号ビットは、所定の変調方式で定める22個の信号点のうちのいずれかにマッピングされ、
前記単位記憶領域は、ロウ方向に2×2ビットを記憶する4個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の4個のカラムのうちの1番目のカラムの書き始めの位置を、アドレスが0の位置とし、
前記単位記憶領域の4個のカラムのうちの2番目のカラムの書き始めの位置を、アドレスが2の位置とし、
前記単位記憶領域の4個のカラムのうちの3番目のカラムの書き始めの位置を、アドレスが3の位置とし、
前記単位記憶領域の4個のカラムのうちの4番目のカラムの書き始めの位置を、アドレスが0の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
送信装置で得られる、前記並び替え処理後の符号ビットを、元の並びに戻す逆並び替え処理を行う逆並び替え部を備える
データ処理装置。
【請求項１７】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは4ビットであり、かつ、前記整数bは1であり、
前記LDPC符号の4ビットの符号ビットは、所定の変調方式で定める24個の信号点のうちのいずれかにマッピングされ、
前記単位記憶領域は、ロウ方向に4×1ビットを記憶する4個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の4個のカラムのうちの1番目のカラムの書き始めの位置を、アドレスが0の位置とし、
前記単位記憶領域の4個のカラムのうちの2番目のカラムの書き始めの位置を、アドレスが2の位置とし、
前記単位記憶領域の4個のカラムのうちの3番目のカラムの書き始めの位置を、アドレスが3の位置とし、
前記単位記憶領域の4個のカラムのうちの4番目のカラムの書き始めの位置を、アドレスが0の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
送信装置で得られる、前記並び替え処理後の符号ビットを、元の並びに戻す逆並び替え処理を行う逆並び替え部を備える
データ処理装置。
【請求項１８】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは6ビットであり、かつ、前記整数bは1であり、
前記LDPC符号の6ビットの符号ビットは、所定の変調方式で定める26個の信号点のうちのいずれかにマッピングされ、
前記単位記憶領域は、ロウ方向に6×1ビットを記憶する6個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の6個のカラムのうちの1番目のカラムの書き始めの位置を、アドレスが0の位置とし、
前記単位記憶領域の6個のカラムのうちの2番目のカラムの書き始めの位置を、アドレスが1の位置とし、
前記単位記憶領域の6個のカラムのうちの3番目のカラムの書き始めの位置を、アドレスが3の位置とし、
前記単位記憶領域の6個のカラムのうちの4番目のカラムの書き始めの位置を、アドレスが8の位置とし、
前記単位記憶領域の6個のカラムのうちの5番目のカラムの書き始めの位置を、アドレスが1の位置とし、
前記単位記憶領域の6個のカラムのうちの6番目のカラムの書き始めの位置を、アドレスが6の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
送信装置で得られる、前記並び替え処理後の符号ビットを、元の並びに戻す逆並び替え処理を行う逆並び替え部を備える
データ処理装置。
【請求項１９】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは4ビットであり、かつ、前記整数bは2であり、
前記LDPC符号の4ビットの符号ビットは、所定の変調方式で定める24個の信号点のうちのいずれかにマッピングされ、
前記単位記憶領域は、ロウ方向に4×2ビットを記憶する8個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の8個のカラムのうちの1番目のカラムの書き始めの位置を、アドレスが0の位置とし、
前記単位記憶領域の8個のカラムのうちの2番目のカラムの書き始めの位置を、アドレスが1の位置とし、
前記単位記憶領域の8個のカラムのうちの3番目のカラムの書き始めの位置を、アドレスが0の位置とし、
前記単位記憶領域の8個のカラムのうちの4番目のカラムの書き始めの位置を、アドレスが8の位置とし、
前記単位記憶領域の8個のカラムのうちの5番目のカラムの書き始めの位置を、アドレスが2の位置とし、
前記単位記憶領域の8個のカラムのうちの6番目のカラムの書き始めの位置を、アドレスが0の位置とし、
前記単位記憶領域の8個のカラムのうちの7番目のカラムの書き始めの位置を、アドレスが1の位置とし、
前記単位記憶領域の8個のカラムのうちの8番目のカラムの書き始めの位置を、アドレスが5の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
送信装置で得られる、前記並び替え処理後の符号ビットを、元の並びに戻す逆並び替え処理を行う逆並び替え部を備える
データ処理装置。
【請求項２０】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは8ビットであり、かつ、前記整数bは1であり、
前記LDPC符号の8ビットの符号ビットは、所定の変調方式で定める28個の信号点のうちのいずれかにマッピングされ、
前記単位記憶領域は、ロウ方向に8×1ビットを記憶する8個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の8個のカラムのうちの1番目のカラムの書き始めの位置を、アドレスが0の位置とし、
前記単位記憶領域の8個のカラムのうちの2番目のカラムの書き始めの位置を、アドレスが1の位置とし、
前記単位記憶領域の8個のカラムのうちの3番目のカラムの書き始めの位置を、アドレスが0の位置とし、
前記単位記憶領域の8個のカラムのうちの4番目のカラムの書き始めの位置を、アドレスが8の位置とし、
前記単位記憶領域の8個のカラムのうちの5番目のカラムの書き始めの位置を、アドレスが2の位置とし、
前記単位記憶領域の8個のカラムのうちの6番目のカラムの書き始めの位置を、アドレスが0の位置とし、
前記単位記憶領域の8個のカラムのうちの7番目のカラムの書き始めの位置を、アドレスが1の位置とし、
前記単位記憶領域の8個のカラムのうちの8番目のカラムの書き始めの位置を、アドレスが5の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
送信装置で得られる、前記並び替え処理後の符号ビットを、元の並びに戻す逆並び替え処理を行う逆並び替え部を備える
データ処理装置。
【請求項２１】
LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、
前記LDPC符号の2ビット以上のmビットの符号ビットが１個のシンボルとして送信される場合に、
前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、
前記LDPC符号の符号長をNビットと、所定の正の整数をbと、それぞれ表した場合に、
前記単位記憶領域が、前記ロウ方向にmbビットを記憶するとともに、前記カラム方向にN/(mb)ビットを記憶し、
前記単位記憶領域の前記ロウ方向に読み出されるmbビットの符号ビットが、b個のシンボルにされるとき、
前記LDPC符号は、符号長Nが16200ビットのLDPC符号であり、
前記mビットは6ビットであり、かつ、前記整数bは2であり、
前記LDPC符号の6ビットの符号ビットは、所定の変調方式で定める26個の信号点のうちのいずれかにマッピングされ、
前記単位記憶領域は、ロウ方向に6×2ビットを記憶する12個のカラムを有し、
前記記憶部は、１以上であるL個以上の前記単位記憶領域を有し、
L個の符号語のLDPC符号は、前記記憶部のL個の前記単位記憶領域に書き込まれた後に読み出され、
前記並び替え部は、
前記単位記憶領域のカラム方向の先頭の位置のアドレスを0として、前記単位記憶領域のカラム方向の各位置のアドレスを、昇順の整数で表すとき、
前記単位記憶領域の12個のカラムのうちの1番目のカラムの書き始めの位置を、アドレスが0の位置とし、
前記単位記憶領域の12個のカラムのうちの2番目のカラムの書き始めの位置を、アドレスが12の位置とし、
前記単位記憶領域の12個のカラムのうちの3番目のカラムの書き始めの位置を、アドレスが7の位置とし、
前記単位記憶領域の12個のカラムのうちの4番目のカラムの書き始めの位置を、アドレスが1の位置とし、
前記単位記憶領域の12個のカラムのうちの5番目のカラムの書き始めの位置を、アドレスが3の位置とし、
前記単位記憶領域の12個のカラムのうちの6番目のカラムの書き始めの位置を、アドレスが1の位置とし、
前記単位記憶領域の12個のカラムのうちの7番目のカラムの書き始めの位置を、アドレスが8の位置とし、
前記単位記憶領域の12個のカラムのうちの8番目のカラムの書き始めの位置を、アドレスが7の位置とし、
前記単位記憶領域の12個のカラムのうちの9番目のカラムの書き始めの位置を、アドレスが1の位置とし、
前記単位記憶領域の12個のカラムのうちの10番目のカラムの書き始めの位置を、アドレスが0の位置とし、
前記単位記憶領域の12個のカラムのうちの11番目のカラムの書き始めの位置を、アドレスが3の位置とし、
前記単位記憶領域の12個のカラムのうちの12番目のカラムの書き始めの位置を、アドレスが9の位置とし、
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる
送信装置で得られる、前記並び替え処理後の符号ビットを、元の並びに戻す逆並び替え処理を行う逆並び替え部を備える
データ処理装置。
【発明の詳細な説明】
【技術分野】
【０００１】
本技術は、データ処理装置、及び、データ処理方法に関し、特に、例えば、データのエラーに対する耐性を向上させることができるようにするデータ処理装置、及び、データ処理方法に関する。
【背景技術】
【０００２】
LDPC(Low Density Parity Check)符号は、高い誤り訂正能力を有し、近年では、例えば、欧州で行われているDVB(Digital Video Broadcasting)-S.2等の衛星ディジタル放送を含む伝送方式に広く採用され始めている（例えば、非特許文献１を参照）。また、LDPC符号は、次世代の地上ディジタル放送にも採用が検討されている。
【０００３】
LDPC符号は、近年の研究により、ターボ符号等と同様に、符号長を長くしていくにしたがって、シャノン限界に近い性能が得られることがわかりつつある。また、LDPC符号は、最小距離が符号長に比例するという性質があることから、その特徴として、ブロック誤り確率特性がよく、さらに、ターボ符号等の復号特性において観測される、いわゆるエラーフロア現象が殆ど生じないことも利点として挙げられる。
【０００４】
以下、このようなLDPC符号について具体的に説明する。なお、LDPC符号は、線形符号であり、必ずしも２元である必要はないが、ここでは、２元であるものとして説明する。
【０００５】
LDPC符号は、そのLDPC符号を定義する検査行列(parity check matrix)が疎なものであることを最大の特徴とする。ここで、疎な行列とは、行列の要素の"1"の個数が非常に少ない行列（ほとんどの要素が0の行列）である。
【０００６】
図１は、LDPC符号の検査行列Hの例を示している。
【０００７】
図１の検査行列Hでは、各列の重み（列重み）（"1"の数）(weight)が"3"であり、且つ、各行の重み（行重み）が"6"になっている。
【０００８】
LDPC符号による符号化（LDPC符号化）では、例えば、検査行列Hに基づいて生成行列Gを生成し、この生成行列Gを２元の情報ビットに対して乗算することで、符号語（LDPC符号）が生成される。
【０００９】
具体的には、LDPC符号化を行う符号化装置は、まず、検査行列Hの転置行列HTとの間に、式GHT=0が成立する生成行列Gを算出する。ここで、生成行列Gが、K×N行列である場合には、符号化装置は、生成行列Gに対してKビットからなる情報ビットのビット列（ベクトルｕ）を乗算し、Nビットからなる符号語c(=uG)を生成する。この符号化装置によって生成された符号語（LDPC符号）は、所定の通信路を介して受信側において受信される。
【００１０】
LDPC符号の復号は、Gallagerが確率復号(Probabilistic Decoding)と称して提案したアルゴリズムであって、バリアブルノード（variable node（メッセージノード(message node)とも呼ばれる）)と、チェックノード(check node)とからなる、いわゆるタナーグラフ(Tanner graph)上での確率伝播(belief propagation)によるメッセージ・パッシング・アルゴリズムによって行うことが可能である。ここで、以下、適宜、バリアブルノードとチェックノードを、単に、ノードともいう。
【００１１】
図２は、LDPC符号の復号の手順を示している。
【００１２】
なお、以下、適宜、受信側で受信したLDPC符号（１符号語）のi番目の符号ビットの、値の"0"らしさを対数尤度比(log likelihood ratio)で表現した実数値（受信LLR）を、受信値u0iともいう。また、チェックノードから出力されるメッセージをujとし、バリアブルノードから出力されるメッセージをviとする。
【００１３】
まず、LDPC符号の復号においては、図２に示すように、ステップＳ１１において、LDPC符号が受信され、メッセージ（チェックノードメッセージ）ujが"0"に初期化されるとともに、繰り返し処理のカウンタとしての整数をとる変数kが"0"に初期化され、ステップＳ１２に進む。ステップＳ１２において、LDPC符号を受信して得られる受信値u0iに基づいて、式（１）に示す演算（バリアブルノード演算）を行うことによってメッセージ（バリアブルノードメッセージ）viが求められ、さらに、このメッセージviに基づいて、式（２）に示す演算（チェックノード演算）を行うことによってメッセージujが求められる。
【００１４】
【数１】
0005672489.tif 000002
・・・（１）
【００１５】
【数２】
0005672489.tif 000003
・・・（２）
【００１６】
ここで、式（１）と式（２）におけるdvとdcは、それぞれ、検査行列Hの縦方向（列）と横方向（行）の"1"の個数を示す任意に選択可能とされるパラメータであり、例えば、(3,6)符号の場合には、dv=3，dc=6となる。
【００１７】
なお、式（１）のバリアブルノード演算、及び（２）のチェックノード演算においては、それぞれ、メッセージを出力しようとする枝(edge)（バリアブルノードとチェックノードとを結ぶ線）から入力されたメッセージを、演算の対象としないことから、演算の範囲が、１ないしdv-1又は１ないしdc-1となっている。また、式（２）のチェックノード演算は、実際には、２入力v1，v2に対する１出力で定義される式（３）に示す関数R(v1,v2)のテーブルを予め作成しておき、これを式（４）に示すように連続的（再帰的）に用いることによって行われる。
【００１８】
【数３】
0005672489.tif 000004
・・・（３）
【００１９】
【数４】
0005672489.tif 000005
・・・（４）
【００２０】
ステップＳ１２では、さらに、変数kが"1"だけインクリメントされ、ステップＳ１３に進む。ステップＳ１３では、変数kが所定の繰り返し復号回数Cよりも大きいか否かが判定される。ステップＳ１３において、変数kがCよりも大きくないと判定された場合、ステップＳ１２に戻り、以下、同様の処理が繰り返される。
【００２１】
また、ステップＳ１３において、変数kがCよりも大きいと判定された場合、ステップＳ１４に進み、式（５）に示す演算を行うことによって最終的に出力する復号結果としてのメッセージviが求められて出力され、LDPC符号の復号処理が終了する。
【００２２】
【数５】
0005672489.tif 000006
・・・（５）
【００２３】
ここで、式（５）の演算は、式（１）のバリアブルノード演算とは異なり、バリアブルノードに接続している全ての枝からのメッセージujを用いて行われる。
【００２４】
図３は、(3,6)LDPC符号（符号化率1/2、符号長12）の検査行列Hの例を示している。
【００２５】
図３の検査行列Hでは、図１と同様に、列の重みが３に、行の重みが６に、それぞれなっている。
【００２６】
図４は、図３の検査行列Hのタナーグラフを示している。
【００２７】
ここで、図４において、プラス"+"で表わされるのが、チェックノードであり、イコール"="で表わされるのが、バリアブルノードである。チェックノードとバリアブルノードは、それぞれ、検査行列Hの行と列に対応する。チェックノードとバリアブルノードとの間の結線は、枝(edge)であり、検査行列の要素の"1"に相当する。
【００２８】
すなわち、検査行列の第ｊ行第ｉ列の要素が１である場合には、図４において、上からｉ番目のバリアブルノード（"="のノード）と、上からｊ番目のチェックノード（"+"のノード）とが、枝により接続される。枝は、バリアブルノードに対応する符号ビットが、チェックノードに対応する拘束条件を持つことを表す。
【００２９】
LDPC符号の復号方法であるサムプロダクトアルゴリズム(Sum Product Algorithm)では、バリアブルノード演算とチェックノード演算とが繰り返し行われる。
【００３０】
図５は、バリアブルノードで行われるバリアブルノード演算を示している。
【００３１】
バリアブルノードでは、計算しようとしている枝に対応するメッセージviは、バリアブルノードに繋がっている残りの枝からのメッセージu1およびu2と、受信値u0iを用いた式（１）のバリアブルノード演算により求められる。他の枝に対応するメッセージも同様に求められる。
【００３２】
図６は、チェックノードで行われるチェックノード演算を示している。
【００３３】
ここで、式（２）のチェックノード演算は、式a×b=exp{ln(|a|)+ln(|b|)}×sign(a)×sign(b)の関係を用いて、式（６）に書き直すことができる。但し、sign(x)は、x≧0のとき1であり、x＜0のとき-1である。
【００３４】
【数６】
0005672489.tif 000007
・・・（６）
【００３５】
x≧0において、関数φ(x)を、式φ(x)=ln(tanh(x/2))と定義すると、式φ-1(x)=2tanh-1(e-x)が成り立つから、式（６）は、式（７）に変形することができる。
【００３６】
【数７】
0005672489.tif 000008
・・・（７）
【００３７】
チェックノードでは、式（２）のチェックノード演算が、式（７）に従って行われる。
【００３８】
すなわち、チェックノードでは、図６のように、計算しようとしている枝に対応するメッセージujは、チェックノードに繋がっている残りの枝からのメッセージv1,v2,v3,v4,v5を用いた式（７）のチェックノード演算によって求められる。他の枝に対応するメッセージも同様に求められる。
【００３９】
なお、式（７）の関数φ(x)は、式φ(x)=ln((ex+1)/(ex-1))で表すことができ、x＞0において、φ(x)=φ-1(x)である。関数φ(x)およびφ-1(x)をハードウェアに実装する際には、LUT(Look Up Table)を用いて実装される場合があるが、両者共に同一のLUTとなる。
【先行技術文献】
【非特許文献】
【００４０】
【非特許文献１】DVB-S.2 : ETSI EN 302 307 V1.1.2 (2006-06)
【発明の概要】
【発明が解決しようとする課題】
【００４１】
LDPC符号は、衛星ディジタル放送の規格であるDVB-S.2や、次世代の地上ディジタル放送の規格であるDVB-T.2で採用されている。また、LDPC符号は、次世代のCATV(Cable Television)ディジタル放送の規格であるDVB-C.2での採用が予定されている。
【００４２】
DVB-S.2等のDVBの規格に準拠したディジタル放送では、LDPC符号が、QPSK(Quadrature Phase Shift Keying)等の直交変調（ディジタル変調）のシンボルとされ（シンボル化され）、そのシンボルが信号点にマッピングされて送信される。
【００４３】
LDPC符号のシンボル化では、LDPC符号の符号ビットの入れ替えが、２ビット以上の符号ビット単位で行われ、その入れ替え後の符号ビットが、シンボルのビットとされる。
【００４４】
LDPC符号のシンボル化のための、符号ビットの入れ替えの方式としては、種々の方式で提案されており、例えば、DVB-T.2でも規定されている。
【００４５】
ところで、DVB-T.2は、家庭等に設置されるテレビジョン受像機等の固定端末向けのディジタル放送の規格であり、携帯（移動）端末向けのディジタル放送には、適切でない場合がある。
【００４６】
すなわち、携帯端末は、固定端末に比較して、回路規模を小さくする必要があり、低消費電力化を図る必要がある。したがって、携帯端末向けのディジタル放送では、携帯端末でのLDPC符号の復号等の処理に必要な負荷を軽減するために、例えば、LDPC符号の復号の繰り返し回数（繰り返し復号回数C）や、LDPC符号の符号長等が、固定端末向けのディジタル放送の場合よりも制限されることがある。
【００４７】
しかしながら、そのような制限の下であっても、エラーに対する耐性は、ある程度維持する必要がある。
【００４８】
本技術は、このような状況に鑑みてなされたものであり、LDPC符号等のデータのエラーに対する耐性を向上させることができるようにするものである。
【課題を解決するための手段】
【００４９】
本技術の第１の側面のデータ処理装置／データ処理方法は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部／並び替えステップを備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは2ビットであり、かつ、前記整数bは1であり、前記LDPC符号の2ビットの符号ビットは、所定の変調方式で定める22個の信号点のうちのいずれかにマッピングされ、前記単位記憶領域は、ロウ方向に2×1ビットを記憶する2個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部／並び替えステップは、前記単位記憶領域のカラム方向の先頭の位置のアドレスを0として、前記単位記憶領域のカラム方向の各位置のアドレスを、昇順の整数で表すとき、前記単位記憶領域の2個のカラムのうちの1番目のカラムの書き始めの位置を、アドレスが0の位置とし、前記単位記憶領域の2個のカラムのうちの2番目のカラムの書き始めの位置を、アドレスが3の位置とするデータ処理装置／データ処理方法である。
【００５０】
本技術の第２の側面のデータ処理装置／データ処理方法は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部／並び替えステップを備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは2ビットであり、かつ、前記整数bは2であり、前記LDPC符号の2ビットの符号ビットは、所定の変調方式で定める22個の信号点のうちのいずれかにマッピングされ、前記単位記憶領域は、ロウ方向に2×2ビットを記憶する4個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部／並び替えステップは、前記単位記憶領域のカラム方向の先頭の位置のアドレスを0として、前記単位記憶領域のカラム方向の各位置のアドレスを、昇順の整数で表すとき、前記単位記憶領域の4個のカラムのうちの1番目のカラムの書き始めの位置を、アドレスが0の位置とし、前記単位記憶領域の4個のカラムのうちの2番目のカラムの書き始めの位置を、アドレスが2の位置とし、前記単位記憶領域の4個のカラムのうちの3番目のカラムの書き始めの位置を、アドレスが3の位置とし、前記単位記憶領域の4個のカラムのうちの4番目のカラムの書き始めの位置を、アドレスが0の位置とするデータ処理装置／データ処理方法である。
【００５１】
本技術の第３の側面のデータ処理装置／データ処理方法は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部／並び替えステップを備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは4ビットであり、かつ、前記整数bは1であり、前記LDPC符号の4ビットの符号ビットは、所定の変調方式で定める24個の信号点のうちのいずれかにマッピングされ、前記単位記憶領域は、ロウ方向に4×1ビットを記憶する4個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部／並び替えステップは、前記単位記憶領域のカラム方向の先頭の位置のアドレスを0として、前記単位記憶領域のカラム方向の各位置のアドレスを、昇順の整数で表すとき、前記単位記憶領域の4個のカラムのうちの1番目のカラムの書き始めの位置を、アドレスが0の位置とし、前記単位記憶領域の4個のカラムのうちの2番目のカラムの書き始めの位置を、アドレスが2の位置とし、前記単位記憶領域の4個のカラムのうちの3番目のカラムの書き始めの位置を、アドレスが3の位置とし、前記単位記憶領域の4個のカラムのうちの4番目のカラムの書き始めの位置を、アドレスが0の位置とするデータ処理装置／データ処理方法である。
【００５２】
本技術の第４の側面のデータ処理装置／データ処理方法は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部／並び替えステップを備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは6ビットであり、かつ、前記整数bは1であり、前記LDPC符号の6ビットの符号ビットは、所定の変調方式で定める26個の信号点のうちのいずれかにマッピングされ、前記単位記憶領域は、ロウ方向に6×1ビットを記憶する6個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部／並び替えステップは、前記単位記憶領域のカラム方向の先頭の位置のアドレスを0として、前記単位記憶領域のカラム方向の各位置のアドレスを、昇順の整数で表すとき、前記単位記憶領域の6個のカラムのうちの1番目のカラムの書き始めの位置を、アドレスが0の位置とし、前記単位記憶領域の6個のカラムのうちの2番目のカラムの書き始めの位置を、アドレスが1の位置とし、前記単位記憶領域の6個のカラムのうちの3番目のカラムの書き始めの位置を、アドレスが3の位置とし、前記単位記憶領域の6個のカラムのうちの4番目のカラムの書き始めの位置を、アドレスが8の位置とし、前記単位記憶領域の6個のカラムのうちの5番目のカラムの書き始めの位置を、アドレスが1の位置とし、前記単位記憶領域の6個のカラムのうちの6番目のカラムの書き始めの位置を、アドレスが6の位置とするデータ処理装置／データ処理方法である。
【００５３】
本技術の第５の側面のデータ処理装置／データ処理方法は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部／並び替えステップを備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは4ビットであり、かつ、前記整数bは2であり、前記LDPC符号の4ビットの符号ビットは、所定の変調方式で定める24個の信号点のうちのいずれかにマッピングされ、前記単位記憶領域は、ロウ方向に4×2ビットを記憶する8個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部／並び替えステップは、前記単位記憶領域のカラム方向の先頭の位置のアドレスを0として、前記単位記憶領域のカラム方向の各位置のアドレスを、昇順の整数で表すとき、前記単位記憶領域の8個のカラムのうちの1番目のカラムの書き始めの位置を、アドレスが0の位置とし、前記単位記憶領域の8個のカラムのうちの2番目のカラムの書き始めの位置を、アドレスが1の位置とし、前記単位記憶領域の8個のカラムのうちの3番目のカラムの書き始めの位置を、アドレスが0の位置とし、前記単位記憶領域の8個のカラムのうちの4番目のカラムの書き始めの位置を、アドレスが8の位置とし、前記単位記憶領域の8個のカラムのうちの5番目のカラムの書き始めの位置を、アドレスが2の位置とし、前記単位記憶領域の8個のカラムのうちの6番目のカラムの書き始めの位置を、アドレスが0の位置とし、前記単位記憶領域の8個のカラムのうちの7番目のカラムの書き始めの位置を、アドレスが1の位置とし、前記単位記憶領域の8個のカラムのうちの8番目のカラムの書き始めの位置を、アドレスが5の位置とするデータ処理装置／データ処理方法である。
【００５４】
本技術の第６の側面のデータ処理装置／データ処理方法は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部／並び替えステップを備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは8ビットであり、かつ、前記整数bは1であり、前記LDPC符号の8ビットの符号ビットは、所定の変調方式で定める28個の信号点のうちのいずれかにマッピングされ、前記単位記憶領域は、ロウ方向に8×1ビットを記憶する8個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部／並び替えステップは、前記単位記憶領域のカラム方向の先頭の位置のアドレスを0として、前記単位記憶領域のカラム方向の各位置のアドレスを、昇順の整数で表すとき、前記単位記憶領域の8個のカラムのうちの1番目のカラムの書き始めの位置を、アドレスが0の位置とし、前記単位記憶領域の8個のカラムのうちの2番目のカラムの書き始めの位置を、アドレスが1の位置とし、前記単位記憶領域の8個のカラムのうちの3番目のカラムの書き始めの位置を、アドレスが0の位置とし、前記単位記憶領域の8個のカラムのうちの4番目のカラムの書き始めの位置を、アドレスが8の位置とし、前記単位記憶領域の8個のカラムのうちの5番目のカラムの書き始めの位置を、アドレスが2の位置とし、前記単位記憶領域の8個のカラムのうちの6番目のカラムの書き始めの位置を、アドレスが0の位置とし、前記単位記憶領域の8個のカラムのうちの7番目のカラムの書き始めの位置を、アドレスが1の位置とし、前記単位記憶領域の8個のカラムのうちの8番目のカラムの書き始めの位置を、アドレスが5の位置とするデータ処理装置／データ処理方法である。
【００５５】
本技術の第７の側面のデータ処理装置／データ処理方法は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部／並び替えステップを備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは6ビットであり、かつ、前記整数bは2であり、前記LDPC符号の6ビットの符号ビットは、所定の変調方式で定める26個の信号点のうちのいずれかにマッピングされ、前記単位記憶領域は、ロウ方向に6×2ビットを記憶する12個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部／並び替えステップは、前記単位記憶領域のカラム方向の先頭の位置のアドレスを0として、前記単位記憶領域のカラム方向の各位置のアドレスを、昇順の整数で表すとき、前記単位記憶領域の12個のカラムのうちの1番目のカラムの書き始めの位置を、アドレスが0の位置とし、前記単位記憶領域の12個のカラムのうちの2番目のカラムの書き始めの位置を、アドレスが12の位置とし、前記単位記憶領域の12個のカラムのうちの3番目のカラムの書き始めの位置を、アドレスが7の位置とし、前記単位記憶領域の12個のカラムのうちの4番目のカラムの書き始めの位置を、アドレスが1の位置とし、前記単位記憶領域の12個のカラムのうちの5番目のカラムの書き始めの位置を、アドレスが3の位置とし、前記単位記憶領域の12個のカラムのうちの6番目のカラムの書き始めの位置を、アドレスが1の位置とし、前記単位記憶領域の12個のカラムのうちの7番目のカラムの書き始めの位置を、アドレスが8の位置とし、前記単位記憶領域の12個のカラムのうちの8番目のカラムの書き始めの位置を、アドレスが7の位置とし、前記単位記憶領域の12個のカラムのうちの9番目のカラムの書き始めの位置を、アドレスが1の位置とし、前記単位記憶領域の12個のカラムのうちの10番目のカラムの書き始めの位置を、アドレスが0の位置とし、前記単位記憶領域の12個のカラムのうちの11番目のカラムの書き始めの位置を、アドレスが3の位置とし、前記単位記憶領域の12個のカラムのうちの12番目のカラムの書き始めの位置を、アドレスが9の位置とするデータ処理装置／データ処理方法である。
【００５６】
本技術の第８の側面のデータ処理装置は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは2ビットであり、かつ、前記整数bは1であり、前記LDPC符号の2ビットの符号ビットは、所定の変調方式で定める22個の信号点のうちのいずれかにマッピングされ、前記単位記憶領域は、ロウ方向に2×1ビットを記憶する2個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部は、前記単位記憶領域のカラム方向の先頭の位置のアドレスを0として、前記単位記憶領域のカラム方向の各位置のアドレスを、昇順の整数で表すとき、前記単位記憶領域の2個のカラムのうちの1番目のカラムの書き始めの位置を、アドレスが0の位置とし、前記単位記憶領域の2個のカラムのうちの2番目のカラムの書き始めの位置を、アドレスが3の位置とする送信装置で得られる、前記並び替え処理後の符号ビットを、元の並びに戻す逆並び替え処理を行う逆並び替え部を備えるデータ処理装置である。
【００５７】
本技術の第９の側面のデータ処理装置は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは2ビットであり、かつ、前記整数bは2であり、前記LDPC符号の2ビットの符号ビットは、所定の変調方式で定める22個の信号点のうちのいずれかにマッピングされ、前記単位記憶領域は、ロウ方向に2×2ビットを記憶する4個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部は、前記単位記憶領域のカラム方向の先頭の位置のアドレスを0として、前記単位記憶領域のカラム方向の各位置のアドレスを、昇順の整数で表すとき、前記単位記憶領域の4個のカラムのうちの1番目のカラムの書き始めの位置を、アドレスが0の位置とし、前記単位記憶領域の4個のカラムのうちの2番目のカラムの書き始めの位置を、アドレスが2の位置とし、前記単位記憶領域の4個のカラムのうちの3番目のカラムの書き始めの位置を、アドレスが3の位置とし、前記単位記憶領域の4個のカラムのうちの4番目のカラムの書き始めの位置を、アドレスが0の位置とする送信装置で得られる、前記並び替え処理後の符号ビットを、元の並びに戻す逆並び替え処理を行う逆並び替え部を備えるデータ処理装置である。
【００５８】
本技術の第１０の側面のデータ処理装置は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは4ビットであり、かつ、前記整数bは1であり、前記LDPC符号の4ビットの符号ビットは、所定の変調方式で定める24個の信号点のうちのいずれかにマッピングされ、前記単位記憶領域は、ロウ方向に4×1ビットを記憶する4個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部は、前記単位記憶領域のカラム方向の先頭の位置のアドレスを0として、前記単位記憶領域のカラム方向の各位置のアドレスを、昇順の整数で表すとき、前記単位記憶領域の4個のカラムのうちの1番目のカラムの書き始めの位置を、アドレスが0の位置とし、前記単位記憶領域の4個のカラムのうちの2番目のカラムの書き始めの位置を、アドレスが2の位置とし、前記単位記憶領域の4個のカラムのうちの3番目のカラムの書き始めの位置を、アドレスが3の位置とし、前記単位記憶領域の4個のカラムのうちの4番目のカラムの書き始めの位置を、アドレスが0の位置とする送信装置で得られる、前記並び替え処理後の符号ビットを、元の並びに戻す逆並び替え処理を行う逆並び替え部を備えるデータ処理装置である。
【００５９】
本技術の第１１の側面のデータ処理装置は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは6ビットであり、かつ、前記整数bは1であり、前記LDPC符号の6ビットの符号ビットは、所定の変調方式で定める26個の信号点のうちのいずれかにマッピングされ、前記単位記憶領域は、ロウ方向に6×1ビットを記憶する6個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部は、前記単位記憶領域のカラム方向の先頭の位置のアドレスを0として、前記単位記憶領域のカラム方向の各位置のアドレスを、昇順の整数で表すとき、前記単位記憶領域の6個のカラムのうちの1番目のカラムの書き始めの位置を、アドレスが0の位置とし、前記単位記憶領域の6個のカラムのうちの2番目のカラムの書き始めの位置を、アドレスが1の位置とし、前記単位記憶領域の6個のカラムのうちの3番目のカラムの書き始めの位置を、アドレスが3の位置とし、前記単位記憶領域の6個のカラムのうちの4番目のカラムの書き始めの位置を、アドレスが8の位置とし、前記単位記憶領域の6個のカラムのうちの5番目のカラムの書き始めの位置を、アドレスが1の位置とし、前記単位記憶領域の6個のカラムのうちの6番目のカラムの書き始めの位置を、アドレスが6の位置とする送信装置で得られる、前記並び替え処理後の符号ビットを、元の並びに戻す逆並び替え処理を行う逆並び替え部を備えるデータ処理装置である。
【００６０】
本技術の第１２の側面のデータ処理装置は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは4ビットであり、かつ、前記整数bは2であり、前記LDPC符号の4ビットの符号ビットは、所定の変調方式で定める24個の信号点のうちのいずれかにマッピングされ、前記単位記憶領域は、ロウ方向に4×2ビットを記憶する8個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部は、前記単位記憶領域のカラム方向の先頭の位置のアドレスを0として、前記単位記憶領域のカラム方向の各位置のアドレスを、昇順の整数で表すとき、前記単位記憶領域の8個のカラムのうちの1番目のカラムの書き始めの位置を、アドレスが0の位置とし、前記単位記憶領域の8個のカラムのうちの2番目のカラムの書き始めの位置を、アドレスが1の位置とし、前記単位記憶領域の8個のカラムのうちの3番目のカラムの書き始めの位置を、アドレスが0の位置とし、前記単位記憶領域の8個のカラムのうちの4番目のカラムの書き始めの位置を、アドレスが8の位置とし、前記単位記憶領域の8個のカラムのうちの5番目のカラムの書き始めの位置を、アドレスが2の位置とし、前記単位記憶領域の8個のカラムのうちの6番目のカラムの書き始めの位置を、アドレスが0の位置とし、前記単位記憶領域の8個のカラムのうちの7番目のカラムの書き始めの位置を、アドレスが1の位置とし、前記単位記憶領域の8個のカラムのうちの8番目のカラムの書き始めの位置を、アドレスが5の位置とする送信装置で得られる、前記並び替え処理後の符号ビットを、元の並びに戻す逆並び替え処理を行う逆並び替え部を備えるデータ処理装置である。
【００６１】
本技術の第１３の側面のデータ処理装置は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは8ビットであり、かつ、前記整数bは1であり、前記LDPC符号の8ビットの符号ビットは、所定の変調方式で定める28個の信号点のうちのいずれかにマッピングされ、前記単位記憶領域は、ロウ方向に8×1ビットを記憶する8個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部は、前記単位記憶領域のカラム方向の先頭の位置のアドレスを0として、前記単位記憶領域のカラム方向の各位置のアドレスを、昇順の整数で表すとき、前記単位記憶領域の8個のカラムのうちの1番目のカラムの書き始めの位置を、アドレスが0の位置とし、前記単位記憶領域の8個のカラムのうちの2番目のカラムの書き始めの位置を、アドレスが1の位置とし、前記単位記憶領域の8個のカラムのうちの3番目のカラムの書き始めの位置を、アドレスが0の位置とし、前記単位記憶領域の8個のカラムのうちの4番目のカラムの書き始めの位置を、アドレスが8の位置とし、前記単位記憶領域の8個のカラムのうちの5番目のカラムの書き始めの位置を、アドレスが2の位置とし、前記単位記憶領域の8個のカラムのうちの6番目のカラムの書き始めの位置を、アドレスが0の位置とし、前記単位記憶領域の8個のカラムのうちの7番目のカラムの書き始めの位置を、アドレスが1の位置とし、前記単位記憶領域の8個のカラムのうちの8番目のカラムの書き始めの位置を、アドレスが5の位置とする送信装置で得られる、前記並び替え処理後の符号ビットを、元の並びに戻す逆並び替え処理を行う逆並び替え部を備えるデータ処理装置である。
【００６２】
本技術の第１４の側面のデータ処理装置は、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブを、前記LDPC符号の符号ビットを並び替える並び替え処理として行う並び替え部を備え、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされるとき、前記LDPC符号は、符号長Nが16200ビットのLDPC符号であり、前記mビットは6ビットであり、かつ、前記整数bは2であり、前記LDPC符号の6ビットの符号ビットは、所定の変調方式で定める26個の信号点のうちのいずれかにマッピングされ、前記単位記憶領域は、ロウ方向に6×2ビットを記憶する12個のカラムを有し、前記記憶部は、１以上であるL個以上の前記単位記憶領域を有し、L個の符号語のLDPC符号は、前記記憶部のL個の前記単位記憶領域に書き込まれた後に読み出され、前記並び替え部は、前記単位記憶領域のカラム方向の先頭の位置のアドレスを0として、前記単位記憶領域のカラム方向の各位置のアドレスを、昇順の整数で表すとき、前記単位記憶領域の12個のカラムのうちの1番目のカラムの書き始めの位置を、アドレスが0の位置とし、前記単位記憶領域の12個のカラムのうちの2番目のカラムの書き始めの位置を、アドレスが12の位置とし、前記単位記憶領域の12個のカラムのうちの3番目のカラムの書き始めの位置を、アドレスが7の位置とし、前記単位記憶領域の12個のカラムのうちの4番目のカラムの書き始めの位置を、アドレスが1の位置とし、前記単位記憶領域の12個のカラムのうちの5番目のカラムの書き始めの位置を、アドレスが3の位置とし、前記単位記憶領域の12個のカラムのうちの6番目のカラムの書き始めの位置を、アドレスが1の位置とし、前記単位記憶領域の12個のカラムのうちの7番目のカラムの書き始めの位置を、アドレスが8の位置とし、前記単位記憶領域の12個のカラムのうちの8番目のカラムの書き始めの位置を、アドレスが7の位置とし、前記単位記憶領域の12個のカラムのうちの9番目のカラムの書き始めの位置を、アドレスが1の位置とし、前記単位記憶領域の12個のカラムのうちの10番目のカラムの書き始めの位置を、アドレスが0の位置とし、前記単位記憶領域の12個のカラムのうちの11番目のカラムの書き始めの位置を、アドレスが3の位置とし、前記単位記憶領域の12個のカラムのうちの12番目のカラムの書き始めの位置を、アドレスが9の位置とする送信装置で得られる、前記並び替え処理後の符号ビットを、元の並びに戻す逆並び替え処理を行う逆並び替え部を備えるデータ処理装置である。
前記LDPC符号は、
符号化率が1/5，4/15，1/3，2/5，4/9，7/15，8/15，3/5、若しくは、2/3のLDPC符号、
DVB-T.2の規格に規定されている、符号長が16200ビットで、符号化率が1/4，1/2，3/5，2/3、若しくは、3/4のLDPC符号であるT2符号、
又は、DVB-S.2の規格に規定されている、符号長が16200ビットで、符号化率が1/3若しくは2/5のLDPC符号であるS2符号
であり、
前記LDPC符号の検査行列は、その検査行列の、前記符号長、及び前記符号化率に応じた情報長に対応する情報行列の1の要素の位置を360列ごとに表す検査行列初期値テーブルによって定まる前記情報行列の1の要素を、列方向に360列ごとの周期で配置して構成され、
符号化率が1/5のLDPC符号の前記検査行列初期値テーブルは、
188 518 775 1694 1820 3394 3986 4140 4224 5236 5783 6313 6371 6792 7067 7084 7173 7445 7549 7973 9043 9219 9942 10111 10258 10300 10353 10707 10769 10796 11079 11661 12025 12042 12702 12838
7 25 392 557 625 838 1377 2223 2396 3058 3335 3348 3363 3918 4040 4128 4899 5189 5474 5838 6040 6124 7777 8220 8783 9299 9785 10924 11083 11902 12381 12513 12758 12834 12871 12950
76 4691 7180 7325 11292
6454 8048 12058 12946
3953 4932 10808 12700
4605 9117 9921 10662
2984 8202 10670 12877
4357 6205 7370 10403
5559 9847 10911 11147
からなり、
符号化率が4/15のLDPC符号の前記検査行列初期値テーブルは、
1953 2331 2545 2623 4653 5012 5700 6458 6875 7605 7694 7881 8416 8758 9181 9555 9578 9932 10068 11479 11699
514 784 2059 2129 2386 2454 3396 5184 6624 6825 7533 7861 9116 9473 9601 10432 11011 11159 11378 11528 11598
483 1303 1735 2291 3302 3648 4222 4522 5511 6626 6804 7404 7752 7982 8108 8930 9151 9793 9876 10786 11879
1956 7572 9020 9971
13 1578 7445 8373
6805 6857 8615 11179
7983 8022 10017 11748
4939 8861 10444 11661
2278 3733 6265 10009
4494 7974 10649
8909 11030 11696
3131 9964 10480からなり、
符号化率が1/3のLDPC符号の前記検査行列初期値テーブルは、
77 182 354 816 916 958 1055 1261 1553 1874 2211 2490 2999 3267 3975 5018 5952 6198 6343 7027 7045 7751 7923 8649 9010 9022 9380 9956 10204 10339
5 612 1724 1737 1911 1914 2108 2496 2809 4037 5838 6950 8049 8081 9480 9512 9724 9745 9952 10203 10207 10270 10463 10486 10499 10515 10663 10678 10706 10741
22 345 1938 3636 4016 5293 6424 6589 7426 7547 8102 9038 9095 9127 9174 9239 9279 9810 10347 10403 10408 10591 10610 10632 10660 10721 10754 10765 10773 10791
17 3435 7278 9952
1442 2518 3132 7541
5464 9226 10615 10658
426 2473 8459 10750
1862 2111 6236 10546
1010 9922 10591 10735
29 2663 6553 10749
5652 7265 7789 10708
4534 5497 10784
345 3027 10761
2823 4127 10668
84 4800 9068
からなり、
符号化率が2/5のLDPC符号の前記検査行列初期値テーブルは、
13 88 136 188 398 794 855 918 954 1950 2762 2837 2847 4209 4342 5092 5334 5498 5731 5837 6150 6942 7127 7402 7936 8235 8307 8600 9001 9419 9442 9710
619 792 1002 1148 1528 1533 1925 2207 2766 3021 3267 3593 3947 4832 4873 5109 5488 5882 6079 6097 6276 6499 6584 6738 6795 7550 7723 7786 8732 9060 9270 9401
499 717 1551 1791 2535 3135 3582 3813 4047 4309 5126 5186 5219 5716 5977 6236 6406 6586 6591 7085 7199 7485 7726 7878 8027 8066 8425 8802 9309 9464 9553 9671
658 4058 7824 8512
3245 4743 8117 9369
465 6559 8112 9461
975 2368 4444 6095
4128 5993 9182 9473
9 3822 5306 5320
4 8311 9571 9669
13 8122 8949 9656
3353 4449 5829 8053
7885 9118 9674
7575 9591 9670
431 8123 9271
4228 7587 9270
8847 9146 9556
11 5213 7763
からなり、
符号化率が4/9のLDPC符号の前記検査行列初期値テーブルは、
567 1111 1821 2216 2255 2806 2860 3463 3697 3744 3839 3951 4212 4475 4884 5157 5679 6498 7043 7340 7403 7827 8233 8470 8699
18 24 1578 2569 3538 3714 4879 4922 5825 6417 7090 7285 7291 7451 7545 7758 7857 8180 8511 8687 8834 8877 8896 8923 8956
168 1839 1944 2745 2815 3874 4427 5366 6331 6396 6503 6512 7107 7608 7663 7742 8101 8223 8710 8722 8804 8825 8861 8909 8980
1 12 395 1035 1675 1946 2788 2823 3899 4097 4382 4741 4933 5267 7094 7503 7555 7929 8136 8377 8434 8668 8739 8756 8990
2635 4688 6722 6823
11 527 7081 7698
3930 4520 5817 7864
16 657 2009 8233
2965 5337 6600
521 6304 8963
1218 3326 6124
19 5853 8813
7129 8899 8962
3467 3632 8651
5895 6516 8973
2759 3422 8965
7205 8708 8961
4928 6921 8994
364 7206 8927
3918 4050 8435
からなり、
符号化率が7/15のLDPC符号の前記検査行列初期値テーブルは、
3 137 314 327 983 1597 2028 3043 3217 4109 6020 6178 6535 6560 7146 7180 7408 7790 7893 8123 8313 8526 8616 8638
356 1197 1208 1839 1903 2712 3088 3537 4091 4301 4919 5068 6025 6195 6324 6378 6686 6829 7558 7745 8042 8382 8587 8602
18 187 1115 1417 1463 2300 2328 3502 3805 4677 4827 5551 5968 6394 6412 6753 7169 7524 7695 7976 8069 8118 8522 8582
714 2713 2726 2964 3055 3220 3334 3459 5557 5765 5841 6290 6419 6573 6856 7786 7937 8156 8286 8327 8384 8448 8539 8559
3452 7935 8092 8623
56 1955 3000 8242
1809 4094 7991 8489
2220 6455 7849 8548
1006 2576 3247 6976
2177 6048 7795 8295
1413 2595 7446 8594
2101 3714 7541 8531
10 5961 7484
3144 4636 5282
5708 5875 8390
3322 5223 7975
197 4653 8283
598 5393 8624
906 7249 7542
1223 2148 8195
976 2001 5005
からなり、
符号化率が8/15のLDPC符号の前記検査行列初期値テーブルは、
32 384 430 591 1296 1976 1999 2137 2175 3638 4214 4304 4486 4662 4999 5174 5700 6969 7115 7138 7189
1788 1881 1910 2724 4504 4928 4973 5616 5686 5718 5846 6523 6893 6994 7074 7100 7277 7399 7476 7480 7537
2791 2824 2927 4196 4298 4800 4948 5361 5401 5688 5818 5862 5969 6029 6244 6645 6962 7203 7302 7454 7534
574 1461 1826 2056 2069 2387 2794 3349 3366 4951 5826 5834 5903 6640 6762 6786 6859 7043 7418 7431 7554
14 178 675 823 890 930 1209 1311 2898 4339 4600 5203 6485 6549 6970 7208 7218 7298 7454 7457 7462
4075 4188 7313 7553
5145 6018 7148 7507
3198 4858 6983 7033
3170 5126 5625 6901
2839 6093 7071 7450
11 3735 5413
2497 5400 7238
2067 5172 5714
1889 7173 7329
1795 2773 3499
2695 2944 6735
3221 4625 5897
1690 6122 6816
5013 6839 7358
1601 6849 7415
2180 7389 7543
2121 6838 7054
1948 3109 5046
272 1015 7464
からなり、
符号化率が3/5のLDPC符号の前記検査行列初期値テーブルは、
41 588 1367 1831 1964 3424 3732 4590 4677 5455 5542 5627 6415
904 1706 2800 3732 3783 4217 4507 4999 6010 6218 6282 6363 6456
356 1871 2216 2629 2994 3719 5194 5585 6012 6273 6393 6457 6474
1676 2419 2604 3939 4186 5080 5400 5552 5971 6023 6324 6442 6445
3 770 2770 3457 3815 4253 4512 4671 5390 5393 5818 5978 6441
491 548 1033 1042 1187 3816 4378 4956 5049 5649 5684 6177 6475
1489 2817 3377 3716 4229 4512 4664 5065 5257 5477 5550 5950 6447
1546 2444 4684
15 3546 6220
1427 6199 6430
103 3629 5526
1330 6150 6255
363 5660 6422
4069 5586 5885
722 820 2823
204 2820 6181
3710 6077 6106
2655 5428 6264
1850 5989 6245
2701 5315 6477
1286 4462 6159
3356 4359 4805
13 4416 4800
3103 4357 4685
1163 5127 6435
164 3202 3934
36 230 3514
からなり、
符号化率が2/3のLDPC符号の前記検査行列初期値テーブルは、
76 545 1005 1029 1390 1970 2525 2971 3448 3845 4088 4114 4163 4373 4640 4705 4970 5094
14 463 600 1676 2239 2319 2326 2815 2887 4278 4457 4493 4597 4918 4989 5038 5261 5384
451 632 829 1006 1530 1723 2205 2587 2801 3041 3849 4382 4595 4727 5006 5156 5224 5286
211 265 1293 1777 1926 2214 2909 2957 3178 3278 3771 4547 4563 4737 4879 5068 5232 5344
6 2901 3925 5384
2858 4152 5006 5202
9 1232 2063 2768
7 11 2781 3871
12 2161 2820 4078
3 3510 4668 5323
253 411 3215 5241
3919 4789 5040 5302
12 5113 5256 5352
9 1461 4004 5241
1688 3585 4480 5394
8 2127 3469 4360
2827 4049 5084 5379
1770 3331 5315 5386
1885 2817 4900 5088
2568 3854 4660
1604 3565 5373
2317 4636 5156
2480 2816 4094
14 4518 4826
127 1192 3872
93 2282 3663
2962 5085 5314
2078 4277 5089
9 5280 5292
50 2847 4742
からなる。
【００６３】
第１ないし第７の側面においては、LDPC(Low Density Parity Check)符号の符号ビットをロウ方向とカラム方向に記憶する記憶領域である単位記憶領域を有する記憶部の前記単位記憶領域の前記カラム方向に書き込まれ、前記ロウ方向に読み出される前記LDPC符号の符号ビットがシンボルとされ、前記LDPC符号の2ビット以上のmビットの符号ビットが１個のシンボルとして送信される場合に、前記単位記憶領域の前記カラム方向に、前記LDPC符号の符号ビットが書き込まれるときの書き始めの位置を、前記単位記憶領域のカラムごとに変更するカラムツイストインターリーブが、前記LDPC符号の符号ビットを並び替える並び替え処理として行われる。また、前記LDPC符号の符号長をNビットと、所定の正の整数をbと、それぞれ表した場合に、前記単位記憶領域が、前記ロウ方向にmbビットを記憶するとともに、前記カラム方向にN/(mb)ビットを記憶し、前記単位記憶領域の前記ロウ方向に読み出されるmbビットの符号ビットが、b個のシンボルにされる。
【００６４】
そして、第１の側面では、前記LDPC符号は、符号長Nが16200ビットのLDPC符号であり、前記mビットは2ビットであり、かつ、前記整数bは1であり、前記LDPC符号の2ビットの符号ビットは、所定の変調方式で定める22個の信号点のうちのいずれかにマッピングされ、前記単位記憶領域は、ロウ方向に2×1ビットを記憶する2個のカラムを有し、前記記憶部は、１以上であるL個以上の前記単位記憶領域を有し、L個の符号語のLDPC符号は、前記記憶部のL個の前記単位記憶領域に書き込まれた後に読み出される。この場合に、前記単位記憶領域の2個のカラムのうちの1番目のカラムの書き始めの位置は、アドレスが0の位置とされ、前記単位記憶領域の2個のカラムのうちの2番目のカラムの書き始めの位置は、アドレスが3の位置とされる。
【００６５】
第２の側面では、前記LDPC符号は、符号長Nが16200ビットのLDPC符号であり、前記mビットは2ビットであり、かつ、前記整数bは2であり、前記LDPC符号の2ビットの符号ビットは、所定の変調方式で定める22個の信号点のうちのいずれかにマッピングされ、前記単位記憶領域は、ロウ方向に2×2ビットを記憶する4個のカラムを有し、前記記憶部は、１以上であるL個以上の前記単位記憶領域を有し、L個の符号語のLDPC符号は、前記記憶部のL個の前記単位記憶領域に書き込まれた後に読み出される。この場合に、前記単位記憶領域の4個のカラムのうちの1番目のカラムの書き始めの位置は、アドレスが0の位置とされ、前記単位記憶領域の4個のカラムのうちの2番目のカラムの書き始めの位置は、アドレスが2の位置とされ、前記単位記憶領域の4個のカラムのうちの3番目のカラムの書き始めの位置は、アドレスが3の位置とされ、前記単位記憶領域の4個のカラムのうちの4番目のカラムの書き始めの位置は、アドレスが0の位置とされる。
【００６６】
第３の側面では、前記LDPC符号は、符号長Nが16200ビットのLDPC符号であり、前記mビットは4ビットであり、かつ、前記整数bは1であり、前記LDPC符号の4ビットの符号ビットは、所定の変調方式で定める24個の信号点のうちのいずれかにマッピングされ、前記単位記憶領域は、ロウ方向に4×1ビットを記憶する4個のカラムを有し、前記記憶部は、１以上であるL個以上の前記単位記憶領域を有し、L個の符号語のLDPC符号は、前記記憶部のL個の前記単位記憶領域に書き込まれた後に読み出される。この場合に、前記単位記憶領域の4個のカラムのうちの1番目のカラムの書き始めの位置は、アドレスが0の位置とされ、前記単位記憶領域の4個のカラムのうちの2番目のカラムの書き始めの位置は、アドレスが2の位置とされ、前記単位記憶領域の4個のカラムのうちの3番目のカラムの書き始めの位置は、アドレスが3の位置とされ、前記単位記憶領域の4個のカラムのうちの4番目のカラムの書き始めの位置は、アドレスが0の位置とされる。
【００６７】
第４の側面では、前記LDPC符号は、符号長Nが16200ビットのLDPC符号であり、前記mビットは6ビットであり、かつ、前記整数bは1であり、前記LDPC符号の6ビットの符号ビットは、所定の変調方式で定める26個の信号点のうちのいずれかにマッピングされ、前記単位記憶領域は、ロウ方向に6×1ビットを記憶する6個のカラムを有し、前記記憶部は、１以上であるL個以上の前記単位記憶領域を有し、L個の符号語のLDPC符号は、前記記憶部のL個の前記単位記憶領域に書き込まれた後に読み出される。この場合、前記単位記憶領域の6個のカラムのうちの1番目のカラムの書き始めの位置は、アドレスが0の位置とされ、前記単位記憶領域の6個のカラムのうちの2番目のカラムの書き始めの位置は、アドレスが1の位置とされ、前記単位記憶領域の6個のカラムのうちの3番目のカラムの書き始めの位置は、アドレスが3の位置とされ、前記単位記憶領域の6個のカラムのうちの4番目のカラムの書き始めの位置は、アドレスが8の位置とされ、前記単位記憶領域の6個のカラムのうちの5番目のカラムの書き始めの位置は、アドレスが1の位置とされ、前記単位記憶領域の6個のカラムのうちの6番目のカラムの書き始めの位置は、アドレスが6の位置とされる。
【００６８】
第５の側面では、前記LDPC符号は、符号長Nが16200ビットのLDPC符号であり、前記mビットは4ビットであり、かつ、前記整数bは2であり、前記LDPC符号の4ビットの符号ビットは、所定の変調方式で定める24個の信号点のうちのいずれかにマッピングされ、前記単位記憶領域は、ロウ方向に4×2ビットを記憶する8個のカラムを有し、前記記憶部は、１以上であるL個以上の前記単位記憶領域を有し、L個の符号語のLDPC符号は、前記記憶部のL個の前記単位記憶領域に書き込まれた後に読み出される。この場合に、前記単位記憶領域の8個のカラムのうちの1番目のカラムの書き始めの位置は、アドレスが0の位置とされ、前記単位記憶領域の8個のカラムのうちの2番目のカラムの書き始めの位置は、アドレスが1の位置とされ、前記単位記憶領域の8個のカラムのうちの3番目のカラムの書き始めの位置は、アドレスが0の位置とされ、前記単位記憶領域の8個のカラムのうちの4番目のカラムの書き始めの位置は、アドレスが8の位置とされ、前記単位記憶領域の8個のカラムのうちの5番目のカラムの書き始めの位置は、アドレスが2の位置とされ、前記単位記憶領域の8個のカラムのうちの6番目のカラムの書き始めの位置は、アドレスが0の位置とされ、前記単位記憶領域の8個のカラムのうちの7番目のカラムの書き始めの位置は、アドレスが1の位置とされ、前記単位記憶領域の8個のカラムのうちの8番目のカラムの書き始めの位置は、アドレスが5の位置とされる。
【００６９】
第６の側面では、前記LDPC符号は、符号長Nが16200ビットのLDPC符号であり、前記mビットは8ビットであり、かつ、前記整数bは1であり、前記LDPC符号の8ビットの符号ビットは、所定の変調方式で定める28個の信号点のうちのいずれかにマッピングされ、前記単位記憶領域は、ロウ方向に8×1ビットを記憶する8個のカラムを有し、前記記憶部は、１以上であるL個以上の前記単位記憶領域を有し、L個の符号語のLDPC符号は、前記記憶部のL個の前記単位記憶領域に書き込まれた後に読み出される。この場合に、前記単位記憶領域の8個のカラムのうちの1番目のカラムの書き始めの位置は、アドレスが0の位置とされ、前記単位記憶領域の8個のカラムのうちの2番目のカラムの書き始めの位置は、アドレスが1の位置とされ、前記単位記憶領域の8個のカラムのうちの3番目のカラムの書き始めの位置は、アドレスが0の位置とされ、前記単位記憶領域の8個のカラムのうちの4番目のカラムの書き始めの位置は、アドレスが8の位置とされ、前記単位記憶領域の8個のカラムのうちの5番目のカラムの書き始めの位置は、アドレスが2の位置とされ、前記単位記憶領域の8個のカラムのうちの6番目のカラムの書き始めの位置は、アドレスが0の位置とされ、前記単位記憶領域の8個のカラムのうちの7番目のカラムの書き始めの位置は、アドレスが1の位置とされ、前記単位記憶領域の8個のカラムのうちの8番目のカラムの書き始めの位置は、アドレスが5の位置とされる。
【００７０】
第７の側面では、前記LDPC符号は、符号長Nが16200ビットのLDPC符号であり、前記mビットは6ビットであり、かつ、前記整数bは2であり、前記LDPC符号の6ビットの符号ビットは、所定の変調方式で定める26個の信号点のうちのいずれかにマッピングされ、前記単位記憶領域は、ロウ方向に6×2ビットを記憶する12個のカラムを有し、前記記憶部は、１以上であるL個以上の前記単位記憶領域を有し、L個の符号語のLDPC符号は、前記記憶部のL個の前記単位記憶領域に書き込まれた後に読み出される。この場合に、前記単位記憶領域の12個のカラムのうちの1番目のカラムの書き始めの位置は、アドレスが0の位置とされ、前記単位記憶領域の12個のカラムのうちの2番目のカラムの書き始めの位置は、アドレスが12の位置とされ、前記単位記憶領域の12個のカラムのうちの3番目のカラムの書き始めの位置は、アドレスが7の位置とされ、前記単位記憶領域の12個のカラムのうちの4番目のカラムの書き始めの位置は、アドレスが1の位置とされ、前記単位記憶領域の12個のカラムのうちの5番目のカラムの書き始めの位置は、アドレスが3の位置とされ、前記単位記憶領域の12個のカラムのうちの6番目のカラムの書き始めの位置は、アドレスが1の位置とされ、前記単位記憶領域の12個のカラムのうちの7番目のカラムの書き始めの位置は、アドレスが8の位置とされ、前記単位記憶領域の12個のカラムのうちの8番目のカラムの書き始めの位置は、アドレスが7の位置とされ、前記単位記憶領域の12個のカラムのうちの9番目のカラムの書き始めの位置は、アドレスが1の位置とされ、前記単位記憶領域の12個のカラムのうちの10番目のカラムの書き始めの位置は、アドレスが0の位置とされ、前記単位記憶領域の12個のカラムのうちの11番目のカラムの書き始めの位置は、アドレスが3の位置とされ、前記単位記憶領域の12個のカラムのうちの12番目のカラムの書き始めの位置は、アドレスが9の位置とされる。
【００７１】
第８の側面においては、第１の側面で得られる、前記並び替え処理後の符号ビットを、元の並びに戻す逆並び替え処理が行われる。
【００７２】
第９の側面においては、第２の側面で得られる、前記並び替え処理後の符号ビットを、元の並びに戻す逆並び替え処理が行われる。
【００７３】
第１０の側面においては、第３の側面で得られる、前記並び替え処理後の符号ビットを、元の並びに戻す逆並び替え処理が行われる。
【００７４】
第１１の側面においては、第４の側面で得られる、前記並び替え処理後の符号ビットを、元の並びに戻す逆並び替え処理が行われる。
【００７５】
第１２の側面においては、第５の側面で得られる、前記並び替え処理後の符号ビットを、元の並びに戻す逆並び替え処理が行われる。
【００７６】
第１３の側面においては、第６の側面で得られる、前記並び替え処理後の符号ビットを、元の並びに戻す逆並び替え処理が行われる。
【００７７】
第１４の側面においては、第７の側面で得られる、前記並び替え処理後の符号ビットを、元の並びに戻す逆並び替え処理が行われる。
【００７８】
なお、データ処理装置は、独立した装置であっても良いし、１個の装置を構成している内部ブロックであっても良い。
【発明の効果】
【００７９】
本技術によれば、エラーに対する耐性を向上させることができる。
【図面の簡単な説明】
【００８０】
【図１】LDPC符号の検査行列Hを説明する図である。
【図２】LDPC符号の復号手順を説明するフローチャートである。
【図３】LDPC符号の検査行列の例を示す図である。
【図４】検査行列のタナーグラフを示す図である。
【図５】バリアブルノードを示す図である。
【図６】チェックノードを示す図である。
【図７】本技術を適用した伝送システムの一実施の形態の構成例を示す図である。
【図８】送信装置１１の構成例を示すブロック図である。
【図９】ビットインターリーバ１１６の構成例を示すブロック図である。
【図１０】検査行列を示す図である。
【図１１】パリティ行列を示す図である。
【図１２】DVB-S.2の規格に規定されているLDPC符号の検査行列を説明する図である。
【図１３】DVB-S.2の規格に規定されているLDPC符号の検査行列を説明する図である。
【図１４】16QAMの信号点配置を示す図である。
【図１５】64QAMの信号点配置を示す図である。
【図１６】64QAMの信号点配置を示す図である。
【図１７】64QAMの信号点配置を示す図である。
【図１８】デマルチプレクサ２５の処理を説明する図である。
【図１９】デマルチプレクサ２５の処理を説明する図である。
【図２０】LDPC符号の復号についてのタナーグラフを示す図である。
【図２１】階段構造になっているパリティ行列HTと、そのパリティ行列HTに対応するタナーグラフを示す図である。
【図２２】パリティインターリーブ後のLDPC符号に対応する検査行列Hのパリティ行列HTを示す図である。
【図２３】変換検査行列を示す図である。
【図２４】カラムツイストインターリーバ２４の処理を説明する図である。
【図２５】カラムツイストインターリーブに必要なメモリ３１のカラム数と、書き始めの位置のアドレスを示す図である。
【図２６】カラムツイストインターリーブに必要なメモリ３１のカラム数と、書き始めの位置のアドレスを示す図である。
【図２７】ビットインターリーバ１１６、及び、QAMエンコーダ１１７で行われる処理を説明するフローチャートである。
【図２８】シミュレーションで採用した通信路のモデルを示す図である。
【図２９】シミュレーションで得られたエラーレートと、フラッタのドップラ周波数fdとの関係を示す図である。
【図３０】シミュレーションで得られたエラーレートと、フラッタのドップラ周波数fdとの関係を示す図である。
【図３１】LDPCエンコーダ１１５の構成例を示すブロック図である。
【図３２】LDPCエンコーダ１１５の処理を説明するフローチャートである。
【図３３】符号化率1/4、符号長16200の検査行列初期値テーブルの例を示す図である。
【図３４】検査行列初期値テーブルから検査行列Hを求める方法を説明する図である。
【図３５】符号化率1/5、符号長16200の検査行列初期値テーブルの例を示す図である。
【図３６】符号化率4/15、符号長16200の検査行列初期値テーブルの例を示す図である。
【図３７】符号化率1/3、符号長16200の検査行列初期値テーブルの例を示す図である。
【図３８】符号化率2/5、符号長16200の検査行列初期値テーブルの例を示す図である。
【図３９】符号化率4/9、符号長16200の検査行列初期値テーブルの例を示す図である。
【図４０】符号化率7/15、符号長16200の検査行列初期値テーブルの例を示す図である。
【図４１】符号化率8/15、符号長16200の検査行列初期値テーブルの例を示す図である。
【図４２】符号化率3/5、符号長16200の検査行列初期値テーブルの例を示す図である。
【図４３】符号化率2/3、符号長16200の検査行列初期値テーブルの例を示す図である。
【図４４】列重みが3で、行重みが6であるというデグリーシーケンスのアンサンブルのタナーグラフの例を示す図である。
【図４５】マルチエッジタイプのアンサンブルのタナーグラフの例を示す図である。
【図４６】符号長16200のLDPC符号の検査行列の最小サイクル長と性能閾値とを示す図である。
【図４７】符号長16200のLDPC符号の検査行列を説明する図である。
【図４８】符号長16200のLDPC符号の検査行列を説明する図である。
【図４９】符号長16200のLDPC符号のBERのシミュレーション結果を示す図である。
【図５０】現行方式の入れ替え処理を説明する図である。
【図５１】現行方式の入れ替え処理を説明する図である。
【図５２】符号長16200、符号化率1/5のLDPC符号を16QAMで変調し、倍数bが2である場合の、符号ビットグループとシンボルビットグループとを示す図である。
【図５３】符号長16200、符号化率1/5のLDPC符号を16QAMで変調し、倍数bが2である場合の、割り当てルールを示す図である。
【図５４】符号長16200、符号化率1/5のLDPC符号を16QAMで変調し、倍数bが2である場合の、割り当てルールに従った符号ビットの入れ替えを示す図である。
【図５５】符号長16200、符号化率4/15のLDPC符号を16QAMで変調し、倍数bが2である場合の、符号ビットグループとシンボルビットグループとを示す図である。
【図５６】符号長16200、符号化率4/15のLDPC符号を16QAMで変調し、倍数bが2である場合の、割り当てルールを示す図である。
【図５７】符号長16200、符号化率4/15のLDPC符号を16QAMで変調し、倍数bが2である場合の、割り当てルールに従った符号ビットの入れ替えを示す図である。
【図５８】符号長16200、符号化率1/3のLDPC符号を16QAMで変調し、倍数bが2である場合の、符号ビットグループとシンボルビットグループとを示す図である。
【図５９】符号長16200、符号化率1/3のLDPC符号を16QAMで変調し、倍数bが2である場合の、割り当てルールを示す図である。
【図６０】符号長16200、符号化率1/3のLDPC符号を16QAMで変調し、倍数bが2である場合の、割り当てルールに従った符号ビットの入れ替えを示す図である。
【図６１】符号長16200、符号化率2/5のLDPC符号を16QAMで変調し、倍数bが2である場合の、符号ビットグループとシンボルビットグループとを示す図である。
【図６２】符号長16200、符号化率2/5のLDPC符号を16QAMで変調し、倍数bが2である場合の、割り当てルールを示す図である。
【図６３】符号長16200、符号化率2/5のLDPC符号を16QAMで変調し、倍数bが2である場合の、割り当てルールに従った符号ビットの入れ替えを示す図である。
【図６４】符号長16200、符号化率4/9のLDPC符号を16QAMで変調し、倍数bが2である場合の、符号ビットグループとシンボルビットグループとを示す図である。
【図６５】符号長16200、符号化率4/9のLDPC符号を16QAMで変調し、倍数bが2である場合の、割り当てルールを示す図である。
【図６６】符号長16200、符号化率4/9のLDPC符号を16QAMで変調し、倍数bが2である場合の、割り当てルールに従った符号ビットの入れ替えを示す図である。
【図６７】符号長16200、符号化率7/15のLDPC符号を16QAMで変調し、倍数bが2である場合の、符号ビットグループとシンボルビットグループとを示す図である。
【図６８】符号長16200、符号化率7/15のLDPC符号を16QAMで変調し、倍数bが2である場合の、割り当てルールを示す図である。
【図６９】符号長16200、符号化率7/15のLDPC符号を16QAMで変調し、倍数bが2である場合の、割り当てルールに従った符号ビットの入れ替えを示す図である。
【図７０】符号長16200、符号化率8/15のLDPC符号を16QAMで変調し、倍数bが2である場合の、符号ビットグループとシンボルビットグループとを示す図である。
【図７１】符号長16200、符号化率8/15のLDPC符号を16QAMで変調し、倍数bが2である場合の、割り当てルールを示す図である。
【図７２】符号長16200、符号化率8/15のLDPC符号を16QAMで変調し、倍数bが2である場合の、割り当てルールに従った符号ビットの入れ替えを示す図である。
【図７３】符号長16200、符号化率3/5のLDPC符号を16QAMで変調し、倍数bが2である場合の、符号ビットグループとシンボルビットグループとを示す図である。
【図７４】符号長16200、符号化率3/5のLDPC符号を16QAMで変調し、倍数bが2である場合の、割り当てルールを示す図である。
【図７５】符号長16200、符号化率3/5のLDPC符号を16QAMで変調し、倍数bが2である場合の、割り当てルールに従った符号ビットの入れ替えを示す図である。
【図７６】符号長16200、符号化率2/3のLDPC符号を16QAMで変調し、倍数bが2である場合の、符号ビットグループとシンボルビットグループとを示す図である。
【図７７】符号長16200、符号化率2/3のLDPC符号を16QAMで変調し、倍数bが2である場合の、割り当てルールを示す図である。
【図７８】符号長16200、符号化率2/3のLDPC符号を16QAMで変調し、倍数bが2である場合の、割り当てルールに従った符号ビットの入れ替えを示す図である。
【図７９】符号長16200、符号化率1/5のLDPC符号を64QAMで変調し、倍数bが2である場合の、符号ビットグループとシンボルビットグループとを示す図である。
【図８０】符号長16200、符号化率1/5のLDPC符号を64QAMで変調し、倍数bが2である場合の、割り当てルールを示す図である。
【図８１】符号長16200、符号化率1/5のLDPC符号を64QAMで変調し、倍数bが2である場合の、割り当てルールに従った符号ビットの入れ替えを示す図である。
【図８２】符号長16200、符号化率4/15のLDPC符号を64QAMで変調し、倍数bが2である場合の、符号ビットグループとシンボルビットグループとを示す図である。
【図８３】符号長16200、符号化率4/15のLDPC符号を64QAMで変調し、倍数bが2である場合の、割り当てルールを示す図である。
【図８４】符号長16200、符号化率4/15のLDPC符号を64QAMで変調し、倍数bが2である場合の、割り当てルールに従った符号ビットの入れ替えを示す図である。
【図８５】符号長16200、符号化率1/3のLDPC符号を64QAMで変調し、倍数bが2である場合の、符号ビットグループとシンボルビットグループとを示す図である。
【図８６】符号長16200、符号化率1/3のLDPC符号を64QAMで変調し、倍数bが2である場合の、割り当てルールを示す図である。
【図８７】符号長16200、符号化率1/3のLDPC符号を64QAMで変調し、倍数bが2である場合の、割り当てルールに従った符号ビットの入れ替えを示す図である。
【図８８】符号長16200、符号化率2/5のLDPC符号を64QAMで変調し、倍数bが2である場合の、符号ビットグループとシンボルビットグループとを示す図である。
【図８９】符号長16200、符号化率2/5のLDPC符号を64QAMで変調し、倍数bが2である場合の、割り当てルールを示す図である。
【図９０】符号長16200、符号化率2/5のLDPC符号を64QAMで変調し、倍数bが2である場合の、割り当てルールに従った符号ビットの入れ替えを示す図である。
【図９１】符号長16200、符号化率4/9のLDPC符号を64QAMで変調し、倍数bが2である場合の、符号ビットグループとシンボルビットグループとを示す図である。
【図９２】符号長16200、符号化率4/9のLDPC符号を64QAMで変調し、倍数bが2である場合の、割り当てルールを示す図である。
【図９３】符号長16200、符号化率4/9のLDPC符号を64QAMで変調し、倍数bが2である場合の、割り当てルールに従った符号ビットの入れ替えを示す図である。
【図９４】符号長16200、符号化率7/15のLDPC符号を64QAMで変調し、倍数bが2である場合の、符号ビットグループとシンボルビットグループとを示す図である。
【図９５】符号長16200、符号化率7/15のLDPC符号を64QAMで変調し、倍数bが2である場合の、割り当てルールを示す図である。
【図９６】符号長16200、符号化率7/15のLDPC符号を64QAMで変調し、倍数bが2である場合の、割り当てルールに従った符号ビットの入れ替えを示す図である。
【図９７】符号長16200、符号化率8/15のLDPC符号を64QAMで変調し、倍数bが2である場合の、符号ビットグループとシンボルビットグループとを示す図である。
【図９８】符号長16200、符号化率8/15のLDPC符号を64QAMで変調し、倍数bが2である場合の、割り当てルールを示す図である。
【図９９】符号長16200、符号化率8/15のLDPC符号を64QAMで変調し、倍数bが2である場合の、割り当てルールに従った符号ビットの入れ替えを示す図である。
【図１００】符号長16200、符号化率3/5のLDPC符号を64QAMで変調し、倍数bが2である場合の、符号ビットグループとシンボルビットグループとを示す図である。
【図１０１】符号長16200、符号化率3/5のLDPC符号を64QAMで変調し、倍数bが2である場合の、割り当てルールを示す図である。
【図１０２】符号長16200、符号化率3/5のLDPC符号を64QAMで変調し、倍数bが2である場合の、割り当てルールに従った符号ビットの入れ替えを示す図である。
【図１０３】符号長16200、符号化率2/3のLDPC符号を64QAMで変調し、倍数bが2である場合の、符号ビットグループとシンボルビットグループとを示す図である。
【図１０４】符号長16200、符号化率2/3のLDPC符号を64QAMで変調し、倍数bが2である場合の、割り当てルールを示す図である。
【図１０５】符号長16200、符号化率2/3のLDPC符号を64QAMで変調し、倍数bが2である場合の、割り当てルールに従った符号ビットの入れ替えを示す図である。
【図１０６】カラムツイストインターリーブに必要なメモリ３１のカラム数と、書き始めの位置のアドレスを示す図である。
【図１０７】BER及びFERのシミュレーション結果を示す図である。
【図１０８】BER及びFERのシミュレーション結果を示す図である。
【図１０９】BER及びFERのシミュレーション結果を示す図である。
【図１１０】BER及びFERのシミュレーション結果を示す図である。
【図１１１】BER及びFERのシミュレーション結果を示す図である。
【図１１２】BER及びFERのシミュレーション結果を示す図である。
【図１１３】BER及びFERのシミュレーション結果を示す図である。
【図１１４】BER及びFERのシミュレーション結果を示す図である。
【図１１５】BER及びFERのシミュレーション結果を示す図である。
【図１１６】DVB-T.2に規定されている符号化率1/4、符号長16200の検査行列初期値テーブルの例を示す図である。
【図１１７】DVB-S.2に規定されている符号化率1/3、符号長16200の検査行列初期値テーブルの例を示す図である。
【図１１８】DVB-S.2に規定されている符号化率2/5、符号長16200の検査行列初期値テーブルの例を示す図である。
【図１１９】DVB-T.2に規定されている符号化率1/2、符号長16200の検査行列初期値テーブルの例を示す図である。
【図１２０】DVB-T.2に規定されている符号化率3/5、符号長16200の検査行列初期値テーブルの例を示す図である。
【図１２１】DVB-T.2に規定されている符号化率2/3、符号長16200の検査行列初期値テーブルの例を示す図である。
【図１２２】DVB-T.2に規定されている符号化率3/4、符号長16200の検査行列初期値テーブルの例を示す図である。
【図１２３】L個の符号語単位で行うカラムツイストインターリーブを説明する図である。
【図１２４】受信装置１２の構成例を示すブロック図である。
【図１２５】ビットデインターリーバ１６５の構成例を示すブロック図である。
【図１２６】QAMデコーダ１６４、ビットデインターリーバ１６５、及び、LDPCデコーダ１６６が行う処理を説明するフローチャートである。
【図１２７】LDPC符号の検査行列の例を示す図である。
【図１２８】検査行列に行置換と列置換を施した行列（変換検査行列）を示す図である。
【図１２９】５×５単位に分割した変換検査行列を示す図である。
【図１３０】ノード演算をP個まとめて行う復号装置の構成例を示すブロック図である。
【図１３１】LDPCデコーダ１６６の構成例を示すブロック図である。
【図１３２】ビットデインターリーバ１６５を構成するマルチプレクサ５４の処理を説明する図である。
【図１３３】カラムツイストデインターリーバ５５の処理を説明する図である。
【図１３４】ビットデインターリーバ１６５の他の構成例を示すブロック図である。
【図１３５】受信装置１２を適用可能な受信システムの第１の構成例を示すブロック図である。
【図１３６】受信装置１２を適用可能な受信システムの第２の構成例を示すブロック図である。
【図１３７】受信装置１２を適用可能な受信システムの第３の構成例を示すブロック図である。
【図１３８】本技術を適用したコンピュータの一実施の形態の構成例を示すブロック図である。
【発明を実施するための形態】
【００８１】
［本技術を適用した伝送システムの構成例］
【００８２】
図７は、本技術を適用した伝送システム（システムとは、複数の装置が論理的に集合した物をいい、各構成の装置が同一筐体中にあるか否かは、問わない）の一実施の形態の構成例を示している。
【００８３】
図７において、伝送システムは、送信装置１１と受信装置１２とから構成される。
【００８４】
送信装置１１は、固定端末向けや携帯端末向けの番組の送信（放送）（伝送）を行う。すなわち、送信装置１１は、例えば、固定端末向けや携帯端末向けの番組としての画像データや音声データ等の、送信の対象である対象データをLDPC符号に符号化し、例えば、地上波である通信路１３を介して送信する。
【００８５】
受信装置１２は、例えば、携帯端末であり、送信装置１１から通信路１３を介して送信されてくるLDPC符号を受信し、対象データに復号して出力する。
【００８６】
ここで、図７の伝送システムで使用されるLDPC符号は、AWGN(Additive White Gaussian Noise)通信路で極めて高い能力を発揮することが知られている。
【００８７】
しかしながら、地上波等の通信路１３では、バースト(burst)誤りやイレージャ(erasure)を発生することがある。例えば、OFDM(Orthogonal Frequency Division Multiplexing)システムでは、D/U(Desired to Undesired Ratio)が0dB(Undesired=echoのパワーがDesired=メインパスのパワーと等しい)のマルチパス環境において、エコー(echo)（メインパス以外のパス）の遅延(delay)に応じて、特定のシンボルのパワーが0になってしまう(erasure)場合がある。
【００８８】
また、フラッタ(flutter)(遅延が0でドップラ(dopper)周波数の掛かったechoが加算される通信路)でも、D/Uが0dBである場合には、ドップラ周波数によって、特定の時刻のOFDMのシンボル全体のパワーが0になる(erasure)場合が生じる。
【００８９】
さらに、受信装置１２側の、送信装置１１からの信号を受信するアンテナ等の受信部（図示せず）から受信装置１２までの配線の状況や、受信装置１２の電源の不安定性により、バースト誤りが発生することがある。
【００９０】
一方、LDPC符号の復号においては、検査行列Hの列、ひいては、LDPC符号の符号ビットに対応するバリアブルノードにおいて、前述の図５に示したように、LDPC符号の符号ビット（の受信値u0i）の加算を伴う式（１）のバリアブルノード演算が行われるため、そのバリアブルノード演算に用いられる符号ビットにエラーが生じると、求められるメッセージの精度が低下する。
【００９１】
そして、LDPC符号の復号では、チェックノードにおいて、そのチェックノードに繋がっているバリアブルノードで求められるメッセージを用いて、式（７）のチェックノード演算が行われるため、繋がっている複数のバリアブルノード（に対応するLDPC符号の符号ビット）が同時にエラー（イレージャを含む）となるチェックノードの数が多くなると、復号の性能が劣化する。
【００９２】
すなわち、例えば、チェックノードは、そのチェックノードに繋がっているバリアブルノードの２個以上が同時にイレージャになると、全バリアブルノードに、値が0である確率と1である確率とが等確率のメッセージを戻す。この場合、等確率のメッセージを戻すチェックノードは、１回の復号処理（１セットのバリアブルノード演算及びチェックノード演算）に寄与しないこととなり、その結果、復号処理の繰り返し回数を多く必要とすることになって、復号の性能が劣化し、さらに、LDPC符号の復号を行う受信装置１２の消費電力が増大する。
【００９３】
そこで、図７の伝送システムでは、AWGN通信路での性能を維持しつつ、バースト誤りやイレージャへの耐性を向上させるようになっている。
【００９４】
［送信装置１１の構成例］
【００９５】
図８は、図７の送信装置１１の構成例を示すブロック図である。
【００９６】
送信装置１１では、対象データとしての１以上のインプットストリーム(Input Streams)が、モードアダプテーション／マルチプレクサ(Mode Adaptation/Multiplexer)１１１に供給される。
【００９７】
モードアダプテーション／マルチプレクサ１１１は、モード選択、及び、そこに供給される１以上のインプットストリームの多重化を行い、その結果得られるデータを、パダー(padder)１１２に供給する。
【００９８】
パダー１１２は、モードアダプテーション／マルチプレクサ１１１からのデータに対して、必要なゼロ詰め（Nullの挿入）を行い、その結果得られるデータを、BBスクランブラ(BB Scrambler)１１３に供給する。
【００９９】
BBスクランブラ１１３は、パダー１１２からのデータに、エネルギ拡散処理を施し、その結果得られるデータを、BCHエンコーダ(BCH encoder)１１４に供給する。
【０１００】
BCHエンコーダ１１４は、BBスクランブラ１１３からのデータをBCH符号化し、その結果得られるデータを、LDPC符号化の対象であるLDPC対象データとして、LDPCエンコーダ(LDPC encoder)１１５に供給する。
【０１０１】
LDPCエンコーダ１１５は、BCHエンコーダ１１４からのLDPC対象データについて、LDPC符号のパリティビットに対応する部分であるパリティ行列が階段構造になっている検査行列に従ったLDPC符号化を行い、LDPC対象データを情報ビットとするLDPC符号を出力する。
【０１０２】
すなわち、LDPCエンコーダ１１５は、LDPC対象データを、例えば、DVB-T.2の規格に規定されているLDPC符号等のLDPC符号に符号化するLDPC符号化を行い、その結果得られるLDPC符号を出力する。
【０１０３】
ここで、DVB-T.2の規格では、符号長が16200ビットで、符号化率が3/5の場合を除き、DVB-S.2の規格に規定されているLDPC符号が採用されている。DVB-T.2の規格に規定されているLDPC符号は、IRA(Irregular Repeat Accumulate)符号であり、そのLDPC符号の検査行列におけるパリティ行列は、階段構造になっている。パリティ行列、及び、階段構造については、後述する。また、IRA符号については、例えば、"Irregular Repeat-Accumulate Codes," H. Jin, A. Khandekar, and R. J. McEliece, in Proceedings of 2nd International Symposium on Turbo codes and Related Topics, pp. 1-8, Sept. 2000に記載されている。
【０１０４】
LDPCエンコーダ１１５が出力するLDPC符号は、ビットインターリーバ１１６に供給される。
【０１０５】
ビットインターリーバ１１６は、LDPCエンコーダ１１５からのLDPC符号について、後述するビットインターリーブを行い、そのビットインターリーブ後のLDPC符号を、QAMエンコーダ(QAM encoder)１１７に供給する。
【０１０６】
QAMエンコーダ１１７は、ビットインターリーバ１１６からのLDPC符号を、そのLDPC符号の１ビット以上の符号ビットの単位（シンボル単位）で、直交変調の１つのシンボルを表す信号点にマッピングして直交変調（多値変調）を行う。
【０１０７】
すなわち、QAMエンコーダ１１７は、ビットインターリーバ１１６からのLDPC符号を、搬送波と同相のI成分を表すI軸と、搬送波と直交するQ成分を表すQ軸とで規定されるIQ平面（IQコンスタレーション）上の、LDPC符号の直交変調を行う変調方式で定める信号点にマッピングして直交変調を行う。
【０１０８】
ここで、QAMエンコーダ１１７で行われる直交変調の変調方式としては、例えば、DVB-Tの規格に規定されている変調方式を含む変調方式、すなわち、例えば、QPSK(Quadrature Phase Shift Keying)や、16QAM(Quadrature Amplitude Modulation)，64QAM，256QAM，1024QAM，4096QAM等がある。QAMエンコーダ１１７において、いずれの変調方式による直交変調が行われるかは、例えば、送信装置１１のオペレータの操作に従って、あらかじめ設定される。なお、QAMエンコーダ１１７では、その他、例えば、4PAM(Pulse Amplitude Modulation)その他の直交変調を行うことが可能である。
【０１０９】
QAMエンコーダ１１７での処理により得られるデータ（信号点にマッピングされたシンボル）は、時間インターリーバ(Time Interleaver)１１８に供給される。
【０１１０】
時間インターリーバ１１８は、QAMエンコーダ１１７からのデータ（シンボル）について、シンボル単位での時間インターリーブ（時間方向のインターリーブ）を行い、その結果得られるデータを、MISO/MIMOエンコーダ(MISO/MIMO encoder)１１９に供給する。
【０１１１】
MISO/MIMOエンコーダ１１９は、時間インターリーバ１１８からのデータ（シンボル）に、時空間符号化を施し、周波数インターリーバ(Frequency Interleaver)１２０に供給する。
【０１１２】
周波数インターリーバ１２０は、MISO/MIMOエンコーダ１１９からのデータ（シンボル）について、シンボル単位での周波数インターリーブ（周波数方向のインターリーブ）を行い、フレームビルダ／リソースアロケーション部(Frame Builder & Resource Allocation)１３１に供給する。
【０１１３】
一方、BCHエンコーダ１２１には、例えば、L1等と呼ばれるプリアンブル等の伝送制御用の制御データ（signaling)が供給される。
【０１１４】
BCHエンコーダ１２１は、そこに供給される制御データを、BCHエンコーダ１１４と同様にBCH符号化し、その結果得られるデータを、LDPCエンコーダ１２２に供給する。
【０１１５】
LDPCエンコーダ１２２は、BCHエンコーダ１２１からのデータを、LDPC対象データとして、LDPCエンコーダ１１５と同様にLDPC符号化し、その結果得られるLDPC符号を、QAMエンコーダ１２３に供給する。
【０１１６】
QAMエンコーダ１２３は、QAMエンコーダ１１７と同様に、LDPCエンコーダ１２２からのLDPC符号を、そのLDPC符号の１ビット以上の符号ビットの単位（シンボル単位）で、直交変調の１つのシンボルを表す信号点にマッピングして直交変調を行い、その結果得られるデータ（シンボル）を、周波数インターリーバ１２４に供給する。
【０１１７】
周波数インターリーバ１２４は、周波数インターリーバ１２０と同様に、QAMエンコーダ１２３からのデータ（シンボル）について、シンボル単位での周波数インターリーブを行い、フレームビルダ／リソースアロケーション部１３１に供給する。
【０１１８】
フレームビルダ／リソースアロケーション部１３１は、周波数インターリーバ１２０、及び、１２４からのデータ（シンボル）の必要な位置に、パイロット(Pilot)のシンボルを挿入し、その結果られるデータ（シンボル）から、所定の数のシンボルで構成されるフレームを構成して、OFDM生成部(OFDM generation)１３２に供給する。
【０１１９】
OFDM生成部１３２は、フレームビルダ／リソースアロケーション部１３１からのフレームから、そのフレームに対応するOFDM信号を生成し、通信路１３（図７）を介して送信する。
【０１２０】
図９は、図８のビットインターリーバ１１６の構成例を示している。
【０１２１】
ビットインターリーバ１１６は、データをインターリーブするデータ処理装置であり、パリティインターリーバ(parity interleaver)２３、カラムツイストインターリーバ(column twist interleaver)２４、及びデマルチプレクサ(DEMUX)２５から構成される。
【０１２２】
パリティインターリーバ２３は、LDPCエンコーダ１１５からのLDPC符号のパリティビットを、他のパリティビットの位置にインターリーブするパリティインターリーブを行い、そのパリティインターリーブ後のLDPC符号を、カラムツイストインターリーバ２４に供給する。
【０１２３】
カラムツイストインターリーバ２４は、パリティインターリーバ２３からのLDPC符号について、カラムツイストインターリーブを行い、そのカラムツイストインターリーブ後のLDPC符号を、デマルチプレクサ２５に供給する。
【０１２４】
すなわち、LDPC符号は、図８のQAMエンコーダ１１７において、そのLDPC符号の1ビット以上の符号ビットを、直交変調の１つのシンボルを表す信号点にマッピングして送信される。
【０１２５】
カラムツイストインターリーバ２４では、LDPCエンコーダ１１５で用いられる検査行列の任意の１行にある1に対応するLDPC符号の複数の符号ビットが、１つのシンボルに含まれないように、パリティインターリーバ２３からのLDPC符号の符号ビットを並び替える並び替え処理として、例えば、後述するようなカラムツイストインターリーブが行われる。
【０１２６】
デマルチプレクサ２５は、カラムツイストインターリーバ２４からのLDPC符号について、シンボルとなるLDPC符号の２以上の符号ビットの位置を入れ替える入れ替え処理を行うことで、AWGNに対する耐性を強化したLDPC符号を得る。そして、デマルチプレクサ２５は、入れ替え処理によって得られる、LDPC符号の２以上の符号ビットを、シンボルとして、QAMエンコーダ１１７（図８）に供給する。
【０１２７】
次に、図１０は、図８のLDPCエンコーダ１１５でLDPC符号化に用いられる検査行列Hを示している。
【０１２８】
検査行列Hは、LDGM(Low-Density Generation Matrix)構造になっており、LDPC符号の符号ビットのうちの、情報ビットに対応する部分の情報行列HAと、パリティビットに対応するパリティ行列HTとによって、式H＝[HA｜HT］（情報行列HAの要素を左側の要素とし、パリティ行列HTの要素を右側の要素とする行列）で表すことができる。
【０１２９】
ここで、１個のLDPC符号（１符号語）の符号ビットのうちの情報ビットのビット数と、パリティビットのビット数を、それぞれ、情報長Kと、パリティ長Mというとともに、１個のLDPC符号の符号ビットのビット数を、符号長N(=K+M)という。
【０１３０】
ある符号長NのLDPC符号についての情報長Kとパリティ長Mは、符号化率によって決まる。また、検査行列Hは、行×列がM×Nの行列となる。そして、情報行列HAは、M×Kの行列となり、パリティ行列HTは、M×Mの行列となる。
【０１３１】
図１１は、DVB-T.2（及びDVB-S.2）の規格に規定されているLDPC符号の検査行列Hのパリティ行列HTを示している。
【０１３２】
DVB-T.2の規格に規定されているLDPC符号の検査行列Hのパリティ行列HTは、図１１に示すように、1の要素が、いわば階段状に並ぶ階段構造になっている。パリティ行列HTの行重みは、１行目については１で、残りの全ての行については２になっている。また、列重みは、最後の１列については１で、残りの全ての列で２になっている。
【０１３３】
以上のように、パリティ行列HTが階段構造になっている検査行列HのLDPC符号は、その検査行列Hを用いて、容易に生成することができる。
【０１３４】
すなわち、LDPC符号（１符号語）を、行ベクトルcで表すとともに、その行ベクトルを転置して得られる列ベクトルを、cTと表す。また、LDPC符号である行ベクトルcのうちの、情報ビットの部分を、行ベクトルAで表すとともに、パリティビットの部分を、行ベクトルTで表すこととする。
【０１３５】
この場合、行ベクトルcは、情報ビットとしての行ベクトルAと、パリティビットとしての行ベクトルTとによって、式c =[A|T]（行ベクトルAの要素を左側の要素とし、行ベクトルTの要素を右側の要素とする行ベクトル）で表すことができる。
【０１３６】
検査行列Hと、LDPC符号としての行ベクトルc=[A|T]とは、式HcT=0を満たす必要があり、かかる式HcT=0を満たす行ベクトルc=[A|T]を構成するパリティビットとしての行ベクトルTは、検査行列H=[HA|HT]のパリティ行列HTが、図１１に示した階段構造になっている場合には、式HcT=0における列ベクトルHcTの１行目の要素から順に、各行の要素を０にしていくようにすることで、逐次的（順番）に求めることができる。
【０１３７】
図１２は、DVB-T.2の規格に規定されているLDPC符号の検査行列Hを説明する図である。
【０１３８】
DVB-T.2の規格に規定されているLDPC符号の検査行列Hの１列目からのKX列については、列重みがXに、その後のK3列については、列重みが３に、その後のM-1列については、列重みが２に、最後の１列については、列重みが１に、それぞれなっている。
【０１３９】
ここで、KX+K3+M-1+1は、符号長Nに等しい。
【０１４０】
図１３は、DVB-T.2の規格に規定されているLDPC符号の各符号化率rについての、列数KX，K3、及びM、並びに、列重みXを示す図である。
【０１４１】
DVB-T.2の規格では、64800ビットと16200ビットの符号長NのLDPC符号が規定されている。
【０１４２】
そして、符号長Nが64800ビットのLDPC符号については、１１個の符号化率(nominal rate)1/4,1/3,2/5,1/2,3/5,2/3,3/4,4/5,5/6,8/9、及び9/10が規定されており、符号長Nが16200ビットのLDPC符号については、１０個の符号化率1/4,1/3,2/5,1/2,3/5,2/3,3/4,4/5,5/6、及び8/9が規定されている。
【０１４３】
ここで、以下、64800ビットの符号長Nを、64kビットともいい、16200ビットの符号長Nを、16kビットともいう。
【０１４４】
LDPC符号については、検査行列Hの列重みが大の列に対応する符号ビットほど、エラーレートが低いことが知られている。
【０１４５】
図１２及び図１３に示した、DVB-T.2の規格に規定されている検査行列Hでは、先頭側（左側）の列ほど、列重みが大の傾向にあり、したがって、その検査行列Hに対応するLDPC符号については、先頭の符号ビットほど、エラーに強く（エラーに対する耐性があり）、終わりの符号ビットほど、エラーに弱い傾向がある。
【０１４６】
次に、図１４は、図８のQAMエンコーダ１１７で16QAMが行われる場合の、１６個のシンボル（に対応する信号点）のIQ平面上の配置を示している。
【０１４７】
すなわち、図１４のＡは、DVB-T.2の16QAMのシンボルを示している。
【０１４８】
16QAMでは、１シンボルは、４ビットで表され、１６(=24)個のシンボルが存在する。そして、１６個のシンボルは、IQ平面の原点を中心として、I方向×Q方向が４×４の正方形状となるように配置されている。
【０１４９】
いま、１シンボルが表すビット列の、最上位ビットからi+1ビット目のビットを、ビットyiと表すこととすると、16QAMの１シンボルが表す４ビットは、最上位ビットから順に、ビットy0,y1,y2,y3と表すことができる。変調方式が16QAMの場合には、LDPC符号の符号ビットの４ビットが、４ビットy0ないしy3のシンボル（シンボル値）に（シンボル化）される。
【０１５０】
図１４のＢは、16QAMのシンボルが表す４ビット（以下、シンボルビットともいう）y0ないしy3それぞれについてのビット境界を示している。
【０１５１】
ここで、シンボルビットyi（図１４では、i=0,1,2,3）についてのビット境界とは、そのシンボルビットyiが0になっているシンボルと、1になっているシンボルとの境界を意味する。
【０１５２】
図１４のＢに示すように、16QAMのシンボルが表す４シンボルビットy0ないしy3のうちの最上位のシンボルビットy0については、IQ平面のQ軸の１箇所だけがビット境界となり、２番目（最上位ビットから２番目）のシンボルビットy1については、IQ平面のI軸の１箇所だけがビット境界となる。
【０１５３】
また、３番目のシンボルビットy2については、４×４個のシンボルのうちの、左から１列目と２列目との間、及び３列目と４列目との間の２箇所が、ビット境界となる。
【０１５４】
さらに、４番目のシンボルビットy3については、４×４個のシンボルのうちの、上から１行目と２行目との間、及び３行目と４行目との間の２箇所が、ビット境界となる。
【０１５５】
シンボルが表すシンボルビットyiは、ビット境界から離れているシンボルが多いほど、誤りにくく（エラー確率が低く）、ビット境界に近いシンボルが多いほど、誤りやすい（エラー確率が高い）。
【０１５６】
いま、誤りにくい（エラーに強い）ビットを、「強いビット」というとともに、誤りやすい（エラーに弱い）ビットを、「弱いビット」ということとすると、16QAMのシンボルの４シンボルビットy0ないしy3については、最上位のシンボルビットy0、及び２番目のシンボルビットy1が強いビットになっており、３番目のシンボルビットy2、及び４番目のシンボルビットy3が弱いビットになっている。
【０１５７】
図１５ないし図１７は、図８のQAMエンコーダ１１７で64QAMが行われる場合の、６４個のシンボル（に対応する信号点）のIQ平面上の配置、すなわち、DVB-T.2の16QAMのシンボルを示している。
【０１５８】
64QAMでは、１シンボルは、６ビットを表し、６４(=26)個のシンボルが存在する。そして、６４個のシンボルは、IQ平面の原点を中心として、I方向×Q方向が８×８の正方形状となるように配置されている。
【０１５９】
64QAMの１シンボルのシンボルビットは、最上位ビットから順に、ビットy0,y1,y2,y3,y4,y5と表すことができる。変調方式が64QAMの場合には、LDPC符号の符号ビットの６ビットは、６ビットのシンボルビットy0ないしy5のシンボルにされる。
【０１６０】
ここで、図１５は、64QAMのシンボルのシンボルビットy0ないしy5のうちの、最上位のシンボルビットy0と、２番目のシンボルビットy1それぞれについてのビット境界を、図１６は、３番目のシンボルビットy2と、４番目のシンボルビットy3それぞれについてのビット境界を、図１７は、５番目のシンボルビットy4と、６番目のシンボルビットy5それぞれについてのビット境界を、それぞれ示している。
【０１６１】
図１５に示すように、最上位のシンボルビットy0と、２番目のシンボルビットy1それぞれについてのビット境界は、１箇所になっている。また、図１６に示すように、３番目のシンボルビットy2と、４番目のシンボルビットy3それぞれについてのビット境界は、２箇所になっており、図１７に示すように、５番目のシンボルビットy4と、６番目のシンボルビットy5それぞれについてのビット境界は、４箇所になっている。
【０１６２】
したがって、64QAMのシンボルのシンボルビットy0ないしy5については、最上位シンボルビットy0、及び２番目のシンボルビットy1が、強いビットになっており、３番目のシンボルビットy2、及び４番目のシンボルビットy3が、その次に強いビットになっている。そして、５番目のシンボルビットy4と、６番目のシンボルビットy5は、弱いビットになっている。
【０１６３】
図１４、さらには、図１５ないし図１７から、直交変調のシンボルのシンボルビットについては、上位ビットが強いビットとなり、下位ビットが弱いビットになる傾向があることが分かる。
【０１６４】
ここで、図１２及び図１３で説明したように、LDPCエンコーダ１１５（図８）が出力するLDPC符号については、エラーに強い符号ビットと、エラーに弱い符号ビットがある。
【０１６５】
また、図１４ないし図１７で説明したように、QAMエンコーダ１１７で行われる直交変調のシンボルのシンボルビットについては、強いビットと弱いビットがある。
【０１６６】
したがって、LDPC符号の、エラーに弱い符号ビットを、直交変調のシンボルの、弱いシンボルビットに割り当てると、全体として、エラーに対する耐性が低下する。
【０１６７】
そこで、LDPC符号の、エラーに弱い符号ビットを、直交変調のシンボルの、強いビット（シンボルビット）に割り当てる傾向で、LDPC符号の符号ビットをインターリーブするインターリーバが提案されている。
【０１６８】
図９のデマルチプレクサ２５は、そのインターリーバの処理を行うことができる。
【０１６９】
図１８は、図９のデマルチプレクサ２５の処理を説明する図である。
【０１７０】
すなわち、図１８のＡは、デマルチプレクサ２５の機能的な構成例を示している。
【０１７１】
デマルチプレクサ２５は、メモリ３１及び入れ替え部３２から構成される。
【０１７２】
メモリ３１には、LDPCエンコーダ１１５からのLDPC符号が供給される。
【０１７３】
メモリ３１は、ロウ(row)（横）方向にmbビットを記憶するとともに、カラム(column)（縦）方向にN/(mb)ビットを記憶する記憶容量を有し、そこに供給されるLDPC符号の符号ビットを、カラム方向に書き込み、ロウ方向に読み出して、入れ替え部３２に供給する。
【０１７４】
ここで、N（＝情報長K＋パリティ長M）は、上述したように、LDPC符号の符号長を表す。
【０１７５】
また、mは、１シンボルとなるLDPC符号の符号ビットのビット数を表し、bは所定の正の整数で、mを整数倍するのに用いられる倍数である。デマルチプレクサ２５は、上述したように、LDPC符号の符号ビットをシンボルとする（シンボル化する）が、倍数bは、デマルチプレクサ２５が、いわば一度のシンボル化によって得るシンボルの個数を表す。
【０１７６】
図１８のＡは、変調方式が64QAMである場合のデマルチプレクサ２５の構成例を示しており、したがって、１シンボルとなるLDPC符号の符号ビットのビット数mは、６ビットである。
【０１７７】
また、図１８のＡでは、倍数bは1になっており、したがって、メモリ３１は、カラム方向×ロウ方向がN/(6×1)×(6×1)ビットの記憶容量を有する。
【０１７８】
ここで、メモリ３１の、ロウ方向が1ビットの、カラム方向に延びる記憶領域を、以下、適宜、カラムという。図１８のＡでは、メモリ３１は、６(=6×1)個のカラムから構成される。
【０１７９】
デマルチプレクサ２５では、LDPC符号の符号ビットを、メモリ３１を構成するカラムの上から下方向（カラム方向）に書き込むことが、左から右方向のカラムに向かって行われる。
【０１８０】
そして、符号ビットの書き込みが、最も右のカラムの一番下まで終了すると、メモリ３１を構成するすべてのカラムの１行目から、ロウ方向に、６ビット（mbビット）単位で、符号ビットが読み出され、入れ替え部３２に供給される。
【０１８１】
入れ替え部３２は、メモリ３１からの６ビットの符号ビットの位置を入れ替える入れ替え処理を行い、その結果得られる６ビットを、64QAMの１シンボルを表す６シンボルビットy0,y1,y2,y3,y4,y5として出力する。
【０１８２】
すなわち、メモリ３１からは、ロウ方向に、mbビット（ここでは、６ビット）の符号ビットが読み出されるが、その、メモリ３１から読み出されるmbビットの符号ビットの、最上位ビットからiビット目を(i=0,1,・・・,mb-1)、ビットbiと表すこととすると、メモリ３１からロウ方向に読み出される６ビットの符号ビットは、最上位ビットから順に、ビットb0,b1,b2,b3,b4,b5と表すことができる。
【０１８３】
図１２及び図１３で説明した列重みの関係で、ビットb0の方向にある符号ビットは、エラーに強い符号ビットになっており、ビットb5の方向にある符号ビットは、エラーに弱い符号ビットになっている。
【０１８４】
入れ替え部３２では、メモリ３１からの６ビットの符号ビットb0ないしb5のうちの、エラーに弱い符号ビットが、64QAMの１シンボルのシンボルビットy0ないしy5のうちの、強いビットに割り当てられるように、メモリ３１からの６ビットの符号ビットb0ないしb5の位置を入れ替える入れ替え処理を行うことができる。
【０１８５】
ここで、メモリ３１からの６ビットの符号ビットb0ないしb5をどのように入れ替えて、64QAMの１シンボルを表す６シンボルビットy0ないしy5のそれぞれに割り当てるかの入れ替え方式としては、各社から、様々な方式が提案されている。
【０１８６】
図１８のＢは、第１の入れ替え方式を、図１８のＣは、第２の入れ替え方式を、図１８のＤは、第３の入れ替え方式を、それぞれ示している。
【０１８７】
図１８のＢないし図１８のＤにおいて（後述する図１９においても同様）、ビットbiとyjとを結ぶ線分は、符号ビットbiを、シンボルのシンボルビットyjに割り当てる（シンボルビットyjの位置に入れ替える）ことを意味する。
【０１８８】
図１８のＢの第１の入れ替え方式としては、３種類の入れ替え方のうちのいずれか１つを採用することが提案されており、図１８のＣの第２の入れ替え方式としては、２種類の入れ替え方のうちのいずれか１つを採用することが提案されている。
【０１８９】
図１８のＤの第３の入れ替え方式としては、６種類の入れ替え方を順番に選択して用いることが提案されている。
【０１９０】
図１９は、変調方式が64QAMであり（したがって、１シンボルにマッピングされるLDPC符号の符号ビットのビット数mは、図１８と同様に６ビットである）、かつ、倍数bが2の場合のデマルチプレクサ２５の構成例と、第４の入れ替え方式を示している。
【０１９１】
倍数bが2である場合、メモリ３１は、カラム方向×ロウ方向がN/(6×2)×(6×2)ビットの記憶容量を有し、１２(=6×2)個のカラムから構成される。
【０１９２】
図１９のＡは、メモリ３１へのLDPC符号の書き込み順を示している。
【０１９３】
デマルチプレクサ２５では、図１８で説明したように、LDPC符号の符号ビットを、メモリ３１を構成するカラムの上から下方向（カラム方向）に書き込むことが、左から右方向のカラムに向かって行われる。
【０１９４】
そして、符号ビットの書き込みが、最も右のカラムの一番下まで終了すると、メモリ３１を構成するすべてのカラムの１行目から、ロウ方向に、１２ビット（mbビット）単位で、符号ビットが読み出され、入れ替え部３２に供給される。
【０１９５】
入れ替え部３２は、メモリ３１からの１２ビットの符号ビットの位置を、第４の入れ替え方式で入れ替える入れ替え処理を行い、その結果得られる１２ビットを、64QAMの２シンボル（b個のシンボル）を表す１２ビット、つまり、64QAMの１シンボルを表す６シンボルビットy0,y1,y2,y3,y4,y5と、次の１シンボルを表す６シンボルビットy0,y1,y2,y3,y4,y5として出力する。
【０１９６】
ここで、図１９のＢは、図１９のＡの入れ替え部３２による入れ替え処理の第４の入れ替え方式を示している。
【０１９７】
なお、倍数bが2である場合（3以上である場合も同様）、入れ替え処理では、mbビットの符号ビットが、連続するb個のシンボルのmbビットのシンボルビットに割り当てられる。図１９を含め、以下では、説明の便宜上、連続するb個のシンボルのmbビットのシンボルビットの最上位ビットからi+1ビット目を、ビット（シンボルビット）yiと表す。
【０１９８】
また、どのような入れ替え方が適切であるか、つまり、AWGN通信路でのエラーレートをより向上させるかは、LDPC符号の符号化率や符号長、変調方式等によって異なる。
【０１９９】
［パリティインターリーブ］
【０２００】
次に、図２０ないし図２２を参照して、図９のパリティインターリーバ２３によるパリティインターリーブについて説明する。
【０２０１】
図２０は、LDPC符号の検査行列のタナーグラフ（の一部）を示している。
【０２０２】
チェックノードは、図２０に示すように、そのチェックノードに繋がっているバリアブルノード（に対応する符号ビット）の２個等の複数が同時にイレージャ等のエラーになると、そのチェックノードに繋がっている全バリアブルノードに、値が0である確率と1である確率とが等確率のメッセージを戻す。このため、同一のチェックノードに繋がっている複数のバリアブルノードが同時にイレージャ等になると、復号の性能が劣化する。
【０２０３】
ところで、図８のLDPCエンコーダ１１５が出力する、DVB-T.2の規格に規定されているLDPC符号は、IRA符号であり、検査行列Hのパリティ行列HTは、図１１に示したように、階段構造になっている。
【０２０４】
図２１は、階段構造になっているパリティ行列HTと、そのパリティ行列HTに対応するタナーグラフを示している。
【０２０５】
すなわち、図２１のＡは、階段構造になっているパリティ行列HTを示しており、図２１のＢは、図２１のＡのパリティ行列HTに対応するタナーグラフを示している。
【０２０６】
階段構造になっているパリティ行列HTでは、各行において、１の要素が隣接する（１行目を除く）。このため、パリティ行列HTのタナーグラフにおいて、パリティ行列HTの値が1になっている隣接する２つの要素の列に対応する、隣接する２つのバリアブルノードは、同一のチェックノードに繋がっている。
【０２０７】
したがって、バースト誤りやイレージャ等によって、上述の隣接する２つのバリアブルノードに対応するパリティビットが同時にエラーとなると、そのエラーとなった２つのパリティビットに対応する２つのバリアブルノード（パリティビットを用いてメッセージを求めるバリアブルノード）に繋がっているチェックノードは、値が0である確率と1である確率とが等確率のメッセージを、そのチェックノードに繋がっているバリアブルノードに戻すため、復号の性能が劣化する。そして、バースト長（連続してエラーとなるパリティビットのビット数）が大になると、等確率のメッセージを戻すチェックノードが増加し、復号の性能は、さらに劣化する。
【０２０８】
そこで、パリティインターリーバ２３（図９）は、上述した復号の性能の劣化を防止するため、LDPCエンコーダ１１５からの、LDPC符号のパリティビットを、他のパリティビットの位置にインターリーブするパリティインターリーブを行う。
【０２０９】
図２２は、図９のパリティインターリーバ２３が行うパリティインターリーブ後のLDPC符号に対応する検査行列Hのパリティ行列HTを示している。
【０２１０】
ここで、LDPCエンコーダ１１５が出力する、DVB-T.2の規格に規定されているLDPC符号に対応する検査行列Hの情報行列HAは、巡回構造になっている。
【０２１１】
巡回構造とは、ある列が、他の列をサイクリックシフトしたものと一致している構造をいい、例えば、P列ごとに、そのP列の各行の1の位置が、そのP列の最初の列を、パリティ長Mを除算して得られる値qに比例する値だけ、列方向にサイクリックシフトした位置になっている構造も含まれる。以下、適宜、巡回構造におけるP列を、巡回構造の単位の列数という。
【０２１２】
DVB-T.2の規格に規定されているLDPC符号としては、図１２及び図１３で説明したように、符号長Nが64800ビットと16200ビットとの、２種類のLDPC符号があり、その２種類のLDPC符号のいずれについても、巡回構造の単位の列数Pが、パリティ長Mの約数のうちの、1とMを除く約数の１つである360に規定されている。
【０２１３】
また、パリティ長Mは、符号化率によって異なる値qを用いて、式M=q×P=q×360で表される素数以外の値になっている。したがって、値qも、巡回構造の単位の列数Pと同様に、パリティ長Mの約数のうちの、1とMを除く約数の他の１つであり、パリティ長Mを、巡回構造の単位の列数Pで除算することにより得られる（パリティ長Mの約数であるP及びqの積は、パリティ長Mとなる）。
【０２１４】
パリティインターリーバ２３は、上述したように、情報長をKとし、また、0以上P未満の整数をxとするとともに、0以上q未満の整数をyとすると、パリティインターリーブとして、NビットのLDPC符号の符号ビットのうちの、K+qx+y+1番目の符号ビットを、K+Py+x+1番目の符号ビットの位置にインターリーブする。
【０２１５】
K+qx+y+1番目の符号ビット、及び、K+Py+x+1番目の符号ビットは、いずれも、K+1番目以降の符号ビットであるから、パリティビットであり、したがって、パリティインターリーブによれば、LDPC符号のパリティビットの位置が移動される。
【０２１６】
このようなパリティインターリーブによれば、同一のチェックノードに繋がれるバリアブルノード（に対応するパリティビット）が、巡回構造の単位の列数P、すなわち、ここでは、360ビットだけ離れるので、バースト長が360ビット未満である場合には、同一のチェックノードに繋がっているバリアブルノードの複数が同時にエラーになる事態を避けることができ、その結果、バースト誤りに対する耐性を改善することができる。
【０２１７】
なお、K+qx+y+1番目の符号ビットを、K+Py+x+1番目の符号ビットの位置にインターリーブするパリティインターリーブ後のLDPC符号は、元の検査行列Hの、K+qx+y+1番目の列を、K+Py+x+1番目の列に置換する列置換を行って得られる検査行列（以下、変換検査行列ともいう）のLDPC符号に一致する。
【０２１８】
また、変換検査行列のパリティ行列には、図２２に示すように、P列（図２２では、360列）を単位とする擬似巡回構造が現れる。
【０２１９】
ここで、擬似巡回構造とは、一部を除く部分が巡回構造になっている構造を意味する。DVB-T.2の規格に規定されているLDPC符号の検査行列に対して、パリティインターリーブに相当する列置換を施して得られる変換検査行列は、その右隅部分の360行×360列の部分（後述するシフト行列）に、1の要素が１つだけ足らず（0の要素になっており）、その点で、（完全な）巡回構造ではなく、いわば、擬似巡回構造になっている。
【０２２０】
なお、図２２の変換検査行列は、元の検査行列Hに対して、パリティインターリーブに相当する列置換の他、変換検査行列が、後述する構成行列で構成されるようにするための行の置換（行置換）も施された行列になっている。
【０２２１】
［カラムツイストインターリーブ］
【０２２２】
次に、図２３ないし図２６を参照して、図９のカラムツイストインターリーバ２４による並び替え処理としてのカラムツイストインターリーブについて説明する。
【０２２３】
図８の送信装置１１では、LDPC符号の符号ビットの１ビット以上を、１個のシンボルとして送信する。すなわち、例えば、符号ビットの２ビットを１個のシンボルとする場合には、変調方式として、例えば、QPSKが用いられ、符号ビットの４ビットを１個のシンボルとする場合には、変調方式として、例えば、16QAMが用いられる。
【０２２４】
符号ビットの２ビット以上を、１個のシンボルとして送信する場合、あるシンボルに、イレージャ等が発生すると、そのシンボルの符号ビットは、すべてエラー（イレージャ）になる。
【０２２５】
したがって、復号の性能を向上させるために、同一のチェックノードに繋がっているバリアブルノード（に対応する符号ビット）の複数が同時にイレージャになる確率を低下させるには、１個のシンボルの符号ビットに対応するバリアブルノードが、同一のチェックノードに繋がることを避ける必要がある。
【０２２６】
一方、上述したように、LDPCエンコーダ１１５が出力する、DVB-T.2の規格に規定されているLDPC符号の検査行列Hでは、情報行列HAが巡回構造を有し、パリティ行列HTが階段構造を有している。そして、図２２で説明したように、パリティインターリーブ後のLDPC符号の検査行列である変換検査行列では、パリティ行列にも巡回構造（正確には、上述したように、擬似巡回構造）が現れる。
【０２２７】
図２３は、変換検査行列を示している。
【０２２８】
すなわち、図２３のＡは、符号長Nが64800ビットで、符号化率(r)が3/4のLDPC符号の検査行列Hの変換検査行列を示している。
【０２２９】
図２３のＡでは、変換検査行列において、値が1になっている要素の位置が、点（・）で示されている。
【０２３０】
図２３のＢは、図２３のＡの変換検査行列のLDPC符号、つまり、パリティインターリーブ後のLDPC符号を対象として、デマルチプレクサ２５（図９）が行う処理を示している。
【０２３１】
図２３のＢでは、変調方式を16QAMとして、デマルチプレクサ２５のメモリ３１を構成する４カラムに、パリティインターリーブ後のLDPC符号の符号ビットが、カラム方向に書き込まれている。
【０２３２】
メモリ３１を構成する４カラムに、カラム方向に書き込まれた符号ビットは、ロウ方向に、４ビット単位で読み出され、１シンボルとなる。
【０２３３】
この場合、１シンボルとなる４ビットの符号ビットB0,B1,B2,B3は、図２３のＡの変換検査行列の、任意の１行にある1に対応する符号ビットとなっていることがあり、この場合、その符号ビットB0,B1,B2,B3それぞれに対応するバリアブルノードは、同一のチェックノードに繋がっている。
【０２３４】
したがって、１シンボルの４ビットの符号ビットB0,B1,B2,B3が、変換検査行列の任意の１行にある1に対応する符号ビットとなっている場合には、そのシンボルに、イレージャが発生すると、符号ビットB0,B1,B2,B3それぞれに対応するバリアブルノードが繋がっている同一のチェックノードにおいて、適切なメッセージを求めることができず、その結果、復号の性能が劣化する。
【０２３５】
符号化率が3/4以外の符号化率についても、同様に、同一のチェックノードに繋がっている複数のバリアブルノードに対応する複数の符号ビットが、16QAMの１個のシンボルとされることがある。
【０２３６】
そこで、カラムツイストインターリーバ２４は、変換検査行列の任意の１行にある1に対応する複数の符号ビットが、１個のシンボルに含まれないように、パリティインターリーバ２３からのパリティインターリーブ後のLDPC符号の符号ビットをインターリーブするカラムツイストインターリーブを行う。
【０２３７】
図２４は、カラムツイストインターリーブを説明する図である。
【０２３８】
すなわち、図２４は、デマルチプレクサ２５のメモリ３１（図１８、図１９）を示している。
【０２３９】
メモリ３１は、図１８で説明したように、ロウ（横）方向にmbビットを記憶するとともに、カラム（縦）方向にN/(mb)ビットを記憶する記憶容量を有し、mb個のカラムから構成される。そして、カラムツイストインターリーバ２４は、メモリ３１に対して、LDPC符号の符号ビットを、カラム方向に書き込み、ロウ方向に読み出すときの書き始めの位置を制御することで、カラムツイストインターリーブを行う。
【０２４０】
すなわち、カラムツイストインターリーバ２４では、複数のカラムそれぞれについて、符号ビットの書き込みを開始する書き始めの位置を、適宜変更することで、ロウ方向に読み出される、１シンボルとされる複数の符号ビットが、変換検査行列の任意の１行にある1に対応する符号ビットにならないようにする（検査行列の任意の１行にある1に対応する複数の符号ビットが、同一のシンボルに含まれないように、LDPC符号の符号ビットを並び替える）。
【０２４１】
ここで、図２４は、変調方式が16QAMであり、かつ、図１８で説明した倍数bが1である場合の、メモリ３１の構成例を示している。したがって、１シンボルにされるLDPC符号の符号ビットのビット数mは、４ビットであり、また、メモリ３１は、４(=mb)個のカラムで構成されている。
【０２４２】
カラムツイストインターリーバ２４は、（図１８のデマルチプレクサ２５に代わり）LDPC符号の符号ビットを、メモリ３１を構成する４個のカラムの上から下方向（カラム方向）に書き込むことを、左から右方向のカラムに向かって行う。
【０２４３】
そして、符号ビットの書き込みが、最も右のカラムまで終了すると、カラムツイストインターリーバ２４は、メモリ３１を構成するすべてのカラムの１行目から、ロウ方向に、４ビット（mbビット）単位で、符号ビットを読み出し、カラムツイストインターリーブ後のLDPC符号として、デマルチプレクサ２５の入れ替え部３２（図１８、図１９）に出力する。
【０２４４】
但し、カラムツイストインターリーバ２４では、各カラムの先頭（一番上）の位置のアドレスを0として、カラム方向の各位置のアドレスを、昇順の整数で表すこととすると、最も左のカラムについては、書き始めの位置を、アドレスが0の位置とし、（左から）２番目のカラムについては、書き始めの位置を、アドレスが2の位置とし、３番目のカラムについては、書き始めの位置を、アドレスが4の位置とし、４番目のカラムについては、書き始めの位置を、アドレスが7の位置とする。
【０２４５】
なお、書き始めの位置が、アドレスが0の位置以外の位置のカラムについては、符号ビットを、最も下の位置まで書き込んだ後は、先頭（アドレスが0の位置）に戻り、書き始めの位置の直前の位置までの書き込みが行われる。そして、その後、次（右）のカラムへの書き込みが行われる。
【０２４６】
以上のようなカラムツイストインターリーブを行うことにより、DVB-T.2の規格に規定されているLDPC符号について、同一のチェックノードに繋がっている複数のバリアブルノードに対応する複数の符号ビットが、16QAMの１個のシンボルとされること（同一のシンボルに含まれること）を回避することができ、その結果、イレージャのある通信路での復号の性能を向上させることができる。
【０２４７】
図２５は、DVB-T.2の規格に規定されている、符号長Nが64800の、１１個の符号化率それぞれのLDPC符号について、カラムツイストインターリーブに必要なメモリ３１のカラム数と、書き始めの位置のアドレスを、変調方式ごとに示している。
【０２４８】
倍数bが1であり、かつ、変調方式として、例えば、QPSKが採用されることによって、１シンボルのビット数mが、２ビットである場合、図２５によれば、メモリ３１は、ロウ方向に2×1(=mb)ビットを記憶する２個のカラムを有し、カラム方向に64800/(2×1)ビットを記憶する。
【０２４９】
そして、メモリ３１の２個のカラムのうちの１番目のカラムの書き始めの位置は、アドレスが0の位置と、２番目のカラムの書き始めの位置は、アドレスが2の位置と、それぞれされる。
【０２５０】
なお、例えば、デマルチプレクサ２５（図９）の入れ替え処理の入れ替え方式として、図１８の第１ないし第３の入れ替え方式のうちのいずれかが採用される場合等に、倍数bは1となる。
【０２５１】
倍数bが2であり、かつ、変調方式として、例えば、QPSKが採用されることによって、１シンボルのビット数mが、２ビットである場合、図２５によれば、メモリ３１は、ロウ方向に2×2ビットを記憶する４個のカラムを有し、カラム方向に64800/(2×2)ビットを記憶する。
【０２５２】
そして、メモリ３１の４個のカラムのうちの１番目のカラムの書き始めの位置は、アドレスが0の位置と、２番目のカラムの書き始めの位置は、アドレスが2の位置と、３番目のカラムの書き始めの位置は、アドレスが4の位置と、４番目のカラムの書き始めの位置は、アドレスが7の位置と、それぞれされる。
【０２５３】
なお、例えば、デマルチプレクサ２５（図９）の入れ替え処理の入れ替え方式として、図１９の第４の入れ替え方式が採用される場合等に、倍数bは2となる。
【０２５４】
倍数bが1であり、かつ、変調方式として、例えば、16QAMが採用されることによって、１シンボルのビット数mが、４ビットである場合、図２５によれば、メモリ３１は、ロウ方向に4×1ビットを記憶する４個のカラムを有し、カラム方向に64800/(4×1)ビットを記憶する。
【０２５５】
そして、メモリ３１の４個のカラムのうちの、１番目のカラムの書き始めの位置は、アドレスが0の位置と、２番目のカラムの書き始めの位置は、アドレスが2の位置と、３番目のカラムの書き始めの位置は、アドレスが4の位置と、４番目のカラムの書き始めの位置は、アドレスが7の位置と、それぞれされる。
【０２５６】
倍数bが2であり、かつ、変調方式として、例えば、16QAMが採用されることによって、１シンボルのビット数mが、４ビットである場合、図２５によれば、メモリ３１は、ロウ方向に4×2ビットを記憶する８個のカラムを有し、カラム方向に64800/(4×2)ビットを記憶する。
【０２５７】
そして、メモリ３１の８個のカラムのうちの、１番目のカラムの書き始めの位置は、アドレスが0の位置と、２番目のカラムの書き始めの位置は、アドレスが0の位置と、３番目のカラムの書き始めの位置は、アドレスが2の位置と、４番目のカラムの書き始めの位置は、アドレスが4の位置と、５番目のカラムの書き始めの位置は、アドレスが4の位置と、６番目のカラムの書き始めの位置は、アドレスが5の位置と、７番目のカラムの書き始めの位置は、アドレスが7の位置と、８番目のカラムの書き始めの位置は、アドレスが7の位置と、それぞれされる。
【０２５８】
倍数bが1であり、かつ、変調方式として、例えば、64QAMが採用されることによって、１シンボルのビット数mが、６ビットである場合、図２５によれば、メモリ３１は、ロウ方向に6×1ビットを記憶する６個のカラムを有し、カラム方向に64800/(6×1)ビットを記憶する。
【０２５９】
そして、メモリ３１の６個のカラムのうちの、１番目のカラムの書き始めの位置は、アドレスが0の位置と、２番目のカラムの書き始めの位置は、アドレスが2の位置と、３番目のカラムの書き始めの位置は、アドレスが5の位置と、４番目のカラムの書き始めの位置は、アドレスが9の位置と、５番目のカラムの書き始めの位置は、アドレスが10の位置と、６番目のカラムの書き始めの位置は、アドレスが13の位置と、それぞれされる。
【０２６０】
倍数bが2であり、かつ、変調方式として、例えば、64QAMが採用されることによって、１シンボルのビット数mが、６ビットである場合、図２５によれば、メモリ３１は、ロウ方向に6×2ビットを記憶する１２個のカラムを有し、カラム方向に64800/(6×2)ビットを記憶する。
【０２６１】
そして、メモリ３１の１２個のカラムのうちの、１番目のカラムの書き始めの位置は、アドレスが0の位置と、２番目のカラムの書き始めの位置は、アドレスが0の位置と、３番目のカラムの書き始めの位置は、アドレスが2の位置と、４番目のカラムの書き始めの位置は、アドレスが2の位置と、５番目のカラムの書き始めの位置は、アドレスが3の位置と、６番目のカラムの書き始めの位置は、アドレスが4の位置と、７番目のカラムの書き始めの位置は、アドレスが4の位置と、８番目のカラムの書き始めの位置は、アドレスが5の位置と、９番目のカラムの書き始めの位置は、アドレスが5の位置と、１０番目のカラムの書き始めの位置は、アドレスが7の位置と、１１番目のカラムの書き始めの位置は、アドレスが8の位置と、１２番目のカラムの書き始めの位置は、アドレスが9の位置と、それぞれされる。
【０２６２】
倍数bが1であり、かつ、変調方式として、例えば、256QAMが採用されることによって、１シンボルのビット数mが、８ビットである場合、図２５によれば、メモリ３１は、ロウ方向に8×1ビットを記憶する８個のカラムを有し、カラム方向に64800/(8×1)ビットを記憶する。
【０２６３】
そして、メモリ３１の８個のカラムのうちの、１番目のカラムの書き始めの位置は、アドレスが0の位置と、２番目のカラムの書き始めの位置は、アドレスが0の位置と、３番目のカラムの書き始めの位置は、アドレスが2の位置と、４番目のカラムの書き始めの位置は、アドレスが4の位置と、５番目のカラムの書き始めの位置は、アドレスが4の位置と、６番目のカラムの書き始めの位置は、アドレスが5の位置と、７番目のカラムの書き始めの位置は、アドレスが7の位置と、８番目のカラムの書き始めの位置は、アドレスが7の位置と、それぞれされる。
【０２６４】
倍数bが2であり、かつ、変調方式として、例えば、256QAMが採用されることによって、１シンボルのビット数mが、８ビットである場合、図２５によれば、メモリ３１は、ロウ方向に8×2ビットを記憶する１６個のカラムを有し、カラム方向に64800/(8×2)ビットを記憶する。
【０２６５】
そして、メモリ３１の１６個のカラムのうちの、１番目のカラムの書き始めの位置は、アドレスが0の位置と、２番目のカラムの書き始めの位置は、アドレスが2の位置と、３番目のカラムの書き始めの位置は、アドレスが2の位置と、４番目のカラムの書き始めの位置は、アドレスが2の位置と、５番目のカラムの書き始めの位置は、アドレスが2の位置と、６番目のカラムの書き始めの位置は、アドレスが3の位置と、７番目のカラムの書き始めの位置は、アドレスが7の位置と、８番目のカラムの書き始めの位置は、アドレスが15の位置と、９番目のカラムの書き始めの位置は、アドレスが16の位置と、１０番目のカラムの書き始めの位置は、アドレスが20の位置と、１１番目のカラムの書き始めの位置は、アドレスが22の位置と、１２番目のカラムの書き始めの位置は、アドレスが22の位置と、１３番目のカラムの書き始めの位置は、アドレスが27の位置と、１４番目のカラムの書き始めの位置は、アドレスが27の位置と、１５番目のカラムの書き始めの位置は、アドレスが28の位置と、１６番目のカラムの書き始めの位置は、アドレスが32の位置と、それぞれされる。
【０２６６】
倍数bが1であり、かつ、変調方式として、例えば、1024QAMが採用されることによって、１シンボルのビット数mが、１０ビットである場合、図２５によれば、メモリ３１は、ロウ方向に10×1ビットを記憶する１０個のカラムを有し、カラム方向に64800/(10×1)ビットを記憶する。
【０２６７】
そして、メモリ３１の１０個のカラムのうちの、１番目のカラムの書き始めの位置は、アドレスが0の位置と、２番目のカラムの書き始めの位置は、アドレスが3の位置と、３番目のカラムの書き始めの位置は、アドレスが6の位置と、４番目のカラムの書き始めの位置は、アドレスが8の位置と、５番目のカラムの書き始めの位置は、アドレスが11の位置と、６番目のカラムの書き始めの位置は、アドレスが13の位置と、７番目のカラムの書き始めの位置は、アドレスが15の位置と、８番目のカラムの書き始めの位置は、アドレスが17の位置と、９番目のカラムの書き始めの位置は、アドレスが18の位置と、１０番目のカラムの書き始めの位置は、アドレスが20の位置と、それぞれされる。
【０２６８】
倍数bが2であり、かつ、変調方式として、例えば、1024QAMが採用されることによって、１シンボルのビット数mが、１０ビットである場合、図２５によれば、メモリ３１は、ロウ方向に10×2ビットを記憶する２０個のカラムを有し、カラム方向に64800/(10×2)ビットを記憶する。
【０２６９】
そして、メモリ３１の２０個のカラムのうちの、１番目のカラムの書き始めの位置は、アドレスが0の位置と、２番目のカラムの書き始めの位置は、アドレスが1の位置と、３番目のカラムの書き始めの位置は、アドレスが3の位置と、４番目のカラムの書き始めの位置は、アドレスが4の位置と、５番目のカラムの書き始めの位置は、アドレスが5の位置と、６番目のカラムの書き始めの位置は、アドレスが6の位置と、７番目のカラムの書き始めの位置は、アドレスが6の位置と、８番目のカラムの書き始めの位置は、アドレスが9の位置と、９番目のカラムの書き始めの位置は、アドレスが13の位置と、１０番目のカラムの書き始めの位置は、アドレスが14の位置と、１１番目のカラムの書き始めの位置は、アドレスが14の位置と、１２番目のカラムの書き始めの位置は、アドレスが16の位置と、１３番目のカラムの書き始めの位置は、アドレスが21の位置と、１４番目のカラムの書き始めの位置は、アドレスが21の位置と、１５番目のカラムの書き始めの位置は、アドレスが23の位置と、１６番目のカラムの書き始めの位置は、アドレスが25の位置と、１７番目のカラムの書き始めの位置は、アドレスが25の位置と、１８番目のカラムの書き始めの位置は、アドレスが26の位置と、１９番目のカラムの書き始めの位置は、アドレスが28の位置と、２０番目のカラムの書き始めの位置は、アドレスが30の位置と、それぞれされる。
【０２７０】
倍数bが1であり、かつ、変調方式として、例えば、4096QAMが採用されることによって、１シンボルのビット数mが、１２ビットである場合、図２５によれば、メモリ３１は、ロウ方向に12×1ビットを記憶する１２個のカラムを有し、カラム方向に64800/(12×1)ビットを記憶する。
【０２７１】
そして、メモリ３１の１２個のカラムのうちの、１番目のカラムの書き始めの位置は、アドレスが0の位置と、２番目のカラムの書き始めの位置は、アドレスが0の位置と、３番目のカラムの書き始めの位置は、アドレスが2の位置と、４番目のカラムの書き始めの位置は、アドレスが2の位置と、５番目のカラムの書き始めの位置は、アドレスが3の位置と、６番目のカラムの書き始めの位置は、アドレスが4の位置と、７番目のカラムの書き始めの位置は、アドレスが4の位置と、８番目のカラムの書き始めの位置は、アドレスが5の位置と、９番目のカラムの書き始めの位置は、アドレスが5の位置と、１０番目のカラムの書き始めの位置は、アドレスが7の位置と、１１番目のカラムの書き始めの位置は、アドレスが8の位置と、１２番目のカラムの書き始めの位置は、アドレスが9の位置と、それぞれされる。
【０２７２】
倍数bが2であり、かつ、変調方式として、例えば、4096QAMが採用されることによって、１シンボルのビット数mが、１２ビットである場合、図２５によれば、メモリ３１は、ロウ方向に12×2ビットを記憶する２４個のカラムを有し、カラム方向に64800/(12×2)ビットを記憶する。
【０２７３】
そして、メモリ３１の２４個のカラムのうちの、１番目のカラムの書き始めの位置は、アドレスが0の位置と、２番目のカラムの書き始めの位置は、アドレスが5の位置と、３番目のカラムの書き始めの位置は、アドレスが8の位置と、４番目のカラムの書き始めの位置は、アドレスが8の位置と、５番目のカラムの書き始めの位置は、アドレスが8の位置と、６番目のカラムの書き始めの位置は、アドレスが8の位置と、７番目のカラムの書き始めの位置は、アドレスが10の位置と、８番目のカラムの書き始めの位置は、アドレスが10の位置と、９番目のカラムの書き始めの位置は、アドレスが10の位置と、１０番目のカラムの書き始めの位置は、アドレスが12の位置と、１１番目のカラムの書き始めの位置は、アドレスが13の位置と、１２番目のカラムの書き始めの位置は、アドレスが16の位置と、１３番目のカラムの書き始めの位置は、アドレスが17の位置と、１４番目のカラムの書き始めの位置は、アドレスが19の位置と、１５番目のカラムの書き始めの位置は、アドレスが21の位置と、１６番目のカラムの書き始めの位置は、アドレスが22の位置と、１７番目のカラムの書き始めの位置は、アドレスが23の位置と、１８番目のカラムの書き始めの位置は、アドレスが26の位置と、１９番目のカラムの書き始めの位置は、アドレスが37の位置と、２０番目のカラムの書き始めの位置は、アドレスが39の位置と、２１番目のカラムの書き始めの位置は、アドレスが40の位置と、２２番目のカラムの書き始めの位置は、アドレスが41の位置と、２３番目のカラムの書き始めの位置は、アドレスが41の位置と、２４番目のカラムの書き始めの位置は、アドレスが41の位置と、それぞれされる。
【０２７４】
図２６は、DVB-T.2の規格に規定されている、符号長Nが16200の、１０個の符号化率それぞれのLDPC符号について、カラムツイストインターリーブに必要なメモリ３１のカラム数と、書き始めの位置のアドレスを、変調方式ごとに示している。
【０２７５】
倍数bが1であり、かつ、変調方式として、例えば、QPSKが採用されることによって、１シンボルのビット数mが、２ビットである場合、図２６によれば、メモリ３１は、ロウ方向に2×1ビットを記憶する２個のカラムを有し、カラム方向に16200/(2×1)ビットを記憶する。
【０２７６】
そして、メモリ３１の２個のカラムのうちの、１番目のカラムの書き始めの位置は、アドレスが0の位置と、２番目のカラムの書き始めの位置は、アドレスが0の位置と、それぞれされる。
【０２７７】
倍数bが2であり、かつ、変調方式として、例えば、QPSKが採用されることによって、１シンボルのビット数mが、２ビットである場合、図２６によれば、メモリ３１は、ロウ方向に2×2ビットを記憶する４個のカラムを有し、カラム方向に16200/(2×2)ビットを記憶する。
【０２７８】
そして、メモリ３１の４個のカラムのうちの、１番目のカラムの書き始めの位置は、アドレスが0の位置と、２番目のカラムの書き始めの位置は、アドレスが2の位置と、３番目のカラムの書き始めの位置は、アドレスが3の位置と、４番目のカラムの書き始めの位置は、アドレスが3の位置と、それぞれされる。
【０２７９】
倍数bが1であり、かつ、変調方式として、例えば、16QAMが採用されることによって、１シンボルのビット数mが、４ビットである場合、図２６によれば、メモリ３１は、ロウ方向に4×1ビットを記憶する４個のカラムを有し、カラム方向に16200/(4×1)ビットを記憶する。
【０２８０】
そして、メモリ３１の４個のカラムのうちの、１番目のカラムの書き始めの位置は、アドレスが0の位置と、２番目のカラムの書き始めの位置は、アドレスが2の位置と、３番目のカラムの書き始めの位置は、アドレスが3の位置と、４番目のカラムの書き始めの位置は、アドレスが3の位置と、それぞれされる。
【０２８１】
倍数bが2であり、かつ、変調方式として、例えば、16QAMが採用されることによって、１シンボルのビット数mが、４ビットである場合、図２６によれば、メモリ３１は、ロウ方向に4×2ビットを記憶する８個のカラムを有し、カラム方向に16200/(4×2)ビットを記憶する。
【０２８２】
そして、メモリ３１の８個のカラムのうちの、１番目のカラムの書き始めの位置は、アドレスが0の位置と、２番目のカラムの書き始めの位置は、アドレスが0の位置と、３番目のカラムの書き始めの位置は、アドレスが0の位置と、４番目のカラムの書き始めの位置は、アドレスが1の位置と、５番目のカラムの書き始めの位置は、アドレスが7の位置と、６番目のカラムの書き始めの位置は、アドレスが20の位置と、７番目のカラムの書き始めの位置は、アドレスが20の位置と、８番目のカラムの書き始めの位置は、アドレスが21の位置と、それぞれされる。
【０２８３】
倍数bが1であり、かつ、変調方式として、例えば、64QAMが採用されることによって、１シンボルのビット数mが、６ビットである場合、図２６によれば、メモリ３１は、ロウ方向に6×1ビットを記憶する６個のカラムを有し、カラム方向に16200/(6×1)ビットを記憶する。
【０２８４】
そして、メモリ３１の６個のカラムのうちの、１番目のカラムの書き始めの位置は、アドレスが0の位置と、２番目のカラムの書き始めの位置は、アドレスが0の位置と、３番目のカラムの書き始めの位置は、アドレスが2の位置と、４番目のカラムの書き始めの位置は、アドレスが3の位置と、５番目のカラムの書き始めの位置は、アドレスが7の位置と、６番目のカラムの書き始めの位置は、アドレスが7の位置と、それぞれされる。
【０２８５】
倍数bが2であり、かつ、変調方式として、例えば、64QAMが採用されることによって、１シンボルのビット数mが、６ビットである場合、図２６によれば、メモリ３１は、ロウ方向に6×2ビットを記憶する１２個のカラムを有し、カラム方向に16200/(6×2)ビットを記憶する。
【０２８６】
そして、メモリ３１の１２個のカラムのうちの、１番目のカラムの書き始めの位置は、アドレスが0の位置と、２番目のカラムの書き始めの位置は、アドレスが0の位置と、３番目のカラムの書き始めの位置は、アドレスが0の位置と、４番目のカラムの書き始めの位置は、アドレスが2の位置と、５番目のカラムの書き始めの位置は、アドレスが2の位置と、６番目のカラムの書き始めの位置は、アドレスが2の位置と、７番目のカラムの書き始めの位置は、アドレスが3の位置と、８番目のカラムの書き始めの位置は、アドレスが3の位置と、９番目のカラムの書き始めの位置は、アドレスが3の位置と、１０番目のカラムの書き始めの位置は、アドレスが6の位置と、１１番目のカラムの書き始めの位置は、アドレスが7の位置と、１２番目のカラムの書き始めの位置は、アドレスが7の位置と、それぞれされる。
【０２８７】
倍数bが1であり、かつ、変調方式として、例えば、256QAMが採用されることによって、１シンボルのビット数mが、８ビットである場合、図２６によれば、メモリ３１は、ロウ方向に8×1ビットを記憶する８個のカラムを有し、カラム方向に16200/(8×1)ビットを記憶する。
【０２８８】
そして、メモリ３１の８個のカラムのうちの、１番目のカラムの書き始めの位置は、アドレスが0の位置と、２番目のカラムの書き始めの位置は、アドレスが0の位置と、３番目のカラムの書き始めの位置は、アドレスが0の位置と、４番目のカラムの書き始めの位置は、アドレスが1の位置と、５番目のカラムの書き始めの位置は、アドレスが7の位置と、６番目のカラムの書き始めの位置は、アドレスが20の位置と、７番目のカラムの書き始めの位置は、アドレスが20の位置と、８番目のカラムの書き始めの位置は、アドレスが21の位置と、それぞれされる。
【０２８９】
倍数bが1であり、かつ、変調方式として、例えば、1024QAMが採用されることによって、１シンボルのビット数mが、１０ビットである場合、図２６によれば、メモリ３１は、ロウ方向に10×1ビットを記憶する１０個のカラムを有し、カラム方向に16200/(10×1)ビットを記憶する。
【０２９０】
そして、メモリ３１の１０個のカラムのうちの、１番目のカラムの書き始めの位置は、アドレスが0の位置と、２番目のカラムの書き始めの位置は、アドレスが1の位置と、３番目のカラムの書き始めの位置は、アドレスが2の位置と、４番目のカラムの書き始めの位置は、アドレスが2の位置と、５番目のカラムの書き始めの位置は、アドレスが3の位置と、６番目のカラムの書き始めの位置は、アドレスが3の位置と、７番目のカラムの書き始めの位置は、アドレスが4の位置と、８番目のカラムの書き始めの位置は、アドレスが4の位置と、９番目のカラムの書き始めの位置は、アドレスが5の位置と、１０番目のカラムの書き始めの位置は、アドレスが7の位置と、それぞれされる。
【０２９１】
倍数bが2であり、かつ、変調方式として、例えば、1024QAMが採用されることによって、１シンボルのビット数mが、１０ビットである場合、図２６によれば、メモリ３１は、ロウ方向に10×2ビットを記憶する２０個のカラムを有し、カラム方向に16200/(10×2)ビットを記憶する。
【０２９２】
そして、メモリ３１の２０個のカラムのうちの、１番目のカラムの書き始めの位置は、アドレスが0の位置と、２番目のカラムの書き始めの位置は、アドレスが0の位置と、３番目のカラムの書き始めの位置は、アドレスが0の位置と、４番目のカラムの書き始めの位置は、アドレスが2の位置と、５番目のカラムの書き始めの位置は、アドレスが2の位置と、６番目のカラムの書き始めの位置は、アドレスが2の位置と、７番目のカラムの書き始めの位置は、アドレスが2の位置と、８番目のカラムの書き始めの位置は、アドレスが2の位置と、９番目のカラムの書き始めの位置は、アドレスが5の位置と、１０番目のカラムの書き始めの位置は、アドレスが5の位置と、１１番目のカラムの書き始めの位置は、アドレスが5の位置と、１２番目のカラムの書き始めの位置は、アドレスが5の位置と、１３番目のカラムの書き始めの位置は、アドレスが5の位置と、１４番目のカラムの書き始めの位置は、アドレスが7の位置と、１５番目のカラムの書き始めの位置は、アドレスが7の位置と、１６番目のカラムの書き始めの位置は、アドレスが7の位置と、１７番目のカラムの書き始めの位置は、アドレスが7の位置と、１８番目のカラムの書き始めの位置は、アドレスが8の位置と、１９番目のカラムの書き始めの位置は、アドレスが8の位置と、２０番目のカラムの書き始めの位置は、アドレスが10の位置と、それぞれされる。
【０２９３】
倍数bが1であり、かつ、変調方式として、例えば、4096QAMが採用されることによって、１シンボルのビット数mが、１２ビットである場合、図２６によれば、メモリ３１は、ロウ方向に12×1ビットを記憶する１２個のカラムを有し、カラム方向に16200/(12×1)ビットを記憶する。
【０２９４】
そして、メモリ３１の１２個のカラムのうちの、１番目のカラムの書き始めの位置は、アドレスが0の位置と、２番目のカラムの書き始めの位置は、アドレスが0の位置と、３番目のカラムの書き始めの位置は、アドレスが0の位置と、４番目のカラムの書き始めの位置は、アドレスが2の位置と、５番目のカラムの書き始めの位置は、アドレスが2の位置と、６番目のカラムの書き始めの位置は、アドレスが2の位置と、７番目のカラムの書き始めの位置は、アドレスが3の位置と、８番目のカラムの書き始めの位置は、アドレスが3の位置と、９番目のカラムの書き始めの位置は、アドレスが3の位置と、１０番目のカラムの書き始めの位置は、アドレスが6の位置と、１１番目のカラムの書き始めの位置は、アドレスが7の位置と、１２番目のカラムの書き始めの位置は、アドレスが7の位置と、それぞれされる。
【０２９５】
倍数bが2であり、かつ、変調方式として、例えば、4096QAMが採用されることによって、１シンボルのビット数mが、１２ビットである場合、図２６によれば、メモリ３１は、ロウ方向に12×2ビットを記憶する２４個のカラムを有し、カラム方向に16200/(12×2)ビットを記憶する。
【０２９６】
そして、メモリ３１の２４個のカラムのうちの、１番目のカラムの書き始めの位置は、アドレスが0の位置と、２番目のカラムの書き始めの位置は、アドレスが0の位置と、３番目のカラムの書き始めの位置は、アドレスが0の位置と、４番目のカラムの書き始めの位置は、アドレスが0の位置と、５番目のカラムの書き始めの位置は、アドレスが0の位置と、６番目のカラムの書き始めの位置は、アドレスが0の位置と、７番目のカラムの書き始めの位置は、アドレスが0の位置と、８番目のカラムの書き始めの位置は、アドレスが1の位置と、９番目のカラムの書き始めの位置は、アドレスが1の位置と、１０番目のカラムの書き始めの位置は、アドレスが1の位置と、１１番目のカラムの書き始めの位置は、アドレスが2の位置と、１２番目のカラムの書き始めの位置は、アドレスが2の位置と、１３番目のカラムの書き始めの位置は、アドレスが2の位置と、１４番目のカラムの書き始めの位置は、アドレスが3の位置と、１５番目のカラムの書き始めの位置は、アドレスが7の位置と、１６番目のカラムの書き始めの位置は、アドレスが9の位置と、１７番目のカラムの書き始めの位置は、アドレスが9の位置と、１８番目のカラムの書き始めの位置は、アドレスが9の位置と、１９番目のカラムの書き始めの位置は、アドレスが10の位置と、２０番目のカラムの書き始めの位置は、アドレスが10の位置と、２１番目のカラムの書き始めの位置は、アドレスが10の位置と、２２番目のカラムの書き始めの位置は、アドレスが10の位置と、２３番目のカラムの書き始めの位置は、アドレスが10の位置と、２４番目のカラムの書き始めの位置は、アドレスが11の位置と、それぞれされる。
【０２９７】
図２７は、図８のLDPCエンコーダ１１５、ビットインターリーバ１１６、及び、QAMエンコーダ１１７で行われる処理を説明するフローチャートである。
【０２９８】
LDPCエンコーダ１１５は、BCHエンコーダ１１４から、LDPC対象データが供給されるのを待って、ステップＳ１０１において、LDPC対象データを、LDPC符号に符号化し、そのLDPC符号を、ビットインターリーバ１１６に供給して、処理は、ステップＳ１０２に進む。
【０２９９】
ビットインターリーバ１１６は、ステップＳ１０２において、LDPCエンコーダ１１５からのLDPC符号を対象として、ビットインターリーブを行い、そのビットインターリーブ後のLDPC符号をシンボル化したシンボルを、QAMエンコーダ１１７に供給して、処理は、ステップＳ１０３に進む。
【０３００】
すなわち、ステップＳ１０２では、ビットインターリーバ１１６（図９）において、パリティインターリーバ２３が、LDPCエンコーダ１１５からのLDPC符号を対象として、パリティインターリーブを行い、そのパリティインターリーブ後のLDPC符号を、カラムツイストインターリーバ２４に供給する。
【０３０１】
カラムツイストインターリーバ２４は、パリティインターリーバ２３からのLDPC符号を対象として、カラムツイストインターリーブを行い、デマルチプレクサ２５に供給する。
【０３０２】
デマルチプレクサ２５は、カラムツイストインターリーバ２４によるカラムツイストインターリーブ後のLDPC符号の符号ビットを入れ替えて、入れ替え後の符号ビットを、シンボルのシンボルビット（シンボルを表すビット）とする入れ替え処理を行う。
【０３０３】
ここで、デマルチプレクサ２５による入れ替え処理は、図１８及び図１９に示した第１ないし第４の入れ替え方式に従って行うことができる他、割り当てルールに従って行うことができる。割り当てルールは、LDPC符号の符号ビットを、シンボルを表すシンボルビットに割り当てるためのルールであり、その詳細については、後述する。
【０３０４】
デマルチプレクサ２５による入れ替え処理によって得られたシンボルは、デマルチプレクサ２５から、QAMエンコーダ１１７に供給される。
【０３０５】
QAMエンコーダ１１７は、ステップＳ１０３において、デマルチプレクサ２５からのシンボルを、QAMエンコーダ１１７で行われる直交変調の変調方式で定める信号点にマッピングして直交変調し、その結果得られるデータを、時間インターリーバ１１８に供給する。
【０３０６】
以上のように、パリティインターリーブや、カラムツイストインターリーブを行うことで、LDPC符号の複数の符号ビットを１個のシンボルとして送信する場合の、イレージャやバースト誤りに対する耐性を向上させることができる。
【０３０７】
ここで、図９では、説明の便宜のため、パリティインターリーブを行うブロックであるパリティインターリーバ２３と、カラムツイストインターリーブを行うブロックであるカラムツイストインターリーバ２４とを、別個に構成するようにしたが、パリティインターリーバ２３とカラムツイストインターリーバ２４とは、一体的に構成することができる。
【０３０８】
すなわち、パリティインターリーブと、カラムツイストインターリーブとは、いずれも、メモリに対する符号ビットの書き込み、及び読み出しによって行うことができ、符号ビットの書き込みを行うアドレス（書き込みアドレス）を、符号ビットの読み出しを行うアドレス（読み出しアドレス）に変換する行列によって表すことができる。
【０３０９】
したがって、パリティインターリーブを表す行列と、カラムツイストインターリーブを表す行列とを乗算して得られる行列を求めておけば、その行列によって、符号ビットを変換することで、パリティインターリーブを行い、さらに、そのパリティインターリーブ後のLDPC符号をカラムツイストインターリーブした結果を得ることができる。
【０３１０】
また、パリティインターリーバ２３とカラムツイストインターリーバ２４に加えて、デマルチプレクサ２５も、一体的に構成することが可能である。
【０３１１】
すなわち、デマルチプレクサ２５で行われる入れ替え処理も、LDPC符号を記憶するメモリ３１の書き込みアドレスを、読み出しアドレスに変換する行列によって表すことができる。
【０３１２】
したがって、パリティインターリーブを表す行列、カラムツイストインターリーブを表す行列、及び、入れ替え処理を表す行列を乗算して得られる行列を求めておけば、その行列によって、パリティインターリーブ、カラムツイストインターリーブ、及び、入れ替え処理を、一括して行うことができる。
【０３１３】
なお、パリティインターリーブと、カラムツイストインターリーブとについては、そのうちのいずれか一方だけを行うようにすること、又は、いずれも行わないようにすることが可能である。
【０３１４】
次に、図２８ないし図３０を参照して、図８の送信装置１１について行った、エラーレート(bit error rate)を計測するシミュレーションについて説明する。
【０３１５】
シミュレーションは、D/Uが0dBのフラッタ(flutter)がある通信路を採用して行った。
【０３１６】
図２８は、シミュレーションで採用した通信路のモデルを示している。
【０３１７】
すなわち、図２８のＡは、シミュレーションで採用したフラッタのモデルを示している。
【０３１８】
また、図２８のＢは、図２８のＡのモデルで表されるフラッタがある通信路のモデルを示している。
【０３１９】
なお、図２８のＢにおいて、Hは、図２８のＡのフラッタのモデルを表す。また、図２８のＢにおいて、Nは、ICI(Inter Carrier Interference)を表し、シミュレーションでは、そのパワーの期待値E[N2]を、AWGNで近似した。
【０３２０】
図２９及び図３０は、シミュレーションで得られたエラーレートと、フラッタのドップラ周波数fdとの関係を示している。
【０３２１】
なお、図２９は、変調方式が16QAMで、符号化率(r)が(3/4)で、入れ替え方式が第１の入れ替え方式である場合の、エラーレートとドップラ周波数fdとの関係を示している。また、図３０は、変調方式が64QAMで、符号化率(r)が(5/6)で、入れ替え方式が第１の入れ替え方式である場合の、エラーレートとドップラ周波数fdとの関係を示している。
【０３２２】
さらに、図２９及び図３０において、太線は、パリティインターリーブ、カラムツイストインターリーブ、及び、入れ替え処理のすべてを行った場合の、エラーレートとドップラ周波数fdとの関係を示しており、細線は、パリティインターリーブ、カラムツイストインターリーブ、及び、入れ替え処理のうちの、入れ替え処理だけを行った場合の、エラーレートとドップラ周波数fdとの関係を示している。
【０３２３】
図２９及び図３０のいずれにおいても、パリティインターリーブ、カラムツイストインターリーブ、及び、入れ替え処理のすべてを行った場合の方が、入れ替え処理だけを行った場合よりも、エラーレートが向上する（小さくなる）ことが分かる。
【０３２４】
［LDPCエンコーダ１１５の構成例］
【０３２５】
図３１は、図８のLDPCエンコーダ１１５の構成例を示すブロック図である。
【０３２６】
なお、図８のLDPCエンコーダ１２２も、同様に構成される。
【０３２７】
図１２及び図１３で説明したように、DVB-T.2の規格では、64800ビットと16200ビットとの２通りの符号長NのLDPC符号が規定されている。
【０３２８】
そして、符号長Nが64800ビットのLDPC符号については、１１個の符号化率1/4,1/3,2/5,1/2,3/5,2/3,3/4,4/5,5/6,8/9、及び9/10が規定されており、符号長Nが16200ビットのLDPC符号については、１０個の符号化率1/4,1/3,2/5,1/2,3/5,2/3,3/4,4/5,5/6、及び8/9が規定されている（図１２及び図１３）。
【０３２９】
LDPCエンコーダ１１５は、例えば、このような、符号長Nが64800ビットや16200ビットの各符号化率のLDPC符号による符号化（誤り訂正符号化）を、符号長Nごと、及び符号化率ごとに用意された検査行列Hに従って行うことができる。
【０３３０】
LDPCエンコーダ１１５は、符号化処理部６０１と記憶部６０２とから構成される。
【０３３１】
符号化処理部６０１は、符号化率設定部６１１、初期値テーブル読み出し部６１２、検査行列生成部６１３、情報ビット読み出し部６１４、符号化パリティ演算部６１５、及び制御部６１６から構成され、LDPCエンコーダ１１５に供給されるLDPC対象データのLDPC符号化を行い、その結果得られるLDPC符号を、ビットインターリーバ１１６（図８）に供給する。
【０３３２】
すなわち、符号化率設定部６１１は、例えば、オペレータの操作等に応じて、LDPC符号の符号長Nと符号化率とを設定する。
【０３３３】
初期値テーブル読み出し部６１２は、符号化率設定部６１１が設定した符号長N及び符号化率に対応する、後述する検査行列初期値テーブルを、記憶部６０２から読み出す。
【０３３４】
検査行列生成部６１３は、初期値テーブル読み出し部６１２が読み出した検査行列初期値テーブルに基づいて、符号化率設定部６１１が設定した符号長N及び符号化率に応じた情報長K（=符号長N-パリティ長M）に対応する情報行列HAの１の要素を列方向に360列（巡回構造の単位の列数P）ごとの周期で配置して検査行列Hを生成し、記憶部６０２に格納する。
【０３３５】
情報ビット読み出し部６１４は、LDPCエンコーダ１１５に供給されるLDPC対象データから、情報長K分の情報ビットを読み出す（抽出する）。
【０３３６】
符号化パリティ演算部６１５は、検査行列生成部６１３が生成した検査行列Hを記憶部６０２から読み出し、その検査行列Hを用いて、情報ビット読み出し部６１４が読み出した情報ビットに対するパリティビットを所定の式に基づいて算出することにより、符号語（LDPC符号）を生成する。
【０３３７】
制御部６１６は、符号化処理部６０１を構成する各ブロックを制御する。
【０３３８】
記憶部６０２には、例えば、64800ビットや16200ビット等の符号長Nそれぞれについての、図１２及び図１３に示した複数の符号化率等それぞれに対応する複数の検査行列初期値テーブル等が格納されている。また、記憶部６０２は、符号化処理部６０１の処理上必要なデータを一時記憶する。
【０３３９】
図３２は、図３１のLDPCエンコーダ１１５の処理を説明するフローチャートである。
【０３４０】
ステップＳ２０１において、符号化率設定部６１１は、LDPC符号化を行う符号長N及び符号化率rを決定（設定）する。
【０３４１】
ステップＳ２０２において、初期値テーブル読み出し部６１２は、符号化率設定部６１１により決定された符号長N及び符号化率rに対応する、予め定められた検査行列初期値テーブルを、記憶部６０２から読み出す。
【０３４２】
ステップＳ２０３において、検査行列生成部６１３は、初期値テーブル読み出し部６１２が記憶部６０２から読み出した検査行列初期値テーブルを用いて、符号化率設定部６１１により決定された符号長N及び符号化率rのLDPC符号の検査行列Hを求め（生成し）、記憶部６０２に供給して格納する。
【０３４３】
ステップＳ２０４において、情報ビット読み出し部６１４は、LDPCエンコーダ１１５に供給されるLDPC対象データから、符号化率設定部６１１により決定された符号長N及び符号化率rに対応する情報長K(=N×r)の情報ビットを読み出すとともに、検査行列生成部６１３が求めた検査行列Hを、記憶部６０２から読み出し、符号化パリティ演算部６１５に供給する。
【０３４４】
ステップＳ２０５において、符号化パリティ演算部６１５は、式（８）を満たす符号語cのパリティビットを順次演算する。
【０３４５】
HcT=0
・・・（８）
【０３４６】
式（８）において、cは、符号語（LDPC符号）としての行ベクトルを表し、cTは、行ベクトルcの転置を表す。
【０３４７】
ここで、上述したように、LDPC符号（１符号語）としての行ベクトルcのうちの、情報ビットの部分を、行ベクトルAで表すとともに、パリティビットの部分を、行ベクトルTで表す場合には、行ベクトルcは、情報ビットとしての行ベクトルAと、パリティビットとしての行ベクトルTとによって、式c =[A|T]で表すことができる。
【０３４８】
検査行列Hと、LDPC符号としての行ベクトルc=[A|T]とは、式HcT=0を満たす必要があり、かかる式HcT=0を満たす行ベクトルc=[A|T]を構成するパリティビットとしての行ベクトルTは、検査行列H=[HA|HT]のパリティ行列HTが、図１１に示した階段構造になっている場合には、式HcT=0における列ベクトルHcTの１行目の要素から順に、各行の要素を０にしていくようにすることで、逐次的に求めることができる。
【０３４９】
符号化パリティ演算部６１５は、情報ビットAに対して、パリティビットTを求めると、その情報ビットAとパリティビットTとによって表される符号語c ＝［A｜T］を、情報ビットAのLDPC符号化結果として出力する。
【０３５０】
その後、ステップＳ２０６において、制御部６１６は、LDPC符号化を終了するかどうかを判定する。ステップＳ２０６において、LDPC符号化を終了しないと判定された場合、すなわち、例えば、LDPC符号化すべきLDPC対象データが、まだある場合、処理は、ステップＳ２０１（又は、ステップＳ２０４）に戻り、以下、ステップＳ２０１（又は、ステップＳ２０４）ないしＳ２０６の処理が繰り返される。
【０３５１】
また、ステップＳ２０６において、LDPC符号化を終了すると判定された場合、すなわち、例えば、LDPC符号化すべきLDPC対象データがない場合、LDPCエンコーダ１１５は、処理を終了する。
【０３５２】
以上のように、各符号長N、及び、各符号化率rに対応する検査行列初期値テーブルが用意されており、LDPCエンコーダ１１５は、所定の符号長Nの、所定の符号化率rのLDPC符号化を、その所定の符号長N、及び、所定の符号化率rに対応する検査行列初期値テーブルから生成される検査行列Hを用いて行う。
【０３５３】
［検査行列初期値テーブルの例］
【０３５４】
検査行列初期値テーブルは、検査行列Hの、LDPC符号（検査行列Hによって定義されるLDPC符号）の符号長N及び符号化率rに応じた情報長Kに対応する情報行列HA（図１０）の１の要素の位置を360列（巡回構造の単位の列数P）ごとに表すテーブルであり、各符号長N及び各符号化率rの検査行列Hごとに、あらかじめ作成される。
【０３５５】
図３３は、検査行列初期値テーブルの例を示す図である。
【０３５６】
すなわち、図３３は、DVB-T.2の規格に規定されている、符号長Nが16200ビットの、符号化率（DVB-T.2の表記上の符号化率）rが1/4の検査行列Hに対する検査行列初期値テーブルを示している。
【０３５７】
検査行列生成部６１３（図３１）は、検査行列初期値テーブルを用いて、以下のように、検査行列Hを求める。
【０３５８】
すなわち、図３４は、検査行列初期値テーブルから検査行列Hを求める方法を示している。
【０３５９】
なお、図３４の検査行列初期値テーブルは、DVB-T.2の規格に規定されている、符号長Nが16200ビットの、符号化率rが2/3の検査行列Hに対する検査行列初期値テーブルを示している。
【０３６０】
検査行列初期値テーブルは、上述したように、LDPC符号の符号長N及び符号化率rに応じた情報長Kに対応する情報行列HA（図１０）の１の要素の位置を、360列（巡回構造の単位の列数P）ごとに表すテーブルであり、そのi行目には、検査行列Hの1+360×(i-1)列目の１の要素の行番号（検査行列Hの１行目の行番号を０とする行番号）が、その1+360×(i-1)列目の列が持つ列重みの数だけ並んでいる。
【０３６１】
ここで、検査行列Hの、パリティ長Ｍに対応するパリティ行列HT（図１０）は、図２１に示したように決まっているので、検査行列初期値テーブルによれば、検査行列Hの、情報長Kに対応する情報行列HA（図１０）が求められる。
【０３６２】
検査行列初期値テーブルの行数k+1は、情報長Kによって異なる。
【０３６３】
情報長Kと、検査行列初期値テーブルの行数k+1との間には、式（９）の関係が成り立つ。
【０３６４】
K=(k+1)×360
・・・（９）
【０３６５】
ここで、式（９）の360は、図２２で説明した巡回構造の単位の列数Pである。
【０３６６】
図３４の検査行列初期値テーブルでは、１行目から３行目までに、１３個の数値が並び、４行目からk+1行目（図３４では、３０行目）までに、３個の数値が並んでいる。
【０３６７】
したがって、図３４の検査行列初期値テーブルから求められる検査行列Hの列重みは、１列目から、1+360×(3-1)-1列目までは、１３であり、1+360×(3-1)列目から、K列目までは、３である。
【０３６８】
図３４の検査行列初期値テーブルの１行目は、0,2084,1613,1548,1286,1460,3196,4297,2481,3369,3451,4620,2622となっており、これは、検査行列Hの１列目において、行番号が、0,2084,1613,1548,1286,1460,3196,4297,2481,3369,3451,4620,2622の行の要素が１であること（かつ、他の要素が０であること）を示している。
【０３６９】
また、図３４の検査行列初期値テーブルの２行目は、1,122,1516,3448,2880,1407,1847,3799,3529,373,971,4358,3108となっており、これは、検査行列Hの３６１（＝１＋360×（２−１））列目において、行番号が、1,122,1516,3448,2880,1407,1847,3799,3529,373,971,4358,3108の行の要素が１であることを示している。
【０３７０】
以上のように、検査行列初期値テーブルは、検査行列Hの情報行列HAの１の要素の位置を360列ごとに表す。
【０３７１】
検査行列Hの1+360×(i-1)列目以外の列、つまり、2+360×(i-1)列目から、360×i列目までの各列は、検査行列初期値テーブルによって定まる1+360×(i-1)列目の１の要素を、パリティ長Ｍに従って下方向（列の下方向）に、周期的にサイクリックシフトして配置したものになっている。
【０３７２】
すなわち、例えば、2+360×(i-1)列目は、1+360×(i-1)列目を、M/360(=q)だけ下方向にサイクリックシフトしたものとなっており、次の3+360×(i-1)列目は、1+360×(i-1)列目を、2×M/360(=2×q)だけ下方向にサイクリックシフトしたもの（2+360×(i-1)列目を、M/360(=q)だけ下方向にサイクリックシフトしたもの）となっている。
【０３７３】
いま、検査行列初期値テーブルのi行目（上からi番目）のj列目（左からj番目）の数値を、hi,jと表すとともに、検査行列Hのw列目の、j個目の１の要素の行番号を、Hw-jと表すこととすると、検査行列Hの1+360×(i-1)列目以外の列であるw列目の、１の要素の行番号Hw-jは、式（１０）で求めることができる。
【０３７４】
Hw-j=mod{hi,j＋mod((w-1),P)×q，M)
・・・（１０）
【０３７５】
ここで、mod（x，y）はxをyで割った余りを意味する。
【０３７６】
また、Pは、上述した巡回構造の単位の列数であり、例えば、DVB-T.2の規格では、上述のように、360である。さらに、qは、パリティ長Mを、巡回構造の単位の列数P(=360)で除算することにより得られる値M/360である。
【０３７７】
検査行列生成部６１３（図３１）は、検査行列初期値テーブルによって、検査行列Hの1+360×(i-1)列目の１の要素の行番号を特定する。
【０３７８】
さらに、検査行列生成部６１３（図３１）は、検査行列Hの1+360×(i-1)列目以外の列であるw列目の、１の要素の行番号Hw-jを、式（１０）に従って求め、以上により得られた行番号の要素を１とする検査行列Hを生成する。
【０３７９】
［携帯端末向けに適切なLDPC符号］
【０３８０】
ところで、携帯端末向けのディジタル放送は、固定端末向けのディジタル放送の規格である、例えば、DVB-T.2に準拠した送信装置、及び、受信装置の仕様を、なるべく変更せずに行うことができれば、コストの面で有利である。
【０３８１】
ここで、DVB-T.2では、符号長Nが64kビット及び16kビットの、２つの符号長のLDPC符号が規定されている。
【０３８２】
仮に、携帯端末向けのディジタル放送において、DVB-T.2に規定されているLDPC符号を採用することとすると、長い符号長のLDPC符号よりも、短い符号長のLDPC符号の方が、LDPC符号の復号時等に必要なメモリや遅延を小とすることができることから、携帯端末向けのディジタル放送には、DVB-T.2に規定されている２つの符号長のLDPC符号のうちの、符号長が短い16kビットのLDPC符号を採用することが適切である。
【０３８３】
しかしながら、携帯端末では、LDPC符号の復号等の処理に必要な負荷を軽減するために、例えば、LDPC符号の復号の繰り返し回数（繰り返し復号回数C）が、固定端末の場合よりも制限されることがあり、携帯端末向けのディジタル放送については、DVB-T.2に規定されている16kビットのLDPC符号では、エラーに対する耐性が十分でないことがあり得る。
【０３８４】
そこで、送信装置１１（図７）では、DVB-T.2に規定されている16kビットのLDPC符号よりもエラーに対する耐性がある16kビットの新たなLDPC符号を、携帯端末向けのディジタル放送に適切なLDPC符号（以下、携帯用LDPC符号ともいう）として用いて、携帯端末向けのディジタル放送を行うことができる。
【０３８５】
なお、携帯用LDPC符号については、DVB-T.2との親和性(compatibility)を、なるべく維持する観点から、DVB-T.2に規定されているLDPC符号と同様に、検査行列Hのパリティ行列HTは、階段構造とする（図１１）。
【０３８６】
さらに、携帯用LDPC符号については、DVB-T.2に規定されているLDPC符号と同様に、検査行列Hの情報行列HAは、巡回構造とし、巡回構造の単位の列数Pも、360とする。
【０３８７】
図３５ないし図４３は、以上のような、符号長Nが16kビットの（携帯用）LDPC符号の検査行列初期値テーブルの例を示す図である。
【０３８８】
すなわち、図３５は、符号長Nが16kビットの、符号化率rが1/5の検査行列Hに対する検査行列初期値テーブルを示している。
【０３８９】
図３６は、符号長Nが16kビットの、符号化率rが4/15の検査行列Hに対する検査行列初期値テーブルを示している。
【０３９０】
図３７は、符号長Nが16kビットの、符号化率rが1/3の検査行列Hに対する検査行列初期値テーブルを示している。
【０３９１】
図３８は、符号長Nが16kビットの、符号化率rが2/5の検査行列Hに対する検査行列初期値テーブルを示している。
【０３９２】
図３９は、符号長Nが16kビットの、符号化率rが4/9の検査行列Hに対する検査行列初期値テーブルを示している。
【０３９３】
図４０は、符号長Nが16kビットの、符号化率rが7/15の検査行列Hに対する検査行列初期値テーブルを示している。
【０３９４】
図４１は、符号長Nが16kビットの、符号化率rが8/15の検査行列Hに対する検査行列初期値テーブルを示している。
【０３９５】
図４２は、符号長Nが16kビットの、符号化率rが3/5の検査行列Hに対する検査行列初期値テーブルを示している。
【０３９６】
図４３は、符号長Nが16kビットの、符号化率rが2/3の検査行列Hに対する検査行列初期値テーブルを示している。
【０３９７】
LDPCエンコーダ１１５（図８、図３１）は、携帯端末向けのディジタル放送については、図３５ないし図４３に示した検査行列初期値テーブルから求められる検査行列Hを用いて、符号長Nが16kビットの、符号化率rが1/5，4/15，1/3，2/5，4/9，7/15，8/15，3/5、及び、2/3の9種類のうちのいずれかのLDPC符号への符号化を行う。
【０３９８】
図３５ないし図４３の検査行列初期値テーブルから求められる検査行列Hを用いて得られるLDPC符号は、性能の良いLDPC符号になっている。
【０３９９】
ここで、性能の良いLDPC符号とは、適切な検査行列Hから得られるLDPC符号である。
【０４００】
また、適切な検査行列Hとは、検査行列Hから得られるLDPC符号を、低いEs/N0（１シンボルあたりの信号電力対雑音電力比）、又はEb/No（１ビットあたりの信号電力対雑音電力比）で送信したときに、BER(Bit Error Rate)をより小にする、所定の条件を満たす検査行列である。
【０４０１】
適切な検査行列Hは、例えば、所定の条件を満たす様々な検査行列から得られるLDPC符号を、低いEs/Noで送信したときのBERを計測するシミュレーションを行うことにより求めることができる。
【０４０２】
適切な検査行列Hが満たすべき所定の条件としては、例えば、デンシティエボリューション(Density Evolution)と呼ばれる符号の性能の解析法で得られる解析結果が良好であること、サイクル４と呼ばれる、１の要素のループが存在しないこと、等がある。
【０４０３】
ここで、情報行列HAにおいて、サイクル４のように、１の要素が密集していると、LDPC符号の復号性能が劣化することが知られており、このため、適切な検査行列Hが満たすべき所定の条件として、サイクル４が存在しないことが要求される。
【０４０４】
なお、適切な検査行列Hが満たすべき所定の条件は、LDPC符号の復号性能の向上や、LDPC符号の復号処理の容易化（単純化）等の観点から適宜決定することができる。
【０４０５】
図４４及び図４５は、適切な検査行列Hが満たすべき所定の条件としての解析結果が得られるデンシティエボリューションを説明する図である。
【０４０６】
デンシティエボリューションとは、後述するデグリーシーケンス（degree sequence)で特徴付けられる符号長Nが∞のLDPC符号全体（アンサンブル(ensemble)）に対して、そのエラー確率の期待値を計算する、符号の解析法である。
【０４０７】
例えば、AWGNチャネル上で、ノイズの分散値を0からどんどん大きくしていくと、あるアンサンブルのエラー確率の期待値は、最初は0であるが、ノイズの分散値が、ある閾値(threshold)以上となると、0ではなくなる。
【０４０８】
デンシティエボリューションによれば、そのエラー確率の期待値が0ではなくなる、ノイズの分散値の閾値（以下、性能閾値ともいう）を比較することで、アンサンブルの性能（検査行列の適切さ）の良し悪しを決めることができる。
【０４０９】
なお、具体的なLDPC符号に対して、そのLDPC符号が属するアンサンブルを決定し、そのアンサンブルに対してデンシティエボリューションを行うと そのLDPC符号のおおまかな性能を予想することができる。
【０４１０】
したがって、性能の良いLDPC符号は、性能の良いアンサンブルを見つければ、そのアンサンブルに属するLDPC符号の中から見つけることができる。
【０４１１】
ここで、上述のデグリーシーケンス とは、LDPC符号の符号長Nに対して、各値の重みをもつバリアブルノードやチェックノードがどれくらいの割合だけあるかを表す。
【０４１２】
例えば、符号化率が1/2のregular(3,6)LDPC符号は、すべてのバリアブルノードの重み（列重み）が3で、すべてのチェックノードの重み（行重み）が6であるというデグリーシーケンスによって特徴付けられるアンサンブルに属する。
【０４１３】
図４４は、そのようなアンサンブルのタナーグラフ(Tanner graph)を示している。
【０４１４】
図４４のタナーブラフでは、図中丸印（○印）で示すバリアブルノードが、符号長Nに等しいN個だけ存在し、図中四角形（□印）で示すチェックノードが、符号長Nに符号化率1/2を乗算した乗算値に等しいN/2個だけ存在する。
【０４１５】
各バリアブルノードには、列重みに等しい3本の枝(edge)が接続されており、したがって、N個のバリアブルノードに接続している枝は、全部で、3N本だけ存在する。
【０４１６】
また、各チェックノードには、行重みに等しい6本の枝が接続されており、したがって、N/2個のチェックノードに接続している枝は、全部で、3N本だけ存在する。
【０４１７】
さらに、図４４のタナーグラフでは、１つのインターリーバが存在する。
【０４１８】
インターリーバは、N個のバリアブルノードに接続している3N本の枝をランダムに並べ替え、その並べ替え後の各枝を、N/2個のチェックノードに接続している3N本の枝のうちのいずれかに繋げる。
【０４１９】
インターリーバでの、N個のバリアブルノードに接続している3N本の枝を並べ替える並べ替えパターンは、(3N)!（=(3N)×(3N-1)×・・・×1）通りだけある。したがって、すべてのバリアブルノードの重みが3で、すべてのチェックノードの重みが6であるというデグリーリーケンスによって特徴付けられるアンサンブルは、(3N)!個のLDPC符号の集合となる。
【０４２０】
性能の良いLDPC符号（適切な検査行列）を求めるシミュレーションでは、デンシティエボリューションにおいて、マルチエッジタイプ(multi-edge type)のアンサンブルを用いた。
【０４２１】
マルチエッジタイプでは、バリアブルノードに接続している枝と、チェックノードに接続している枝とが経由するインターリーバが、複数(multi edge)に分割され、これにより、アンサンブルの特徴付けが、より厳密に行われる。
【０４２２】
図４５は、マルチエッジタイプのアンサンブルのタナーグラフの例を示している。
【０４２３】
図４５のタナーグラフでは、第１インターリーバと第２インターリーバとの２つのインターリーバが存在する。
【０４２４】
また、図４５のタナーグラフでは、第１インターリーバに繋がる枝が1本で、第２インターリーバに繋がる枝が0本のバリアブルノードがv1個だけ、第１インターリーバに繋がる枝が1本で、第２インターリーバに繋がる枝が2本のバリアブルノードがv2個だけ、第１インターリーバに繋がる枝が0本で、第２インターリーバに繋がる枝が2本のバリアブルノードがv3個だけ、それぞれ存在する。
【０４２５】
さらに、図４５のタナーグラフでは、第１インターリーバに繋がる枝が2本で、第２インターリーバに繋がる枝が0本のチェックノードがc1個だけ、第１インターリーバに繋がる枝が2本で、第２インターリーバに繋がる枝が2本のチェックノードがc2個だけ、第１インターリーバに繋がる枝が0本で、第２インターリーバに繋がる枝が3本のチェックノードがc3個だけ、それぞれ存在する。
【０４２６】
ここで、デンシティエボリューションと、その実装については、例えば、"On the Design of Low-Density Parity-Check Codes within 0.0045 dB of the Shannon Limit", S.Y.Chung, G.D.Forney, T.J.Richardson,R.Urbanke, IEEE Communications Leggers, VOL.5, NO.2, Feb 2001に記載されている。
【０４２７】
図３５ないし図４３の携帯用LDPC符号（の検査行列初期値テーブル）を求めるシミュレーションでは、マルチエッジタイプのデンシティエボリューションによって、BERが落ち始める（小さくなっていく）Eb/N0である性能閾値が、所定値以下になるアンサンブルを見つけ、そのアンサンブルに属するLDPC符号の中から、16QAMや64QAM等の、携帯端末向けのディジタル放送で用いられる複数の変調方式におけるBERを小さくするLDPC符号を、性能の良いLDPC符号として選択した。
【０４２８】
ここで、携帯端末では、固定端末よりもエラーに対する耐性が低下するので、携帯端末向けのディジタル放送では、エラーに対する耐性を向上させるために、例えば、QPSKや、16QAM，64QAM等の、信号点の数が比較的少ない変調方式を採用する。
【０４２９】
上述の図３５ないし図４３の検査行列初期値テーブルは、以上のようなシミュレーションにより求められた、符号長Nが16kビットのLDPC符号の検査行列初期値テーブルである。
【０４３０】
図４６は、図３５ないし図４３の、符号長Nが16kビットで、1/5，4/15，1/3，2/5，4/9，7/15，8/15，3/5、及び、2/3の9種類それぞれのLDPC符号の検査行列初期値テーブルから求められる検査行列Hの最小サイクル長と性能閾値とを示す図である。
【０４３１】
図３５ないし図４３の検査行列初期値テーブルから求められる検査行列Hのうちの、符号化率rが1/5，4/15、及び、3/5の検査行列Hの最小サイクル長は、８サイクルに、符号化率rが1/3，2/5，4/9，7/15，8/15、及び、2/3の検査行列Hの最小サイクル長は、６サイクルに、それぞれなっている。
【０４３２】
したがって、図３５ないし図４３の検査行列初期値テーブルから求められる検査行列Hには、サイクル４は、存在しない。
【０４３３】
また、符号化率rが小さいほど、LDPC符号の冗長性が大になるため、性能閾値は、符号化率rが小さくなるにつれて、向上する（小さくなる）傾向がある。
【０４３４】
図４７は、図３５ないし図４３の（検査行列初期値テーブルから求められる）検査行列H（以下、携帯用LDPC符号の検査行列Hともいう）を説明する図である。
【０４３５】
携帯用LDPC符号の検査行列Hの１列目からのKX列については、列重みがXに、その後のKY1列については、列重みがY1に、その後のKY2列については、列重みがY2に、その後のM-1列については、列重みが２に、最後の１列については、列重みが１に、それぞれなっている。
【０４３６】
ここで、KX+KY1+KY2+M-1+1は、符号長N=16200ビットに等しい。
【０４３７】
図４８は、携帯用LDPC符号の各符号化率r(=1/5，4/15，1/3，2/5，4/9，7/15，8/15，3/5、及び、2/3)についての、図４７の列数KX，KY1，KY2、及びM、並びに、列重みX，Y1、及び、Y2を示す図である。
【０４３８】
符号長Nが16kの携帯用LDPC符号の検査行列Hについては、図１２及び図１３で説明したDVB-T.2に規定されている検査行列と同様に、先頭側（左側）の列ほど、列重みが大の傾向にあり、したがって、携帯用LDPC符号の先頭の符号ビットほど、エラーに強い（エラーに対する耐性がある）傾向がある。
【０４３９】
図４９は、図３５ないし図４３の携帯用LDPC符号のBERのシミュレーション結果を示す図である。
【０４４０】
シミュレーションでは、AWGNの通信路（チャネル）を想定し、変調方式として、BPSKを採用するとともに、繰り返し復号回数Cとして、50回を採用した。
【０４４１】
図４９において、横軸は、Es/N0（１シンボルあたりの信号電力対雑音電力比）を表し、縦軸は、BERを表す。
【０４４２】
ここで、携帯用LDPC符号の符号化率r=1/5，4/15，1/3，2/5，4/9，7/15，8/15，3/5、及び、2/3のうちの、1/5，1/3，2/5，4/9，3/5、及び、2/3については、DVB-T.2において、同一の符号化率の、符号長Nが16kのLDPC符号（以下、規格16k符号ともいう）が規定されている。
【０４４３】
シミュレーションでは、符号化率rが1/5，1/3，2/5，4/9，3/5、及び、2/3の携帯用LDPC符号については、いずれの符号化率rの携帯用LDPC符号のBERも、DVB-T.2で規定されている、同一の符号化率の規格16k符号のBERよりも性能が向上していることが確認されており、したがって、携帯用LDPC符号によれば、エラーに対する耐性を向上させることができる。
【０４４４】
ここで、携帯用LDPC符号の符号化率rである1/5，4/15，1/3，2/5，4/9，7/15，8/15，3/5、及び、2/3のうちの、4/15，7/15、及び、8/15と同一の符号化率は、規格16k符号には存在しない。
【０４４５】
逆に言えば、携帯用LDPC符号には、規格16k符号には存在しない符号化率r=4/15， 7/15，8/15のLDPC符号が存在する。
【０４４６】
以上のように、携帯用LDPC符号に、規格16k符号には存在しない符号化率r=4/15，7/15，8/15のLDPC符号が存在する結果、携帯用LDPC符号の各符号化率r(=1/5，4/15，1/3，2/5，4/9，7/15，8/15，3/5、及び、2/3)についてのBERは、図４９に示したように、Es/N0の方向の間隔が1dB程度の所定の間隔以下の短い間隔で、比較的等間隔に並ぶ。
【０４４７】
一方、規格16k符号については、規格16k符号の符号化率rに、4/15，7/15，8/15がないために、符号化率rが1/5（DVB-T.2の表記上は1/4）についてのBERと、符号化率rが1/3についてのBERとの間や、符号化率rが4/9（DVB-T.2の表記上は1/2）についてのBERと、符号化率rが3/5についてのBERとの間のEs/N0の方向に、2dB程度の比較的大きなすき間が空き、そのような大きなすき間が空くために、規格16k符号のBERの並びは、不均一になる。
【０４４８】
送信装置１１によって番組の放送を行う放送事業者にとっては、BERの並びに、2db程度の大きなすき間が空く部分があり、BERの並びが不均一な規格16k符号よりも、BERが1db程度以下の小さい間隔で比較的等間隔に並ぶ携帯用LDPC符号の方が、チャネル（通信路１３）の状況等に応じて、放送に用いる符号化率を選択しやすいという利点がある。
【０４４９】
［符号長Nが16200ビットのLDPC符号の入れ替え処理］
【０４５０】
携帯端末向けのディジタル放送において、上述したような携帯用LDPC符号、すなわち、符号長Nが16200ビットのLDPC符号を採用する場合には、例えば、DVB-T.2に規定されている、符号長Nが長い64800ビットのLDPC符号に比較して、通信路１３（図７）におけるエラーに対する耐性が低下する。
【０４５１】
そこで、携帯端末向けのディジタル放送では、エラーに対する耐性を向上させるための対策を施すことが望ましい。
【０４５２】
エラーに対する耐性を向上させるための対策としては、上述したように、16QAMや64QAM等の、信号点の数が比較的少ない変調方式を採用する方法等の他、例えば、デマルチプレクサ２５（図９）で行われる入れ替え処理がある。
【０４５３】
入れ替え処理において、DVB-T.2等の規格で規定されているLDPC符号の符号ビットを入れ替える入れ替え方式としては、例えば、上述した第１ないし第４の入れ替え方式や、DVB-T.2等の規格で規定されている入れ替え方式がある。
【０４５４】
但し、携帯端末向けのディジタル放送を、上述した符号長Nが16200ビットの携帯用LDPC符号によって行う場合には、その携帯用LDPC符号に適した入れ替え処理を採用することが望ましい。
【０４５５】
すなわち、携帯用LDPC符号について採用する入れ替え処理としては、エラーに対する耐性がより向上する方式の入れ替え処理を採用することが望ましい。
【０４５６】
そこで、デマルチプレクサ２５（図９）では、図２７で説明したように、割り当てルールに従って、入れ替え処理を行うことができるようになっている。
【０４５７】
以下、割り当てルールに従った入れ替え処理について説明するが、その前に、既に提案されている入れ替え方式（以下、現行方式ともいう）による入れ替え処理について説明する。
【０４５８】
図５０及び図５１を参照して、デマルチプレクサ２５で、DVB-T.2等に規定されているLDPC符号（以下、規定符号ともいう）に対して、現行方式で入れ替え処理が行われるとした場合の、その入れ替え処理について説明する。
【０４５９】
図５０は、LDPC符号が、DVB-T.2に規定されている、符号長Nが64800ビットで、符号化率が3/5のLDPC符号である場合の、現行方式の入れ替え処理の一例を示している。
【０４６０】
すなわち、図５０のＡは、LDPC符号が、符号長Nが64800ビットで、符号化率が3/5の規定符号であり、さらに、変調方式が16QAMで、倍数bが2である場合の、現行方式の入れ替え処理の一例を示している。
【０４６１】
変調方式が16QAMである場合、符号ビットの4(=m)ビットが、１個のシンボルとして、16QAMで定める16個の信号点のうちのいずれかにマッピングされる。
【０４６２】
さらに、符号長Nが64800ビットで、倍数bが2である場合、デマルチプレクサ２５のメモリ３１（図１８、図１９）は、ロウ方向に4×2(=mb)ビットを記憶する8個のカラムを有し、カラム方向に64800/(4×2)ビットを記憶する。
【０４６３】
デマルチプレクサ２５では、LDPC符号の符号ビットが、メモリ３１のカラム方向に書き込まれ、64800ビットの符号ビット（１符号語）の書き込みが終了すると、メモリ３１に書き込まれた符号ビットが、ロウ方向に、4×2(=mb)ビット単位で読み出され、入れ替え部３２（図１８、図１９）に供給される。
【０４６４】
入れ替え部３２は、メモリ３１から読み出される4×2(=mb)ビットの符号ビットb0,b1,b2,b3,b4,b5,b6,b7を、例えば、図５０のＡに示すように、連続する2(=b)個のシンボルの4×2(=mb)ビットのシンボルビットy0,y1,y2,y3,y4,y5,y6,y7に割り当てるように、4×2(=mb)ビットの符号ビットb0ないしb7を入れ替える。
【０４６５】
すなわち、入れ替え部３２は、
符号ビットb0を、シンボルビットy7に、
符号ビットb1を、シンボルビットy1に、
符号ビットb2を、シンボルビットy4に、
符号ビットb3を、シンボルビットy2に、
符号ビットb4を、シンボルビットy5に、
符号ビットb5を、シンボルビットy3に、
符号ビットb6を、シンボルビットy6に、
符号ビットb7を、シンボルビットy0に、
それぞれ割り当てる入れ替えを行う。
【０４６６】
図５０のＢは、LDPC符号が、符号長Nが64800ビットで、符号化率が3/5の規定符号であり、さらに、変調方式が64QAMで、倍数bが2である場合の、現行方式の入れ替え処理の一例を示している。
【０４６７】
変調方式が64QAMである場合、符号ビットの6(=m)ビットが、１個のシンボルとして、64QAMで定める64個の信号点のうちのいずれかにマッピングされる。
【０４６８】
さらに、符号長Nが64800ビットで、倍数bが2である場合、デマルチプレクサ２５のメモリ３１（図１８、図１９）は、ロウ方向に6×2(=mb)ビットを記憶する12個のカラムを有し、カラム方向に64800/(6×2)ビットを記憶する。
【０４６９】
デマルチプレクサ２５では、LDPC符号の符号ビットが、メモリ３１のカラム方向に書き込まれ、64800ビットの符号ビット（１符号語）の書き込みが終了すると、メモリ３１に書き込まれた符号ビットが、ロウ方向に、6×2(=mb)ビット単位で読み出され、入れ替え部３２（図１８、図１９）に供給される。
【０４７０】
入れ替え部３２は、メモリ３１から読み出される6×2(=mb)ビットの符号ビットb0,b1,b2,b3,b4,b5,b6,b7,b8,b9,b10,b11を、例えば、図５０のＢに示すように、連続する2(=b)個のシンボルの6×2(=mb)ビットのシンボルビットy0,y1,y2,y3,y4,y5,y6,y7,y8,y9,y10,y11に割り当てるように、6×2(=mb)ビットの符号ビットb0ないしb11を入れ替える。
【０４７１】
すなわち、入れ替え部３２は、
符号ビットb0を、シンボルビットy11に、
符号ビットb1を、シンボルビットy7に、
符号ビットb2を、シンボルビットy3に、
符号ビットb3を、シンボルビットy10に、
符号ビットb4を、シンボルビットy6に、
符号ビットb5を、シンボルビットy2に、
符号ビットb6を、シンボルビットy9に、
符号ビットb7を、シンボルビットy5に、
符号ビットb8を、シンボルビットy1に、
符号ビットb9を、シンボルビットy8に、
符号ビットb10を、シンボルビットy4に、
符号ビットb11を、シンボルビットy0に、
それぞれ割り当てる入れ替えを行う。
【０４７２】
図５０のＣは、LDPC符号が、符号長Nが64800ビットで、符号化率が3/5の規定符号であり、さらに、変調方式が256QAMで、倍数bが2である場合の、現行方式の入れ替え処理の一例を示している。
【０４７３】
変調方式が256QAMである場合、符号ビットの8(=m)ビットが、１個のシンボルとして、256QAMで定める256個の信号点のうちのいずれかにマッピングされる。
【０４７４】
さらに、符号長Nが64800ビットで、倍数bが2である場合、デマルチプレクサ２５のメモリ３１（図１８、図１９）は、ロウ方向に8×2(=mb)ビットを記憶する16個のカラムを有し、カラム方向に64800/(8×2)ビットを記憶する。
【０４７５】
デマルチプレクサ２５では、LDPC符号の符号ビットが、メモリ３１のカラム方向に書き込まれ、64800ビットの符号ビット（１符号語）の書き込みが終了すると、メモリ３１に書き込まれた符号ビットが、ロウ方向に、8×2(=mb)ビット単位で読み出され、入れ替え部３２（図１８、図１９）に供給される。
【０４７６】
入れ替え部３２は、メモリ３１から読み出される8×2(=mb)ビットの符号ビットb0,b1,b2,b3,b4,b5,b6,b7,b8,b9,b10,b11,b12,b13,b14,b15を、例えば、図５０のＣに示すように、連続する2(=b)個のシンボルの8×2(=mb)ビットのシンボルビットy0,y1,y2,y3,y4,y5,y6,y7,y8,y9,y10,y11,y12,y13,y14,y15に割り当てるように、8×2(=mb)ビットの符号ビットb0ないしb15を入れ替える。
【０４７７】
すなわち、入れ替え部３２は、
符号ビットb0を、シンボルビットy15に、
符号ビットb1を、シンボルビットy1に、
符号ビットb2を、シンボルビットy13に、
符号ビットb3を、シンボルビットy3に、
符号ビットb4を、シンボルビットy8に、
符号ビットb5を、シンボルビットy11に、
符号ビットb6を、シンボルビットy9に、
符号ビットb7を、シンボルビットy5に、
符号ビットb8を、シンボルビットy10に、
符号ビットb9を、シンボルビットy6に、
符号ビットb10を、シンボルビットy4に、
符号ビットb11を、シンボルビットy7に、
符号ビットb12を、シンボルビットy12に、
符号ビットb13を、シンボルビットy2に、
符号ビットb14を、シンボルビットy14に、
符号ビットb15を、シンボルビットy0に、
それぞれ割り当てる入れ替えを行う。
【０４７８】
図５１は、LDPC符号が、符号長Nが16200ビットで、符号化率が3/5の規定符号である場合の、現行方式の入れ替え処理の一例を示している。
【０４７９】
すなわち、図５１のＡは、LDPC符号が、符号長Nが16200ビットで、符号化率が3/5のLDPC符号であり、さらに、変調方式が16QAMで、倍数bが2である場合の、現行方式の入れ替え処理の一例を示している。
【０４８０】
変調方式が16QAMである場合、符号ビットの4(=m)ビットが、１個のシンボルとして、16QAMで定める16個の信号点のうちのいずれかにマッピングされる。
【０４８１】
さらに、符号長Nが16200ビットで、倍数bが2である場合、デマルチプレクサ２５のメモリ３１（図１８、図１９）は、ロウ方向に4×2(=mb)ビットを記憶する8個のカラムを有し、カラム方向に16200/(4×2)ビットを記憶する。
【０４８２】
デマルチプレクサ２５では、LDPC符号の符号ビットが、メモリ３１のカラム方向に書き込まれ、16200ビットの符号ビット（１符号語）の書き込みが終了すると、メモリ３１に書き込まれた符号ビットが、ロウ方向に、4×2(=mb)ビット単位で読み出され、入れ替え部３２（図１８、図１９）に供給される。
【０４８３】
入れ替え部３２は、メモリ３１から読み出される4×2(=mb)ビットの符号ビットb0,b1,b2,b3,b4,b5,b6,b7を、例えば、図５１のＡに示すように、連続する2(=b)個のシンボルの4×2(=mb)ビットのシンボルビットy0,y1,y2,y3,y4,y5,y6,y7に割り当てるように、4×2(=mb)ビットの符号ビットb0ないしb7を入れ替える。
【０４８４】
すなわち、入れ替え部３２は、上述した図５０のＡの場合と同様に、符号ビットb0ないしb7を、シンボルビットy0ないしy7に割り当てる入れ替えを行う。
【０４８５】
図５１のＢは、LDPC符号が、符号長Nが16200ビットで、符号化率が3/5の規定符号であり、さらに、変調方式が64QAMで、倍数bが2である場合の、現行方式の入れ替え処理の一例を示している。
【０４８６】
変調方式が64QAMである場合、符号ビットの6(=m)ビットが、１個のシンボルとして、64QAMで定める64個の信号点のうちのいずれかにマッピングされる。
【０４８７】
さらに、符号長Nが16200ビットで、倍数bが2である場合、デマルチプレクサ２５のメモリ３１（図１８、図１９）は、ロウ方向に6×2(=mb)ビットを記憶する12個のカラムを有し、カラム方向に16200/(6×2)ビットを記憶する。
【０４８８】
デマルチプレクサ２５では、LDPC符号の符号ビットが、メモリ３１のカラム方向に書き込まれ、16200ビットの符号ビット（１符号語）の書き込みが終了すると、メモリ３１に書き込まれた符号ビットが、ロウ方向に、6×2(=mb)ビット単位で読み出され、入れ替え部３２（図１８、図１９）に供給される。
【０４８９】
入れ替え部３２は、メモリ３１から読み出される6×2(=mb)ビットの符号ビットb0,b1,b2,b3,b4,b5,b6,b7,b8,b9,b10,b11を、例えば、図５１のＢに示すように、連続する2(=b)個のシンボルの6×2(=mb)ビットのシンボルビットy0,y1,y2,y3,y4,y5,y6,y7,y8,y9,y10,y11に割り当てるように、6×2(=mb)ビットの符号ビットb0ないしb11を入れ替える。
【０４９０】
すなわち、入れ替え部３２は、上述した図５０のＢの場合と同様に、符号ビットb0ないしb11を、シンボルビットy0ないしy11に割り当てる入れ替えを行う。
【０４９１】
図５１のＣは、LDPC符号が、符号長Nが16200ビットで、符号化率が3/5の規定符号であり、さらに、変調方式が256QAMで、倍数bが1ある場合の、現行方式の入れ替え処理の一例を示している。
【０４９２】
変調方式が256QAMである場合、符号ビットの8(=m)ビットが、１個のシンボルとして、256QAMで定める256個の信号点のうちのいずれかにマッピングされる。
【０４９３】
さらに、符号長Nが16200ビットで、倍数bが1である場合、デマルチプレクサ２５のメモリ３１（図１８、図１９）は、ロウ方向に8×1(=mb)ビットを記憶する8個のカラムを有し、カラム方向に16200/(8×1)ビットを記憶する。
【０４９４】
デマルチプレクサ２５では、LDPC符号の符号ビットが、メモリ３１のカラム方向に書き込まれ、16200ビットの符号ビット（１符号語）の書き込みが終了すると、メモリ３１に書き込まれた符号ビットが、ロウ方向に、8×1(=mb)ビット単位で読み出され、入れ替え部３２（図１８、図１９）に供給される。
【０４９５】
入れ替え部３２は、メモリ３１から読み出される8×1(=mb)ビットの符号ビットb0,b1,b2,b3,b4,b5,b6,b7を、例えば、図５１のＣに示すように、1(=b)個のシンボルの8×1(=mb)ビットのシンボルビットy0,y1,y2,y3,y4,y5,y6,y7に割り当てるように、8×1(=mb)ビットの符号ビットb0ないしb7を入れ替える。
【０４９６】
すなわち、入れ替え部３２は、
符号ビットb0を、シンボルビットy7に、
符号ビットb1を、シンボルビットy3に、
符号ビットb2を、シンボルビットy1に、
符号ビットb3を、シンボルビットy5に、
符号ビットb4を、シンボルビットy2に、
符号ビットb5を、シンボルビットy6に、
符号ビットb6を、シンボルビットy4に、
符号ビットb7を、シンボルビットy0に、
それぞれ割り当てる入れ替えを行う。
【０４９７】
次に、割り当てルールに従った入れ替え処理（以下、新入れ替え方式での入れ替え処理ともいう）について説明する。
【０４９８】
なお、携帯端末向けのディジタル放送では、信号点の少ないQPSKや、16QAM，64QAM等の変調方式が採用されることとして、ここでは、変調方式が、16QAMの場合、及び、64QAMの場合のそれぞれについて、新入れ替え方式を説明する。
【０４９９】
なお、変調方式がQPSKの場合、QPSKの４個のシンボル（信号点）を表す2ビットのシンボルビットy0,y1には、図１４ないし図１７で説明したエラーに対する強さの優劣がないので、入れ替え処理を行う必要はない（入れ替え処理を行っても、エラーに対する耐性は、変化しない）。
【０５００】
図５２ないし図５４（及び図５５ないし図１０５）は、新入れ替え方式を説明する図である。
【０５０１】
新入れ替え方式では、デマルチプレクサ２５の入れ替え部３２は、mbビットの符号ビットの入れ替えを、あらかじめ定めた割り当てルールに従って行う。
【０５０２】
割り当てルールとは、LDPC符号の符号ビットをシンボルビットに割り当てるためのルールである。割り当てルールでは、符号ビットの符号ビットグループと、その符号ビットグループの符号ビットを割り当てるシンボルビットのシンボルビットグループとの組み合わせであるグループセットと、そのグループセットの符号ビットグループ、及びシンボルビットグループそれぞれの符号ビット、及びシンボルビットのビット数（以下、グループビット数ともいう）とが規定されている。
【０５０３】
ここで、符号ビットには、上述したように、エラー確率に違いがあり、シンボルビットにも、エラー確率に違いがある。符号ビットグループとは、符号ビットをエラー確率に応じてグループ分けするグループであり、シンボルビットグループとは、シンボルビットをエラー確率に応じてグループ分けするグループである。
【０５０４】
図５２は、LDPC符号が、符号長Nが16200ビットで、符号化率が1/5の携帯用LDPC符号であり、さらに、変調方式が16QAMで（したがって、m=4）、倍数bが2である場合の、符号ビットグループとシンボルビットグループとを示している。
【０５０５】
この場合、メモリ３１から読み出される4×2(=mb)ビットの符号ビットは、エラー確率の違いに応じて、図５２のＡに示すように、３個の符号ビットグループGb1,Gb2,Gb3にグループ分けすることができる。
【０５０６】
ここで、符号ビットグループGb#iは、そのサフィックス#iが小さいほど、その符号ビットグループGb#iに属する符号ビットのエラー確率が良い（小さい）グループである。
【０５０７】
また、以下では、メモリ３１から、ロウ方向に読み出される、mbビットの符号ビットの、最上位ビットから#i+1ビット目を、ビットb#iとも表すとともに、連続するb個のシンボルのmbビットのシンボルビットの、最上位ビットから#i+1ビット目のビットを、ビットy#iとも表す。
【０５０８】
図５２のＡでは、符号ビットグループGb1には、符号ビットb0が、符号ビットグループGb2には、符号ビットb1が、符号ビットグループGb3には、符号ビットb2,b3,b4,b5,b6,b7が、それぞれ属する。
【０５０９】
変調方式が16QAMで、倍数bが2である場合、4×2(=mb)ビットのシンボルビットは、エラー確率の違いに応じて、図５２のＢに示すように、２個のシンボルビットグループGy1,Gy2にグループ分けすることができる。
【０５１０】
ここで、シンボルビットグループGy#iは、符号ビットグループと同様に、そのサフィックス#iが小さいほど、そのシンボルビットグループGy#iに属するシンボルビットのエラー確率が良いグループである。
【０５１１】
図５２のＢでは、シンボルビットグループGy1には、シンボルビットy0,y1,y4,y5が、シンボルビットグループGy2には、シンボルビットy2,y3,y6,y7が、それぞれ属する。
【０５１２】
図５３は、LDPC符号が、符号長Nが16200ビットで、符号化率が1/5の携帯用LDPC符号であり、さらに、変調方式が16QAMで、倍数bが2である場合の、割り当てルールを示している。
【０５１３】
図５３の割り当てルールでは、符号ビットグループGb1と、シンボルビットグループGy1との組み合わせが、１個のグループセットとして規定されている。そして、そのグループセットのグループビット数が1ビットに規定されている。
【０５１４】
ここで、以下では、グループセットと、そのグループビット数とを、まとめて、グループセット情報という。そして、例えば、符号ビットグループGb1とシンボルビットグループGy1とのグループセットと、そのグループセットのグループビット数である1ビットを、グループセット情報(Gb1,Gy1,1)と記載する。
【０５１５】
図５３の割り当てルールでは、グループセット情報(Gb1,Gy1,1)の他、グループセット情報(Gb2,Gy2,1),(Gb3,Gy2,3),(Gb3,Gy1,3)が規定されている。
【０５１６】
例えば、グループセット情報(Gb1,Gy1,1)は、符号ビットグループGb1に属する符号ビットの１ビットを、シンボルビットグループGy1に属するシンボルビットの１ビットに割り当てることを意味する。
【０５１７】
したがって、図５３の割り当てルールでは、
グループセット情報(Gb1,Gy1,1)により、エラー確率が１番目に良い符号ビットグループGb1の符号ビットの１ビットを、エラー確率が１番目に良いシンボルビットグループGy1のシンボルビットの１ビットに割り当てること、
グループセット情報(Gb2,Gy2,1)により、エラー確率が２番目に良い符号ビットグループGb2の符号ビットの１ビットを、エラー確率が２番目に良いシンボルビットグループGy2のシンボルビットの１ビットに割り当てること、
グループセット情報(Gb3,Gy2,3)により、エラー確率が３番目に良い符号ビットグループGb3の符号ビットの３ビットを、エラー確率が２番目に良いシンボルビットグループGy2のシンボルビットの３ビットに割り当てること、
及び、グループセット情報(Gb3,Gy1,3)により、エラー確率が３番目に良い符号ビットグループGb3の符号ビットの３ビットを、エラー確率が１番目に良いシンボルビットグループGy1のシンボルビットの３ビットに割り当てること
が規定されている。
【０５１８】
上述したように、符号ビットグループは、符号ビットをエラー確率に応じてグループ分けするグループであり、シンボルビットグループは、シンボルビットをエラー確率に応じてグループ分けするグループである。したがって、割り当てルールは、符号ビットのエラー確率と、その符号ビットを割り当てるシンボルビットのエラー確率との組み合わせを規定している、ということもできる。
【０５１９】
このように、符号ビットのエラー確率と、その符号ビットを割り当てるシンボルビットのエラー確率との組み合わせを規定する割り当てルールは、例えば、BERを計測するシミュレーション等によって、エラーに対する耐性（ノイズに対する耐性）を、より良くするように決定される。
【０５２０】
なお、ある符号ビットグループの符号ビットの割り当て先を、同一のシンボルビットグループのビットの中で変更しても、エラーに対する耐性には（ほとんど）影響しない。
【０５２１】
したがって、エラーに対する耐性を向上させるには、BER(Bit Error Rate)を最も小さくするグループセット情報、つまり、符号ビットの符号ビットグループと、その符号ビットグループの符号ビットを割り当てるシンボルビットのシンボルビットグループとの組み合わせ（グループセット）と、そのグループセットの符号ビットグループ、及びシンボルビットグループそれぞれの符号ビット、及びシンボルビットのビット数（グループビット数）とを、割り当てルールとして規定し、その割り当てルールに従って、符号ビットを、シンボルビットに割り当てるように、符号ビットの入れ替えを行えばよい。
【０５２２】
但し、割り当てルールに従って、どの符号ビットを、どのシンボルビットに割り当てるかの具体的な割り当て方は、送信装置１１及び受信装置１２（図７）の間で、あらかじめ決めておく必要がある。
【０５２３】
図５４は、図５３の割り当てルールに従った符号ビットの入れ替えの例を示している。
【０５２４】
すなわち、図５４のＡは、LDPC符号が、符号長Nが16200ビットで、符号化率が1/5の携帯用LDPC符号であり、さらに、変調方式が16QAMで、倍数bが2である場合の、図５３の割り当てルールに従った符号ビットの入れ替えの第１の例を示している。
【０５２５】
LDPC符号が、符号長Nが16200ビットで、符号化率が1/5の携帯用LDPC符号であり、さらに、変調方式が16QAMで、倍数bが2である場合、デマルチプレクサ２５では、カラム方向×ロウ方向が(16200/(4×2))×(4×2)ビットのメモリ３１に書き込まれた符号ビットが、ロウ方向に、4×2(=mb)ビット単位で読み出され、入れ替え部３２（図１８、図１９）に供給される。
【０５２６】
入れ替え部３２は、図５３の割り当てルールに従い、メモリ３１から読み出される4×2(=mb)ビットの符号ビットb0ないしb7を、例えば、図５４のＡに示すように、2(=b)個のシンボルの4×2(=mb)ビットのシンボルビットy0ないしy7に割り当てるように、4×2(=mb)ビットの符号ビットb0ないしb7を入れ替える。
【０５２７】
すなわち、入れ替え部３２は、
符号ビットb0を、シンボルビットy4に、
符号ビットb1を、シンボルビットy3に、
符号ビットb2を、シンボルビットy2に、
符号ビットb3を、シンボルビットy1に、
符号ビットb4を、シンボルビットy6に、
符号ビットb5を、シンボルビットy5に、
符号ビットb6を、シンボルビットy7に、
符号ビットb7を、シンボルビットy0に、
それぞれ割り当てる入れ替えを行う。
【０５２８】
図５４のＢは、LDPC符号が、符号長Nが16200ビットで、符号化率が1/5の携帯用LDPC符号であり、さらに、変調方式が16QAMで、倍数bが2である場合の、図５３の割り当てルールに従った符号ビットの入れ替えの第２の例を示している。
【０５２９】
図５４のＢによれば、入れ替え部３２は、図５３の割り当てルールに従い、メモリ３１から読み出される4×2(=mb)ビットの符号ビットb0ないしb7について、
符号ビットb0を、シンボルビットy0に、
符号ビットb1を、シンボルビットy7に、
符号ビットb2を、シンボルビットy3に、
符号ビットb3を、シンボルビットy4に、
符号ビットb4を、シンボルビットy5に、
符号ビットb5を、シンボルビットy2に、
符号ビットb6を、シンボルビットy6に、
符号ビットb7を、シンボルビットy1に、
それぞれ割り当てる入れ替えを行う。
【０５３０】
ここで、図５４のＡ及び図５４のＢに示した、符号ビットb#iの、シンボルビットy#iへの割り当て方は、いずれも、図５３の割り当てルールに従っている（割り当てルールを遵守している）。
【０５３１】
図５５は、LDPC符号が、符号長Nが16200ビットで、符号化率が4/15の携帯用LDPC符号であり、さらに、変調方式が16QAMで、倍数bが2である場合の、符号ビットグループとシンボルビットグループとを示している。
【０５３２】
この場合、メモリ３１から読み出される4×2(=mb)ビットの符号ビットは、エラー確率の違いに応じて、図５５のＡに示すように、４個の符号ビットグループGb1,Gb2,Gb3,Gb4にグループ分けすることができる。
【０５３３】
図５５のＡでは、符号ビットグループGb1には、符号ビットb0が、符号ビットグループGb2には、符号ビットb1が、符号ビットグループGb3には、符号ビットb2が、符号ビットグループGb4には、符号ビットb3ないしb7が、それぞれ属する。
【０５３４】
変調方式が16QAMで、倍数bが2である場合、4×2(=mb)ビットのシンボルビットは、エラー確率の違いに応じて、図５５のＢに示すように、２個のシンボルビットグループGy1,Gy2にグループ分けすることができる。
【０５３５】
図５５のＢでは、図５２のＢの場合と同様に、シンボルビットグループGy1には、シンボルビットy0,y1,y4,y5が、シンボルビットグループGy2には、シンボルビットy2,y3,y6,y7が、それぞれ属する。
【０５３６】
図５６は、LDPC符号が、符号長Nが16200ビットで、符号化率が4/15の携帯用LDPC符号であり、さらに、変調方式が16QAMで、倍数bが2である場合の、割り当てルールを示している。
【０５３７】
図５６の割り当てルールでは、グループセット情報(Gb1,Gy1,1),(Gb2,Gy2,1),(Gb3,Gy2,1),(Gb4,Gy2,2),(Gb4,Gy1,3)が規定されている。
【０５３８】
すなわち、図５６の割り当てルールでは、
グループセット情報(Gb1,Gy1,1)により、エラー確率が１番目に良い符号ビットグループGb1の符号ビットの１ビットを、エラー確率が１番目に良いシンボルビットグループGy1のシンボルビットの１ビットに割り当てること、
グループセット情報(Gb2,Gy2,1)により、エラー確率が２番目に良い符号ビットグループGb2の符号ビットの１ビットを、エラー確率が２番目に良いシンボルビットグループGy2のシンボルビットの１ビットに割り当てること、
グループセット情報(Gb3,Gy2,1)により、エラー確率が３番目に良い符号ビットグループGb3の符号ビットの１ビットを、エラー確率が２番目に良いシンボルビットグループGy2のシンボルビットの１ビットに割り当てること、
グループセット情報(Gb4,Gy2,2)により、エラー確率が４番目に良い符号ビットグループGb4の符号ビットの２ビットを、エラー確率が２番目に良いシンボルビットグループGy2のシンボルビットの２ビットに割り当てること、
及び、グループセット情報(Gb4,Gy1,3)により、エラー確率が４番目に良い符号ビットグループGb4の符号ビットの３ビットを、エラー確率が１番目に良いシンボルビットグループGy1のシンボルビットの３ビットに割り当てること
が規定されている。
【０５３９】
図５７は、図５６の割り当てルールに従った符号ビットの入れ替えの例を示している。
【０５４０】
すなわち、図５７のＡは、LDPC符号が、符号長Nが16200ビットで、符号化率が4/15の携帯用LDPC符号であり、さらに、変調方式が16QAMで、倍数bが2である場合の、図５６の割り当てルールに従った符号ビットの入れ替えの第１の例を示している。
【０５４１】
LDPC符号が、符号長Nが16200ビットで、符号化率が4/15の携帯用LDPC符号であり、さらに、変調方式が16QAMで、倍数bが2である場合、デマルチプレクサ２５では、カラム方向×ロウ方向が(16200/(4×2))×(4×2)ビットのメモリ３１に書き込まれた符号ビットが、ロウ方向に、4×2(=mb)ビット単位で読み出され、入れ替え部３２（図１８、図１９）に供給される。
【０５４２】
入れ替え部３２は、図５６の割り当てルールに従い、メモリ３１から読み出される4×2(=mb)ビットの符号ビットb0ないしb7を、例えば、図５７のＡに示すように、2(=b)個のシンボルの4×2(=mb)ビットのシンボルビットy0ないしy7に割り当てるように、4×2(=mb)ビットの符号ビットb0ないしb7を入れ替える。
【０５４３】
すなわち、入れ替え部３２は、
符号ビットb0を、シンボルビットy4に、
符号ビットb1を、シンボルビットy3に、
符号ビットb2を、シンボルビットy2に、
符号ビットb3を、シンボルビットy1に、
符号ビットb4を、シンボルビットy6に、
符号ビットb5を、シンボルビットy5に、
符号ビットb6を、シンボルビットy7に、
符号ビットb7を、シンボルビットy0に、
それぞれ割り当てる入れ替えを行う。
【０５４４】
図５７のＢは、LDPC符号が、符号長Nが16200ビットで、符号化率が4/15の携帯用LDPC符号であり、さらに、変調方式が16QAMで、倍数bが2である場合の、図５６の割り当てルールに従った符号ビットの入れ替えの第２の例を示している。
【０５４５】
図５７のＢによれば、入れ替え部３２は、図５６の割り当てルールに従い、メモリ３１から読み出される4×2(=mb)ビットの符号ビットb0ないしb7について、
符号ビットb0を、シンボルビットy0に、
符号ビットb1を、シンボルビットy7に、
符号ビットb2を、シンボルビットy3に、
符号ビットb3を、シンボルビットy4に、
符号ビットb4を、シンボルビットy5に、
符号ビットb5を、シンボルビットy2に、
符号ビットb6を、シンボルビットy6に、
符号ビットb7を、シンボルビットy1に、
それぞれ割り当てる入れ替えを行う。
【０５４６】
図５８は、LDPC符号が、符号長Nが16200ビットで、符号化率が1/3の携帯用LDPC符号であり、さらに、変調方式が16QAMで、倍数bが2である場合の、符号ビットグループとシンボルビットグループとを示している。
【０５４７】
この場合、メモリ３１から読み出される4×2(=mb)ビットの符号ビットは、エラー確率の違いに応じて、図５８のＡに示すように、４個の符号ビットグループGb1,Gb2,Gb3,Gb4にグループ分けすることができる。
【０５４８】
図５８のＡでは、符号ビットグループGb1には、符号ビットb0が、符号ビットグループGb2には、符号ビットb1が、符号ビットグループGb3には、符号ビットb2が、符号ビットグループGb4には、符号ビットb3ないしb7が、それぞれ属する。
【０５４９】
変調方式が16QAMで、倍数bが2である場合、4×2(=mb)ビットのシンボルビットは、エラー確率の違いに応じて、図５８のＢに示すように、２個のシンボルビットグループGy1,Gy2にグループ分けすることができる。
【０５５０】
図５８のＢでは、図５２のＢの場合と同様に、シンボルビットグループGy1には、シンボルビットy0,y1,y4,y5が、シンボルビットグループGy2には、シンボルビットy2,y3,y6,y7が、それぞれ属する。
【０５５１】
図５９は、LDPC符号が、符号長Nが16200ビットで、符号化率が1/3の携帯用LDPC符号であり、さらに、変調方式が16QAMで、倍数bが2である場合の、割り当てルールを示している。
【０５５２】
図５９の割り当てルールでは、グループセット情報(Gb1,Gy1,1),(Gb2,Gy2,1),(Gb3,Gy2,1),(Gb4,Gy2,2),(Gb4,Gy1,3)が規定されている。
【０５５３】
すなわち、図５９の割り当てルールでは、
グループセット情報(Gb1,Gy1,1)により、エラー確率が１番目に良い符号ビットグループGb1の符号ビットの１ビットを、エラー確率が１番目に良いシンボルビットグループGy1のシンボルビットの１ビットに割り当てること、
グループセット情報(Gb2,Gy2,1)により、エラー確率が２番目に良い符号ビットグループGb2の符号ビットの１ビットを、エラー確率が２番目に良いシンボルビットグループGy2のシンボルビットの１ビットに割り当てること、
グループセット情報(Gb3,Gy2,1)により、エラー確率が３番目に良い符号ビットグループGb3の符号ビットの１ビットを、エラー確率が２番目に良いシンボルビットグループGy2のシンボルビットの１ビットに割り当てること、
グループセット情報(Gb4,Gy2,2)により、エラー確率が４番目に良い符号ビットグループGb4の符号ビットの２ビットを、エラー確率が２番目に良いシンボルビットグループGy2のシンボルビットの２ビットに割り当てること、
及び、グループセット情報(Gb4,Gy1,3)により、エラー確率が４番目に良い符号ビットグループGb4の符号ビットの３ビットを、エラー確率が１番目に良いシンボルビットグループGy1のシンボルビットの３ビットに割り当てること
が規定されている。
【０５５４】
図６０は、図５９の割り当てルールに従った符号ビットの入れ替えの例を示している。
【０５５５】
すなわち、図６０のＡは、LDPC符号が、符号長Nが16200ビットで、符号化率が1/3の携帯用LDPC符号であり、さらに、変調方式が16QAMで、倍数bが2である場合の、図５９の割り当てルールに従った符号ビットの入れ替えの第１の例を示している。
【０５５６】
LDPC符号が、符号長Nが16200ビットで、符号化率が1/3の携帯用LDPC符号であり、さらに、変調方式が16QAMで、倍数bが2である場合、デマルチプレクサ２５では、カラム方向×ロウ方向が(16200/(4×2))×(4×2)ビットのメモリ３１に書き込まれた符号ビットが、ロウ方向に、4×2(=mb)ビット単位で読み出され、入れ替え部３２（図１８、図１９）に供給される。
【０５５７】
入れ替え部３２は、図５９の割り当てルールに従い、メモリ３１から読み出される4×2(=mb)ビットの符号ビットb0ないしb7を、例えば、図６０のＡに示すように、2(=b)個のシンボルの4×2(=mb)ビットのシンボルビットy0ないしy7に割り当てるように、4×2(=mb)ビットの符号ビットb0ないしb7を入れ替える。
【０５５８】
すなわち、入れ替え部３２は、
符号ビットb0を、シンボルビットy4に、
符号ビットb1を、シンボルビットy3に、
符号ビットb2を、シンボルビットy2に、
符号ビットb3を、シンボルビットy1に、
符号ビットb4を、シンボルビットy6に、
符号ビットb5を、シンボルビットy5に、
符号ビットb6を、シンボルビットy7に、
符号ビットb7を、シンボルビットy0に、
それぞれ割り当てる入れ替えを行う。
【０５５９】
図６０のＢは、LDPC符号が、符号長Nが16200ビットで、符号化率が1/3の携帯用LDPC符号であり、さらに、変調方式が16QAMで、倍数bが2である場合の、図５９の割り当てルールに従った符号ビットの入れ替えの第２の例を示している。
【０５６０】
図６０のＢによれば、入れ替え部３２は、図５９の割り当てルールに従い、メモリ３１から読み出される4×2(=mb)ビットの符号ビットb0ないしb7について、
符号ビットb0を、シンボルビットy0に、
符号ビットb1を、シンボルビットy7に、
符号ビットb2を、シンボルビットy3に、
符号ビットb3を、シンボルビットy4に、
符号ビットb4を、シンボルビットy5に、
符号ビットb5を、シンボルビットy2に、
符号ビットb6を、シンボルビットy6に、
符号ビットb7を、シンボルビットy1に、
それぞれ割り当てる入れ替えを行う。
【０５６１】
図６１は、LDPC符号が、符号長Nが16200ビットで、符号化率が2/5の携帯用LDPC符号であり、さらに、変調方式が16QAMで、倍数bが2である場合の、符号ビットグループとシンボルビットグループとを示している。
【０５６２】
この場合、メモリ３１から読み出される4×2(=mb)ビットの符号ビットは、エラー確率の違いに応じて、図６１のＡに示すように、５個の符号ビットグループGb1,Gb2,Gb3,Gb4,Gb5にグループ分けすることができる。
【０５６３】
図６１のＡでは、符号ビットグループGb1には、符号ビットb0が、符号ビットグループGb2には、符号ビットb1が、符号ビットグループGb3には、符号ビットb2が、符号ビットグループGb4には、符号ビットb3が、符号ビットグループGb5には、符号ビットb4ないしb7が、それぞれ属する。
【０５６４】
変調方式が16QAMで、倍数bが2である場合、4×2(=mb)ビットのシンボルビットは、エラー確率の違いに応じて、図６１のＢに示すように、２個のシンボルビットグループGy1,Gy2にグループ分けすることができる。
【０５６５】
図６１のＢでは、図５２のＢの場合と同様に、シンボルビットグループGy1には、シンボルビットy0,y1,y4,y5が、シンボルビットグループGy2には、シンボルビットy2,y3,y6,y7が、それぞれ属する。
【０５６６】
図６２は、LDPC符号が、符号長Nが16200ビットで、符号化率が2/5の携帯用LDPC符号であり、さらに、変調方式が16QAMで、倍数bが2である場合の、割り当てルールを示している。
【０５６７】
図６２の割り当てルールでは、グループセット情報(Gb1,Gy1,1),(Gb2,Gy2,1),(Gb3,Gy2,1),(Gb4,Gy2,1),(Gb5,Gy1,3),(Gb5,Gy2,1)が規定されている。
【０５６８】
すなわち、図６２の割り当てルールでは、
グループセット情報(Gb1,Gy1,1)により、エラー確率が１番目に良い符号ビットグループGb1の符号ビットの１ビットを、エラー確率が１番目に良いシンボルビットグループGy1のシンボルビットの１ビットに割り当てること、
グループセット情報(Gb2,Gy2,1)により、エラー確率が２番目に良い符号ビットグループGb2の符号ビットの１ビットを、エラー確率が２番目に良いシンボルビットグループGy2のシンボルビットの１ビットに割り当てること、
グループセット情報(Gb3,Gy2,1)により、エラー確率が３番目に良い符号ビットグループGb3の符号ビットの１ビットを、エラー確率が２番目に良いシンボルビットグループGy2のシンボルビットの１ビットに割り当てること、
グループセット情報(Gb4,Gy2,1)により、エラー確率が４番目に良い符号ビットグループGb4の符号ビットの１ビットを、エラー確率が２番目に良いシンボルビットグループGy2のシンボルビットの１ビットに割り当てること、
グループセット情報(Gb5,Gy1,3)により、エラー確率が５番目に良い符号ビットグループGb5の符号ビットの３ビットを、エラー確率が１番目に良いシンボルビットグループGy1のシンボルビットの３ビットに割り当てること、
及び、グループセット情報(Gb5,Gy2,1)により、エラー確率が５番目に良い符号ビットグループGb5の符号ビットの１ビットを、エラー確率が２番目に良いシンボルビットグループGy2のシンボルビットの１ビットに割り当てること
が規定されている。
【０５６９】
図６３は、図６２の割り当てルールに従った符号ビットの入れ替えの例を示している。
【０５７０】
すなわち、図６３のＡは、LDPC符号が、符号長Nが16200ビットで、符号化率が2/5の携帯用LDPC符号であり、さらに、変調方式が16QAMで、倍数bが2である場合の、図６２の割り当てルールに従った符号ビットの入れ替えの第１の例を示している。
【０５７１】
LDPC符号が、符号長Nが16200ビットで、符号化率が2/5の携帯用LDPC符号であり、さらに、変調方式が16QAMで、倍数bが2である場合、デマルチプレクサ２５では、カラム方向×ロウ方向が(16200/(4×2))×(4×2)ビットのメモリ３１に書き込まれた符号ビットが、ロウ方向に、4×2(=mb)ビット単位で読み出され、入れ替え部３２（図１８、図１９）に供給される。
【０５７２】
入れ替え部３２は、図６２の割り当てルールに従い、メモリ３１から読み出される4×2(=mb)ビットの符号ビットb0ないしb7を、例えば、図６３のＡに示すように、2(=b)個のシンボルの4×2(=mb)ビットのシンボルビットy0ないしy7に割り当てるように、4×2(=mb)ビットの符号ビットb0ないしb7を入れ替える。
【０５７３】
すなわち、入れ替え部３２は、
符号ビットb0を、シンボルビットy0に、
符号ビットb1を、シンボルビットy2に、
符号ビットb2を、シンボルビットy6に、
符号ビットb3を、シンボルビットy3に、
符号ビットb4を、シンボルビットy4に、
符号ビットb5を、シンボルビットy1に、
符号ビットb6を、シンボルビットy5に、
符号ビットb7を、シンボルビットy7に、
それぞれ割り当てる入れ替えを行う。
【０５７４】
図６３のＢは、LDPC符号が、符号長Nが16200ビットで、符号化率が2/5の携帯用LDPC符号であり、さらに、変調方式が16QAMで、倍数bが2である場合の、図６２の割り当てルールに従った符号ビットの入れ替えの第２の例を示している。
【０５７５】
図６３のＢによれば、入れ替え部３２は、図６２の割り当てルールに従い、メモリ３１から読み出される4×2(=mb)ビットの符号ビットb0ないしb7について、
符号ビットb0を、シンボルビットy0に、
符号ビットb1を、シンボルビットy2に、
符号ビットb2を、シンボルビットy3に、
符号ビットb3を、シンボルビットy6に、
符号ビットb4を、シンボルビットy4に、
符号ビットb5を、シンボルビットy5に、
符号ビットb6を、シンボルビットy1に、
符号ビットb7を、シンボルビットy7に、
それぞれ割り当てる入れ替えを行う。
【０５７６】
図６４は、LDPC符号が、符号長Nが16200ビットで、符号化率が4/9の携帯用LDPC符号であり、さらに、変調方式が16QAMで、倍数bが2である場合の、符号ビットグループとシンボルビットグループとを示している。
【０５７７】
この場合、メモリ３１から読み出される4×2(=mb)ビットの符号ビットは、エラー確率の違いに応じて、図６４のＡに示すように、５個の符号ビットグループGb1,Gb2,Gb3,Gb4,Gb5にグループ分けすることができる。
【０５７８】
図６４のＡでは、符号ビットグループGb1には、符号ビットb0が、符号ビットグループGb2には、符号ビットb1が、符号ビットグループGb3には、符号ビットb2が、符号ビットグループGb4には、符号ビットb3が、符号ビットグループGb5には、符号ビットb4ないしb7が、それぞれ属する。
【０５７９】
変調方式が16QAMで、倍数bが2である場合、4×2(=mb)ビットのシンボルビットは、エラー確率の違いに応じて、図６４のＢに示すように、２個のシンボルビットグループGy1,Gy2にグループ分けすることができる。
【０５８０】
図６４のＢでは、図５２のＢの場合と同様に、シンボルビットグループGy1には、シンボルビットy0,y1,y4,y5が、シンボルビットグループGy2には、シンボルビットy2,y3,y6,y7が、それぞれ属する。
【０５８１】
図６５は、LDPC符号が、符号長Nが16200ビットで、符号化率が4/9の携帯用LDPC符号であり、さらに、変調方式が16QAMで、倍数bが2である場合の、割り当てルールを示している。
【０５８２】
図６５の割り当てルールでは、グループセット情報(Gb1,Gy1,1),(Gb2,Gy2,1),(Gb3,Gy2,1),(Gb4,Gy2,1),(Gb5,Gy1,3),(Gb5,Gy2,1)が規定されている。
【０５８３】
すなわち、図６５の割り当てルールでは、
グループセット情報(Gb1,Gy1,1)により、エラー確率が１番目に良い符号ビットグループGb1の符号ビットの１ビットを、エラー確率が１番目に良いシンボルビットグループGy1のシンボルビットの１ビットに割り当てること、
グループセット情報(Gb2,Gy2,1)により、エラー確率が２番目に良い符号ビットグループGb2の符号ビットの１ビットを、エラー確率が２番目に良いシンボルビットグループGy2のシンボルビットの１ビットに割り当てること、
グループセット情報(Gb3,Gy2,1)により、エラー確率が３番目に良い符号ビットグループGb3の符号ビットの１ビットを、エラー確率が２番目に良いシンボルビットグループGy2のシンボルビットの１ビットに割り当てること、
グループセット情報(Gb4,Gy2,1)により、エラー確率が４番目に良い符号ビットグループGb4の符号ビットの１ビットを、エラー確率が２番目に良いシンボルビットグループGy2のシンボルビットの１ビットに割り当てること、
グループセット情報(Gb5,Gy1,3)により、エラー確率が５番目に良い符号ビットグループGb5の符号ビットの３ビットを、エラー確率が１番目に良いシンボルビットグループGy1のシンボルビットの３ビットに割り当てること、
及び、グループセット情報(Gb5,Gy2,1)により、エラー確率が５番目に良い符号ビットグループGb5の符号ビットの１ビットを、エラー確率が２番目に良いシンボルビットグループGy2のシンボルビットの１ビットに割り当てること
が規定されている。
【０５８４】
図６６は、図６５の割り当てルールに従った符号ビットの入れ替えの例を示している。
【０５８５】
すなわち、図６６のＡは、LDPC符号が、符号長Nが16200ビットで、符号化率が4/9の携帯用LDPC符号であり、さらに、変調方式が16QAMで、倍数bが2である場合の、図６５の割り当てルールに従った符号ビットの入れ替えの第１の例を示している。
【０５８６】
LDPC符号が、符号長Nが16200ビットで、符号化率が4/9の携帯用LDPC符号であり、さらに、変調方式が16QAMで、倍数bが2である場合、デマルチプレクサ２５では、カラム方向×ロウ方向が(16200/(4×2))×(4×2)ビットのメモリ３１に書き込まれた符号ビットが、ロウ方向に、4×2(=mb)ビット単位で読み出され、入れ替え部３２（図１８、図１９）に供給される。
【０５８７】
入れ替え部３２は、図６５の割り当てルールに従い、メモリ３１から読み出される4×2(=mb)ビットの符号ビットb0ないしb7を、例えば、図６６のＡに示すように、2(=b)個のシンボルの4×2(=mb)ビットのシンボルビットy0ないしy7に割り当てるように、4×2(=mb)ビットの符号ビットb0ないしb7を入れ替える。
【０５８８】
すなわち、入れ替え部３２は、
符号ビットb0を、シンボルビットy0に、
符号ビットb1を、シンボルビットy2に、
符号ビットb2を、シンボルビットy6に、
符号ビットb3を、シンボルビットy3に、
符号ビットb4を、シンボルビットy4に、
符号ビットb5を、シンボルビットy1に、
符号ビットb6を、シンボルビットy5に、
符号ビットb7を、シンボルビットy7に、
それぞれ割り当てる入れ替えを行う。
【０５８９】
図６６のＢは、LDPC符号が、符号長Nが16200ビットで、符号化率が4/9の携帯用LDPC符号であり、さらに、変調方式が16QAMで、倍数bが2である場合の、図６５の割り当てルールに従った符号ビットの入れ替えの第２の例を示している。
【０５９０】
図６６のＢによれば、入れ替え部３２は、図６５の割り当てルールに従い、メモリ３１から読み出される4×2(=mb)ビットの符号ビットb0ないしb7について、
符号ビットb0を、シンボルビットy0に、
符号ビットb1を、シンボルビットy2に、
符号ビットb2を、シンボルビットy3に、
符号ビットb3を、シンボルビットy6に、
符号ビットb4を、シンボルビットy4に、
符号ビットb5を、シンボルビットy5に、
符号ビットb6を、シンボルビットy1に、
符号ビットb7を、シンボルビットy7に、
それぞれ割り当てる入れ替えを行う。
【０５９１】
図６７は、LDPC符号が、符号長Nが16200ビットで、符号化率が7/15の携帯用LDPC符号であり、さらに、変調方式が16QAMで、倍数bが2である場合の、符号ビットグループとシンボルビットグループとを示している。
【０５９２】
この場合、メモリ３１から読み出される4×2(=mb)ビットの符号ビットは、エラー確率の違いに応じて、図６７のＡに示すように、５個の符号ビットグループGb1,Gb2,Gb3,Gb4,Gb5にグループ分けすることができる。
【０５９３】
図６７のＡでは、符号ビットグループGb1には、符号ビットb0が、符号ビットグループGb2には、符号ビットb1が、符号ビットグループGb3には、符号ビットb2が、符号ビットグループGb4には、符号ビットb3が、符号ビットグループGb5には、符号ビットb4ないしb7が、それぞれ属する。
【０５９４】
変調方式が16QAMで、倍数bが2である場合、4×2(=mb)ビットのシンボルビットは、エラー確率の違いに応じて、図６７のＢに示すように、２個のシンボルビットグループGy1,Gy2にグループ分けすることができる。
【０５９５】
図６７のＢでは、図５２のＢの場合と同様に、シンボルビットグループGy1には、シン菣ꮃ菣莃菣禈ⰰㅹ礬ⰴ㕹臣膀苣뎃菣ꮃ菣莃菣낂菣벃菣䞗㉹臣꾁胣랂菣鲃菣鎃菣袃㉹礬ⰳ㙹礬貁胣鶁苣麁苣麱臣讂胣ં⼼䥄㹖㰊䥄㹖䐼噉邀볯閼볯隼胣㲑䐯噉ਾ†鯥隼볯꾁胣䲁偄ꚬ迥貁胣ꚬ迥랕貁㘱〲鎃菣袃臣膀곧랏賥螎臣㞌ㄯ꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯閼볯鞼胣㲑䐯噉ਾ†鯥隼볯꺁觥誂뷥ꚁ菣벃菣ꞁ臣膀苣ꮃ菣鞃苣莃菣薃ꃥ⢱扇ⰱ祇ⰱ⤱⠬扇ⰲ祇ⰲ⤱⠬扇ⰳ祇ⰲ⤱⠬扇ⰴ祇ⰲ⤱⠬扇ⰵ祇ⰱ⤳⠬扇ⰵ祇ⰲ⤱臣辦껥閁苣ꚁ臣讂胣ં⼼䥄㹖㰊䥄㹖䐼噉邀볯閼볯颼胣㲑䐯噉ਾ†臣ꪁ苣ꆁ胣뎛볯颼臣늉苣鎽臣ꮃ菣ꮃ臣꾁胣㲁牢ਾ†苣ꮃ菣鞃苣莃菣薃ꃥ⢱扇ⰱ祇ⰱ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰲ⤱臣袂苣膀苣ꦃ菣몢軧貁볯ꪕ鯧ꮁ觨蒁곧랏菣莃菣낂菣벃菣䞗㍢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰲ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰱ⤳臣袂苣膀苣ꦃ菣몢軧貁볯ꪕ鯧ꮁ觨蒁곧랏菣莃菣낂菣벃菣䞗㕢臣ꚬ迥鎃菣袃臣鎼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㕢䜬㉹ㄬꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯閼볯馼胣㲑䐯噉ਾ†鯥隼볯꾁胣뎛볯颼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯隼볯邼胣㲑䐯噉ਾ†臣ꪁ苣ꆁ胣뎛볯馼臣ꆼ臣膀䑌䍐곧랏臣膀곧랏闩亷臣ㆌ㈶〰菣莃菣ꞁ胣ꚬ迥隌軧貁⼷㔱臣몐룥ꢔ䑌䍐곧랏臣芁苣膀臣覂臣膀ꓥ뾪雦込臣ㆌ儶䵁臣膀胥낕貁ꞁ臣讂ꃥ袐臣膀鯥隼볯꺁觥誂뷥ꚁ菣벃菣ꮁ뻥ꎁ臣ꚬ迥鎃菣袃臣ꖅ苣뾛臣꺁곧醼臣设苣몤臣ꚁ臣讂胣ં⼼䥄㹖㰊䥄㹖䐼噉邀볯隼볯醼胣㲑䐯噉ਾ†䑌䍐곧랏臣膀곧랏闩亷臣ㆌ㈶〰菣莃菣ꞁ胣ꚬ迥隌軧貁⼷㔱臣몐룥ꢔ䑌䍐곧랏臣芁苣膀臣覂臣膀ꓥ뾪雦込臣ㆌ儶䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌴㊗⤩韃㐨韃⤲菣莃菣꺁菣ꊃ菣鎼볯ꮁ鯦趁뻨뺁苣龁곧랏菣莃菣貁胣궃苣릖郥ꮁ胣㒁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯隼볯銼胣㲑䐯噉ਾ†藥貂鯦袁菩鎼볯꾁胣뎛볯颼臣늉苣鎽臣ꮃ菣ꮃ臣鎾臣膀菣ꊃ菣鎼볯讁苣궪臣몇臣貂苣㒋韃⠲洽⥢菣莃菣꺁곧랏菣莃菣抈ꪁ臣鞁㝢苣膀뻤袁臣膀鯥隼볯꺁볯ꮁꓧ馁苣蚁臣膀⠲戽讀臣랂菣鲃菣꺁쌴㊗㴨扭鎃菣袃臣랂菣鲃菣鎃菣袃べ臣蒁臣禗ꮁ觥誂뷥ꚁ苣袂臣ꮁ胣㒁韃⠲洽⥢菣莃菣꺁곧랏菣莃菣抈ꪁ臣鞁㝢苣ꖅ苣뾛臣讂胣ં⼼䥄㹖㰊䥄㹖䐼噉邀볯隼볯鎼胣㲑䐯噉ਾ†臣ꪁ苣ꆁ胣ꖅ苣뾛臣ꢃ볯銼臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㉹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹ臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㝹臣膀戼㹲 鶁苣麁苣늉苣鎽臣讂藥貂鯦袁苣財臣芀㰊䐯噉ਾ䐼噉㰾䥄㹖胣邼볯邼볯醀⼼䥄㹖 뎛볯馼臣ꊼ臣膀䑌䍐곧랏臣膀곧랏闩亷臣ㆌ㈶〰菣莃菣ꞁ胣ꚬ迥隌軧貁⼷㔱臣몐룥ꢔ䑌䍐곧랏臣芁苣膀臣覂臣膀ꓥ뾪雦込臣ㆌ儶䵁臣膀胥낕貁ꞁ臣讂ꃥ袐臣膀鯥隼볯꺁觥誂뷥ꚁ菣벃菣ꮁ뻥ꎁ臣ꚬ迥鎃菣袃臣ꖅ苣뾛臣꺁곧銼臣设苣몤臣ꚁ臣讂胣ં⼼䥄㹖㰊䥄㹖䐼噉邀볯隼볯閼胣㲑䐯噉ਾ†鯥隼볯꺁볯ꮁ苣貂臣膀藥貂鯦袁菩鎼볯꾁胣뎛볯颼臣늉苣鎽臣ꮃ菣ꮃ臣鎾臣膀菣ꊃ菣鎼볯讁苣궪臣몇臣貂苣㒋韃⠲洽⥢菣莃菣꺁곧랏菣莃菣抈ꪁ臣鞁㝢臣ꒁ臣ꚁ胣㲁牢ਾ†곧랏菣莃菣抈銂胣랂菣鲃菣鎃菣袃べ臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㍢苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㕢苣膀苣뎃菣ꮃ菣莃菣禈ꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯隼볯隼胣㲑䐯噉ਾ†鯥鞼볯꾁胣䲁偄ꚬ迥貁胣ꚬ迥랕貁㘱〲鎃菣袃臣膀곧랏賥螎臣㢌ㄯ꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣ꚬ迥鎃菣袃苣ꮃ菣鞃臣랂菣鲃菣鎃菣袃苣ꮃ菣鞃臣銂ꓧ鞁臣蒁苣芀㰊䐯噉ਾ䐼噉㰾䥄㹖胣邼볯邼볯醀⼼䥄㹖 鎁臣뒠郥膀菣ꊃ菣鎼볯讁苣궪臣몇臣貂苣㒋韃⠲洽⥢菣莃菣꺁곧랏菣莃菣꾁胣ꢂ菣벃ꋧ螎臣閁臣ꮁ뿥颁臣膀鯥鞼볯꺁볯ꮁꓧ馁苣蚁臣膀볯讀臣ꚬ迥鎃菣袃苣ꮃ菣鞃扇ⰱ扇ⰲ扇ⰳ扇ⰴ扇ꮁ苣ꮃ菣鞃裥醁臣讂臣ꢁ臣ꞁ臣讂胣ં⼼䥄㹖㰊䥄㹖䐼噉邀볯隼볯颼胣㲑䐯噉ਾ†鯥鞼볯꺁볯ꞁ臣膀곧랏菣莃菣낂菣벃菣䞗ㅢ臣꾁胣ꚬ迥鎃菣袃ぢ臣膀곧랏菣莃菣낂菣벃菣䞗㉢臣꾁胣ꚬ迥鎃菣袃ㅢ臣膀곧랏菣莃菣낂菣벃菣䞗㍢臣꾁胣ꚬ迥鎃菣袃㉢迥뎁㍢臣膀곧랏菣莃菣낂菣벃菣䞗㑢臣꾁胣ꚬ迥鎃菣袃㑢臣膀곧랏菣莃菣낂菣벃菣䞗㕢臣꾁胣ꚬ迥鎃菣袃㕢臣蒁臣抗貁胣鶁苣麁苣麱臣讂胣ં⼼䥄㹖㰊䥄㹖䐼噉邀볯隼볯馼胣㲑䐯噉ਾ†ꓥ뾪雦込臣ㆌ儶䵁臣膀胥낕貁ꞁ臣讂ꃥ袐胣㒁韃⠲洽⥢菣莃菣꺁苣뎃菣ꮃ菣莃菣꾁胣ꢂ菣벃ꋧ螎臣閁臣ꮁ뿥颁臣膀鯥鞼볯꺁볯ꮁꓧ馁苣蚁臣膀볯讀臣랂菣鲃菣鎃菣袃苣ꮃ菣鞃祇ⰱ祇ꮁ苣ꮃ菣鞃裥醁臣讂臣ꢁ臣ꞁ臣讂胣ં⼼䥄㹖㰊䥄㹖䐼噉邀볯隼볯邼胣㲑䐯噉ਾ†鯥鞼볯꺁볯ꞁ臣膀鯥閼볯꺁볯꺁ꃥ袐臣貐꟦ꮁ胣랂菣鲃菣鎃菣袃苣ꮃ菣鞃祇ꮁ臣膀苣뎃菣ꮃ菣莃菣禈ⰰㅹ礬ⰴ㕹臣膀苣뎃菣ꮃ菣莃菣낂菣벃菣䞗㉹臣꾁胣랂菣鲃菣鎃菣袃㉹礬ⰳ㙹礬貁胣鶁苣麁苣麱臣讂胣ં⼼䥄㹖㰊䥄㹖䐼噉邀볯隼볯醼胣㲑䐯噉ਾ†鯥鞼볯꾁胣䲁偄ꚬ迥貁胣ꚬ迥랕貁㘱〲鎃菣袃臣膀곧랏賥螎臣㢌ㄯ꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯隼볯銼胣㲑䐯噉ਾ†鯥鞼볯꺁觥誂뷥ꚁ菣벃菣ꞁ臣膀苣ꮃ菣鞃苣莃菣薃ꃥ⢱扇ⰱ祇ⰱ⤱⠬扇ⰲ祇ⰲ⤱⠬扇ⰳ祇ⰲ⤲⠬扇ⰴ祇ⰱ⤱⠬扇ⰵ祇ⰱ⤲⠬扇ⰵ祇ⰲ⤱臣辦껥閁苣ꚁ臣讂胣ં⼼䥄㹖㰊䥄㹖䐼噉邀볯隼볯鎼胣㲑䐯噉ਾ†臣ꪁ苣ꆁ胣뎛볯醼臣늉苣鎽臣ꮃ菣ꮃ臣꾁胣㲁牢ਾ†苣ꮃ菣鞃苣莃菣薃ꃥ⢱扇ⰱ祇ⰱ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰲ⤲臣袂苣膀苣ꦃ菣몢軧貁볯ꪕ鯧ꮁ觨蒁곧랏菣莃菣낂菣벃菣䞗㍢臣ꚬ迥鎃菣袃臣銼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰱ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰱ⤲臣袂苣膀苣ꦃ菣몢軧貁볯ꪕ鯧ꮁ觨蒁곧랏菣莃菣낂菣벃菣䞗㕢臣ꚬ迥鎃菣袃臣銼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㕢䜬㉹ㄬꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯隼볯钼胣㲑䐯噉ਾ†鯥鞼볯꾁胣뎛볯醼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯隼볯閼胣㲑䐯噉ਾ†臣ꪁ苣ꆁ胣뎛볯銼臣ꆼ臣膀䑌䍐곧랏臣膀곧랏闩亷臣ㆌ㈶〰菣莃菣ꞁ胣ꚬ迥隌軧貁⼸㔱臣몐룥ꢔ䑌䍐곧랏臣芁苣膀臣覂臣膀ꓥ뾪雦込臣ㆌ儶䵁臣膀胥낕貁ꞁ臣讂ꃥ袐臣膀鯥鞼볯꺁觥誂뷥ꚁ菣벃菣ꮁ뻥ꎁ臣ꚬ迥鎃菣袃臣ꖅ苣뾛臣꺁곧醼臣设苣몤臣ꚁ臣讂胣ં⼼䥄㹖㰊䥄㹖䐼噉邀볯隼볯隼胣㲑䐯噉ਾ†䑌䍐곧랏臣膀곧랏闩亷臣ㆌ㈶〰菣莃菣ꞁ胣ꚬ迥隌軧貁⼸㔱臣몐룥ꢔ䑌䍐곧랏臣芁苣膀臣覂臣膀ꓥ뾪雦込臣ㆌ儶䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌴㊗⤩韃㐨韃⤲菣莃菣꺁菣ꊃ菣鎼볯ꮁ鯦趁뻨뺁苣龁곧랏菣莃菣貁胣궃苣릖郥ꮁ胣㒁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯隼볯鞼胣㲑䐯噉ਾ†藥貂鯦袁菩鎼볯꾁胣뎛볯醼臣늉苣鎽臣ꮃ菣ꮃ臣鎾臣膀菣ꊃ菣鎼볯讁苣궪臣몇臣貂苣㒋韃⠲洽⥢菣莃菣꺁곧랏菣莃菣抈ꪁ臣鞁㝢苣膀뻤袁臣膀鯥鞼볯꺁볯ꮁꓧ馁苣蚁臣膀⠲戽讀臣랂菣鲃菣꺁쌴㊗㴨扭鎃菣袃臣랂菣鲃菣鎃菣袃べ臣蒁臣禗ꮁ觥誂뷥ꚁ苣袂臣ꮁ胣㒁韃⠲洽⥢菣莃菣꺁곧랏菣莃菣抈ꪁ臣鞁㝢苣ꖅ苣뾛臣讂胣ં⼼䥄㹖㰊䥄㹖䐼噉邀볯隼볯颼胣㲑䐯噉ਾ†臣ꪁ苣ꆁ胣ꖅ苣뾛臣ꢃ볯銼臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㉹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹ臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㝹臣膀戼㹲 鶁苣麁苣늉苣鎽臣讂藥貂鯦袁苣財臣芀㰊䐯噉ਾ䐼噉㰾䥄㹖胣邼볯醼볯醀⼼䥄㹖 뎛볯銼臣ꊼ臣膀䑌䍐곧랏臣膀곧랏闩亷臣ㆌ㈶〰菣莃菣ꞁ胣ꚬ迥隌軧貁⼸㔱臣몐룥ꢔ䑌䍐곧랏臣芁苣膀臣覂臣膀ꓥ뾪雦込臣ㆌ儶䵁臣膀胥낕貁ꞁ臣讂ꃥ袐臣膀鯥鞼볯꺁觥誂뷥ꚁ菣벃菣ꮁ뻥ꎁ臣ꚬ迥鎃菣袃臣ꖅ苣뾛臣꺁곧銼臣设苣몤臣ꚁ臣讂胣ં⼼䥄㹖㰊䥄㹖䐼噉邀볯隼볯邼胣㲑䐯噉ਾ†鯥鞼볯꺁볯ꮁ苣貂臣膀藥貂鯦袁菩鎼볯꾁胣뎛볯醼臣늉苣鎽臣ꮃ菣ꮃ臣鎾臣膀菣ꊃ菣鎼볯讁苣궪臣몇臣貂苣㒋韃⠲洽⥢菣莃菣꺁곧랏菣莃菣抈ꪁ臣鞁㝢臣ꒁ臣ꚁ胣㲁牢ਾ†곧랏菣莃菣抈銂胣랂菣鲃菣鎃菣袃べ臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㍢苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㕢苣膀苣뎃菣ꮃ菣莃菣禈ꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯隼볯醼胣㲑䐯噉ਾ†鯥鞼볯꾁胣䲁偄ꚬ迥貁胣ꚬ迥랕貁㘱〲鎃菣袃臣膀곧랏賥螎臣㎌㔯臣몐룥ꢔ䑌䍐곧랏臣芁苣膀臣覂臣膀ꓥ뾪雦込臣ㆌ儶䵁臣膀胥낕貁ꞁ臣讂ꃥ袐臣膀곧랏菣莃菣낂菣벃菣ꢁ苣뎃菣ꮃ菣莃菣낂菣벃菣ꢁ苣몤臣ꚁ臣讂胣ં⼼䥄㹖㰊䥄㹖䐼噉邀볯隼볯銼胣㲑䐯噉ਾ†臣꺁ꃥ袐胣ꆃ菣ꪃ볯醼臣覂ꫨ뾁蟥閁苣讂쌴㊗㴨扭鎃菣袃臣ꚬ迥鎃菣袃臣膀苣ꦃ菣몢軧꺁臩蒁臣鲿臣ꚁ胣뎛볯鎼臣ꆼ臣몤臣袂臣ꮁ胣閼胥꺁곧랏菣莃菣낂菣벃菣䞗ㅢ䜬㉢䜬㍢䜬㑢䜬㕢臣낂菣벃菣蚈臣馁苣鎁臣貁臣趁苣芀㰊䐯噉ਾ䐼噉㰾䥄㹖胣邼볯銼볯醀⼼䥄㹖 뎛볯鎼臣ꆼ臣꾁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈誏臣抳貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈ꪁ臣鞁㝢臣膀臣貂臣貂뇥馁苣芀㰊䐯噉ਾ䐼噉㰾䥄㹖胣邼볯銼볯醀⼼䥄㹖 覤ꫨ릖볥貁㘱䅑ꞁ胣趀闦抰臣㊌臣芁苣뒠郥膀쌴㊗㴨扭鎃菣袃臣랂菣鲃菣鎃菣袃臣膀苣ꦃ菣몢軧꺁臩蒁臣鲿臣ꚁ胣뎛볯鎼臣ꊼ臣몤臣袂臣ꮁ胣銼胥꺁苣뎃菣ꮃ菣莃菣낂菣벃菣䞗ㅹ䜬㉹臣낂菣벃菣蚈臣馁苣鎁臣貁臣趁苣芀㰊䐯噉ਾ䐼噉㰾䥄㹖胣邼볯銼볯醀⼼䥄㹖 뎛볯鎼臣ꊼ臣꾁胣뎛볯銼臣ꊼ臣뒠郥ꢁ郥颧臣膀苣뎃菣ꮃ菣莃菣낂菣벃菣䞗ㅹ臣꾁胣랂菣鲃菣鎃菣袃べ礬ⰱ㑹礬貁胣랂菣鲃菣鎃菣袃苣ꮃ菣鞃祇ꮁ臣膀苣뎃菣ꮃ菣莃菣禈ⰲ㍹礬ⰶ㝹臣膀臣貂臣貂뇥馁苣芀㰊䐯噉ਾ䐼噉㰾䥄㹖胣邼볯銼볯醀⼼䥄㹖 뎛볯钼臣膀䑌䍐곧랏臣膀곧랏闩亷臣ㆌ㈶〰菣莃菣ꞁ胣ꚬ迥隌軧貁⼳꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯隼볯鞼胣㲑䐯噉ਾ†鯥鞼볯꺁觥誂뷥ꚁ菣벃菣ꞁ臣膀苣ꮃ菣鞃苣莃菣薃ꃥ⢱扇ⰱ祇ⰱ⤱⠬扇ⰲ祇ⰲ⤱⠬扇ⰳ祇ⰲ⤲⠬扇ⰴ祇ⰱ⤱⠬扇ⰵ祇ⰱ⤲⠬扇ⰵ祇ⰲ⤱臣辦껥閁苣ꚁ臣讂胣ં⼼䥄㹖㰊䥄㹖䐼噉邀볯隼볯颼胣㲑䐯噉ਾ†臣ꪁ苣ꆁ胣뎛볯钼臣늉苣鎽臣ꮃ菣ꮃ臣꾁胣㲁牢ਾ†苣ꮃ菣鞃苣莃菣薃ꃥ⢱扇ⰱ祇ⰱ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰲ⤲臣袂苣膀苣ꦃ菣몢軧貁볯ꪕ鯧ꮁ觨蒁곧랏菣莃菣낂菣벃菣䞗㍢臣ꚬ迥鎃菣袃臣銼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰱ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰱ⤲臣袂苣膀苣ꦃ菣몢軧貁볯ꪕ鯧ꮁ觨蒁곧랏菣莃菣낂菣벃菣䞗㕢臣ꚬ迥鎃菣袃臣銼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㕢䜬㉹ㄬꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯隼볯馼胣㲑䐯噉ਾ†鯥鞼볯꾁胣뎛볯钼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯隼볯邼胣㲑䐯噉ਾ†臣ꪁ苣ꆁ胣뎛볯閼臣ꆼ臣膀䑌䍐곧랏臣膀곧랏闩亷臣ㆌ㈶〰菣莃菣ꞁ胣ꚬ迥隌軧貁⼳꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣뎛볯钼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯鎼볯醀⼼䥄㹖 䰠偄ꚬ迥貁胣ꚬ迥랕貁㘱〲鎃菣袃臣膀곧랏賥螎臣㎌㔯臣몐룥ꢔ䑌䍐곧랏臣芁苣膀臣覂臣膀ꓥ뾪雦込臣ㆌ儶䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌴㊗⤩韃㐨韃⤲菣莃菣꺁菣ꊃ菣鎼볯ꮁ鯦趁뻨뺁苣龁곧랏菣莃菣貁胣궃苣릖郥ꮁ胣㒁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯隼볯銼胣㲑䐯噉ਾ†藥貂鯦袁菩鎼볯꾁胣뎛볯钼臣늉苣鎽臣ꮃ菣ꮃ臣鎾臣膀菣ꊃ菣鎼볯讁苣궪臣몇臣貂苣㒋韃⠲洽⥢菣莃菣꺁곧랏菣莃菣抈ꪁ臣鞁㝢苣膀뻤袁臣膀鯥鞼볯꺁볯ꮁꓧ馁苣蚁臣膀⠲戽讀臣랂菣鲃菣꺁쌴㊗㴨扭鎃菣袃臣랂菣鲃菣鎃菣袃べ臣蒁臣禗ꮁ觥誂뷥ꚁ苣袂臣ꮁ胣㒁韃⠲洽⥢菣莃菣꺁곧랏菣莃菣抈ꪁ臣鞁㝢苣ꖅ苣뾛臣讂胣ં⼼䥄㹖㰊䥄㹖䐼噉邀볯隼볯鎼胣㲑䐯噉ਾ†臣ꪁ苣ꆁ胣ꖅ苣뾛臣ꢃ볯銼臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㉹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹ臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㝹臣膀戼㹲 鶁苣麁苣늉苣鎽臣讂藥貂鯦袁苣財臣芀㰊䐯噉ਾ䐼噉㰾䥄㹖胣邼볯鎼볯醀⼼䥄㹖 뎛볯閼臣ꊼ臣膀䑌䍐곧랏臣膀곧랏闩亷臣ㆌ㈶〰菣莃菣ꞁ胣ꚬ迥隌軧貁⼳꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣뎛볯钼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯鎼볯醀⼼䥄㹖 뎛볯閼臣ꊼ臣袂苣낁胣ꖅ苣뾛臣ꢃ볯銼臣膀鯥鞼볯꺁觥誂뷥ꚁ菣벃菣ꮁ뻥蒁胣ꆃ菣ꪃ볯醼臣覂ꫨ뾁蟥閁苣讂쌴㊗㴨扭鎃菣袃臣ꚬ迥鎃菣袃ぢ臣蒁臣抗ꮁ臣蒁臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㉹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃㙹臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㝹臣膀戼㹲 鶁苣麁苣늉苣鎽臣讂藥貂鯦袁苣財臣芀㰊䐯噉ਾ䐼噉㰾䥄㹖胣邼볯鎼볯醀⼼䥄㹖 뎛볯隼臣膀䑌䍐곧랏臣膀곧랏闩亷臣ㆌ㈶〰菣莃菣ꞁ胣ꚬ迥隌軧貁⼲꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣ꚬ迥鎃菣袃苣ꮃ菣鞃臣랂菣鲃菣鎃菣袃苣ꮃ菣鞃臣銂ꓧ鞁臣蒁苣芀㰊䐯噉ਾ䐼噉㰾䥄㹖胣邼볯鎼볯醀⼼䥄㹖 鎁臣뒠郥膀菣ꊃ菣鎼볯讁苣궪臣몇臣貂苣㒋韃⠲洽⥢菣莃菣꺁곧랏菣莃菣꾁胣ꢂ菣벃ꋧ螎臣閁臣ꮁ뿥颁臣膀鯥鞼볯꺁볯ꮁꓧ馁苣蚁臣膀볯讀臣ꚬ迥鎃菣袃苣ꮃ菣鞃扇ⰱ扇ⰲ扇ⰳ扇ⰴ扇ⰵ扇ꮁ苣ꮃ菣鞃裥醁臣讂臣ꢁ臣ꞁ臣讂胣ં⼼䥄㹖㰊䥄㹖䐼噉邀볯隼볯颼胣㲑䐯噉ਾ†鯥鞼볯꺁볯ꞁ臣膀곧랏菣莃菣낂菣벃菣䞗ㅢ臣꾁胣ꚬ迥鎃菣袃ぢ臣膀곧랏菣莃菣낂菣벃菣䞗㉢臣꾁胣ꚬ迥鎃菣袃ㅢ迥뎁㉢臣膀곧랏菣莃菣낂菣벃菣䞗㍢臣꾁胣ꚬ迥鎃菣袃㍢臣膀곧랏菣莃菣낂菣벃菣䞗㑢臣꾁胣ꚬ迥鎃菣袃㑢臣膀곧랏菣莃菣낂菣벃菣䞗㕢臣꾁胣ꚬ迥鎃菣袃㕢臣膀곧랏菣莃菣낂菣벃菣䞗㙢臣꾁胣ꚬ迥鎃菣袃㙢迥뎁㝢臣膀臣貂臣貂뇥馁苣芀㰊䐯噉ਾ䐼噉㰾䥄㹖胣邼볯鎼볯醀⼼䥄㹖 覤ꫨ릖볥貁㘱䅑ꞁ胣趀闦抰臣㊌臣芁苣뒠郥膀쌴㊗㴨扭鎃菣袃臣랂菣鲃菣鎃菣袃臣膀苣ꦃ菣몢軧꺁臩蒁臣鲿臣ꚁ胣뎛볯隼臣ꊼ臣몤臣袂臣ꮁ胣銼胥꺁苣뎃菣ꮃ菣莃菣낂菣벃菣䞗ㅹ䜬㉹臣낂菣벃菣蚈臣馁苣鎁臣貁臣趁苣芀㰊䐯噉ਾ䐼噉㰾䥄㹖胣邼볯钼볯醀⼼䥄㹖 뎛볯隼臣ꊼ臣꾁胣뎛볯銼臣ꊼ臣뒠郥ꢁ郥颧臣膀苣뎃菣ꮃ菣莃菣낂菣벃菣䞗ㅹ臣꾁胣랂菣鲃菣鎃菣袃べ礬ⰱ㑹礬貁胣랂菣鲃菣鎃菣袃苣ꮃ菣鞃祇ꮁ臣膀苣뎃菣ꮃ菣莃菣禈ⰲ㍹礬ⰶ㝹臣膀臣貂臣貂뇥馁苣芀㰊䐯噉ਾ䐼噉㰾䥄㹖胣邼볯钼볯醀⼼䥄㹖 뎛볯鞼臣膀䑌䍐곧랏臣膀곧랏闩亷臣ㆌ㈶〰菣莃菣ꞁ胣ꚬ迥隌軧貁⼲꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯隼볯銼胣㲑䐯噉ਾ†鯥鞼볯꺁觥誂뷥ꚁ菣벃菣ꞁ臣膀苣ꮃ菣鞃苣莃菣薃ꃥ⢱扇ⰱ祇ⰱ⤱⠬扇ⰲ祇ⰲ⤲⠬扇ⰳ祇ⰲ⤱⠬扇ⰴ祇ⰱ⤱⠬扇ⰵ祇ⰱ⤱⠬扇ⰶ祇ⰱ⤱⠬扇ⰶ祇ⰲ⤱臣辦껥閁苣ꚁ臣讂胣ં⼼䥄㹖㰊䥄㹖䐼噉邀볯隼볯鎼胣㲑䐯噉ਾ†臣ꪁ苣ꆁ胣뎛볯鞼臣늉苣鎽臣ꮃ菣ꮃ臣꾁胣㲁牢ਾ†苣ꮃ菣鞃苣莃菣薃ꃥ⢱扇ⰱ祇ⰱ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤲臣袂苣膀苣ꦃ菣몢軧貁볯ꪕ鯧ꮁ觨蒁곧랏菣莃菣낂菣벃菣䞗㉢臣ꚬ迥鎃菣袃臣銼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰲ⤱臣袂苣膀苣ꦃ菣몢軧貁볯ꪕ鯧ꮁ觨蒁곧랏菣莃菣낂菣벃菣䞗㍢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰱ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰱ⤱臣袂苣膀苣ꦃ菣몢軧貁볯ꪕ鯧ꮁ觨蒁곧랏菣莃菣낂菣벃菣䞗㕢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰶ祇ⰱ⤱臣袂苣膀苣ꦃ菣몢軧貁볯ꪕ鯧ꮁ觨蒁곧랏菣莃菣낂菣벃菣䞗㙢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㙢䜬㉹ㄬꮁ苣誂胣ꢂ菣벃ꋧ螎臣隼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯隼볯钼胣㲑䐯噉ਾ†鯥鞼볯꾁胣뎛볯鞼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯隼볯閼胣㲑䐯噉ਾ†臣ꪁ苣ꆁ胣뎛볯颼臣ꆼ臣膀䑌䍐곧랏臣膀곧랏闩亷臣ㆌ㈶〰菣莃菣ꞁ胣ꚬ迥隌軧貁⼲꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣뎛볯鞼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯钼볯醀⼼䥄㹖 䰠偄ꚬ迥貁胣ꚬ迥랕貁㘱〲鎃菣袃臣膀곧랏賥螎臣㊌㌯臣몐룥ꢔ䑌䍐곧랏臣芁苣膀臣覂臣膀ꓥ뾪雦込臣ㆌ儶䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌴㊗⤩韃㐨韃⤲菣莃菣꺁菣ꊃ菣鎼볯ꮁ鯦趁뻨뺁苣龁곧랏菣莃菣貁胣궃苣릖郥ꮁ胣㒁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯隼볯鞼胣㲑䐯噉ਾ†藥貂鯦袁菩鎼볯꾁胣뎛볯鞼臣늉苣鎽臣ꮃ菣ꮃ臣鎾臣膀菣ꊃ菣鎼볯讁苣궪臣몇臣貂苣㒋韃⠲洽⥢菣莃菣꺁곧랏菣莃菣抈ꪁ臣鞁㝢苣膀뻤袁臣膀鯥鞼볯꺁볯ꮁꓧ馁苣蚁臣膀⠲戽讀臣랂菣鲃菣꺁쌴㊗㴨扭鎃菣袃臣랂菣鲃菣鎃菣袃べ臣蒁臣禗ꮁ觥誂뷥ꚁ苣袂臣ꮁ胣㒁韃⠲洽⥢菣莃菣꺁곧랏菣莃菣抈ꪁ臣鞁㝢苣ꖅ苣뾛臣讂胣ં⼼䥄㹖㰊䥄㹖䐼噉邀볯隼볯颼胣㲑䐯噉ਾ†臣ꪁ苣ꆁ胣ꖅ苣뾛臣ꢃ볯銼臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㉹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹ臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㝹臣膀戼㹲 鶁苣麁苣늉苣鎽臣讂藥貂鯦袁苣財臣芀㰊䐯噉ਾ䐼噉㰾䥄㹖胣邼볯钼볯醀⼼䥄㹖 뎛볯颼臣ꊼ臣膀䑌䍐곧랏臣膀곧랏闩亷臣ㆌ㈶〰菣莃菣ꞁ胣ꚬ迥隌軧貁⼲꺁郦꾸铧䲨偄ꚬ迥ꞁ臣誂胣閁苣ꮁ胣覤ꫨ릖볥貁㘱䅑ꞁ胣趀闦抰臣㊌臣芁苣뒠郥꺁胣뎛볯鞼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯閼볯醀⼼䥄㹖 뎛볯颼臣ꊼ臣袂苣낁胣ꖅ苣뾛臣ꢃ볯銼臣膀鯥鞼볯꺁觥誂뷥ꚁ菣벃菣ꮁ뻥蒁胣ꆃ菣ꪃ볯醼臣覂ꫨ뾁蟥閁苣讂쌴㊗㴨扭鎃菣袃臣ꚬ迥鎃菣袃ぢ臣蒁臣抗ꮁ臣蒁臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㉹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃㙹臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㝹臣膀戼㹲 鶁苣麁苣늉苣鎽臣讂藥貂鯦袁苣財臣芀㰊䐯噉ਾ䐼噉㰾䥄㹖胣邼볯閼볯醀⼼䥄㹖 뎛볯馼臣膀䑌䍐곧랏臣膀곧랏闩亷臣ㆌ㈶〰菣莃菣ꞁ胣ꚬ迥隌軧貁⼱꺁郦꾸铧䲨偄ꚬ迥ꞁ臣誂胣閁苣ꮁ胣覤ꫨ릖볥貁㐶䅑ꞁ볯鞁臣貁臣ꚁ胣涁㘽볯膀胥낕貁ꞁ臣讂ꃥ袐臣膀곧랏菣莃菣낂菣벃菣ꢁ苣뎃菣ꮃ菣莃菣낂菣벃菣ꢁ苣몤臣ꚁ臣讂胣ં⼼䥄㹖㰊䥄㹖䐼噉邀볯隼볯銼胣㲑䐯噉ਾ†臣꺁ꃥ袐胣ꆃ菣ꪃ볯醼臣覂ꫨ뾁蟥閁苣讂쌶㊗㴨扭鎃菣袃臣ꚬ迥鎃菣袃臣膀苣ꦃ菣몢軧꺁臩蒁臣鲿臣ꚁ胣뎛볯馼臣ꆼ臣몤臣袂臣ꮁ胣钼胥꺁곧랏菣莃菣낂菣벃菣䞗ㅢ䜬㉢䜬㍢䜬㑢臣낂菣벃菣蚈臣馁苣鎁臣貁臣趁苣芀㰊䐯噉ਾ䐼噉㰾䥄㹖胣邼볯閼볯醀⼼䥄㹖 뎛볯馼臣ꆼ臣꾁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈ꪁ臣鞁ㅢ貁胣鶁苣麁苣麱臣讂胣ં⼼䥄㹖㰊䥄㹖䐼噉邀볯隼볯钼胣㲑䐯噉ਾ†ꓥ뾪雦込臣㚌儴䵁臣膀胥낕貁ꞁ臣讂ꃥ袐胣㚁韃⠲洽⥢菣莃菣꺁苣뎃菣ꮃ菣莃菣꾁胣ꢂ菣벃ꋧ螎臣閁臣ꮁ뿥颁臣膀鯥鞼볯꺁볯ꮁꓧ馁苣蚁臣膀볯讀臣랂菣鲃菣鎃菣袃苣ꮃ菣鞃祇ⰱ祇ⰲ祇ꮁ苣ꮃ菣鞃裥醁臣讂臣ꢁ臣ꞁ臣讂胣ં⼼䥄㹖㰊䥄㹖䐼噉邀볯隼볯閼胣㲑䐯噉ਾ†鯥鞼볯꺁볯ꞁ臣膀苣뎃菣ꮃ菣莃菣낂菣벃菣䞗ㅹ臣꾁胣랂菣鲃菣鎃菣袃べ礬ⰱ㙹礬貁胣랂菣鲃菣鎃菣袃苣ꮃ菣鞃祇ꮁ臣膀苣뎃菣ꮃ菣莃菣禈ⰲ㍹礬ⰸ㥹臣膀苣뎃菣ꮃ菣莃菣낂菣벃菣䞗㍹臣꾁胣랂菣鲃菣鎃菣袃㑹礬ⰵㅹⰰㅹ貁胣鶁苣麁苣麱臣讂胣ં⼼䥄㹖㰊䥄㹖䐼噉邀볯隼볯隼胣㲑䐯噉ਾ†鯥颼볯꾁胣䲁偄ꚬ迥貁胣ꚬ迥랕貁㘱〲鎃菣袃臣膀곧랏賥螎臣ㆌ㔯臣몐룥ꢔ䑌䍐곧랏臣芁苣膀臣覂臣膀ꓥ뾪雦込臣㚌儴䵁臣膀胥낕貁ꞁ臣讂ꃥ袐臣膀觥誂뷥ꚁ菣벃菣銂ꓧ鞁臣蒁苣芀㰊䐯噉ਾ䐼噉㰾䥄㹖胣邼볯閼볯醀⼼䥄㹖 뎛볯邼臣늉苣鎽臣ꮃ菣ꮃ臣꾁胣낂菣벃菣뮂菣袃菦놠䜨ㅢ䜬㉹ㄬⰩ䜨㉢䜬㉹ㄬⰩ䜨㍢䜬㍹ㄬⰩ䜨㑢䜬㍹㌬Ⱙ䜨㑢䜬ㅹ㐬Ⱙ䜨㑢䜬㉹㈬貁ꛨ骮臣貂臣蒁苣芀㰊䐯噉ਾ䐼噉㰾䥄㹖胣邼볯閼볯醀⼼䥄㹖 馁臣辂臣膀鯥颼볯꺁觥誂뷥ꚁ菣벃菣ꞁ臣膀戼㹲 낂菣벃菣뮂菣袃菦놠䜨ㅢ䜬㉹ㄬꮁ苣誂胣ꢂ菣벃ꋧ螎臣醼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣膀戼㹲 낂菣벃菣뮂菣袃菦놠䜨㉢䜬㉹ㄬꮁ苣誂胣ꢂ菣벃ꋧ螎臣銼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣膀戼㹲 낂菣벃菣뮂菣袃菦놠䜨㍢䜬㍹ㄬꮁ苣誂胣ꢂ菣벃ꋧ螎臣鎼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㍹臣랂菣鲃菣鎃菣袃臣醼菣莃菣ꮁ觥誂뷥ꚁ苣鎁臣膀戼㹲 낂菣벃菣뮂菣袃菦놠䜨㑢䜬㍹㌬ꮁ苣誂胣ꢂ菣벃ꋧ螎臣钼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㍹臣랂菣鲃菣鎃菣袃臣鎼菣莃菣ꮁ觥誂뷥ꚁ苣鎁臣膀戼㹲 낂菣벃菣뮂菣袃菦놠䜨㑢䜬ㅹ㐬ꮁ苣誂胣ꢂ菣벃ꋧ螎臣钼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗ㅹ臣랂菣鲃菣鎃菣袃臣钼菣莃菣ꮁ觥誂뷥ꚁ苣鎁臣膀戼㹲 誏臣膀苣ꮃ菣鞃苣莃菣薃ꃥ⢱扇ⰴ祇ⰲ⤲臣袂苣膀苣ꦃ菣몢軧貁볯ꪕ鯧ꮁ觨蒁곧랏菣莃菣낂菣벃菣䞗㑢臣ꚬ迥鎃菣袃臣銼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ戼㹲 貁ꛨ骮臣貂臣蒁苣芀㰊䐯噉ਾ䐼噉㰾䥄㹖胣邼볯閼볯醀⼼䥄㹖 뎛볯醼臣膀鯥颼볯꺁觥誂뷥ꚁ菣벃菣ꮁ뻥ꎁ臣ꚬ迥鎃菣袃臣ꖅ苣뾛臣꺁뻤銂ꓧ鞁臣蒁苣芀㰊䐯噉ਾ䐼噉㰾䥄㹖胣邼볯隼볯醀⼼䥄㹖 馁臣辂臣膀鯥颼볯꺁볯꾁胣䲁偄ꚬ迥貁胣ꚬ迥랕貁㘱〲鎃菣袃臣膀곧랏賥螎臣ㆌ㔯臣몐룥ꢔ䑌䍐곧랏臣芁苣膀臣覂臣膀ꓥ뾪雦込臣㚌儴䵁臣膀胥낕貁ꞁ臣讂ꃥ袐臣膀鯥颼볯꺁觥誂뷥ꚁ菣벃菣ꮁ뻥ꎁ臣ꚬ迥鎃菣袃臣ꖅ苣뾛臣꺁곧醼臣设苣몤臣ꚁ臣讂胣ં⼼䥄㹖㰊䥄㹖䐼噉邀볯隼볯醼胣㲑䐯噉ਾ†䑌䍐곧랏臣膀곧랏闩亷臣ㆌ㈶〰菣莃菣ꞁ胣ꚬ迥隌軧貁⼱꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥膀菣麃菣膃菣것苣떂볯閼臣꾁胣ꮂ菣ꂃ雦醐韃菣Ꚃ雦醐臣⢌㘱〲⼰㘨韃⤲쌩⢗쌶㊗鎃菣袃臣ꆃ菣ꪃ볯醼臣뢛臣벾臣貂臣ꚬ迥鎃菣袃臣膀菣Ꚃ雦醐臣膀쌶㊗㴨扭鎃菣袃跥趽臣궪臣몇臣貂胣ꖅ苣뾛臣ꢃ볯銼볯뎛볯颼胣뎛볯馼볯ꮁ뻤ꚵ臣貂苣芀㰊䐯噉ਾ䐼噉㰾䥄㹖胣邼볯隼볯醀⼼䥄㹖 ꖅ苣뾛臣ꢃ볯銼臣膀鯥颼볯꺁觥誂뷥ꚁ菣벃菣ꮁ뻥蒁胣ꆃ菣ꪃ볯醼臣覂ꫨ뾁蟥閁苣讂쌶㊗㴨扭鎃菣袃臣ꚬ迥鎃菣袃ぢ臣蒁臣抗ㄱ苣膀뻤袁臣膀鯥颼볯꺁볯ꮁꓧ馁苣蚁臣膀⠲戽讀臣랂菣鲃菣꺁쌶㊗㴨扭鎃菣袃臣랂菣鲃菣鎃菣袃べ臣蒁臣禗ㄱ臣늉苣鎽臣讂苣蚁臣膀쌶㊗㴨扭鎃菣袃臣ꚬ迥鎃菣袃ぢ臣蒁臣抗ㄱ苣ꖅ苣뾛臣讂胣ં⼼䥄㹖㰊䥄㹖䐼噉邀볯隼볯鎼胣㲑䐯噉ਾ†臣ꪁ苣ꆁ胣ꖅ苣뾛臣ꢃ볯銼臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㡹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃べ臣膀戼㹲 ꚬ迥鎃菣袃㕢苣膀苣뎃菣ꮃ菣莃菣禈〱臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㥹臣膀戼㹲 ꚬ迥鎃菣袃㡢苣膀苣뎃菣ꮃ菣莃菣禈ꮁ胣㲁牢ਾ†곧랏菣莃菣抈銂胣랂菣鲃菣鎃菣袃㝹臣膀戼㹲 ꚬ迥鎃菣袃ㅢ銂胣랂菣鲃菣鎃菣袃㍹臣膀戼㹲 ꚬ迥鎃菣袃ㅢ銂胣랂菣鲃菣鎃菣袃㙹臣膀戼㹲 鶁苣麁苣늉苣鎽臣讂藥貂鯦袁苣財臣芀㰊䐯噉ਾ䐼噉㰾䥄㹖胣邼볯隼볯醀⼼䥄㹖 뎛볯醼臣ꊼ臣膀䑌䍐곧랏臣膀곧랏闩亷臣ㆌ㈶〰菣莃菣ꞁ胣ꚬ迥隌軧貁⼱꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣뎛볯邼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯隼볯醀⼼䥄㹖 뎛볯醼臣ꊼ臣袂苣낁胣ꖅ苣뾛臣ꢃ볯銼臣膀鯥颼볯꺁觥誂뷥ꚁ菣벃菣ꮁ뻥蒁胣ꆃ菣ꪃ볯醼臣覂ꫨ뾁蟥閁苣讂쌶㊗㴨扭鎃菣袃臣ꚬ迥鎃菣袃ぢ臣蒁臣抗ㄱ臣ꒁ臣ꚁ胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈〱臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈ꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯隼볯隼胣㲑䐯噉ਾ†鯥颼볯꾁胣䲁偄ꚬ迥貁胣ꚬ迥랕貁㘱〲鎃菣袃臣膀곧랏賥螎臣㒌ㄯ꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣ꚬ迥鎃菣袃苣ꮃ菣鞃臣랂菣鲃菣鎃菣袃苣ꮃ菣鞃臣銂ꓧ鞁臣蒁苣芀㰊䐯噉ਾ䐼噉㰾䥄㹖胣邼볯隼볯醀⼼䥄㹖 鎁臣뒠郥膀菣ꊃ菣鎼볯讁苣궪臣몇臣貂苣㚋韃⠲洽⥢菣莃菣꺁곧랏菣莃菣꾁胣ꢂ菣벃ꋧ螎臣閁臣ꮁ뿥颁臣膀鯥颼볯꺁볯ꮁꓧ馁苣蚁臣膀볯讀臣ꚬ迥鎃菣袃苣ꮃ菣鞃扇ⰱ扇ⰲ扇ⰳ扇ⰴ扇ꮁ苣ꮃ菣鞃裥醁臣讂臣ꢁ臣ꞁ臣讂胣ં⼼䥄㹖㰊䥄㹖䐼噉邀볯隼볯颼胣㲑䐯噉ਾ†鯥颼볯꺁볯ꞁ臣膀곧랏菣莃菣낂菣벃菣䞗ㅢ臣꾁胣ꚬ迥鎃菣袃ぢ臣膀곧랏菣莃菣낂菣벃菣䞗㉢臣꾁胣ꚬ迥鎃菣袃ㅢ臣膀곧랏菣莃菣낂菣벃菣䞗㍢臣꾁胣ꚬ迥鎃菣袃㉢臣膀곧랏菣莃菣낂菣벃菣䞗㑢臣꾁胣ꚬ迥鎃菣袃㍢臣膀곧랏菣莃菣낂菣벃菣䞗㕢臣꾁胣ꚬ迥鎃菣袃㑢臣蒁臣抗ㄱ臣膀臣貂臣貂뇥馁苣芀㰊䐯噉ਾ䐼噉㰾䥄㹖胣邼볯隼볯醀⼼䥄㹖 覤ꫨ릖볥貁㐶䅑ꞁ胣趀闦抰臣㊌臣芁苣뒠郥膀쌶㊗㴨扭鎃菣袃臣랂菣鲃菣鎃菣袃臣膀苣ꦃ菣몢軧꺁臩蒁臣鲿臣ꚁ胣뎛볯銼臣ꊼ臣몤臣袂臣ꮁ胣鎼胥꺁苣뎃菣ꮃ菣莃菣낂菣벃菣䞗ㅹ䜬㉹䜬㍹臣낂菣벃菣蚈臣馁苣鎁臣貁臣趁苣芀㰊䐯噉ਾ䐼噉㰾䥄㹖胣邼볯鞼볯醀⼼䥄㹖 뎛볯銼臣ꊼ臣꾁胣뎛볯馼臣ꊼ臣貐꟦ꮁ胣랂菣鲃菣鎃菣袃苣ꮃ菣鞃祇ꮁ臣膀苣뎃菣ꮃ菣莃菣禈ⰰㅹ礬ⰶ㝹臣膀苣뎃菣ꮃ菣莃菣낂菣벃菣䞗㉹臣꾁胣랂菣鲃菣鎃菣袃㉹礬ⰳ㡹礬貁胣랂菣鲃菣鎃菣袃苣ꮃ菣鞃祇ꮁ臣膀苣뎃菣ꮃ菣莃菣禈ⰴ㕹礬〱礬ㄱ臣膀臣貂臣貂뇥馁苣芀㰊䐯噉ਾ䐼噉㰾䥄㹖胣邼볯鞼볯醀⼼䥄㹖 뎛볯鎼臣膀䑌䍐곧랏臣膀곧랏闩亷臣ㆌ㈶〰菣莃菣ꞁ胣ꚬ迥隌軧貁⼴㔱臣몐룥ꢔ䑌䍐곧랏臣芁苣膀臣覂臣膀ꓥ뾪雦込臣㚌儴䵁臣膀胥낕貁ꞁ臣讂ꃥ袐臣膀觥誂뷥ꚁ菣벃菣銂ꓧ鞁臣蒁苣芀㰊䐯噉ਾ䐼噉㰾䥄㹖胣邼볯鞼볯醀⼼䥄㹖 뎛볯鎼臣늉苣鎽臣ꮃ菣ꮃ臣꾁胣낂菣벃菣뮂菣袃菦놠䜨ㅢ䜬㉹ㄬⰩ䜨㉢䜬㉹ㄬⰩ䜨㍢䜬㍹ㄬⰩ䜨㑢䜬ㅹㄬⰩ䜨㕢䜬ㅹ㌬Ⱙ䜨㕢䜬㍹㌬Ⱙ䜨㕢䜬㉹㈬貁ꛨ骮臣貂臣蒁苣芀㰊䐯噉ਾ䐼噉㰾䥄㹖胣邼볯鞼볯醀⼼䥄㹖 馁臣辂臣膀鯥颼볯꺁觥誂뷥ꚁ菣벃菣ꞁ臣膀戼㹲 낂菣벃菣뮂菣袃菦놠䜨ㅢ䜬㉹ㄬꮁ苣誂胣ꢂ菣벃ꋧ螎臣醼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣膀戼㹲 낂菣벃菣뮂菣袃菦놠䜨㉢䜬㉹ㄬꮁ苣誂胣ꢂ菣벃ꋧ螎臣銼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣膀戼㹲 낂菣벃菣뮂菣袃菦놠䜨㍢䜬㍹ㄬꮁ苣誂胣ꢂ菣벃ꋧ螎臣鎼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㍹臣랂菣鲃菣鎃菣袃臣醼菣莃菣ꮁ觥誂뷥ꚁ苣鎁臣膀戼㹲 낂菣벃菣뮂菣袃菦놠䜨㑢䜬ㅹㄬꮁ苣誂胣ꢂ菣벃ꋧ螎臣钼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗ㅹ臣랂菣鲃菣鎃菣袃臣醼菣莃菣ꮁ觥誂뷥ꚁ苣鎁臣膀戼㹲 낂菣벃菣뮂菣袃菦놠䜨㕢䜬ㅹ㌬ꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗ㅹ臣랂菣鲃菣鎃菣袃臣鎼菣莃菣ꮁ觥誂뷥ꚁ苣鎁臣膀戼㹲 낂菣벃菣뮂菣袃菦놠䜨㕢䜬㍹㌬ꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㍹臣랂菣鲃菣鎃菣袃臣鎼菣莃菣ꮁ觥誂뷥ꚁ苣鎁臣膀戼㹲 誏臣膀苣ꮃ菣鞃苣莃菣薃ꃥ⢱扇ⰵ祇ⰲ⤲臣袂苣膀苣ꦃ菣몢軧貁볯ꪕ鯧ꮁ觨蒁곧랏菣莃菣낂菣벃菣䞗㕢臣ꚬ迥鎃菣袃臣銼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ戼㹲 貁ꛨ骮臣貂臣蒁苣芀㰊䐯噉ਾ䐼噉㰾䥄㹖胣邼볯鞼볯醀⼼䥄㹖 뎛볯钼臣膀鯥颼볯꺁觥誂뷥ꚁ菣벃菣ꮁ뻥ꎁ臣ꚬ迥鎃菣袃臣ꖅ苣뾛臣꺁뻤銂ꓧ鞁臣蒁苣芀㰊䐯噉ਾ䐼噉㰾䥄㹖胣邼볯鞼볯醀⼼䥄㹖 馁臣辂臣膀鯥颼볯꺁볯꾁胣䲁偄ꚬ迥貁胣ꚬ迥랕貁㘱〲鎃菣袃臣膀곧랏賥螎臣㒌ㄯ꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣뎛볯鎼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯鞼볯醀⼼䥄㹖 䰠偄ꚬ迥貁胣ꚬ迥랕貁㘱〲鎃菣袃臣膀곧랏賥螎臣㒌ㄯ꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥膀菣麃菣膃菣것苣떂볯閼臣꾁胣ꮂ菣ꂃ雦醐韃菣Ꚃ雦醐臣⢌㘱〲⼰㘨韃⤲쌩⢗쌶㊗鎃菣袃臣ꆃ菣ꪃ볯醼臣뢛臣벾臣貂臣ꚬ迥鎃菣袃臣膀菣Ꚃ雦醐臣膀쌶㊗㴨扭鎃菣袃跥趽臣궪臣몇臣貂胣ꖅ苣뾛臣ꢃ볯銼볯뎛볯颼胣뎛볯馼볯ꮁ뻤ꚵ臣貂苣芀㰊䐯噉ਾ䐼噉㰾䥄㹖胣邼볯鞼볯醀⼼䥄㹖 ꖅ苣뾛臣ꢃ볯銼臣膀鯥颼볯꺁觥誂뷥ꚁ菣벃菣ꮁ뻥蒁胣ꆃ菣ꪃ볯醼臣覂ꫨ뾁蟥閁苣讂쌶㊗㴨扭鎃菣袃臣ꚬ迥鎃菣袃ぢ臣蒁臣抗ㄱ苣膀뻤袁臣膀鯥颼볯꺁볯ꮁꓧ馁苣蚁臣膀⠲戽讀臣랂菣鲃菣꺁쌶㊗㴨扭鎃菣袃臣랂菣鲃菣鎃菣袃べ臣蒁臣禗ㄱ臣늉苣鎽臣讂苣蚁臣膀쌶㊗㴨扭鎃菣袃臣ꚬ迥鎃菣袃ぢ臣蒁臣抗ㄱ苣ꖅ苣뾛臣讂胣ં⼼䥄㹖㰊䥄㹖䐼噉邀볯隼볯颼胣㲑䐯噉ਾ†臣ꪁ苣ꆁ胣ꖅ苣뾛臣ꢃ볯銼臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㡹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃㙹臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈〱臣膀戼㹲 鶁苣麁苣늉苣鎽臣讂藥貂鯦袁苣財臣芀㰊䐯噉ਾ䐼噉㰾䥄㹖胣邼볯鞼볯醀⼼䥄㹖 뎛볯钼臣ꊼ臣膀䑌䍐곧랏臣膀곧랏闩亷臣ㆌ㈶〰菣莃菣ꞁ胣ꚬ迥隌軧貁⼴㔱臣몐룥ꢔ䑌䍐곧랏臣芁苣膀臣覂臣膀ꓥ뾪雦込臣㚌儴䵁臣膀胥낕貁ꞁ臣讂ꃥ袐臣膀鯥颼볯꺁觥誂뷥ꚁ菣벃菣ꮁ뻥ꎁ臣ꚬ迥鎃菣袃臣ꖅ苣뾛臣꺁곧銼臣设苣몤臣ꚁ臣讂胣ં⼼䥄㹖㰊䥄㹖䐼噉邀볯隼볯邼胣㲑䐯噉ਾ†鯥颼볯꺁볯ꮁ苣貂臣膀藥貂鯦袁菩鎼볯꾁胣뎛볯鎼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢꮁ臣蒁臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃べ臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㥹臣膀戼㹲 ꚬ迥鎃菣袃㡢苣膀苣뎃菣ꮃ菣莃菣禈ㄱ臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈〱臣膀戼㹲 鶁苣麁苣늉苣鎽臣讂藥貂鯦袁苣財臣芀㰊䐯噉ਾ䐼噉㰾䥄㹖胣邼볯颼볯醀⼼䥄㹖 뎛볯閼臣膀䑌䍐곧랏臣膀곧랏闩亷臣ㆌ㈶〰菣莃菣ꞁ胣ꚬ迥隌軧貁⼱꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣ꚬ迥鎃菣袃苣ꮃ菣鞃臣랂菣鲃菣鎃菣袃苣ꮃ菣鞃臣銂ꓧ鞁臣蒁苣芀㰊䐯噉ਾ䐼噉㰾䥄㹖胣邼볯颼볯醀⼼䥄㹖 鎁臣뒠郥膀菣ꊃ菣鎼볯讁苣궪臣몇臣貂苣㚋韃⠲洽⥢菣莃菣꺁곧랏菣莃菣꾁胣ꢂ菣벃ꋧ螎臣閁臣ꮁ뿥颁臣膀鯥颼볯꺁볯ꮁꓧ馁苣蚁臣膀볯讀臣ꚬ迥鎃菣袃苣ꮃ菣鞃扇ⰱ扇ⰲ扇ⰳ扇ⰴ扇ꮁ苣ꮃ菣鞃裥醁臣讂臣ꢁ臣ꞁ臣讂胣ં⼼䥄㹖㰊䥄㹖䐼噉邀볯隼볯鎼胣㲑䐯噉ਾ†鯥颼볯꺁볯ꞁ臣膀곧랏菣莃菣낂菣벃菣䞗ㅢ臣꾁胣ꚬ迥鎃菣袃ぢ臣膀곧랏菣莃菣낂菣벃菣䞗㉢臣꾁胣ꚬ迥鎃菣袃ㅢ臣膀곧랏菣莃菣낂菣벃菣䞗㍢臣꾁胣ꚬ迥鎃菣袃㉢臣膀곧랏菣莃菣낂菣벃菣䞗㑢臣꾁胣ꚬ迥鎃菣袃㍢臣膀곧랏菣莃菣낂菣벃菣䞗㕢臣꾁胣ꚬ迥鎃菣袃㑢臣蒁臣抗ㄱ臣膀臣貂臣貂뇥馁苣芀㰊䐯噉ਾ䐼噉㰾䥄㹖胣邼볯颼볯醀⼼䥄㹖 覤ꫨ릖볥貁㐶䅑ꞁ胣趀闦抰臣㊌臣芁苣뒠郥膀쌶㊗㴨扭鎃菣袃臣랂菣鲃菣鎃菣袃臣膀苣ꦃ菣몢軧꺁臩蒁臣鲿臣ꚁ胣뎛볯閼臣ꊼ臣몤臣袂臣ꮁ胣鎼胥꺁苣뎃菣ꮃ菣莃菣낂菣벃菣䞗ㅹ䜬㉹䜬㍹臣낂菣벃菣蚈臣馁苣鎁臣貁臣趁苣芀㰊䐯噉ਾ䐼噉㰾䥄㹖胣邼볯颼볯醀⼼䥄㹖 뎛볯閼臣ꊼ臣꾁胣뎛볯馼臣ꊼ臣貐꟦ꮁ胣랂菣鲃菣鎃菣袃苣ꮃ菣鞃祇ꮁ臣膀苣뎃菣ꮃ菣莃菣禈ⰰㅹ礬ⰶ㝹臣膀苣뎃菣ꮃ菣莃菣낂菣벃菣䞗㉹臣꾁胣랂菣鲃菣鎃菣袃㉹礬ⰳ㡹礬貁胣랂菣鲃菣鎃菣袃苣ꮃ菣鞃祇ꮁ臣膀苣뎃菣ꮃ菣莃菣禈ⰴ㕹礬〱礬ㄱ臣膀臣貂臣貂뇥馁苣芀㰊䐯噉ਾ䐼噉㰾䥄㹖胣邼볯颼볯醀⼼䥄㹖 뎛볯隼臣膀䑌䍐곧랏臣膀곧랏闩亷臣ㆌ㈶〰菣莃菣ꞁ胣ꚬ迥隌軧貁⼱꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯隼볯鞼胣㲑䐯噉ਾ†鯥颼볯꺁觥誂뷥ꚁ菣벃菣ꞁ臣膀苣ꮃ菣鞃苣莃菣薃ꃥ⢱扇ⰱ祇ⰲ⤱⠬扇ⰲ祇ⰲ⤱⠬扇ⰳ祇ⰳ⤱⠬扇ⰴ祇ⰱ⤱⠬扇ⰵ祇ⰱ⤳⠬扇ⰵ祇ⰳ⤳⠬扇ⰵ祇ⰲ⤲臣辦껥閁苣ꚁ臣讂胣ં⼼䥄㹖㰊䥄㹖䐼噉邀볯隼볯颼胣㲑䐯噉ਾ†臣ꪁ苣ꆁ胣뎛볯隼臣늉苣鎽臣ꮃ菣ꮃ臣꾁胣㲁牢ਾ†苣ꮃ菣鞃苣莃菣薃ꃥ⢱扇ⰱ祇ⰲ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰳ⤱臣袂苣膀苣ꦃ菣몢軧貁볯ꪕ鯧ꮁ觨蒁곧랏菣莃菣낂菣벃菣䞗㍢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰱ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰱ⤳臣袂苣膀苣ꦃ菣몢軧貁볯ꪕ鯧ꮁ觨蒁곧랏菣莃菣낂菣벃菣䞗㕢臣ꚬ迥鎃菣袃臣鎼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰳ⤳臣袂苣膀苣ꦃ菣몢軧貁볯ꪕ鯧ꮁ觨蒁곧랏菣莃菣낂菣벃菣䞗㕢臣ꚬ迥鎃菣袃臣鎼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㕢䜬㉹㈬ꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣銼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯隼볯馼胣㲑䐯噉ਾ†鯥颼볯꾁胣뎛볯隼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯隼볯邼胣㲑䐯噉ਾ†臣ꪁ苣ꆁ胣뎛볯鞼臣ꆼ臣膀䑌䍐곧랏臣膀곧랏闩亷臣ㆌ㈶〰菣莃菣ꞁ胣ꚬ迥隌軧貁⼱꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣뎛볯隼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯馼볯醀⼼䥄㹖 䰠偄ꚬ迥貁胣ꚬ迥랕貁㘱〲鎃菣袃臣膀곧랏賥螎臣ㆌ㌯臣몐룥ꢔ䑌䍐곧랏臣芁苣膀臣覂臣膀ꓥ뾪雦込臣㚌儴䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌶㊗⤩韃㘨韃⤲菣莃菣꺁菣ꊃ菣鎼볯ꮁ鯦趁뻨뺁苣龁곧랏菣莃菣貁胣궃苣릖郥ꮁ胣㚁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯隼볯銼胣㲑䐯噉ਾ†藥貂鯦袁菩鎼볯꾁胣뎛볯隼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢ銂胣设臣낁胣뎛볯鞼臣ꆼ臣몤臣袂臣ꮁ胣㊁㴨⥢胥꺁苣뎃菣ꮃ臣㚮韃⠲洽⥢菣莃菣꺁苣뎃菣ꮃ菣莃菣禈ꪁ臣鞁ㅹꮁ觥誂뷥ꚁ苣袂臣ꮁ胣㚁韃⠲洽⥢菣莃菣꺁곧랏菣莃菣抈ꪁ臣鞁ㅢ銂藥貂鯦袁苣芀㰊䐯噉ਾ䐼噉㰾䥄㹖胣邼볯馼볯醀⼼䥄㹖 馁臣辂臣膀藥貂鯦袁菩鎼볯꾁胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈ꮁ胣㲁牢ਾ†곧랏菣莃菣抈銂胣랂菣鲃菣鎃菣袃べ臣膀戼㹲 ꚬ迥鎃菣袃㕢苣膀苣뎃菣ꮃ菣莃菣禈ㄱ臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㥹臣膀戼㹲 ꚬ迥鎃菣袃㡢苣膀苣뎃菣ꮃ菣莃菣禈ꮁ胣㲁牢ਾ†곧랏菣莃菣抈銂胣랂菣鲃菣鎃菣袃㝹臣膀戼㹲 ꚬ迥鎃菣袃ㅢ銂胣랂菣鲃菣鎃菣袃㍹臣膀戼㹲 ꚬ迥鎃菣袃ㅢ銂胣랂菣鲃菣鎃菣袃ㅹꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯隼볯钼胣㲑䐯噉ਾ†鯥颼볯꺁볯꾁胣䲁偄ꚬ迥貁胣ꚬ迥랕貁㘱〲鎃菣袃臣膀곧랏賥螎臣ㆌ㌯臣몐룥ꢔ䑌䍐곧랏臣芁苣膀臣覂臣膀ꓥ뾪雦込臣㚌儴䵁臣膀胥낕貁ꞁ臣讂ꃥ袐臣膀鯥颼볯꺁觥誂뷥ꚁ菣벃菣ꮁ뻥ꎁ臣ꚬ迥鎃菣袃臣ꖅ苣뾛臣꺁곧銼臣设苣몤臣ꚁ臣讂胣ં⼼䥄㹖㰊䥄㹖䐼噉邀볯隼볯閼胣㲑䐯噉ਾ†鯥颼볯꺁볯ꮁ苣貂臣膀藥貂鯦袁菩鎼볯꾁胣뎛볯隼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢꮁ臣蒁臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃べ臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㥹臣膀戼㹲 ꚬ迥鎃菣袃㡢苣膀苣뎃菣ꮃ菣莃菣禈ㄱ臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈〱臣膀戼㹲 鶁苣麁苣늉苣鎽臣讂藥貂鯦袁苣財臣芀㰊䐯噉ਾ䐼噉㰾䥄㹖胣邼볯馼볯醀⼼䥄㹖 뎛볯颼臣膀䑌䍐곧랏臣膀곧랏闩亷臣ㆌ㈶〰菣莃菣ꞁ胣ꚬ迥隌軧貁⼲꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣ꚬ迥鎃菣袃苣ꮃ菣鞃臣랂菣鲃菣鎃菣袃苣ꮃ菣鞃臣銂ꓧ鞁臣蒁苣芀㰊䐯噉ਾ䐼噉㰾䥄㹖胣邼볯馼볯醀⼼䥄㹖 鎁臣뒠郥膀菣ꊃ菣鎼볯讁苣궪臣몇臣貂苣㚋韃⠲洽⥢菣莃菣꺁곧랏菣莃菣꾁胣ꢂ菣벃ꋧ螎臣閁臣ꮁ뿥颁臣膀鯥颼볯꺁볯ꮁꓧ馁苣蚁臣膀볯讀臣ꚬ迥鎃菣袃苣ꮃ菣鞃扇ⰱ扇ⰲ扇ⰳ扇ⰴ扇ꮁ苣ꮃ菣鞃裥醁臣讂臣ꢁ臣ꞁ臣讂胣ં⼼䥄㹖㰊䥄㹖䐼噉邀볯隼볯颼胣㲑䐯噉ਾ†鯥颼볯꺁볯ꞁ臣膀곧랏菣莃菣낂菣벃菣䞗ㅢ臣꾁胣ꚬ迥鎃菣袃ぢ臣膀곧랏菣莃菣낂菣벃菣䞗㉢臣꾁胣ꚬ迥鎃菣袃ㅢ迥뎁㉢臣膀곧랏菣莃菣낂菣벃菣䞗㍢臣꾁胣ꚬ迥鎃菣袃㍢臣膀곧랏菣莃菣낂菣벃菣䞗㑢臣꾁胣ꚬ迥鎃菣袃㑢臣膀곧랏菣莃菣낂菣벃菣䞗㕢臣꾁胣ꚬ迥鎃菣袃㕢臣蒁臣抗ㄱ臣膀臣貂臣貂뇥馁苣芀㰊䐯噉ਾ䐼噉㰾䥄㹖胣邼볯馼볯醀⼼䥄㹖 覤ꫨ릖볥貁㐶䅑ꞁ胣趀闦抰臣㊌臣芁苣뒠郥膀쌶㊗㴨扭鎃菣袃臣랂菣鲃菣鎃菣袃臣膀苣ꦃ菣몢軧꺁臩蒁臣鲿臣ꚁ胣뎛볯颼臣ꊼ臣몤臣袂臣ꮁ胣鎼胥꺁苣뎃菣ꮃ菣莃菣낂菣벃菣䞗ㅹ䜬㉹䜬㍹臣낂菣벃菣蚈臣馁苣鎁臣貁臣趁苣芀㰊䐯噉ਾ䐼噉㰾䥄㹖胣邼볯邼볯醀⼼䥄㹖 뎛볯颼臣ꊼ臣꾁胣뎛볯馼臣ꊼ臣貐꟦ꮁ胣랂菣鲃菣鎃菣袃苣ꮃ菣鞃祇ꮁ臣膀苣뎃菣ꮃ菣莃菣禈ⰰㅹ礬ⰶ㝹臣膀苣뎃菣ꮃ菣莃菣낂菣벃菣䞗㉹臣꾁胣랂菣鲃菣鎃菣袃㉹礬ⰳ㡹礬貁胣랂菣鲃菣鎃菣袃苣ꮃ菣鞃祇ꮁ臣膀苣뎃菣ꮃ菣莃菣禈ⰴ㕹礬〱礬ㄱ臣膀臣貂臣貂뇥馁苣芀㰊䐯噉ਾ䐼噉㰾䥄㹖胣邼볯邼볯醀⼼䥄㹖 뎛볯馼臣膀䑌䍐곧랏臣膀곧랏闩亷臣ㆌ㈶〰菣莃菣ꞁ胣ꚬ迥隌軧貁⼲꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯鞼볯銼胣㲑䐯噉ਾ†鯥颼볯꺁觥誂뷥ꚁ菣벃菣ꞁ臣膀苣ꮃ菣鞃苣莃菣薃ꃥ⢱扇ⰱ祇ⰲ⤱⠬扇ⰲ祇ⰲ⤱⠬扇ⰲ祇ⰳ⤱⠬扇ⰳ祇ⰳ⤱⠬扇ⰴ祇ⰱ⤱⠬扇ⰵ祇ⰳ⤲⠬扇ⰵ祇ⰱ⤳⠬扇ⰵ祇ⰲ⤲臣辦껥閁苣ꚁ臣讂胣ં⼼䥄㹖㰊䥄㹖䐼噉邀볯鞼볯鎼胣㲑䐯噉ਾ†臣ꪁ苣ꆁ胣뎛볯馼臣늉苣鎽臣ꮃ菣ꮃ臣꾁胣㲁牢ਾ†苣ꮃ菣鞃苣莃菣薃ꃥ⢱扇ⰱ祇ⰲ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰳ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰳ⤱臣袂苣膀苣ꦃ菣몢軧貁볯ꪕ鯧ꮁ觨蒁곧랏菣莃菣낂菣벃菣䞗㍢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰱ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰳ⤲臣袂苣膀苣ꦃ菣몢軧貁볯ꪕ鯧ꮁ觨蒁곧랏菣莃菣낂菣벃菣䞗㕢臣ꚬ迥鎃菣袃臣銼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰱ⤳臣袂苣膀苣ꦃ菣몢軧貁볯ꪕ鯧ꮁ觨蒁곧랏菣莃菣낂菣벃菣䞗㕢臣ꚬ迥鎃菣袃臣鎼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㕢䜬㉹㈬ꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣銼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯鞼볯钼胣㲑䐯噉ਾ†鯥馼볯꾁胣뎛볯馼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯鞼볯閼胣㲑䐯噉ਾ†臣ꪁ苣ꆁ胣뎛볯邼臣ꆼ臣膀䑌䍐곧랏臣膀곧랏闩亷臣ㆌ㈶〰菣莃菣ꞁ胣ꚬ迥隌軧貁⼲꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣뎛볯馼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯邼볯醀⼼䥄㹖 䰠偄ꚬ迥貁胣ꚬ迥랕貁㘱〲鎃菣袃臣膀곧랏賥螎臣㊌㔯臣몐룥ꢔ䑌䍐곧랏臣芁苣膀臣覂臣膀ꓥ뾪雦込臣㚌儴䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌶㊗⤩韃㘨韃⤲菣莃菣꺁菣ꊃ菣鎼볯ꮁ鯦趁뻨뺁苣龁곧랏菣莃菣貁胣궃苣릖郥ꮁ胣㚁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯鞼볯鞼胣㲑䐯噉ਾ†藥貂鯦袁菩鎼볯꾁胣뎛볯馼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢ銂胣设臣낁胣뎛볯邼臣ꆼ臣몤臣袂臣ꮁ胣㊁㴨⥢胥꺁苣뎃菣ꮃ臣㚮韃⠲洽⥢菣莃菣꺁苣뎃菣ꮃ菣莃菣禈ꪁ臣鞁ㅹꮁ觥誂뷥ꚁ苣袂臣ꮁ胣㚁韃⠲洽⥢菣莃菣꺁곧랏菣莃菣抈ꪁ臣鞁ㅢ銂藥貂鯦袁苣芀㰊䐯噉ਾ䐼噉㰾䥄㹖胣邼볯邼볯醀⼼䥄㹖 馁臣辂臣膀藥貂鯦袁菩鎼볯꾁胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈ㄱ臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈ꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯鞼볯馼胣㲑䐯噉ਾ†鯥馼볯꺁볯꾁胣䲁偄ꚬ迥貁胣ꚬ迥랕貁㘱〲鎃菣袃臣膀곧랏賥螎臣㊌㔯臣몐룥ꢔ䑌䍐곧랏臣芁苣膀臣覂臣膀ꓥ뾪雦込臣㚌儴䵁臣膀胥낕貁ꞁ臣讂ꃥ袐臣膀鯥颼볯꺁觥誂뷥ꚁ菣벃菣ꮁ뻥ꎁ臣ꚬ迥鎃菣袃臣ꖅ苣뾛臣꺁곧銼臣设苣몤臣ꚁ臣讂胣ં⼼䥄㹖㰊䥄㹖䐼噉邀볯鞼볯邼胣㲑䐯噉ਾ†鯥馼볯꺁볯ꮁ苣貂臣膀藥貂鯦袁菩鎼볯꾁胣뎛볯馼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢꮁ臣蒁臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃べ臣膀戼㹲 ꚬ迥鎃菣袃㕢苣膀苣뎃菣ꮃ菣莃菣禈ㄱ臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㥹臣膀戼㹲 ꚬ迥鎃菣袃㡢苣膀苣뎃菣ꮃ菣莃菣禈ꮁ胣㲁牢ਾ†곧랏菣莃菣抈銂胣랂菣鲃菣鎃菣袃㙹臣膀戼㹲 ꚬ迥鎃菣袃ㅢ銂胣랂菣鲃菣鎃菣袃㡹臣膀戼㹲 ꚬ迥鎃菣袃ㅢ銂胣랂菣鲃菣鎃菣袃㝹臣膀戼㹲 鶁苣麁苣늉苣鎽臣讂藥貂鯦袁苣財臣芀㰊䐯噉ਾ䐼噉㰾䥄㹖胣邼볯醼볯醀⼼䥄㹖 뎛볯醼臣膀䑌䍐곧랏臣膀곧랏闩亷臣ㆌ㈶〰菣莃菣ꞁ胣ꚬ迥隌軧貁⼴꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣ꚬ迥鎃菣袃苣ꮃ菣鞃臣랂菣鲃菣鎃菣袃苣ꮃ菣鞃臣銂ꓧ鞁臣蒁苣芀㰊䐯噉ਾ䐼噉㰾䥄㹖胣邼볯醼볯醀⼼䥄㹖 鎁臣뒠郥膀菣ꊃ菣鎼볯讁苣궪臣몇臣貂苣㚋韃⠲洽⥢菣莃菣꺁곧랏菣莃菣꾁胣ꢂ菣벃ꋧ螎臣閁臣ꮁ뿥颁臣膀鯥馼볯꺁볯ꮁꓧ馁苣蚁臣膀볯讀臣ꚬ迥鎃菣袃苣ꮃ菣鞃扇ⰱ扇ⰲ扇ⰳ扇ⰴ扇ⰵ扇ꮁ苣ꮃ菣鞃裥醁臣讂臣ꢁ臣ꞁ臣讂胣ં⼼䥄㹖㰊䥄㹖䐼噉邀볯鞼볯鎼胣㲑䐯噉ਾ†鯥馼볯꺁볯ꞁ臣膀곧랏菣莃菣낂菣벃菣䞗ㅢ臣꾁胣ꚬ迥鎃菣袃ぢ臣膀곧랏菣莃菣낂菣벃菣䞗㉢臣꾁胣ꚬ迥鎃菣袃ㅢ臣膀곧랏菣莃菣낂菣벃菣䞗㍢臣꾁胣ꚬ迥鎃菣袃㉢臣膀곧랏菣莃菣낂菣벃菣䞗㑢臣꾁胣ꚬ迥鎃菣袃㍢迥뎁㑢臣膀곧랏菣莃菣낂菣벃菣䞗㕢臣꾁胣ꚬ迥鎃菣袃㕢臣膀곧랏菣莃菣낂菣벃菣䞗㙢臣꾁胣ꚬ迥鎃菣袃㙢臣蒁臣抗ㄱ臣膀臣貂臣貂뇥馁苣芀㰊䐯噉ਾ䐼噉㰾䥄㹖胣邼볯醼볯醀⼼䥄㹖 覤ꫨ릖볥貁㐶䅑ꞁ胣趀闦抰臣㊌臣芁苣뒠郥膀쌶㊗㴨扭鎃菣袃臣랂菣鲃菣鎃菣袃臣膀苣ꦃ菣몢軧꺁臩蒁臣鲿臣ꚁ胣뎛볯醼臣ꊼ臣몤臣袂臣ꮁ胣鎼胥꺁苣뎃菣ꮃ菣莃菣낂菣벃菣䞗ㅹ䜬㉹䜬㍹臣낂菣벃菣蚈臣馁苣鎁臣貁臣趁苣芀㰊䐯噉ਾ䐼噉㰾䥄㹖胣邼볯醼볯醀⼼䥄㹖 뎛볯醼臣ꊼ臣꾁胣뎛볯馼臣ꊼ臣貐꟦ꮁ胣랂菣鲃菣鎃菣袃苣ꮃ菣鞃祇ꮁ臣膀苣뎃菣ꮃ菣莃菣禈ⰰㅹ礬ⰶ㝹臣膀苣뎃菣ꮃ菣莃菣낂菣벃菣䞗㉹臣꾁胣랂菣鲃菣鎃菣袃㉹礬ⰳ㡹礬貁胣랂菣鲃菣鎃菣袃苣ꮃ菣鞃祇ꮁ臣膀苣뎃菣ꮃ菣莃菣禈ⰴ㕹礬〱礬ㄱ臣膀臣貂臣貂뇥馁苣芀㰊䐯噉ਾ䐼噉㰾䥄㹖胣邼볯醼볯醀⼼䥄㹖 뎛볯銼臣膀䑌䍐곧랏臣膀곧랏闩亷臣ㆌ㈶〰菣莃菣ꞁ胣ꚬ迥隌軧貁⼴꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯鞼볯鞼胣㲑䐯噉ਾ†鯥馼볯꺁觥誂뷥ꚁ菣벃菣ꞁ臣膀苣ꮃ菣鞃苣莃菣薃ꃥ⢱扇ⰱ祇ⰲ⤱⠬扇ⰲ祇ⰲ⤱⠬扇ⰳ祇ⰳ⤱⠬扇ⰴ祇ⰳ⤱⠬扇ⰴ祇ⰱ⤱⠬扇ⰵ祇ⰳ⤱⠬扇ⰶ祇ⰱ⤳⠬扇ⰶ祇ⰲ⤲⠬扇ⰶ祇ⰳ⤱臣辦껥閁苣ꚁ臣讂胣ં⼼䥄㹖㰊䥄㹖䐼噉邀볯鞼볯颼胣㲑䐯噉ਾ†臣ꪁ苣ꆁ胣뎛볯銼臣늉苣鎽臣ꮃ菣ꮃ臣꾁胣㲁牢ਾ†苣ꮃ菣鞃苣莃菣薃ꃥ⢱扇ⰱ祇ⰲ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰳ⤱臣袂苣膀苣ꦃ菣몢軧貁볯ꪕ鯧ꮁ觨蒁곧랏菣莃菣낂菣벃菣䞗㍢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰳ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰱ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰳ⤱臣袂苣膀苣ꦃ菣몢軧貁볯ꪕ鯧ꮁ觨蒁곧랏菣莃菣낂菣벃菣䞗㕢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰶ祇ⰱ⤳臣袂苣膀苣ꦃ菣몢軧貁볯ꪕ鯧ꮁ觨蒁곧랏菣莃菣낂菣벃菣䞗㙢臣ꚬ迥鎃菣袃臣鎼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰶ祇ⰲ⤲臣袂苣膀苣ꦃ菣몢軧貁볯ꪕ鯧ꮁ觨蒁곧랏菣莃菣낂菣벃菣䞗㙢臣ꚬ迥鎃菣袃臣銼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㙢䜬㍹ㄬꮁ苣誂胣ꢂ菣벃ꋧ螎臣隼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㍹臣랂菣鲃菣鎃菣袃臣醼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯鞼볯馼胣㲑䐯噉ਾ†鯥馼볯꾁胣뎛볯銼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯鞼볯邼胣㲑䐯噉ਾ†臣ꪁ苣ꆁ胣뎛볯鎼臣ꆼ臣膀䑌䍐곧랏臣膀곧랏闩亷臣ㆌ㈶〰菣莃菣ꞁ胣ꚬ迥隌軧貁⼴꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣뎛볯銼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯銼볯醀⼼䥄㹖 䰠偄ꚬ迥貁胣ꚬ迥랕貁㘱〲鎃菣袃臣膀곧랏賥螎臣㒌㤯臣몐룥ꢔ䑌䍐곧랏臣芁苣膀臣覂臣膀ꓥ뾪雦込臣㚌儴䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌶㊗⤩韃㘨韃⤲菣莃菣꺁菣ꊃ菣鎼볯ꮁ鯦趁뻨뺁苣龁곧랏菣莃菣貁胣궃苣릖郥ꮁ胣㚁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯鞼볯銼胣㲑䐯噉ਾ†藥貂鯦袁菩鎼볯꾁胣뎛볯銼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢ銂胣设臣낁胣뎛볯鎼臣ꆼ臣몤臣袂臣ꮁ胣㊁㴨⥢胥꺁苣뎃菣ꮃ臣㚮韃⠲洽⥢菣莃菣꺁苣뎃菣ꮃ菣莃菣禈ꪁ臣鞁ㅹꮁ觥誂뷥ꚁ苣袂臣ꮁ胣㚁韃⠲洽⥢菣莃菣꺁곧랏菣莃菣抈ꪁ臣鞁ㅢ銂藥貂鯦袁苣芀㰊䐯噉ਾ䐼噉㰾䥄㹖胣邼볯銼볯醀⼼䥄㹖 馁臣辂臣膀藥貂鯦袁菩鎼볯꾁胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈ㄱ臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈ꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯鞼볯钼胣㲑䐯噉ਾ†鯥馼볯꺁볯꾁胣䲁偄ꚬ迥貁胣ꚬ迥랕貁㘱〲鎃菣袃臣膀곧랏賥螎臣㒌㤯臣몐룥ꢔ䑌䍐곧랏臣芁苣膀臣覂臣膀ꓥ뾪雦込臣㚌儴䵁臣膀胥낕貁ꞁ臣讂ꃥ袐臣膀鯥馼볯꺁觥誂뷥ꚁ菣벃菣ꮁ뻥ꎁ臣ꚬ迥鎃菣袃臣ꖅ苣뾛臣꺁곧銼臣设苣몤臣ꚁ臣讂胣ં⼼䥄㹖㰊䥄㹖䐼噉邀볯鞼볯閼胣㲑䐯噉ਾ†鯥馼볯꺁볯ꮁ苣貂臣膀藥貂鯦袁菩鎼볯꾁胣뎛볯銼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢꮁ臣蒁臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃べ臣膀戼㹲 ꚬ迥鎃菣袃㕢苣膀苣뎃菣ꮃ菣莃菣禈ㄱ臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㥹臣膀戼㹲 ꚬ迥鎃菣袃㡢苣膀苣뎃菣ꮃ菣莃菣禈ꮁ胣㲁牢ਾ†곧랏菣莃菣抈銂胣랂菣鲃菣鎃菣袃㙹臣膀戼㹲 ꚬ迥鎃菣袃ㅢ銂胣랂菣鲃菣鎃菣袃㡹臣膀戼㹲 ꚬ迥鎃菣袃ㅢ銂胣랂菣鲃菣鎃菣袃㝹臣膀戼㹲 鶁苣麁苣늉苣鎽臣讂藥貂鯦袁苣財臣芀㰊䐯噉ਾ䐼噉㰾䥄㹖胣邼볯銼볯醀⼼䥄㹖 뎛볯钼臣膀䑌䍐곧랏臣膀곧랏闩亷臣ㆌ㈶〰菣莃菣ꞁ胣ꚬ迥隌軧貁⼷㔱臣몐룥ꢔ䑌䍐곧랏臣芁苣膀臣覂臣膀ꓥ뾪雦込臣㚌儴䵁臣膀胥낕貁ꞁ臣讂ꃥ袐臣膀곧랏菣莃菣낂菣벃菣ꢁ苣뎃菣ꮃ菣莃菣낂菣벃菣ꢁ苣몤臣ꚁ臣讂胣ં⼼䥄㹖㰊䥄㹖䐼噉邀볯鞼볯鞼胣㲑䐯噉ਾ†臣꺁ꃥ袐胣ꆃ菣ꪃ볯醼臣覂ꫨ뾁蟥閁苣讂쌶㊗㴨扭鎃菣袃臣ꚬ迥鎃菣袃臣膀苣ꦃ菣몢軧꺁臩蒁臣鲿臣ꚁ胣뎛볯钼臣ꆼ臣몤臣袂臣ꮁ胣鞼胥꺁곧랏菣莃菣낂菣벃菣䞗ㅢ䜬㉢䜬㍢䜬㑢䜬㕢䜬㙢䜬㝢臣낂菣벃菣蚈臣馁苣鎁臣貁臣趁苣芀㰊䐯噉ਾ䐼噉㰾䥄㹖胣邼볯銼볯醀⼼䥄㹖 뎛볯钼臣ꆼ臣꾁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈ꪁ臣鞁ㅢ貁胣鶁苣麁苣麱臣讂胣ં⼼䥄㹖㰊䥄㹖䐼噉邀볯鞼볯馼胣㲑䐯噉ਾ†ꓥ뾪雦込臣㚌儴䵁臣膀胥낕貁ꞁ臣讂ꃥ袐胣㚁韃⠲洽⥢菣莃菣꺁苣뎃菣ꮃ菣莃菣꾁胣ꢂ菣벃ꋧ螎臣閁臣ꮁ뿥颁臣膀鯥馼볯꺁볯ꮁꓧ馁苣蚁臣膀볯讀臣랂菣鲃菣鎃菣袃苣ꮃ菣鞃祇ⰱ祇ⰲ祇ꮁ苣ꮃ菣鞃裥醁臣讂臣ꢁ臣ꞁ臣讂胣ં⼼䥄㹖㰊䥄㹖䐼噉邀볯鞼볯邼胣㲑䐯噉ਾ†鯥馼볯꺁볯ꞁ臣膀鯥鞼볯꺁볯ꢁ郥颧臣膀苣뎃菣ꮃ菣莃菣낂菣벃菣䞗ㅹ臣꾁胣랂菣鲃菣鎃菣袃べ礬ⰱ㙹礬貁胣랂菣鲃菣鎃菣袃苣ꮃ菣鞃祇ꮁ臣膀苣뎃菣ꮃ菣莃菣禈ⰲ㍹礬ⰸ㥹臣膀苣뎃菣ꮃ菣莃菣낂菣벃菣䞗㍹臣꾁胣랂菣鲃菣鎃菣袃㑹礬ⰵㅹⰰㅹ貁胣鶁苣麁苣麱臣讂胣ં⼼䥄㹖㰊䥄㹖䐼噉邀볯鞼볯醼胣㲑䐯噉ਾ†鯥馼볯꾁胣䲁偄ꚬ迥貁胣ꚬ迥랕貁㘱〲鎃菣袃臣膀곧랏賥螎臣㞌ㄯ꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯鞼볯銼胣㲑䐯噉ਾ†鯥馼볯꺁觥誂뷥ꚁ菣벃菣ꞁ臣膀苣ꮃ菣鞃苣莃菣薃ꃥ⢱扇ⰱ祇ⰲ⤱⠬扇ⰲ祇ⰲ⤱⠬扇ⰳ祇ⰳ⤱⠬扇ⰴ祇ⰳ⤱⠬扇ⰵ祇ⰱ⤱⠬扇ⰶ祇ⰳ⤱⠬扇ⰷ祇ⰱ⤳⠬扇ⰷ祇ⰲ⤲⠬扇ⰷ祇ⰳ⤱臣辦껥閁苣ꚁ臣讂胣ં⼼䥄㹖㰊䥄㹖䐼噉邀볯鞼볯鎼胣㲑䐯噉ਾ†臣ꪁ苣ꆁ胣뎛볯閼臣늉苣鎽臣ꮃ菣ꮃ臣꾁胣㲁牢ਾ†苣ꮃ菣鞃苣莃菣薃ꃥ⢱扇ⰱ祇ⰲ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰳ⤱臣袂苣膀苣ꦃ菣몢軧貁볯ꪕ鯧ꮁ觨蒁곧랏菣莃菣낂菣벃菣䞗㍢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰳ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰱ⤱臣袂苣膀苣ꦃ菣몢軧貁볯ꪕ鯧ꮁ觨蒁곧랏菣莃菣낂菣벃菣䞗㕢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰶ祇ⰳ⤱臣袂苣膀苣ꦃ菣몢軧貁볯ꪕ鯧ꮁ觨蒁곧랏菣莃菣낂菣벃菣䞗㙢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰷ祇ⰱ⤳臣袂苣膀苣ꦃ菣몢軧貁볯ꪕ鯧ꮁ觨蒁곧랏菣莃菣낂菣벃菣䞗㝢臣ꚬ迥鎃菣袃臣鎼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰷ祇ⰲ⤲臣袂苣膀苣ꦃ菣몢軧貁볯ꪕ鯧ꮁ觨蒁곧랏菣莃菣낂菣벃菣䞗㝢臣ꚬ迥鎃菣袃臣銼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㝢䜬㍹ㄬꮁ苣誂胣ꢂ菣벃ꋧ螎臣鞼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㍹臣랂菣鲃菣鎃菣袃臣醼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯鞼볯钼胣㲑䐯噉ਾ†鯥馼볯꾁胣뎛볯閼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯鞼볯閼胣㲑䐯噉ਾ†臣ꪁ苣ꆁ胣뎛볯隼臣ꆼ臣膀䑌䍐곧랏臣膀곧랏闩亷臣ㆌ㈶〰菣莃菣ꞁ胣ꚬ迥隌軧貁⼷㔱臣몐룥ꢔ䑌䍐곧랏臣芁苣膀臣覂臣膀ꓥ뾪雦込臣㚌儴䵁臣膀胥낕貁ꞁ臣讂ꃥ袐臣膀鯥馼볯꺁觥誂뷥ꚁ菣벃菣ꮁ뻥ꎁ臣ꚬ迥鎃菣袃臣ꖅ苣뾛臣꺁곧醼臣设苣몤臣ꚁ臣讂胣ં⼼䥄㹖㰊䥄㹖䐼噉邀볯鞼볯隼胣㲑䐯噉ਾ†䑌䍐곧랏臣膀곧랏闩亷臣ㆌ㈶〰菣莃菣ꞁ胣ꚬ迥隌軧貁⼷㔱臣몐룥ꢔ䑌䍐곧랏臣芁苣膀臣覂臣膀ꓥ뾪雦込臣㚌儴䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌶㊗⤩韃㘨韃⤲菣莃菣꺁菣ꊃ菣鎼볯ꮁ鯦趁뻨뺁苣龁곧랏菣莃菣貁胣궃苣릖郥ꮁ胣㚁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯鞼볯鞼胣㲑䐯噉ਾ†藥貂鯦袁菩鎼볯꾁胣뎛볯閼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢ銂胣设臣낁胣뎛볯隼臣ꆼ臣몤臣袂臣ꮁ胣㊁㴨⥢胥꺁苣뎃菣ꮃ臣㚮韃⠲洽⥢菣莃菣꺁苣뎃菣ꮃ菣莃菣禈ꪁ臣鞁ㅹꮁ觥誂뷥ꚁ苣袂臣ꮁ胣㚁韃⠲洽⥢菣莃菣꺁곧랏菣莃菣抈ꪁ臣鞁ㅢ銂藥貂鯦袁苣芀㰊䐯噉ਾ䐼噉㰾䥄㹖胣邼볯鎼볯醀⼼䥄㹖 馁臣辂臣膀藥貂鯦袁菩鎼볯꾁胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈ㄱ臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈ꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯鞼볯馼胣㲑䐯噉ਾ†鯥馼볯꺁볯꾁胣䲁偄ꚬ迥貁胣ꚬ迥랕貁㘱〲鎃菣袃臣膀곧랏賥螎臣㞌ㄯ꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣뎛볯閼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯钼볯醀⼼䥄㹖 뎛볯隼臣ꊼ臣袂苣낁胣ꖅ苣뾛臣ꢃ볯銼臣膀鯥馼볯꺁觥誂뷥ꚁ菣벃菣ꮁ뻥蒁胣ꆃ菣ꪃ볯醼臣覂ꫨ뾁蟥閁苣讂쌶㊗㴨扭鎃菣袃臣ꚬ迥鎃菣袃ぢ臣蒁臣抗ㄱ臣ꒁ臣ꚁ胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈〱臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈ꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯鞼볯醼胣㲑䐯噉ਾ†鯥馼볯꾁胣䲁偄ꚬ迥貁胣ꚬ迥랕貁㘱〲鎃菣袃臣膀곧랏賥螎臣㢌ㄯ꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣ꚬ迥鎃菣袃苣ꮃ菣鞃臣랂菣鲃菣鎃菣袃苣ꮃ菣鞃臣銂ꓧ鞁臣蒁苣芀㰊䐯噉ਾ䐼噉㰾䥄㹖胣邼볯钼볯醀⼼䥄㹖 鎁臣뒠郥膀菣ꊃ菣鎼볯讁苣궪臣몇臣貂苣㚋韃⠲洽⥢菣莃菣꺁곧랏菣莃菣꾁胣ꢂ菣벃ꋧ螎臣閁臣ꮁ뿥颁臣膀鯥馼볯꺁볯ꮁꓧ馁苣蚁臣膀볯讀臣ꚬ迥鎃菣袃苣ꮃ菣鞃扇ⰱ扇ⰲ扇ⰳ扇ⰴ扇ⰵ扇ꮁ苣ꮃ菣鞃裥醁臣讂臣ꢁ臣ꞁ臣讂胣ં⼼䥄㹖㰊䥄㹖䐼噉邀볯鞼볯鎼胣㲑䐯噉ਾ†鯥馼볯꺁볯ꞁ臣膀곧랏菣莃菣낂菣벃菣䞗ㅢ臣꾁胣ꚬ迥鎃菣袃ぢ臣膀곧랏菣莃菣낂菣벃菣䞗㉢臣꾁胣ꚬ迥鎃菣袃ㅢ臣膀곧랏菣莃菣낂菣벃菣䞗㍢臣꾁胣ꚬ迥鎃菣袃㉢臣膀곧랏菣莃菣낂菣벃菣䞗㑢臣꾁胣ꚬ迥鎃菣袃㍢臣蒁臣抗貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈ꪁ臣鞁ㅢ貁胣鶁苣麁苣麱臣讂胣ં⼼䥄㹖㰊䥄㹖䐼噉邀볯鞼볯钼胣㲑䐯噉ਾ†ꓥ뾪雦込臣㚌儴䵁臣膀胥낕貁ꞁ臣讂ꃥ袐胣㚁韃⠲洽⥢菣莃菣꺁苣뎃菣ꮃ菣莃菣꾁胣ꢂ菣벃ꋧ螎臣閁臣ꮁ뿥颁臣膀鯥馼볯꺁볯ꮁꓧ馁苣蚁臣膀볯讀臣랂菣鲃菣鎃菣袃苣ꮃ菣鞃祇ⰱ祇ⰲ祇ꮁ苣ꮃ菣鞃裥醁臣讂臣ꢁ臣ꞁ臣讂胣ં⼼䥄㹖㰊䥄㹖䐼噉邀볯鞼볯閼胣㲑䐯噉ਾ†鯥馼볯꺁볯ꞁ臣膀鯥鞼볯꺁볯ꢁ郥颧臣膀苣뎃菣ꮃ菣莃菣낂菣벃菣䞗ㅹ臣꾁胣랂菣鲃菣鎃菣袃べ礬ⰱ㙹礬貁胣랂菣鲃菣鎃菣袃苣ꮃ菣鞃祇ꮁ臣膀苣뎃菣ꮃ菣莃菣禈ⰲ㍹礬ⰸ㥹臣膀苣뎃菣ꮃ菣莃菣낂菣벃菣䞗㍹臣꾁胣랂菣鲃菣鎃菣袃㑹礬ⰵㅹⰰㅹ貁胣鶁苣麁苣麱臣讂胣ં⼼䥄㹖㰊䥄㹖䐼噉邀볯鞼볯隼胣㲑䐯噉ਾ†鯥馼볯꾁胣䲁偄ꚬ迥貁胣ꚬ迥랕貁㘱〲鎃菣袃臣膀곧랏賥螎臣㢌ㄯ꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯鞼볯鞼胣㲑䐯噉ਾ†鯥馼볯꺁觥誂뷥ꚁ菣벃菣ꞁ臣膀苣ꮃ菣鞃苣莃菣薃ꃥ⢱扇ⰱ祇ⰲ⤱⠬扇ⰲ祇ⰲ⤱⠬扇ⰳ祇ⰳ⤱⠬扇ⰴ祇ⰱ⤲⠬扇ⰴ祇ⰳ⤱⠬扇ⰵ祇ⰱ⤱⠬扇ⰶ祇ⰲ⤲⠬扇ⰶ祇ⰳ⤲⠬扇ⰶ祇ⰱ⤱臣辦껥閁苣ꚁ臣讂胣ં⼼䥄㹖㰊䥄㹖䐼噉邀볯鞼볯颼胣㲑䐯噉ਾ†臣ꪁ苣ꆁ胣뎛볯颼臣늉苣鎽臣ꮃ菣ꮃ臣꾁胣㲁牢ਾ†苣ꮃ菣鞃苣莃菣薃ꃥ⢱扇ⰱ祇ⰲ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰳ⤱臣袂苣膀苣ꦃ菣몢軧貁볯ꪕ鯧ꮁ觨蒁곧랏菣莃菣낂菣벃菣䞗㍢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰱ⤲臣袂苣膀苣ꦃ菣몢軧貁볯ꪕ鯧ꮁ觨蒁곧랏菣莃菣낂菣벃菣䞗㑢臣ꚬ迥鎃菣袃臣銼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰳ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰱ⤱臣袂苣膀苣ꦃ菣몢軧貁볯ꪕ鯧ꮁ觨蒁곧랏菣莃菣낂菣벃菣䞗㕢臣ꚬ迥鎃菣袃臣醼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰶ祇ⰲ⤲臣袂苣膀苣ꦃ菣몢軧貁볯ꪕ鯧ꮁ觨蒁곧랏菣莃菣낂菣벃菣䞗㙢臣ꚬ迥鎃菣袃臣銼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰶ祇ⰳ⤲臣袂苣膀苣ꦃ菣몢軧貁볯ꪕ鯧ꮁ觨蒁곧랏菣莃菣낂菣벃菣䞗㙢臣ꚬ迥鎃菣袃臣銼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㙢䜬ㅹㄬꮁ苣誂胣ꢂ菣벃ꋧ螎臣隼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗ㅹ臣랂菣鲃菣鎃菣袃臣醼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯鞼볯馼胣㲑䐯噉ਾ†鯥馼볯꾁胣뎛볯颼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯鞼볯邼胣㲑䐯噉ਾ†臣ꪁ苣ꆁ胣뎛볯馼臣ꆼ臣膀䑌䍐곧랏臣膀곧랏闩亷臣ㆌ㈶〰菣莃菣ꞁ胣ꚬ迥隌軧貁⼸㔱臣몐룥ꢔ䑌䍐곧랏臣芁苣膀臣覂臣膀ꓥ뾪雦込臣㚌儴䵁臣膀胥낕貁ꞁ臣讂ꃥ袐臣膀鯥馼볯꺁觥誂뷥ꚁ菣벃菣ꮁ뻥ꎁ臣ꚬ迥鎃菣袃臣ꖅ苣뾛臣꺁곧醼臣设苣몤臣ꚁ臣讂胣ં⼼䥄㹖㰊䥄㹖䐼噉邀볯鞼볯醼胣㲑䐯噉ਾ†䑌䍐곧랏臣膀곧랏闩亷臣ㆌ㈶〰菣莃菣ꞁ胣ꚬ迥隌軧貁⼸㔱臣몐룥ꢔ䑌䍐곧랏臣芁苣膀臣覂臣膀ꓥ뾪雦込臣㚌儴䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌶㊗⤩韃㘨韃⤲菣莃菣꺁菣ꊃ菣鎼볯ꮁ鯦趁뻨뺁苣龁곧랏菣莃菣貁胣궃苣릖郥ꮁ胣㚁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯鞼볯銼胣㲑䐯噉ਾ†藥貂鯦袁菩鎼볯꾁胣뎛볯颼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢ銂胣设臣낁胣뎛볯馼臣ꆼ臣몤臣袂臣ꮁ胣㊁㴨⥢胥꺁苣뎃菣ꮃ臣㚮韃⠲洽⥢菣莃菣꺁苣뎃菣ꮃ菣莃菣禈ꪁ臣鞁ㅹꮁ觥誂뷥ꚁ苣袂臣ꮁ胣㚁韃⠲洽⥢菣莃菣꺁곧랏菣莃菣抈ꪁ臣鞁ㅢ銂藥貂鯦袁苣芀㰊䐯噉ਾ䐼噉㰾䥄㹖胣邼볯閼볯醀⼼䥄㹖 馁臣辂臣膀藥貂鯦袁菩鎼볯꾁胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈ꮁ胣㲁牢ਾ†곧랏菣莃菣抈銂胣랂菣鲃菣鎃菣袃べ臣膀戼㹲 ꚬ迥鎃菣袃㕢苣膀苣뎃菣ꮃ菣莃菣禈ㄱ臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㥹臣膀戼㹲 ꚬ迥鎃菣袃㡢苣膀苣뎃菣ꮃ菣莃菣禈ꮁ胣㲁牢ਾ†곧랏菣莃菣抈銂胣랂菣鲃菣鎃菣袃㝹臣膀戼㹲 ꚬ迥鎃菣袃ㅢ銂胣랂菣鲃菣鎃菣袃㍹臣膀戼㹲 ꚬ迥鎃菣袃ㅢ銂胣랂菣鲃菣鎃菣袃ㅹꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯鞼볯钼胣㲑䐯噉ਾ†鯥馼볯꺁볯꾁胣䲁偄ꚬ迥貁胣ꚬ迥랕貁㘱〲鎃菣袃臣膀곧랏賥螎臣㢌ㄯ꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣뎛볯颼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯閼볯醀⼼䥄㹖 뎛볯馼臣ꊼ臣袂苣낁胣ꖅ苣뾛臣ꢃ볯銼臣膀鯥馼볯꺁觥誂뷥ꚁ菣벃菣ꮁ뻥蒁胣ꆃ菣ꪃ볯醼臣覂ꫨ뾁蟥閁苣讂쌶㊗㴨扭鎃菣袃臣ꚬ迥鎃菣袃ぢ臣蒁臣抗ㄱ臣ꒁ臣ꚁ胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈ꮁ胣㲁牢ਾ†곧랏菣莃菣抈銂胣랂菣鲃菣鎃菣袃ㅹ臣膀戼㹲 ꚬ迥鎃菣袃㕢苣膀苣뎃菣ꮃ菣莃菣禈ꮁ胣㲁牢ਾ†곧랏菣莃菣抈銂胣랂菣鲃菣鎃菣袃㙹臣膀戼㹲 ꚬ迥鎃菣袃㝢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃㝹臣膀戼㹲 ꚬ迥鎃菣袃ㅢ銂胣랂菣鲃菣鎃菣袃㡹臣膀戼㹲 ꚬ迥鎃菣袃ㅢ銂胣랂菣鲃菣鎃菣袃ㅹꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯鞼볯隼胣㲑䐯噉ਾ†鯥醼볯邼臣膀䑌䍐곧랏臣膀곧랏闩亷臣ㆌ㈶〰菣莃菣ꞁ胣ꚬ迥隌軧貁⼳꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣ꚬ迥鎃菣袃苣ꮃ菣鞃臣랂菣鲃菣鎃菣袃苣ꮃ菣鞃臣銂ꓧ鞁臣蒁苣芀㰊䐯噉ਾ䐼噉㰾䥄㹖胣邼볯閼볯醀⼼䥄㹖 鎁臣뒠郥膀菣ꊃ菣鎼볯讁苣궪臣몇臣貂苣㚋韃⠲洽⥢菣莃菣꺁곧랏菣莃菣꾁胣ꢂ菣벃ꋧ螎臣閁臣ꮁ뿥颁臣膀鯥醼볯邼臣ꆼ臣몤臣袂臣ꮁ胣閼胥꺁곧랏菣莃菣낂菣벃菣䞗ㅢ䜬㉢䜬㍢䜬㑢䜬㕢臣낂菣벃菣蚈臣馁苣鎁臣貁臣趁苣芀㰊䐯噉ਾ䐼噉㰾䥄㹖胣邼볯閼볯醀⼼䥄㹖 뎛볯邼볯꺁볯ꞁ臣膀곧랏菣莃菣낂菣벃菣䞗ㅢ臣꾁胣ꚬ迥鎃菣袃ぢ臣膀곧랏菣莃菣낂菣벃菣䞗㉢臣꾁胣ꚬ迥鎃菣袃ㅢ臣膀곧랏菣莃菣낂菣벃菣䞗㍢臣꾁胣ꚬ迥鎃菣袃㉢臣蒁臣抗貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈ꪁ臣鞁ㅢ貁胣鶁苣麁苣麱臣讂胣ં⼼䥄㹖㰊䥄㹖䐼噉邀볯鞼볯馼胣㲑䐯噉ਾ†ꓥ뾪雦込臣㚌儴䵁臣膀胥낕貁ꞁ臣讂ꃥ袐胣㚁韃⠲洽⥢菣莃菣꺁苣뎃菣ꮃ菣莃菣꾁胣ꢂ菣벃ꋧ螎臣閁臣ꮁ뿥颁臣膀鯥醼볯邼臣ꊼ臣몤臣袂臣ꮁ胣鎼胥꺁苣뎃菣ꮃ菣莃菣낂菣벃菣䞗ㅹ䜬㉹䜬㍹臣낂菣벃菣蚈臣馁苣鎁臣貁臣趁苣芀㰊䐯噉ਾ䐼噉㰾䥄㹖胣邼볯隼볯醀⼼䥄㹖 뎛볯邼볯꺁볯ꞁ臣膀鯥鞼볯꺁볯ꢁ郥颧臣膀苣뎃菣ꮃ菣莃菣낂菣벃菣䞗ㅹ臣꾁胣랂菣鲃菣鎃菣袃べ礬ⰱ㙹礬貁胣랂菣鲃菣鎃菣袃苣ꮃ菣鞃祇ꮁ臣膀苣뎃菣ꮃ菣莃菣禈ⰲ㍹礬ⰸ㥹臣膀苣뎃菣ꮃ菣莃菣낂菣벃菣䞗㍹臣꾁胣랂菣鲃菣鎃菣袃㑹礬ⰵㅹⰰㅹ貁胣鶁苣麁苣麱臣讂胣ં⼼䥄㹖㰊䥄㹖䐼噉邀볯鞼볯醼胣㲑䐯噉ਾ†鯥醼볯醼臣膀䑌䍐곧랏臣膀곧랏闩亷臣ㆌ㈶〰菣莃菣ꞁ胣ꚬ迥隌軧貁⼳꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣늉苣鎽臣ꮃ菣ꮃ苣몤臣ꚁ臣讂胣ં⼼䥄㹖㰊䥄㹖䐼噉邀볯鞼볯銼胣㲑䐯噉ਾ†鯥醼볯醼臣늉苣鎽臣ꮃ菣ꮃ臣꾁胣낂菣벃菣뮂菣袃菦놠䜨ㅢ䜬㉹ㄬⰩ䜨㉢䜬㉹ㄬⰩ䜨㍢䜬㍹㌬Ⱙ䜨㍢䜬ㅹ㈬Ⱙ䜨㑢䜬㉹ㄬⰩ䜨㕢䜬㍹ㄬⰩ䜨㕢䜬ㅹ㈬Ⱙ䜨㕢䜬㉹ㄬ貁ꛨ骮臣貂臣蒁苣芀㰊䐯噉ਾ䐼噉㰾䥄㹖胣邼볯隼볯醀⼼䥄㹖 馁臣辂臣膀鯥醼볯醼臣늉苣鎽臣ꮃ菣ꮃ臣꾁胣㲁牢ਾ†苣ꮃ菣鞃苣莃菣薃ꃥ⢱扇ⰱ祇ⰲ⤱臣袂苣膀苣ꦃ菣몢軧貁볯ꪕ鯧ꮁ觨蒁곧랏菣莃菣낂菣벃菣䞗ㅢ臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰲ祇ⰲ⤱臣袂苣膀苣ꦃ菣몢軧貁볯ꪕ鯧ꮁ觨蒁곧랏菣莃菣낂菣벃菣䞗㉢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰳ⤳臣袂苣膀苣ꦃ菣몢軧貁볯ꪕ鯧ꮁ觨蒁곧랏菣莃菣낂菣벃菣䞗㍢臣ꚬ迥鎃菣袃臣鎼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰳ祇ⰱ⤲臣袂苣膀苣ꦃ菣몢軧貁볯ꪕ鯧ꮁ觨蒁곧랏菣莃菣낂菣벃菣䞗㍢臣ꚬ迥鎃菣袃臣銼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰴ祇ⰲ⤱臣袂苣膀苣ꦃ菣몢軧貁볯ꪕ鯧ꮁ觨蒁곧랏菣莃菣낂菣벃菣䞗㑢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰳ⤱臣袂苣膀苣ꦃ菣몢軧貁볯ꪕ鯧ꮁ觨蒁곧랏菣莃菣낂菣벃菣䞗㕢臣ꚬ迥鎃菣袃臣醼菣莃菣銂胣ꢂ菣벃ꋧ螎臣鎼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†苣ꮃ菣鞃苣莃菣薃ꃥ⢱扇ⰵ祇ⰱ⤲臣袂苣膀苣ꦃ菣몢軧貁볯ꪕ鯧ꮁ觨蒁곧랏菣莃菣낂菣벃菣䞗㕢臣ꚬ迥鎃菣袃臣銼菣莃菣銂胣ꢂ菣벃ꋧ螎臣醼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ胣㲁牢ਾ†迥뎁胣낂菣벃菣뮂菣袃菦놠䜨㕢䜬㉹ㄬꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣㲨牢ਾ†臣辦껥閁苣ꚁ臣讂胣ં⼼䥄㹖㰊䥄㹖䐼噉邀볯鞼볯钼胣㲑䐯噉ਾ†鯥醼볯銼臣膀鯥醼볯醼臣늉苣鎽臣ꮃ菣ꮃ臣鎾臣龁곧랏菣莃菣꺁藥貂鯦袁臣设苣몤臣ꚁ臣讂胣ં⼼䥄㹖㰊䥄㹖䐼噉邀볯鞼볯閼胣㲑䐯噉ਾ†臣ꪁ苣ꆁ胣뎛볯邼볯꺁볯꾁胣䲁偄ꚬ迥貁胣ꚬ迥랕貁㘱〲鎃菣袃臣膀곧랏賥螎臣㎌㔯臣몐룥ꢔ䑌䍐곧랏臣芁苣膀臣覂臣膀ꓥ뾪雦込臣㚌儴䵁臣膀胥낕貁ꞁ臣讂ꃥ袐臣膀鯥醼볯醼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯隼볯醀⼼䥄㹖 䰠偄ꚬ迥貁胣ꚬ迥랕貁㘱〲鎃菣袃臣膀곧랏賥螎臣㎌㔯臣몐룥ꢔ䑌䍐곧랏臣芁苣膀臣覂臣膀ꓥ뾪雦込臣㚌儴䵁臣膀胥낕貁ꞁ臣讂ꃥ袐胣螃菣ꮃ菣鞃菣꾂苣銼볯ꞁ臣膀苣ꦃ菣릖郥쎑궃苣릖郥貁ㄨ㈶〰⠯쌶㊗⤩韃㘨韃⤲菣莃菣꺁菣ꊃ菣鎼볯ꮁ鯦趁뻨뺁苣龁곧랏菣莃菣貁胣궃苣릖郥ꮁ胣㚁韃⠲洽⥢菣莃菣颍뷤ꞁꫨ뾁蟥閁苣膀藥貂鯦袁菩鎼볯袼鯥醼볯膀鯥醼볯覼臣鮾뗧閁苣讂胣ં⼼䥄㹖㰊䥄㹖䐼噉邀볯鞼볯鞼胣㲑䐯噉ਾ†藥貂鯦袁菩鎼볯꾁胣뎛볯邼볯꺁觥誂뷥ꚁ菣벃菣ꮁ뻥蒁胣ꆃ菣ꪃ볯醼臣覂ꫨ뾁蟥閁苣讂쌶㊗㴨扭鎃菣袃臣ꚬ迥鎃菣袃ぢ臣蒁臣抗ㄱ苣膀뻤袁臣膀鯥醼볯銼臣ꆼ臣몤臣袂臣ꮁ胣㊁㴨⥢胥꺁苣뎃菣ꮃ臣㚮韃⠲洽⥢菣莃菣꺁苣뎃菣ꮃ菣莃菣禈ꪁ臣鞁ㅹꮁ觥誂뷥ꚁ苣袂臣ꮁ胣㚁韃⠲洽⥢菣莃菣꺁곧랏菣莃菣抈ꪁ臣鞁ㅢ銂藥貂鯦袁苣芀㰊䐯噉ਾ䐼噉㰾䥄㹖胣邼볯隼볯醀⼼䥄㹖 馁臣辂臣膀藥貂鯦袁菩鎼볯꾁胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈ㄱ臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈ꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯鞼볯馼胣㲑䐯噉ਾ†鯥醼볯銼臣ꊼ臣膀䑌䍐곧랏臣膀곧랏闩亷臣ㆌ㈶〰菣莃菣ꞁ胣ꚬ迥隌軧貁⼳꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣뎛볯邼볯꺁觥誂뷥ꚁ菣벃菣ꮁ뻥ꎁ臣ꚬ迥鎃菣袃臣ꖅ苣뾛臣꺁곧銼臣设苣몤臣ꚁ臣讂胣ં⼼䥄㹖㰊䥄㹖䐼噉邀볯鞼볯邼胣㲑䐯噉ਾ†鯥醼볯銼臣ꊼ臣袂苣낁胣ꖅ苣뾛臣ꢃ볯銼臣膀鯥醼볯醼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢꮁ臣蒁臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㍹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃べ臣膀戼㹲 ꚬ迥鎃菣袃㕢苣膀苣뎃菣ꮃ菣莃菣禈ㄱ臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㥹臣膀戼㹲 ꚬ迥鎃菣袃㡢苣膀苣뎃菣ꮃ菣莃菣禈ꮁ胣㲁牢ਾ†곧랏菣莃菣抈銂胣랂菣鲃菣鎃菣袃㙹臣膀戼㹲 ꚬ迥鎃菣袃ㅢ銂胣랂菣鲃菣鎃菣袃㡹臣膀戼㹲 ꚬ迥鎃菣袃ㅢ銂胣랂菣鲃菣鎃菣袃㝹臣膀戼㹲 鶁苣麁苣늉苣鎽臣讂藥貂鯦袁苣財臣芀㰊䐯噉ਾ䐼噉㰾䥄㹖胣邼볯鞼볯醀⼼䥄㹖 뎛볯邼볯꾁胣䲁偄ꚬ迥貁胣ꚬ迥랕貁㘱〲鎃菣袃臣膀곧랏賥螎臣㊌㌯臣몐룥ꢔ䑌䍐곧랏臣芁苣膀臣覂臣膀ꓥ뾪雦込臣㚌儴䵁臣膀胥낕貁ꞁ臣讂ꃥ袐臣膀곧랏菣莃菣낂菣벃菣ꢁ苣뎃菣ꮃ菣莃菣낂菣벃菣ꢁ苣몤臣ꚁ臣讂胣ં⼼䥄㹖㰊䥄㹖䐼噉邀볯鞼볯銼胣㲑䐯噉ਾ†臣꺁ꃥ袐胣ꆃ菣ꪃ볯醼臣覂ꫨ뾁蟥閁苣讂쌶㊗㴨扭鎃菣袃臣ꚬ迥鎃菣袃臣膀苣ꦃ菣몢軧꺁臩蒁臣鲿臣ꚁ胣뎛볯邼볯꺁볯ꮁꓧ馁苣蚁臣膀볯讀臣ꚬ迥鎃菣袃苣ꮃ菣鞃扇ⰱ扇ⰲ扇ⰳ扇ⰴ扇ⰵ扇ꮁ苣ꮃ菣鞃裥醁臣讂臣ꢁ臣ꞁ臣讂胣ં⼼䥄㹖㰊䥄㹖䐼噉邀볯鞼볯鎼胣㲑䐯噉ਾ†鯥醼볯鎼臣ꆼ臣꾁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈貁胣ꚬ迥鎃菣袃苣ꮃ菣鞃扇ꮁ臣膀곧랏菣莃菣抈ꪁ臣鞁㑢臣膀곧랏菣莃菣낂菣벃菣䞗㑢臣꾁胣ꚬ迥鎃菣袃㕢臣膀곧랏菣莃菣낂菣벃菣䞗㕢臣꾁胣ꚬ迥鎃菣袃㙢迥뎁㝢臣膀곧랏菣莃菣낂菣벃菣䞗㙢臣꾁胣ꚬ迥鎃菣袃㡢臣蒁臣抗ㄱ臣膀臣貂臣貂뇥馁苣芀㰊䐯噉ਾ䐼噉㰾䥄㹖胣邼볯鞼볯醀⼼䥄㹖 覤ꫨ릖볥貁㐶䅑ꞁ胣趀闦抰臣㊌臣芁苣뒠郥膀쌶㊗㴨扭鎃菣袃臣랂菣鲃菣鎃菣袃臣膀苣ꦃ菣몢軧꺁臩蒁臣鲿臣ꚁ胣뎛볯邼볯꺁볯ꮁꓧ馁苣蚁臣膀볯讀臣랂菣鲃菣鎃菣袃苣ꮃ菣鞃祇ⰱ祇ⰲ祇ꮁ苣ꮃ菣鞃裥醁臣讂臣ꢁ臣ꞁ臣讂胣ં⼼䥄㹖㰊䥄㹖䐼噉邀볯鞼볯閼胣㲑䐯噉ਾ†鯥醼볯鎼臣ꊼ臣꾁胣뎛볯馼臣ꊼ臣貐꟦ꮁ胣랂菣鲃菣鎃菣袃苣ꮃ菣鞃祇ꮁ臣膀苣뎃菣ꮃ菣莃菣禈ⰰㅹ礬ⰶ㝹臣膀苣뎃菣ꮃ菣莃菣낂菣벃菣䞗㉹臣꾁胣랂菣鲃菣鎃菣袃㉹礬ⰳ㡹礬貁胣랂菣鲃菣鎃菣袃苣ꮃ菣鞃祇ꮁ臣膀苣뎃菣ꮃ菣莃菣禈ⰴ㕹礬〱礬ㄱ臣膀臣貂臣貂뇥馁苣芀㰊䐯噉ਾ䐼噉㰾䥄㹖胣邼볯鞼볯醀⼼䥄㹖 뎛볯邼볯꾁胣䲁偄ꚬ迥貁胣ꚬ迥랕貁㘱〲鎃菣袃臣膀곧랏賥螎臣㊌㌯臣몐룥ꢔ䑌䍐곧랏臣芁苣膀臣覂臣膀ꓥ뾪雦込臣㚌儴䵁臣膀胥낕貁ꞁ臣讂ꃥ袐臣膀觥誂뷥ꚁ菣벃菣銂ꓧ鞁臣蒁苣芀㰊䐯噉ਾ䐼噉㰾䥄㹖胣邼볯鞼볯醀⼼䥄㹖 뎛볯邼볯꺁觥誂뷥ꚁ菣벃菣ꞁ臣膀苣ꮃ菣鞃苣莃菣薃ꃥ⢱扇ⰱ祇ⰲ⤱⠬扇ⰲ祇ⰲ⤱⠬扇ⰳ祇ⰳ⤲⠬扇ⰳ祇ⰱ⤱⠬扇ⰴ祇ⰳ⤱⠬扇ⰵ祇ⰱ⤱⠬扇ⰵ祇ⰲ⤱⠬扇ⰶ祇ⰳ⤱⠬扇ⰶ祇ⰱ⤲⠬扇ⰶ祇ⰲ⤱臣辦껥閁苣ꚁ臣讂胣ં⼼䥄㹖㰊䥄㹖䐼噉邀볯鞼볯颼胣㲑䐯噉ਾ†臣ꪁ苣ꆁ胣뎛볯邼볯꺁觥誂뷥ꚁ菣벃菣ꞁ臣膀戼㹲 낂菣벃菣뮂菣袃菦놠䜨ㅢ䜬㉹ㄬꮁ苣誂胣ꢂ菣벃ꋧ螎臣醼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣膀戼㹲 낂菣벃菣뮂菣袃菦놠䜨㉢䜬㉹ㄬꮁ苣誂胣ꢂ菣벃ꋧ螎臣銼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣膀戼㹲 낂菣벃菣뮂菣袃菦놠䜨㍢䜬㍹㈬ꮁ苣誂胣ꢂ菣벃ꋧ螎臣鎼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㍹臣랂菣鲃菣鎃菣袃臣銼菣莃菣ꮁ觥誂뷥ꚁ苣鎁臣膀戼㹲 낂菣벃菣뮂菣袃菦놠䜨㍢䜬ㅹㄬꮁ苣誂胣ꢂ菣벃ꋧ螎臣鎼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗ㅹ臣랂菣鲃菣鎃菣袃臣醼菣莃菣ꮁ觥誂뷥ꚁ苣鎁臣膀戼㹲 낂菣벃菣뮂菣袃菦놠䜨㑢䜬㍹ㄬꮁ苣誂胣ꢂ菣벃ꋧ螎臣钼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㍹臣랂菣鲃菣鎃菣袃臣醼菣莃菣ꮁ觥誂뷥ꚁ苣鎁臣膀戼㹲 낂菣벃菣뮂菣袃菦놠䜨㕢䜬ㅹㄬꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗ㅹ臣랂菣鲃菣鎃菣袃臣醼菣莃菣ꮁ觥誂뷥ꚁ苣鎁臣膀戼㹲 낂菣벃菣뮂菣袃菦놠䜨㕢䜬㉹ㄬꮁ苣誂胣ꢂ菣벃ꋧ螎臣閼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㉹臣랂菣鲃菣鎃菣袃臣醼菣莃菣ꮁ觥誂뷥ꚁ苣鎁臣膀戼㹲 낂菣벃菣뮂菣袃菦놠䜨㙢䜬㍹ㄬꮁ苣誂胣ꢂ菣벃ꋧ螎臣隼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗㍹臣랂菣鲃菣鎃菣袃臣醼菣莃菣ꮁ觥誂뷥ꚁ苣鎁臣膀戼㹲 낂菣벃菣뮂菣袃菦놠䜨㙢䜬ㅹ㈬ꮁ苣誂胣ꢂ菣벃ꋧ螎臣隼闧꺛臣꾉臣ꚬ迥鎃菣袃苣ꮃ菣鞃扇꺁곧랏菣莃菣꺁볯鎃菣袃苣膀苣ꦃ菣몢軧貁볯ꪕ鯧ꮁ觨蒁苣뎃菣ꮃ菣莃菣낂菣벃菣䞗ㅹ臣랂菣鲃菣鎃菣袃臣銼菣莃菣ꮁ觥誂뷥ꚁ苣鎁臣膀戼㹲 誏臣膀苣ꮃ菣鞃苣莃菣薃ꃥ⢱扇ⰶ祇ⰲ⤱臣袂苣膀苣ꦃ菣몢軧貁볯ꪕ鯧ꮁ觨蒁곧랏菣莃菣낂菣벃菣䞗㙢臣ꚬ迥鎃菣袃臣醼菣莃菣銂胣ꢂ菣벃ꋧ螎臣銼闧꺛臣꾉臣랂菣鲃菣鎃菣袃苣ꮃ菣鞃祇꺁苣뎃菣ꮃ菣莃菣꺁볯鎃菣袃臣늉苣鎽臣讂臣ꢁ戼㹲 貁ꛨ骮臣貂臣蒁苣芀㰊䐯噉ਾ䐼噉㰾䥄㹖胣邼볯鞼볯醀⼼䥄㹖 뎛볯邼볯꾁胣뎛볯邼볯꺁觥誂뷥ꚁ菣벃菣ꮁ뻥ꎁ臣ꚬ迥鎃菣袃臣ꖅ苣뾛臣꺁뻤銂ꓧ鞁臣蒁苣芀㰊䐯噉ਾ䐼噉㰾䥄㹖胣邼볯颼볯醀⼼䥄㹖 馁臣辂臣膀鯥醼볯閼臣ꆼ臣膀䑌䍐곧랏臣膀곧랏闩亷臣ㆌ㈶〰菣莃菣ꞁ胣ꚬ迥隌軧貁⼲꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥꺁胣뎛볯邼볯꺁觥誂뷥ꚁ菣벃菣ꮁ뻥ꎁ臣ꚬ迥鎃菣袃臣ꖅ苣뾛臣꺁곧醼臣设苣몤臣ꚁ臣讂胣ં⼼䥄㹖㰊䥄㹖䐼噉邀볯鞼볯醼胣㲑䐯噉ਾ†䑌䍐곧랏臣膀곧랏闩亷臣ㆌ㈶〰菣莃菣ꞁ胣ꚬ迥隌軧貁⼲꺁郦꾸铧䲨偄ꚬ迥ꞁ臣誂胣閁苣ꮁ胣覤ꫨ릖볥貁㐶䅑ꞁ胣趀闦抰臣㊌臣芁苣뒠郥膀菣麃菣膃菣것苣떂볯閼臣꾁胣ꮂ菣ꂃ雦醐韃菣Ꚃ雦醐臣⢌㘱〲⼰㘨韃⤲쌩⢗쌶㊗鎃菣袃臣ꆃ菣ꪃ볯醼臣뢛臣벾臣貂臣ꚬ迥鎃菣袃臣膀菣Ꚃ雦醐臣膀쌶㊗㴨扭鎃菣袃跥趽臣궪臣몇臣貂胣ꖅ苣뾛臣ꢃ볯銼볯뎛볯颼胣뎛볯馼볯ꮁ뻤ꚵ臣貂苣芀㰊䐯噉ਾ䐼噉㰾䥄㹖胣邼볯颼볯醀⼼䥄㹖 ꖅ苣뾛臣ꢃ볯銼臣膀鯥醼볯钼臣늉苣鎽臣ꮃ菣ꮃ臣鎾臣膀菣ꊃ菣鎼볯讁苣궪臣몇臣貂苣㚋韃⠲洽⥢菣莃菣꺁곧랏菣莃菣抈ꪁ臣鞁ㅢ銂胣设臣낁胣뎛볯邼볯꺁볯ꮁꓧ馁苣蚁臣膀⠲戽讀臣랂菣鲃菣꺁쌶㊗㴨扭鎃菣袃臣랂菣鲃菣鎃菣袃べ臣蒁臣禗ㄱ臣늉苣鎽臣讂苣蚁臣膀쌶㊗㴨扭鎃菣袃臣ꚬ迥鎃菣袃ぢ臣蒁臣抗ㄱ苣ꖅ苣뾛臣讂胣ં⼼䥄㹖㰊䥄㹖䐼噉邀볯鞼볯鎼胣㲑䐯噉ਾ†臣ꪁ苣ꆁ胣ꖅ苣뾛臣ꢃ볯銼臣膀戼㹲 ꚬ迥鎃菣袃ぢ苣膀苣뎃菣ꮃ菣莃菣禈ꮁ胣㲁牢ਾ†곧랏菣莃菣抈銂胣랂菣鲃菣鎃菣袃㡹臣膀戼㹲 ꚬ迥鎃菣袃㉢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃べ臣膀戼㹲 ꚬ迥鎃菣袃㕢苣膀苣뎃菣ꮃ菣莃菣禈〱臣膀戼㹲 ꚬ迥鎃菣袃㙢苣膀苣뎃菣ꮃ菣莃菣禈ꮁ胣㲁牢ਾ†곧랏菣莃菣抈銂胣랂菣鲃菣鎃菣袃㥹臣膀戼㹲 ꚬ迥鎃菣袃㡢苣膀苣뎃菣ꮃ菣莃菣禈ꮁ胣㲁牢ਾ†곧랏菣莃菣抈銂胣랂菣鲃菣鎃菣袃㝹臣膀戼㹲 ꚬ迥鎃菣袃ㅢ銂胣랂菣鲃菣鎃菣袃㍹臣膀戼㹲 ꚬ迥鎃菣袃ㅢ銂胣랂菣鲃菣鎃菣袃㙹臣膀戼㹲 鶁苣麁苣늉苣鎽臣讂藥貂鯦袁苣財臣芀㰊䐯噉ਾ䐼噉㰾䥄㹖胣邼볯颼볯醀⼼䥄㹖 뎛볯邼볯꺁볯꾁胣䲁偄ꚬ迥貁胣ꚬ迥랕貁㘱〲鎃菣袃臣膀곧랏賥螎臣㊌㌯臣몐룥ꢔ䑌䍐곧랏臣芁苣膀臣覂臣膀ꓥ뾪雦込臣㚌儴䵁臣膀胥낕貁ꞁ臣讂ꃥ袐臣膀鯥醼볯钼臣늉苣鎽臣ꮃ菣ꮃ臣鎾臣龁곧랏菣莃菣꺁藥貂鯦袁臣견볯꺁뻤銂ꓧ鞁臣蒁苣芀㰊䐯噉ਾ䐼噉㰾䥄㹖胣邼볯颼볯醀⼼䥄㹖 뎛볯邼볯꺁볯ꮁ苣貂臣膀藥貂鯦袁菩鎼볯꾁胣뎛볯邼볯꺁觥誂뷥ꚁ菣벃菣ꮁ뻥蒁胣ꆃ菣ꪃ볯醼臣覂ꫨ뾁蟥閁苣讂쌶㊗㴨扭鎃菣袃臣ꚬ迥鎃菣袃ぢ臣蒁臣抗ㄱ臣ꒁ臣ꚁ胣㲁牢ਾ†곧랏菣莃菣抈銂胣랂菣鲃菣鎃菣袃㉹臣膀戼㹲 ꚬ迥鎃菣袃ㅢ苣膀苣뎃菣ꮃ菣莃菣禈ꮁ胣㲁牢ਾ†곧랏菣莃菣抈銂胣랂菣鲃菣鎃菣袃㑹臣膀戼㹲 ꚬ迥鎃菣袃㍢苣膀苣뎃菣ꮃ菣莃菣禈〱臣膀戼㹲 ꚬ迥鎃菣袃㑢苣膀苣뎃菣ꮃ菣莃菣禈ꮁ胣㲁牢ਾ†곧랏菣莃菣抈銂胣랂菣鲃菣鎃菣袃ㅹꮁ胣㲁牢ਾ†곧랏菣莃菣抈銂胣랂菣鲃菣鎃菣袃ㅹ臣膀戼㹲 ꚬ迥鎃菣袃㝢苣膀苣뎃菣ꮃ菣莃菣禈ꮁ胣㲁牢ਾ†곧랏菣莃菣抈銂胣랂菣鲃菣鎃菣袃㕹臣膀戼㹲 ꚬ迥鎃菣袃㥢苣膀苣뎃菣ꮃ菣莃菣禈ꮁ胣㲁牢ਾ†곧랏菣莃菣抈〱苣膀苣뎃菣ꮃ菣莃菣禈ꮁ胣㲁牢ਾ†곧랏菣莃菣抈ㄱ苣膀苣뎃菣ꮃ菣莃菣禈ꮁ胣㲁牢ਾ†臣貂臣貂觥誂뷥ꚁ苣ꖅ苣뾛臣銂ꇨ蚁胣ં⼼䥄㹖㰊䥄㹖䐼噉邀볯鞼볯隼胣㲑䐯噉ਾ†鳦뚻駧躘胨貁ꇨꎁ臣랂菣ꖃ菣벃苣ꞃ菣ꮁ苣貂臣膀雦ꖅ苣뾛臣릖볥꺁藥貂鯦袁蟥蚐苣財臣龁ꃥ袐臣꾁胣ꖅ苣뾛臣ꚇ郧銂ꇨ辂臣蒁ꃥ袐臣钯볨鞁臣膀䕂貁郥誸臣讂臣ꢁ臣몢ꫨ閁苣ꚁ臣誂胣鞁臣貁臣ꚁ胣낖藥貂鯦袁雦込臣ꖅ苣뾛臣ꚇ郧ꮁ苣貂臣膀苣ꦃ菣ꮁ꿥馁苣邀胦銂郥誸臣鮁苣鎁臣貁臣趁苣芀㰊䐯噉ਾ䐼噉㰾䥄㹖胣邼볯颼볯醀⼼䥄㹖 鎁臣ꞁ胣ꖅ苣뾛臣ꢃ볯銼臣袂苣ꖅ苣뾛臣ꚇ郧ꞁ臣䲮偄ꚬ迥꺁곧랏菣莃菣꺁藥貂鯦袁雦膀臣ꪁ苣ꆁ胣䲁偄ꚬ迥꺁곧랏菣莃菣ꢁ胣랂菣鲃菣銂ꇨ馁苣뎃菣ꮃ菣莃菣ꢁ臣늉苣鎽臣꺁菣뾂菣뎃볯ꖻ룤膀菣莃菣늉苣鎽臣醃苣벃菣ꢁ苣蒁臣覼臣鞁臣꾁胣ꚬ迥隌軧貁闧ꪁ苣䲋偄ꚬ迥鶁苣麁苣ꮁ臣蒁臣膀臣꺁䑌䍐곧랏臣芰铧꺁菣莃菣늉苣鎽臣醃苣벃菣銂軦ꢔ臣讂臣ꢁ臣ꞁ臣讂胣ં⼼䥄㹖㰊䥄㹖䐼噉邀볯鞼볯颼胣㲑䐯噉ਾ†臣讁臣ꪁ臣覂胣ꚬ迥隌軧貁闧ꪁ苣䲋偄ꚬ迥鶁苣麁苣ꮁ臣蒁臣膀臣꺁䑌䍐곧랏臣芰铧꺁菣莃菣늉苣鎽臣醃苣벃菣銂軦ꢔ臣讂臣膀ꓥ낕臣鎃菣袃觥誂뷥ꚁ菣뾂菣뎃苣膀뿤薣뷧醼볯ꮁ껥薣臣讂뿥膦臣芁苣膀臣覂臣膀곧랏賥螎臣낕臣讂꣧麡臣䲮偄ꚬ迥钁臣ꮁ胣鎃菣袃觥誂뷥ꚁ菣뾂菣뎃臣覤鯦袼裥誂鯦袁볯貁뿥膦臣ꪁ苣芀㰊䐯噉ਾ䐼噉㰾䥄㹖胣邼볯颼볯醀⼼䥄㹖 肸雦膀鯥閼볯ꪁ臣鞁鯥醼볯閼臣겪飦鞁臣ꖅ苣뾛臣ꚇ郧ꮁ苣貂臣膀胩ꆿꏨ꺽볯醼臣龮ꏨ馁苣鎃菣袃觥誂뷥ꚁ菣뾂菣뎃苣醰臣辁臣讂臣ꢁ臣ꞁ臣讂胣ં⼼䥄㹖㰊䥄㹖䐼噉邀볯鞼볯邼胣㲑䐯噉ਾ†臣ꪁ苣ꆁ胣覤ꫨ릖볥貁㘱䅑ꞁ臣讂ꃥ袐臣꾁胣㲁牢ਾ†곧랏賥螎臣ㆌ㔯볯㒌ㄯ膀迥뎁胣ㆁ㌯臣몐룥ꢔ䑌䍐곧랏臣貂臣貂臣ꒁ臣ꚁ臣膀鯥閼볯膀鯥閼볯膀迥뎁胣뎛볯邼臣ꆼ臣몤臣龁胣ꚬ迥鎃菣袃ぢ臣蒁臣抗銂胣鶁苣麁苣膀苣뎃菣ꮃ菣莃菣禈ⰴ㍹礬ⰲㅹ礬ⰶ㕹礬ⰷべ臣늉苣鎽臣讂菣莃菣늉苣鎽臣醃苣벃菣銂胣㲁牢ਾ†곧랏賥螎臣㊌㔯볯㒌㤯볯㞌ㄯ貼⼸㔱볯㎌㔯胣誏臣膀⼲꺁郦꾸铧䲨偄ꚬ迥ꮁ臣蒁臣꾁胣뎛볯鎼胣뎛볯隼胣뎛볯馼胣뎛볯銼胣뎛볯閼胣誏臣膀鯥鞼볯꺁볯ꮁꓧ鞁臣膀곧랏菣莃菣抈ꪁ臣鞁㝢苣膀臣貂臣貂胣랂菣鲃菣鎃菣袃べ礬ⰲ㙹礬ⰳ㑹礬ⰱ㕹礬ꮁ觥誂뷥ꚁ苣鎃菣袃觥誂뷥ꚁ菣뾂菣뎃苣膀戼㹲 鶁苣麁苣ꆎ铧馁苣鎁臣ꞁ胣膀뿤薣뷧醼볯ꮁ臣膀볯醃苣벃菣꺁菣莃菣늉苣鎽臣醃苣벃菣銂껥薣臣讂臣醁臣袸苣芀㰊䐯噉ਾ䐼噉㰾䥄㹖胣邼볯馼볯醀⼼䥄㹖 뺁臣膀ꓥ뾪雦込臣㚌儴䵁臣芁苣뒠郥ꮁ臣膀戼㹲 ꚬ迥隌軧貁⼱ⰵ⼲ⰵ⼴ⰹ⼷㔱㌬㔯㈬㌯臣몐룥ꢔ䑌䍐곧랏臣貂臣貂臣ꒁ臣ꚁ臣膀鯥颼볯膀鯥馼볯膀鯥馼볯膀鯥馼볯膀鯥醼볯銼胣誏臣膀鯥醼볯閼臣ꆼ臣몤臣龁胣ꚬ迥鎃菣袃ぢ臣蒁臣抗ㄱ苣膀臣貂臣貂胣랂菣鲃菣鎃菣袃㉹礬ⰸ㑹礬ㄱ礬ⰰㅹⰰㅹ礬ⰹ㕹礬ⰷ㍹礬ꮁ觥誂뷥ꚁ苣鎃菣袃觥誂뷥ꚁ菣뾂菣뎃苣膀戼㹲 ꚬ迥隌軧貁⼴㔱볯ㆌ㌯볯誏臣膀⼸㔱臣몐룥ꢔ䑌䍐곧랏臣貂臣貂臣ꒁ臣ꚁ臣膀鯥颼볯膀鯥颼볯膀迥뎁胣뎛볯馼臣ꆼ臣몤臣龁胣ꚬ迥鎃菣袃ぢ臣蒁臣抗ㄱ苣膀臣貂臣貂胣랂菣鲃菣鎃菣袃㉹礬ⰸ㑹礬ⰶべ礬ㄱ礬ⰱ㥹礬ⰵ㝹礬ⰳㅹꮁ觥誂뷥ꚁ苣鎃菣袃觥誂뷥ꚁ菣뾂菣뎃苣膀戼㹲 鶁苣麁苣ꆎ铧馁苣鎁臣ꞁ胣膀뿤薣뷧醼볯ꮁ臣膀볯醃苣벃菣꺁菣莃菣늉苣鎽臣醃苣벃菣銂껥薣臣讂臣醁臣袸苣芀㰊䐯噉ਾ䐼噉㰾䥄㹖胣邼볯馼볯醀⼼䥄㹖 ꪁ臣膀鳦龮雦꺁뷥讅臣꾁胣겪飦꺁뻤鲮룤膀菣麃菣膃菣것苣떂볯閼臣誁臣ꚁ胣ꖅ苣뾛臣ꢃ볯銼臣膀菣ꊃ菣鎼볯讁苣궪臣몇臣貂臣ꚬ迥鎃菣袃苣뺯뇨ꢁ臣ꚁ胣ꖅ苣뾛臣ꚇ郧銂ꇨ蚁苣蚁臣鞁臣貁胣ꖅ苣뾛臣ꚇ郧꾁胣ꆃ菣ꪃ볯醼臣뺯臣讂곧랏菣莃菣꺁鯦趁뻨뾁苣궪臣몇臣銂裥ꆾ臣讂臣ꢁ臣袂臣ꚁꇨ蚁臣ꢁ臣ꞁ臣讂胣ં⼼䥄㹖㰊䥄㹖䐼噉邀볯鞼볯鎼胣㲑䐯噉ਾ†臣ꪁ苣ꆁ胣ꖅ苣뾛臣ꚇ郧꾁胣设臣낁胣ꆃ菣ꪃ볯醼臣覂臣ꚬ迥鎃菣袃臣궪臣몇臣銂胣ꖅ苣뾛臣貾臣ꚬ迥鎃菣袃臣蚠闧ꞁꇨ蚁苣蚁臣膀곧랏菣莃菣銂ꫨ뾁蟥馁苣覃菣릂볯궪臣몇臣ꊂ菣것苣覼苣뚈뻥馁苣鎁臣ꮁ苣誂ꇨ蚁臣ꢁ臣ꞁ臣讂胣ં⼼䥄㹖㰊䥄㹖䐼噉邀볯鞼볯钼胣㲑䐯噉ਾ†볯ㆻ欶臣䲮偄ꚬ迥꺁苣ꦃ菣蒃苣릂菣ꒂ菣뾂菣ꪃ菣隃볯ઽ⼼䥄㹖㰊䥄㹖䐼噉邀볯鞼볯閼胣㲑䐯噉ਾ†䑌䍐苣뎃苣벃菣醼볯閼볯뎛볯膀鯥鎼볯覼臣誁臣ꚁ胣뎛볯閼臣蒁臣뎛볯鎼臣몤臣龁볯鲤鿦財裥鶈鳦ꒀ菣벃菣ꮃ臣覂뇦膂苣貂苣覼ꓦ뮟ꇨ鞈苣ꢔ臣ꚁ胣ㆁ欶菣莃菣꺁䑌䍐곧랏臣芁苣몐룥ꢔ䑌䍐곧랏臣꺁䑌䍐곧랏賥銂ꇨ蚁ꃥ袐臣꾁胣ꮂ菣ꂃ菣ꒂ苣袃苣뎃苣벃菣벃菣銼볯袼鯥馼볯ꞁꇨ辂苣讂룤뎁鯦袁蟥蚐臣鞁臣꺁苣ꦃ菣蒃苣릂菣ꒂ菣뾂菣ꪃ菣隃臣꺁胣ꆃ菣ꪃ볯醼臣蒐苣ꦃ菣袼鯥銼볯覼臣뢛臣讧苣꺁뷤꺽臣膀噄ⵂ⹔ꮁꛨ骮臣貂臣蒁苣䲋偄ꚬ迥꺁ꃥ袐臣뢛臣讧苣꺁뷤꺽볯뎛볯閼胣뎛볯隼볯ꢁ闧ꪁ苣芀㰊䐯噉ਾ䐼噉㰾䥄㹖胣邼볯馼볯醀⼼䥄㹖 뎛볯邼볯꾁胣몐룥ꢔ䑌䍐곧랏臣ꒁ臣ꚁ胣ꮂ菣ꂃ菣ꒂ苣袃苣뎃苣벃菣벃菣ꮁ뿥膦臣ꆃ菣ꪃ볯醼臣ꮂ菣ꂃ闦ꢁ胣뢛臣讧苣꺁뷤꺽臣ꊂ菣것苣ꢁ苣몤臣뎛臣芁苣芀㰊䐯噉ਾ䐼噉㰾䥄㹖胣邼볯馼볯醀⼼䥄㹖 馁臣辂臣膀鯥醼볯隼臣꾁胣뎛볯閼臣蒁臣뎛볯鎼臣膀곧랏闩亷臣ㆌ欶菣莃菣ꞁ胣ꚬ迥隌軧犇臣ㆌ㔯볯㒌ㄯ貼⼱貼⼲貼⼴貼⼷㔱볯㢌ㄯ貼⼳膀迥뎁胣㊁㌯臣馼꣧麡臣袼ꓦ뮟ꇨ鞈裥龜胥蚃菣隃菣讁苣花苣覂苣讂ꓦ뮟ꇨ鞈臣覂뻥覂苣讂볯몐룥ꢔ䑌䍐곧랏臣ꒁ臣ꚁ胣ꮂ菣ꂃ菣ꒂ苣袃苣뎃苣벃菣벃菣ꮁ뿥膦臣ꆃ菣ꪃ볯醼臣ꮂ菣ꂃ闦ꢁ胣뢛臣讧苣꺁뷤꺽臣ꊂ菣것苣ꢁ臣膀ꓥ뾪雦込臣ꢁ臣몤臣貂臣蒁苣芀㰊䐯噉ਾ䐼噉㰾䥄㹖胣邼볯馼볯醀⼼䥄㹖 ꪁ臣膀郦꾸铧䲨偄ꚬ迥ꮁ臣蒁臣꾁胣覤ꫨ릖볥ꢁ臣ꚁ胣ꆿ迥릂臣낕臣钯볨蒚냥ꪁ臣冄卐貼㘱䅑膀㐶䅑膀迥뎁胣㊁㘵䅑銂軦ꢔ臣讂臣ꢁ臣馁苣芀㰊䐯噉ਾ䐼噉㰾䥄㹖胣邼볯馼볯醀⼼䥄㹖 趀闦抰臣ㆌ臣芁苣膀臣ꒁ胣覤ꫨ릖볥ꢁ臣ꚁ胣冁卐貁軦ꢔ臣貂苣鎁臣ꮁ苣ꎁ臣膀볯랂菣鲃菣꺁菣莃菣낕貁胣銼菣莃菣ꞁ臣讂ꃥ袐胣ꆃ菣ꪃ볯醼臣膀菣Ꚃ雦醐臣㊫韃鎃菣袃苣風蛦馁苣銼胥꺁苣ꦃ菣銂鳦鞁胣ꮂ菣ꂃ雦醐臣享⠯扭㴩㘱〲⼰㈨韃⤱菣莃菣銂꣨뚆臣讂胣ં⼼䥄㹖㰊䥄㹖䐼噉邀볯颼볯邼胣㲑䐯噉ਾ†臣鞁臣膀菣ꊃ菣鎼볯꺁볯讀臣ꮂ菣ꂃ臣蚁臣꺁胣醼闧꺛臣ꮂ菣ꂃ臣뢛臣讧苣꺁뷤꺽臣膀苣覃菣릂臣れ臣趽뷧ꢁ胣銼闧꺛臣ꮂ菣ꂃ臣뢛臣讧苣꺁뷤꺽臣膀苣覃菣릂臣㎌臣趽뷧ꢁ胣鶁苣麁苣閁苣讂胣ં⼼䥄㹖㰊䥄㹖䐼噉邀볯颼볯醼胣㲑䐯噉ਾ†胥낕貁ꞁ臣誂胣讁臣膀ꓥ뾪雦込臣鞁臣膀㘱䅑貁軦ꢔ臣貂苣鎁臣ꮁ苣ꎁ臣膀볯랂菣鲃菣꺁菣莃菣낕貁胣钼菣莃菣ꞁ臣讂ꃥ袐胣ꆃ菣ꪃ볯醼臣膀菣Ꚃ雦醐臣㒫韃鎃菣袃苣風蛦馁苣钼胥꺁苣ꦃ菣銂鳦鞁胣ꮂ菣ꂃ雦醐臣享⠯扭㴩㘱〲⼰㐨韃⤱菣莃菣銂꣨뚆臣讂胣ં⼼䥄㹖㰊䥄㹖䐼噉邀볯颼볯銼胣㲑䐯噉ਾ†臣龁胣趀闦抰臣㊌臣芁苣膀臣ꒁ胣覤ꫨ릖볥ꢁ臣ꚁ胣冁卐貁軦ꢔ臣貂苣鎁臣ꮁ苣ꎁ臣膀볯랂菣鲃菣꺁菣莃菣낕貁胣銼菣莃菣ꞁ臣讂ꃥ袐苣膀菣ꊃ菣鎼볯꾁胣궃苣릖郥ꮁ쌲㊗菣莃菣銂꣨뚆臣讂볯讀臣ꮂ菣ꂃ苣覜臣膀苣ꦃ菣릖郥ꮁ⽎洨⥢ㄽ㈶〰⠯쌲㊗鎃菣袃苣風蛦馁苣芀㰊䐯噉ਾ䐼噉㰾䥄㹖胣邼볯邼볯醀⼼䥄㹖 鶁臣ꚁ胣趀闦抰臣ㆌ臣芁苣膀臣ꒁ胣覤ꫨ릖볥ꢁ臣ꚁ胣ㆁ儶䵁臣ꆎ铧閁苣讂臣ꢁ臣袂臣ꚁ胣醼苣뎃菣ꮃ臣鎃菣袃闦涰臣膀볯鎃菣袃臣芁苣뒠郥节胣趀闦抰臣㊌臣芁苣膀臣ꒁ胣覤ꫨ릖볥ꢁ臣ꚁ胣冁卐貁軦ꢔ臣貂苣鎁臣ꮁ苣ꎁ臣膀볯랂菣鲃菣꺁菣莃菣낕貁胣銼菣莃菣ꞁ臣讂ꃥ袐苣膀菣ꊃ菣鎼볯꺁볯讀臣ꮂ菣ꂃ臣蚁臣꺁胣醼闧꺛臣ꮂ菣ꂃ臣뢛臣讧苣꺁뷤꺽臣膀苣覃菣릂臣れ臣趽뷧ꢁ胣銼闧꺛臣ꮂ菣ꂃ臣뢛臣讧苣꺁뷤꺽臣膀苣覃菣릂臣㊌臣趽뷧ꢁ胣鎼闧꺛臣ꮂ菣ꂃ臣뢛臣讧苣꺁뷤꺽臣膀苣覃菣릂臣㎌臣趽뷧ꢁ胣钼闧꺛臣ꮂ菣ꂃ臣뢛臣讧苣꺁뷤꺽臣膀苣覃菣릂臣れ臣趽뷧ꢁ胣鶁苣麁苣閁苣讂胣ં⼼䥄㹖㰊䥄㹖䐼噉邀볯颼볯钼胣㲑䐯噉ਾ†胥낕貁ꞁ臣誂胣讁臣膀ꓥ뾪雦込臣鞁臣膀㐶䅑貁軦ꢔ臣貂苣鎁臣ꮁ苣ꎁ臣膀볯랂菣鲃菣꺁菣莃菣낕貁胣隼菣莃菣ꞁ臣讂ꃥ袐胣ꆃ菣ꪃ볯醼臣膀菣Ꚃ雦醐臣㚫韃鎃菣袃苣風蛦馁苣隼胥꺁苣ꦃ菣銂鳦鞁胣ꮂ菣ꂃ雦醐臣享⠯扭㴩㘱〲⼰㘨韃⤱菣莃菣銂꣨뚆臣讂胣ં⼼䥄㹖㰊䥄㹖䐼噉邀볯颼볯閼胣㲑䐯噉ਾ†臣鞁臣膀菣ꊃ菣鎼볯꺁볯讀臣ꮂ菣ꂃ臣蚁臣꺁胣醼闧꺛臣ꮂ菣ꂃ臣뢛臣讧苣꺁뷤꺽臣膀苣覃菣릂臣れ臣趽뷧ꢁ胣銼闧꺛臣ꮂ菣ꂃ臣뢛臣讧苣꺁뷤꺽臣膀苣覃菣릂臣ㆌ臣趽뷧ꢁ胣鎼闧꺛臣ꮂ菣ꂃ臣뢛臣讧苣꺁뷤꺽臣膀苣覃菣릂臣㎌臣趽뷧ꢁ胣钼闧꺛臣ꮂ菣ꂃ臣뢛臣讧苣꺁뷤꺽臣膀苣覃菣릂臣㢌臣趽뷧ꢁ胣閼闧꺛臣ꮂ菣ꂃ臣뢛臣讧苣꺁뷤꺽臣膀苣覃菣릂臣ㆌ臣趽뷧ꢁ胣隼闧꺛臣ꮂ菣ꂃ臣뢛臣讧苣꺁뷤꺽臣膀苣覃菣릂臣㚌臣趽뷧ꢁ胣鶁苣麁苣閁苣讂胣ં⼼䥄㹖㰊䥄㹖䐼噉邀볯颼볯隼胣㲑䐯噉ਾ†胥낕貁ꞁ臣誂胣讁臣膀ꓥ뾪雦込臣鞁臣膀㔲儶䵁臣ꆎ铧閁苣讂臣ꢁ臣袂臣ꚁ胣醼苣뎃菣ꮃ臣鎃菣袃闦涰臣膀볯鎃菣袃臣芁苣뒠郥膀菣ꊃ菣鎼볯꾁胣궃苣릖郥ꮁ쌸㆗菣莃菣銂꣨뚆臣讂볯讀臣ꮂ菣ꂃ苣覜臣膀苣ꦃ菣릖郥ꮁ⽎洨⥢ㄽ㈶〰⠯쌸㆗鎃菣袃苣風蛦馁苣芀㰊䐯噉ਾ䐼噉㰾䥄㹖胣邼볯邼볯醀⼼䥄㹖 뺁臣膀胥낕貁ꞁ臣誂胣讁臣膀ꓥ뾪雦込臣鞁臣膀㘱䅑貁軦ꢔ臣貂苣鎁臣ꮁ苣ꎁ臣膀볯랂菣鲃菣꺁菣莃菣낕貁胣钼菣莃菣ꞁ臣讂ꃥ袐苣膀菣ꊃ菣鎼볯꾁胣궃苣릖郥ꮁ쌴㊗菣莃菣銂꣨뚆臣讂볯讀臣ꮂ菣ꂃ苣覜臣膀苣ꦃ菣릖郥ꮁ⽎洨⥢ㄽ㈶〰⠯쌴㊗鎃菣袃苣風蛦馁苣芀㰊䐯噉ਾ䐼噉㰾䥄㹖胣邼볯邼볯醀⼼䥄㹖 鶁臣ꚁ胣ꆃ菣ꪃ볯醼臣颼胥꺁苣ꦃ菣꺁臣ꆁ臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀臣貂臣貂臣貂苣芀㰊䐯噉ਾ䐼噉㰾䥄㹖胣邼볯邼볯醀⼼䥄㹖 趀闦抰臣㊌臣芁苣膀臣ꒁ胣覤ꫨ릖볥ꢁ臣ꚁ胣设臣낁胣㚁儴䵁臣ꆎ铧閁苣讂臣ꢁ臣袂臣ꚁ胣醼苣뎃菣ꮃ臣鎃菣袃闦涰臣膀볯鎃菣袃臣芁苣뒠郥膀菣ꊃ菣鎼볯꾁胣궃苣릖郥ꮁ쌶㊗菣莃菣銂꣨뚆臣讂볯銼胥꺁苣ꦃ菣銂鳦鞁胣ꮂ菣ꂃ雦醐臣ㆫ㈶〰⠯쌶㊗鎃菣袃苣風蛦馁苣芀㰊䐯噉ਾ䐼噉㰾䥄㹖胣邼볯醼볯醀⼼䥄㹖 鶁臣ꚁ胣ꆃ菣ꪃ볯醼臣醼볯讀臣ꮂ菣ꂃ臣蚁臣꺁胣醼闧꺛臣ꮂ菣ꂃ臣뢛臣讧苣꺁뷤꺽臣膀苣覃菣릂臣れ臣趽뷧ꢁ胣銼闧꺛臣ꮂ菣ꂃ臣뢛臣讧苣꺁뷤꺽臣膀苣覃菣릂臣ㆌ꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯ꪕ鯧꺁苣ꦃ菣꺁鯦趁꟥膂臣趽뷧꾁胣ꊂ菣것苣貁꺁뷤꺽臣膀볯邼闧꺛臣ꮂ菣ꂃ臣뢛臣讧苣꺁뷤꺽臣膀苣覃菣릂臣れ臣趽뷧ꢁ胣醼볯ꪕ鯧꺁苣ꦃ菣꺁鯦趁꟥膂臣趽뷧꾁胣ꊂ菣것苣貁꺁뷤꺽臣膀볯銼闧꺛臣ꮂ菣ꂃ臣뢛臣讧苣꺁뷤꺽臣膀苣覃菣릂臣㦌臣趽뷧ꢁ胣鶁苣麁苣閁苣讂胣ં⼼䥄㹖㰊䥄㹖䐼噉邀볯颼볯醼胣㲑䐯噉ਾ†鯥鎼볯ꪁ臣鞁鯥钼볯꺁郦꾸铧䲨偄ꚬ迥ꮁ臣蒁臣꾁胣ꖻ룤꺁苣蚁臣ꮂ菣ꂃ菣ꒂ苣袃苣뎃苣벃菣벃菣銂ꇨ蚁臣ꢁ臣袂苣膀郥肸臣膃苣莃苣躃菣覃臣讹臣ꎁ臣蒁苣螤闦꺁菣ꪃ苣隃菣躃菣覃臣뺯뿥馁苣螤闦꺁곧랏菣莃菣貁胣冁卐貼㘱䅑貼㐶䅑膀迥꾁胣㊁㘵䅑꺁볯讀臣랂菣鲃菣ꢁ臣貂苣鎁臣袼郥肸臣랂菣鲃菣ꮁ郥뺁苣讂臣ꢁ볯銂鯥뾁臣讂臣ꢁ臣ꞁ臣膀臣꺁뗧鲞胣ꒂ菣벃苣ꎃ臣芁苣骀뿤꾷臣꺁뻥랏臣Ꞁ菨銂郥誸臣鮁苣鎁臣膀臣ꪁ苣ꆁ胣ꢂ菣벃臣뺯臣讂胨Ꞁ苣醐룤閁臣讂臣ꢁ臣ꞁ臣讂胣ં⼼䥄㹖㰊䥄㹖䐼噉邀볯颼볯銼胣㲑䐯噉ਾ†鯥醼볯鞼胣뎛볯邼볯膀鯥醼볯馼胣뎛볯醼볯膀鯥醼볯醼胣뎛볯醼볯膀鯥醼볯鎼胣뎛볯醼볯膀迥뎁胣뎛볯醼볯꾁胣몐룥ꢔ䑌䍐곧랏臣ꒁ臣ꚁ苣ꦃ菣蒃苣릂菣ꒂ菣뾂菣ꪃ菣隃苣財臣龁ꃥ袐臣䊮剅迥뎁䕆⡒牆浡⁥牅潲⁲慒整꺁苣龃菣것菣랂菣뎃臣邵黦銂ꓧ馁鯥ꞁ臣讂胣ં⼼䥄㹖㰊䥄㹖䐼噉邀볯颼볯鎼胣㲑䐯噉ਾ†鯥醼볯鞼臣蒁臣뎛볯醼볯ꮁ臣蒁臣膀꣦뢻臣膀㱅畳⁢浸湬㩳灪∽瑨灴⼺眯睷樮潰朮⹯灪㸢㱳猯扵⼾㱎畳⁢浸湬㩳灪∽瑨灴⼺眯睷樮潰朮⹯灪㸢㰰猯扵袼볯랂菣鲃菣芁臣誂臣ꆿ迥뮛諥뺯鯩뎟鯩鮊꿦覼苣ꢡ臣膀룧뢻臣膀䕂誏臣䚳剅苣ꢡ臣芀㰊䐯噉ਾ䐼噉㰾䥄㹖胣邼볯醼볯醀⼼䥄㹖 뎛볯邼볯꾁胣ꚬ迥隌軧犇臣ㆌ㔯臣몐룥ꢔ䑌䍐곧랏臣䊮剅볯龮럧覼迥뎁䕆袼苧骷볯銂胣뎛볯邼볯꾁胣ꚬ迥隌軧犇臣㒌ㄯ꺁郦꾸铧䲨偄ꚬ迥꺁䕂誏臣䚳剅苣膀鯥醼볯馼臣膀곧랏賥螎貁⼱꺁郦꾸铧䲨偄ꚬ迥꺁䕂誏臣䚳剅苣膀鯥醼볯邼臣膀곧랏賥螎貁⼲꺁郦꾸铧䲨偄ꚬ迥꺁䕂誏臣䚳剅苣膀鯥醼볯醼臣膀곧랏賥螎貁⼴꺁郦꾸铧䲨偄ꚬ迥꺁䕂誏臣䚳剅苣膀鯥醼볯銼臣膀곧랏賥螎貁⼷㔱臣몐룥ꢔ䑌䍐곧랏臣䊮剅迥뎁䕆銂胣뎛볯醼볯꾁胣ꚬ迥隌軧犇臣㢌ㄯ꺁郦꾸铧䲨偄ꚬ迥꺁䕂誏臣䚳剅苣膀鯥醼볯钼臣膀곧랏賥螎貁⼳꺁郦꾸铧䲨偄ꚬ迥꺁䕂誏臣䚳剅苣膀鯥醼볯閼臣膀곧랏賥螎貁⼲꺁郦꾸铧䲨偄ꚬ迥꺁䕂誏臣䚳剅苣膀臣貂臣貂ꇨ馁胣ં⼼䥄㹖㰊䥄㹖䐼噉邀볯颼볯閼胣㲑䐯噉ਾ†臣誁胣뎛볯邼볯꺁苣龃菣것菣랂菣뎃臣꾁胣랂菣鲃菣貁뛦놤攨慲畳敲馁苣袶ꓥ몢軧貁⸰〴臣것苣ꪃ菣閃苣벃苣뎃苣貁铧颁苣骀뿤꾷볯劈祡敬杩膃菣趃菣覼苣膀鯥醼볯颼臣랂菣ꖃ菣벃苣ꞃ菣ꞁ臣膀뛦놤ꋧ螎臣れ㌮㜶臣것苣ꪃ菣閃苣벃苣뎃苣貁铧颁苣骀뿤꾷苣膀鯥醼볯馼臣랂菣ꖃ菣벃苣ꞃ菣ꞁ臣膀뛦놤ꋧ螎臣れ㌮㐳臣것苣ꪃ菣閃苣벃苣뎃苣貁铧颁苣骀뿤꾷苣膀鯥醼볯邼臣랂菣ꖃ菣벃苣ꞃ菣ꞁ臣膀뛦놤ꋧ螎臣れ㌮꺁菣ꒂ菣벃菣Ꞃ菣뢂菣낂臣龔臣讂胩ꆿ럨銂胣뎛볯醼볯꺁苣龃菣것菣랂菣뎃臣꾁胣袶ꓥ몢軧貁⸰㜲꺁菣ꒂ菣벃菣Ꞃ菣뢂菣낂臣龔臣讂胩ꆿ럨銂胣뎛볯醼볯꺁苣龃菣것菣랂菣뎃臣꾁胣袶ꓥ몢軧貁⸰㘲꺁菣ꒂ菣벃菣Ꞃ菣뢂菣낂臣龔臣讂胩ꆿ럨銂胣뎛볯醼볯꺁苣龃菣것菣랂菣뎃臣꾁胣袶ꓥ몢軧貁⸰㌲꺁菣ꒂ菣벃菣Ꞃ菣뢂菣낂臣龔臣讂胩ꆿ럨銂胣뎛볯醼볯꺁苣龃菣것菣랂菣뎃臣꾁胣袶ꓥ몢軧貁⸰〲臣것苣ꪃ菣閃苣벃苣뎃苣貁铧颁苣骀뿤꾷苣膀鯥醼볯閼臣랂菣ꖃ菣벃苣ꞃ菣ꞁ臣膀뛦놤ꋧ螎臣れㄮ㜶臣것苣ꪃ菣閃苣벃苣뎃苣貁铧颁苣骀뿤꾷苣膀臣貂臣貂菦骮臣龁胣ં⼼䥄㹖㰊䥄㹖䐼噉邀볯颼볯隼胣㲑䐯噉ਾ†臣龁胣뎛볯邼볯ꪁ臣鞁鯥醼볯邼臣랂菣ꖃ菣벃苣ꞃ菣ꞁ臣膀臣骁苣节胣趀闦抰苣㊒臣鞁胣讁臣膀ꓥ뾪雦込臣鞁臣膀㘱䅑銂軦ꢔ臣讂臣ꢁ苣ꮁ胣낹苣钿臣ꦾ迥麛闦䎰臣鞁臣膀〵鯥銂軦ꢔ臣龁胣ં⼼䥄㹖㰊䥄㹖䐼噉邀볯颼볯鞼胣㲑䐯噉ਾ†鯥醼볯鞼臣蒁臣뎛볯醼볯ꮁ苣貂臣膀䕂誏臣䚳剅臣辰臣蒁胥ꮁ諦袁苣貂臣蒁苣鎁臣銂ꋧ趪臣讂臣ꢁ臣ꞁ臣讂胣ં⼼䥄㹖㰊䥄㹖䐼噉邀볯颼볯颼胣㲑䐯噉ਾ†臣誁胣뎛볯邼볯ꞁꫨ躘臣龁苣ꦃ菣蒃苣릂菣ꒂ菣뾂菣ꪃ菣隃臣膀鯥鎼볯ꪁ臣鞁鯥钼볯ꮁꓧ鞁臣袼ꓦ뮟ꇨ鞈裥龜胥蚃菣隃菣讁苣花苣覂苣讂ꓦ뮟ꇨ鞈臣覼郦꾸铧䲨偄ꚬ迥ꖻꓥ꺁胣ꚬ迥랕臣ㆌ㈶〰菣莃菣꺁䑌䍐곧랏臣ꦁ铧꾏菨ꞁ臣讂胣ં⼼䥄㹖㰊䥄㹖䐼噉邀볯颼볯馼胣㲑䐯噉ਾ†臣ꪁ苣ꆁ胣뎛볯邼볯ꞁꫨ躘臣龁苣ꦃ菣蒃苣릂菣ꒂ菣뾂菣ꪃ菣隃臣膀뻤袁臣膀噄ⵂ⹔꺁ꛨ베臣辦껥閁苣ꚁ臣讂胣ꚬ迥랕臣ㆌ㈶〰菣莃菣ꞁ胣ꚬ迥隌軧袼噄ⵂ⹔꺁ꇨ風룤꺁곧랏賥螎볯貁⼱貼⼱貼⼳貼⼲貼⼳꺁䑌䍐곧랏볯辦ꃦㆼ欶곧랏볯蒂胣䒁䉖匭㈮臣辦ꃦꮁꛨ骮臣貂臣蒁苣膀곧랏闩貁㘱〲鎃菣袃臣膀곧랏賥螎臣ㆌ㌯苣㊄㔯臣䲮偄ꚬ迥ꮁ臩ꢔ臣讂臣ꢁ臣ꞁ臣膀郦꾸铧䲨偄ꚬ迥꺁ꃥ袐臣貐꟦ꮁ胣貐룤꺁菣Ꞃ菣꾂菣벃菣ꮁ맧貁臣ꚁ臣讂ꓨ낕臣邃菣ꊂ菣ꮃ菣벃菣ꮁ꿥鲿臣讂ꓨ낕臣ꚬ迥鎃菣袃臣膀偑䭓볯ㆌ儶䵁볯㚌儴䵁胣袏臣膀㔲儶䵁臣醼胥꺁苣뎃菣ꮃ臣閁苣讂臣ꢁ苣麛臩馁苣鎁臣貁臣趁苣芀㰊䐯噉ਾ䐼噉㰾䥄㹖胣邼볯銼볯醀⼼䥄㹖 ꖻ룤꺁苣蚁臣膀鯥醼볯隼臣겪飦鞁臣ꮂ菣ꂃ菣ꒂ苣袃苣뎃苣벃菣벃菣꾁胣몐룥ꢔ䑌䍐곧랏臣膀噄ⵂ⹔蒂噄ⵂ⹓ꞁꛨ骮臣貂臣蒁苣ꚬ迥랕臣ㆌ㈶〰菣莃菣꺁䑌䍐곧랏臣ꞁ胣놅铧馁苣鎁臣貁臣趁苣芀㰊䐯噉ਾ䐼噉㰾䥄㹖胣邼볯銼볯醀⼼䥄㹖 鎁臣ꞁ胣뎛볯醼볯ꪁ臣鞁鯥醼볯銼臣膀噄ⵂ⹔꺁ꛨ베臣辦껥閁苣ꚁ臣讂胣ꚬ迥랕臣ㆌ㈶〰菣莃菣ꞁ胣ꚬ迥隌軧袼噄ⵂ⹔꺁ꇨ風룤꺁곧랏賥螎볯貁⼱貼⼱貼⼳貼⼲貼⼳鶁苣麁苣꺁䑌䍐곧랏胣誏臣膀噄ⵂ⹓꺁ꛨ베臣辦껥閁苣ꚁ臣讂胣ꚬ迥랕臣ㆌ㈶〰菣莃菣ꞁ胣ꚬ迥隌軧貁⼱貼⼲鶁苣麁苣꺁䑌䍐곧랏臣鲤鿦財裥鶈鳦ꒀ菣벃菣ꮃ苣몤臣뎛臣芁苣芀㰊䐯噉ਾ䐼噉㰾䥄㹖胣邼볯銼볯醀⼼䥄㹖 馁臣辂臣膀鯥醼볯隼臣膀噄ⵂ⹔꺁ꛨ베臣辦껥閁苣ꚁ臣讂胣ꚬ迥랕臣ㆌ㈶〰菣莃菣ꞁ胣ꚬ迥隌軧貁⼱꺁䑌䍐곧랏臣鲤鿦財裥鶈鳦ꒀ菣벃菣ꮃ苣膀鯥醼볯鞼臣膀噄ⵂ⹓꺁ꛨ베臣辦껥閁苣ꚁ臣讂胣ꚬ迥랕臣ㆌ㈶〰菣莃菣ꞁ胣ꚬ迥隌軧貁⼱꺁䑌䍐곧랏臣鲤鿦財裥鶈鳦ꒀ菣벃菣ꮃ苣膀鯥醼볯颼臣膀噄ⵂ⹓꺁ꛨ베臣辦껥閁苣ꚁ臣讂胣ꚬ迥랕臣ㆌ㈶〰菣莃菣ꞁ胣ꚬ迥隌軧貁⼲꺁䑌䍐곧랏臣鲤鿦財裥鶈鳦ꒀ菣벃菣ꮃ苣膀鯥醼볯馼臣膀噄ⵂ⹔꺁ꛨ베臣辦껥閁苣ꚁ臣讂胣ꚬ迥랕臣ㆌ㈶〰菣莃菣ꞁ胣ꚬ迥隌軧貁⼱꺁䑌䍐곧랏臣鲤鿦財裥鶈鳦ꒀ菣벃菣ꮃ苣膀鯥醼볯邼臣膀噄ⵂ⹔꺁ꛨ베臣辦껥閁苣ꚁ臣讂胣ꚬ迥랕臣ㆌ㈶〰菣莃菣ꞁ胣ꚬ迥隌軧貁⼳꺁䑌䍐곧랏臣鲤鿦財裥鶈鳦ꒀ菣벃菣ꮃ苣膀鯥醼볯醼臣膀噄ⵂ⹔꺁ꛨ베臣辦껥閁苣ꚁ臣讂胣ꚬ迥랕臣ㆌ㈶〰菣莃菣ꞁ胣ꚬ迥隌軧貁⼲꺁䑌䍐곧랏臣鲤鿦財裥鶈鳦ꒀ菣벃菣ꮃ苣膀鯥醼볯銼臣膀噄ⵂ⹔꺁ꛨ베臣辦껥閁苣ꚁ臣讂胣ꚬ迥랕臣ㆌ㈶〰菣莃菣ꞁ胣ꚬ迥隌軧貁⼳꺁䑌䍐곧랏臣鲤鿦財裥鶈鳦ꒀ菣벃菣ꮃ苣膀臣貂臣貂ꓧ鞁臣蒁苣芀㰊䐯噉ਾ䐼噉㰾䥄㹖胣邼볯銼볯醀⼼䥄㹖 鎁臣ꞁ胣ꖻ룤ꮁ臣蒁臣꾁胣ꮂ菣ꂃ菣ꒂ苣袃苣뎃苣벃菣벃菣銂胣醼곧랏ꫨ颍뷤ꞁꇨ蚁臣ꢁ胣ꒁ臣誂胣ꆃ菣ꪃ볯醼臣뺯臣ꚁ胣醼곧랏ꫨ꺁䑌䍐곧랏苣膀郥ꮂ菣ꂃ臣뢛臣讧苣꺁뷤꺽苣覤臣ꪁ臣覂胣ꮂ菣ꂃ雦醐臣뢛臣벾臣膀볯ꚬ迥麪臣䲮偄ꚬ迥꺁鯦趁뻨뾁뻥ꮁ胣鶁臣醼곧랏ꫨ꺁䑌䍐곧랏苣膀菣Ꚃ雦醐臣궪臣몇臣鎁臣ꢁ臣龁臣膀苣ꦃ菣蒃苣릂菣ꒂ菣뾂菣ꪃ菣隃臣膀ꓨ낕臣ꚬ迥麪跥趽臣財臣鎁臣貁臣趁苣芀㰊䐯噉ਾ䐼噉㰾䥄㹖胣邼볯銼볯醀⼼䥄㹖 鎁臣ꞁ胣醼믤誸臣뒕闦銂胣䲁臣ꢡ臣鎁臣ꢁ臣讂胣ં⼼䥄㹖㰊䥄㹖䐼噉邀볯颼볯閼胣㲑䐯噉ਾ†鯥醼볯鎼臣膀讀臣ꚬ迥麪跥趽臣財臣ꮂ菣ꂃ菣ꒂ苣袃苣뎃苣벃菣벃菣銂ꫨ躘臣讂鯥ꞁ臣讂胣ં⼼䥄㹖㰊䥄㹖䐼噉邀볯颼볯隼胣㲑䐯噉ਾ†苣ꦃ菣蒃苣릂菣ꒂ菣뾂菣ꪃ菣隃苣膀讀臣ꚬ迥麪跥趽臣財臣뒠郥膀菣麃菣膃菣것苣떂볯閼臣ꆃ菣ꪃ볯醼볯뎛볯颼胣뎛볯馼볯꾁胣䲁胥ꖻ룤꺁跥趽꣨뚆ꃩ龟苣膀꣨뚆ꃩ龟臣鞁臣覜臣讂胣ં⼼䥄㹖㰊䥄㹖䐼噉邀볯颼볯鞼胣㲑䐯噉ਾ†跥趽꣨뚆ꃩ龟臣膀䑌䍐곧랏苣궃苣릖郥ꢁ苣ꦃ菣릖郥ꮁ꣨뚆臣讂꣨뚆ꃩ龟臣芁苣膀菣Ꚃ雦醐臣涫鎃菣袃苣風蛦馁苣ꢁ臣节臣膀苣ꦃ菣릖郥ꮁ⽎洨⥢菣莃菣銂꣨뚆臣讂胣馁臣辂臣膀跥趽ꃩ龟臣膀⽎洨⥢菣莃菣銂꣨뚆臣讂苣ꦃ菣銂胣涁讀臣醁鳦馁苣芀㰊䐯噉ਾ䐼噉㰾䥄㹖胣邼볯銼볯醀⼼䥄㹖 鎁臣ꞁ胣颍뷤風蛦颠鿥꾁胣ꆃ菣ꪃ볯醼臣膀臣꺁苣蚁臣몢뿤閁苣ꚁ臣ꚁ苣袂臣芀㰊䐯噉ਾ䐼噉㰾䥄㹖胣邼볯銼볯醀⼼䥄㹖 뎛볯銼볯꺁볯꾁胣ꆃ菣ꪃ볯醼臣誁臣ꚁ胣䲁胥꺁跥趽꣨뚆ꃩ龟臣膀苣ꦃ菣袼룧覼雦醐臣肸裥ꮁ藩꺽臣貂苣ꊽ臣몢뿤閁苣ꚁ臣讂꟦邭苣몤臣뎛臣芁苣膀鯥醼볯鎼臣ꊼ臣膀菣ꊃ菣鎼볯ꮁ臣蒁臣膀讀臣颍뷤風蛦颠鿥貁胣궃苣袼꣦覼雦醐臣肸裥ꮁ藩꺽臣貂苣ꊽ臣몢뿤閁苣ꚁ臣讂꟦邭苣몤臣뎛臣芁苣芀㰊䐯噉ਾ䐼噉㰾䥄㹖胣邼볯鎼볯醀⼼䥄㹖 뺁臣膀鯥醼볯鎼臣ꎼ臣膀菣ꊃ菣鎼볯ꮁ臣蒁臣膀菣Ꚃ雦醐臣䲫讀臣膀苣ꦃ菣릖郥ꮁ癌胥꺁跥趽꣨뚆ꃩ龟臣超뷧閁苣ꚁ臣讂꟦邭苣몤臣뎛臣芁苣芀臣誁胣뎛볯銼볯꺁볯ꮁ臣蒁臣꾁胣䲁써䲗讀臣膀讀믤誸臣ꪁ臣ꚁ臣讂胣ં⼼䥄㹖㰊䥄㹖䐼噉邀볯颼볯醼胣㲑䐯噉ਾ†苣ꦃ菣蒃苣릂菣ꒂ菣뾂菣ꪃ菣隃苣膀讀臣ꚬ迥麪跥趽臣財臣뒠郥膀讀臣ꚬ迥麪臣蚁臣꺁ꪕ鯧꺁곧랏ꫨ貁胣ꆃ菣ꪃ볯醼臣覜臣讂讀볯ꖻ룤覼臣颍뷤風蛦颠鿥꺁臣ꆁ臣ㆮ闧꺛臣颍뷤風蛦颠鿥꺁苣ꦃ菣릖郥ꮁ鯦趁뻨뺁苣讂胣ં⼼䥄㹖㰊䥄㹖䐼噉邀볯颼볯銼胣㲑䐯噉ਾ†ꪕ鯧꺁곧랏ꫨ꺁胣ㆁ闧꺛臣颍뷤風蛦颠鿥뢁臣뢛臣벾臣貁뗧蚺臣讂臣膀ꪕ鯧꺁곧랏ꫨ貁胣㊁闧꺛臣颍뷤風蛦颠鿥꺁苣ꦃ菣릖郥ꮁ鯦趁뻨뺁苣膀믤许胣貐꟦ꮁ胣䲁胥꺁곧랏ꫨ꺁臣ꆁ臣榮闧꺛椨ㄽ㈬뮃菣뮃䰬꺁곧랏ꫨ貁胣ꆃ菣ꪃ볯醼臣覜臣讂讀臣颍뷤風蛦颠鿥꺁臣ꆁ臣榮闧꺛臣颍뷤風蛦颠鿥꺁苣ꦃ菣릖郥ꮁ鯦趁뻨뺁苣讂胣ં⼼䥄㹖㰊䥄㹖䐼噉邀볯颼볯鎼胣㲑䐯噉ਾ†臣鞁臣膀ꪕ鯧꺁곧랏ꫨ꺁胣榁闧꺛臣颍뷤風蛦颠鿥뢁臣뢛臣벾臣ꞁ臣膀룤낿臣龁苣蚁臣膀郥ꮂ菣ꂃ臣뢛臣讧苣꺁뷤꺽臣뚈뻥閁苣讂胣ં⼼䥄㹖㰊䥄㹖䐼噉邀볯颼볯钼胣㲑䐯噉ਾ†臣꺁뻥膀ꪕ鯧꺁곧랏ꫨ꺁胣䲁闧꺛臣颍뷤風蛦颠鿥뢁臣뢛臣벾臣貁뗧蚺臣讂臣膀臣ꪁ苣ꆁ胣䲁胥꺁곧랏ꫨ馁臣ꚁ臣뢛臣벾臣貁뗧蚺臣讂臣膀ꪕ鯧꺁跥趽꣨뚆ꃩ龟臣覂胣궃苣릖郥ꮁ胣ㆁ闧꺛臣ꚬ迥麪臣궪臣몇臣貂苣芀㰊䐯噉ਾ䐼噉㰾䥄㹖胣邼볯鎼볯醀⼼䥄㹖 ㄠ闧꺛臣颍뷤風蛦颠鿥讁苣꺁胣ㆁ闧꺛臣ꚬ迥麪臣궪臣몇臣貁뗧蚺臣讂臣膀ꪕ鯧꺁跥趽꣨뚆ꃩ龟臣覂胣궃苣릖郥ꮁ胣㊁闧꺛臣ꚬ迥麪臣궪臣몇臣貂胣ꖻ룤膀郥颧臣鞁臣膀ꪕ鯧꺁곧랏ꫨ뺁臣꺁ꫨ뾁蟥鞁臣財苣貂苣芀㰊䐯噉ਾ䐼噉㰾䥄㹖胣邼볯鎼볯醀⼼䥄㹖 ꖻ룤꺁苣蚁臣膀苣ꦃ菣蒃苣릂菣ꒂ菣뾂菣ꪃ菣隃苣膀讀臣ꚬ迥麪跥趽臣財臣뒠郥节胣ꮂ菣ꂃ菣ꒂ苣袃苣뎃苣벃菣벃菣銂胣醼곧랏ꫨ颍뷤ꞁꇨ蚁ꃥ袐臣貐꟦ꮁ胣䲁偄ꚬ迥ꮁ臣蒁臣膀郥肸臣膃苣莃苣躃菣覃臣讹臣ꎁ臣蒁苣螤闦꺁菣ꪃ苣隃菣躃菣覃臣뺯뿥馁苣螤闦꺁곧랏菣莃菣貁胣醼胥꺁苣뎃菣ꮃ臣閁苣讂臣ꢁ볯貐룤꺁苣뎃菣ꮃ臣ꮐ臣貂苣鎁臣覼苣麛臩馁苣鎁臣貁臣趁胣鶁臣邵黦膀苣것菣뢂菣꺁臣讂胩ꆿ럨ꞁ臣ꦾ迥꺁胦붃苣醐룤閁臣讂臣ꢁ臣ꞁ臣讂胣ં⼼䥄㹖㰊䥄㹖䐼噉邀볯颼볯鞼胣㲑䐯噉ਾ†臣誁胣䲁臣㊌믤誸臣芁苣뒠郥膀臣ꪁ苣ꆁ胣ꮂ菣ꂃ菣ꒂ苣袃苣뎃苣벃菣벃菣銂胣螤闦꺁곧랏ꫨ颍뷤ꞁꇨ蚁ꃥ袐胣膀뿤薣뷧袼鯥颼볯꺁駦鎖苣뎃苣벃菣벃菣醼볯颼苣ꢑ돦낕苣뎃苣벃菣벃菣醼볯邼臣꾁胣醼鯥꺁駦鎖苣뎃苣벃菣벃菣蒂釥ꊳ闦ꒂ菣뾂菣ꪃ菣隃苣膀苣ꦃ菣蒃苣릂菣ꒂ菣뾂菣ꪃ菣隃臣財苣貂苣螤闦꺁곧랏ꫨ讁苣鞾苣貂苣랂菣鲃菣銂꿥ꆱ臣鞁臣財臣鎁臣貁臣趁苣芀㰊䐯噉ਾ䐼噉㰾䥄㹖胣邼볯鎼볯醀⼼䥄㹖 醼鯥꺁駦鎖苣뎃苣벃菣벃菣蒂釥ꊳ闦ꒂ菣뾂菣ꪃ菣隃苣膀ꓨ낕臣ꚬ迥麪臣覂뻥覂苣讂苣뎃菣ꮃ苣뺯뇨ꢁ臣ꚁꇨ蚁臣ꢁ臣袂苣膀臣꺁ꓨ낕臣ꚬ迥麪臣覂뻥覂苣讂苣뎃菣ꮃ臣ꒁ臣ꚁ胣芙雩蒂釥ꊳ闦ꮁ뻤颭臣龁菣Ꞃ菣뢂菣낂苣ꒂ菣벃苣ꎃ臣놽鿩貁鋦貋臣貂胣ꢂ菣벃臣뺯臣讂胨Ꞁ苣醐룤閁臣讂臣ꢁ臣ꞁ臣讂胣ં⼼䥄㹖㰊䥄㹖䐼噉邀볯颼볯馼胣㲑䐯噉ਾ†郦꾸볯뮧该覼ꯧꮜ郥醁臣螃苣뢂苣ꮃ铦膀臣꾁胣鞏뿤낒ꋥ袼胩ꆿ럨醼볯袼鯥鞼볯꺁볤膀럨릉胦覼臣膀駦薀裥薀臣覤賥馁苣龁苣膀룤낿臣袂臣ꮁ胣醼鯥꺁駦鎖苣뎃苣벃菣벃菣蒂釥ꊳ闦ꒂ菣뾂菣ꪃ菣隃苣膀ꓨ낕臣ꚬ迥麪臣覂뻥覂苣讂苣뎃菣ꮃ苣뺯뇨ꢁ臣ꚁꇨ蚁臣ꢁ臣袂苣膀苣ꦃ菣ꮁ꿥馁苣邀胦銂郥誸臣鮁苣鎁臣꾁胣릉臣覜諥ꞁ臣讂胣ં⼼䥄㹖㰊䥄㹖䐼噉邀볯颼볯邼胣㲑䐯噉ਾ†볯鞏뿤薣뷧醼볯꺁꟦邈뻤붼㰊䐯噉ਾ䐼噉㰾䥄㹖胣邼볯钼볯醀⼼䥄㹖 뎛볯銼볯꾁胣뎛볯꺁迥ꆿꏨ꺽볯銼臣讧裦设苣몤臣隃菣莃苣뎛臣芁苣芀㰊䐯噉ਾ䐼噉㰾䥄㹖胣邼볯钼볯醀⼼䥄㹖 传䑆ꚇ郧ꢃ伨䑆⁍灯牥瑡潩⥮볯閼볯꾁胣膀뿤薣뷧醼볯袼鯥鞼볯讁苣꺁䙏䵄뿤랏苣鞏뿤鞁胣鶁臣侮䑆ꆿ迥꺁뿤랏蟥蚐苣財臣芀䙏䵄蟥蚐菩醼볯醼臣ꆿ迥ꚇ郧銂ꇨ蚁臣ꢁ臣袂苣鞾苣貂苣螃菣뾂볯랂菣鲃菣覼臣膀菣것菣ꂃ껧蚐菩⢨牆浡⁥慍慮敧敭瑮醼볯銼臣鮾뗧閁苣讂胣ં⼼䥄㹖㰊䥄㹖䐼噉邀볯颼볯鎼胣㲑䐯噉ਾ†菣것菣ꂃ껧蚐菩醼볯銼臣膀䙏䵄蟥蚐菩醼볯醼臣覂뻤ꚵ臣貂苣랂菣鲃菣ꞁ꟦邈臣貂苣閃菣벃菣꺁蟥蚐볯閃菣벃菣ꎧ蟩覼苣財臣膀臣꺁뗧鲞뻥覂苣讂꿥ꆱ菣벃苣꺁苣뎃菣ꮃ臣膀裥ꆾ菣벃苣꺁苣뎃菣ꮃ臣銂胣ꢑ돦낕菣ꒂ菣뾂菣ꪃ菣邃䘨敲畱湥祣䐠楥瑮牥敬癡牥醼볯醼臣醼볯鎼臣ꮁ胣鶁苣麁苣鮾뗧馁苣芀㰊䐯噉ਾ䐼噉㰾䥄㹖胣邼볯钼볯醀⼼䥄㹖 ꢑ돦낕菣ꒂ菣뾂菣ꪃ菣邃볯閼볯꾁胣閃菣벃菣ꆮ郧ꢃ볯閼볯讁苣꺁苣뎃菣ꮃ臣ꒁ臣ꚁ胣랂菣鲃菣颍뷤ꞁ臣ꢑ돦낕菣ꒂ菣뾂菣ꪃ菣隃苣財臣膀䅑螃苣벃菣⢀䅑⁍敤潣敤⥲볯閼볯ꮁ뻤ꚵ臣讂胣ં⼼䥄㹖㰊䥄㹖䐼噉邀볯颼볯閼胣㲑䐯噉ਾ†䅑螃苣벃菣醼볯钼臣膀釥ꊳ闦螃苣뎃苣벃菣벃菣醼볯鎼臣覂臣랂菣鲃菣袼뿤랏苧ꮁ藩꺽臣貂臣랂菣鲃菣覼苣螃菣莃菣뎃苣袼뿤랏苧超뷧ꦾ迥覼臣ꚁ鯧꒺뻥뾪臣膀臣꺁뗧鲞뻥覂苣讂菣벃苣袼䑌䍐곧랏볯銂胣䲁偄螃苣벃菣⢀䑌䍐搠捥摯牥醼볯閼臣鮾뗧馁苣芀㰊䐯噉ਾ䐼噉㰾䥄㹖胣邼볯钼볯醀⼼䥄㹖 䰠偄螃苣벃菣醼볯閼臣膀䅑螃苣벃菣醼볯钼臣覂臣䲮偄ꚬ迥꺁䑌䍐뻥랏苣財臣膀臣꺁뗧鲞뻥覂苣讂䑌䍐꿥ꆱ菣벃苣袼臣鎁臣꾁胣䊁䡃곧랏볯銂胣䊁䡃菣뎂菣肃䈨䡃搠捥摯牥醼볯隼臣鮾뗧馁苣芀㰊䐯噉ਾ䐼噉㰾䥄㹖胣邼볯钼볯醀⼼䥄㹖 䈠䡃菣뎂菣肃볯閼볯꾁胣䲁偄螃苣벃菣醼볯閼臣覂臣䲮偄뺯뇨螃菣뾂臣䊮䡃뻥랏苣財臣膀臣꺁뗧鲞뻥覂苣讂裥ꆾ菣벃苣袼苣낂菣ꪃ菣낂볯銂蟥鮊臣讂胣ં⼼䥄㹖㰊䥄㹖䐼噉邀볯颼볯颼胣㲑䐯噉ਾ†룤릖胣ꢑ돦낕菣ꒂ菣뾂菣ꪃ菣邃볯隼볯꾁胣閃菣벃菣ꆮ郧ꢃ볯閼볯讁苣꺁苣뎃菣ꮃ臣ꒁ臣ꚁ胣랂菣鲃菣颍뷤ꞁ臣ꢑ돦낕菣ꒂ菣뾂菣ꪃ菣隃苣財臣膀䥍体䴯䵉螃苣벃菣⢀䥍体䴯䵉⁏敤潣敤⥲볯隼볯ꮁ뻤ꚵ臣讂胣ં⼼䥄㹖㰊䥄㹖䐼噉邀볯颼볯馼胣㲑䐯噉ਾ†䥍体䴯䵉螃苣벃菣醼볯銼臣膀釥ꊳ闦螃苣뎃苣벃菣벃菣醼볯醼臣覂臣螃菣뾂볯랂菣鲃菣覼臣芙ꧧ鎖뻥랏苣財臣膀駦鎖菣ꒂ菣뾂菣ꪃ菣邃吨浩⁥敄湩整汲慥敶⥲볯隼볯ꮁ뻤ꚵ臣讂胣ં⼼䥄㹖㰊䥄㹖䐼噉邀볯颼볯邼胣㲑䐯噉ਾ†駦鎖菣ꒂ菣뾂菣ꪃ菣邃볯隼볯꾁胣䶁卉⽏䥍位菣뎂菣肃볯隼볯讁苣꺁菣벃苣袼苣뎃菣ꮃ볯ꮁ臣蒁臣膀苣뎃菣ꮃ跥趽臣꺁駦鎖菣ꒂ菣뾂菣ꪃ菣隃苣財臣膀䅑螃苣벃菣⢀䅑⁍敤潣敤⥲볯隼볯ꮁ뻤ꚵ臣讂胣ં⼼䥄㹖㰊䥄㹖䐼噉邀볯颼볯醼胣㲑䐯噉ਾ†䅑螃苣벃菣醼볯钼臣膀駦鎖菣ꒂ菣뾂菣ꪃ菣邃볯隼볯讁苣꺁苣뎃菣ꮃ볯ꆿ迥릂臣超뷧閁苣龁苣뎃菣ꮃ볯銂菣麃菣钃菣낂볯ꆿ迥릂藩꺽뻥랏볯鞁臣뒛뫤ꦾꫨ鞁胣鶁臣邵黦鞾苣貂苣螃菣뾂볯랂菣鲃菣覼苣膀菣莃菣螃苣뎃苣벃菣벃菣⢐楂⁴敄湩整汲慥敶⥲볯隼볯ꮁ뻤ꚵ臣讂胣ં⼼䥄㹖㰊䥄㹖䐼噉邀볯颼볯銼胣㲑䐯噉ਾ†菣莃菣螃苣뎃苣벃菣벃菣醼볯閼臣膀䅑螃苣벃菣醼볯钼臣覂臣螃菣뾂볯랂菣鲃菣覼臣鎃菣袃菣ꒂ菣뾂菣ꪃ菣隃苣財臣膀臣꺁뗧鲞뻥覂苣讂䑌䍐곧랏苣膀䑌䍐菣뎂菣肃볯隼볯ꮁ뻤ꚵ臣讂胣ં⼼䥄㹖㰊䥄㹖䐼噉邀볯颼볯鎼胣㲑䐯噉ਾ†䑌䍐菣뎂菣肃볯隼볯꾁胣鎃菣袃菣ꒂ菣뾂菣ꪃ菣邃볯隼볯讁苣꺁䑌䍐곧랏臣䲮偄ꦾ迥銂ꇨ蒁胣鶁臣邵黦鞾苣貂苣䲋偄뺯뇨螃菣뾂볯鎁臣ꞁ臣膀䍂ꚬ迥覼苣膀䍂螃苣벃菣醼볯鞼臣鮾뗧馁苣芀㰊䐯噉ਾ䐼噉㰾䥄㹖胣邼볯閼볯醀⼼䥄㹖 䈠䡃菣뎂菣肃볯隼볯꾁胣䲁偄螃苣벃菣醼볯閼臣覂臣䲮偄뺯뇨螃菣뾂臣䊮䡃뻥랏苣財臣膀臣꺁뗧鲞뻥覂苣讂菣벃苣銂胣䊁螃苣꾂菣뎃菣ꦃ䈨⁂敄捓慲扭敬⥲볯隼볯ꮁ뻤ꚵ臣讂胣ં⼼䥄㹖㰊䥄㹖䐼噉邀볯颼볯閼胣㲑䐯噉ਾ†䉂菣릂苣ꦃ菣隃菣醼볯颼臣膀䍂螃苣벃菣醼볯鞼臣覂臣螃菣뾂臣膀苣趃菣꺂胩ꆋ闦ꚇ郧銂雦鞁胣鶁臣邵黦鞾苣貂苣螃菣뾂苣膀菣ꮃ觥꒙菩⢨畎汬䐠汥瑥潩⥮볯隼볯ꮁ뻤ꚵ臣讂胣ં⼼䥄㹖㰊䥄㹖䐼噉邀볯颼볯隼胣㲑䐯噉ਾ†菣ꮃ觥꒙菩醼볯馼臣膀䉂菣릂苣ꦃ菣隃菣醼볯颼臣覂臣螃菣뾂臣覂胣뎛볯꺁菣肃菣醼볯銼臣뾌藥閁苣龁畎汬苣誉駩鞁胣螃菣ꮃ菣鞃菣꾂苣⢵敄畭瑬灩敬數⥲볯鞼볯ꮁ뻤ꚵ臣讂胣ં⼼䥄㹖㰊䥄㹖䐼噉邀볯颼볯鞼胣㲑䐯噉ਾ†菣麃菣膃菣것苣떂볯鞼볯꾁胣貃菣誉駩ꢃ볯隼볯讁苣꺁菣벃苣ꮁꓥ趇賥閁苣ꚁ臣讂볯ꖻ룤꺁苣袃菣벃菣袼꿥ꆱ菣벃苣覼臣貂臣貂苣蚈鯩鞁胣ꊂ苣袃菣莃菣릂菣ꪃ菣ꂃ伨瑵異⁴瑳敲浡ꢁ臣ꚁ蟥鮊臣讂胣ં⼼䥄㹖㰊䥄㹖䐼噉邀볯颼볯颼胣㲑䐯噉ਾ†鯥醼볯閼臣膀鯥醼볯钼臣鎃菣袃菣ꒂ菣뾂菣ꪃ菣邃볯隼볯꺁꟦邈뻤銂ꓧ馁菣궃菣꾂鯥ꞁ臣讂胣ં⼼䥄㹖㰊䥄㹖䐼噉邀볯颼볯馼胣㲑䐯噉ਾ†菣莃菣螃苣뎃苣벃菣벃菣醼볯閼臣膀菣ꮃ菣鞃菣꾂苣⢵啍⥘볯钼胣誏臣ꮂ菣ꂃ菣ꒂ苣袃菣ꒂ菣뾂菣ꪃ菣邃볯閼臣覂꟦邈臣貂胣冁䵁菣뎂菣肃볯隼볯袼鯥醼볯钼볯讁苣꺁苣뎃菣ꮃ臣랂菣鲃菣鎃菣袃臣袼菣莃菣覼菣ꒂ菣뾂菣ꪃ菣隃苣財臣芀㰊䐯噉ਾ䐼噉㰾䥄㹖胣邼볯隼볯醀⼼䥄㹖 馁臣辂臣膀菣ꮃ菣鞃菣꾂苣閼볯꾁胣冁䵁菣뎂菣肃볯隼볯讁苣꺁苣뎃菣ꮃ臣랂菣鲃菣鎃菣袃苣뺯뇨ꢁ臣ꚁ胣뎛볯꺁菣麃菣膃菣것苣떂볯閼臣財臣ꖅ苣뾛臣ꚇ郧ꮁ꿥鲿臣讂胩ꖅ苣뾛臣ꚇ郧袼藥貂鯦袁蟥蚐臣蚀臣ꚇ郧覼胣馁臣辂臣膀藥貂鯦袁蟥蚐臣袂臣ꚁ藥貂鯦袁苣貂臣䲟偄ꚬ迥꺁곧랏菣莃菣袼苣뎃菣ꮃ菣莃菣覼臣趽뷧銂藥꺁뷤꺽臣뮈臣蚀藥貂鯦袁蟥蚐苣財臣膀臣꺁뗧鲞뻥覂苣讂䑌䍐곧랏苣膀苣ꦃ菣蒃苣릂菣螃苣뎃苣벃菣벃菣閼볯ꮁ뻤ꚵ臣讂胣ં⼼䥄㹖㰊䥄㹖䐼噉邀볯颼볯醼胣㲑䐯噉ਾ†苣ꦃ菣蒃苣릂菣螃苣뎃苣벃菣벃菣閼볯꾁胣麃菣膃菣것苣떂볯钼臣覂臣䲮偄ꚬ迥銂꿥ꆱ臣鞁臣膀鯥馼臣ꮂ菣ꂃ菣ꒂ苣袃苣뎃苣벃菣벃菣銼볯貁ꇨ蚁룤뎁鯦袁蟥蚐臣鞁臣꺁苣ꦃ菣蒃苣릂菣ꒂ菣뾂菣ꪃ菣隃臣뺯뿥馁苣ꮂ菣ꂃ菣ꒂ苣袃菣ꒂ菣뾂菣ꪃ菣隃볯ꮂ菣ꂃ菣ꒂ苣袃苣뎃苣벃菣벃菣꺁胩꺁蟥蚐볯膀臣ꪁ苣ꆁ胣ꚸ臣뾛臣ꚇ郧ꢁ臣ꚁ臣ꮂ菣ꂃ菣ꒂ苣袃苣뎃苣벃菣벃菣ꮁ苣ꎁ臣ꚸ臣貁ꓥ뒛臣貂臣䲟偄ꚬ迥꺁곧랏菣莃菣銂胣莅臣ꚸ臣ꮁ裦馁胩ꚸ臣뾛臣ꚇ郧ꢁ臣ꚁ臣膀뻤袁臣膀苣ꦃ菣蒃苣릂菣螃苣뎃苣벃菣벃菣銂ꇨ蚁胣ં⼼䥄㹖㰊䥄㹖䐼噉邀볯颼볯銼胣㲑䐯噉ਾ†藥鎽髧ꮁ臣膀苣ꦃ菣蒃苣릂菣螃苣뎃苣벃菣벃菣閼볯꾁胣뎛볯钼귧ꮁꓧ鞁臣ꆃ菣ꪃ볯醼臣貐꟦ꮁ꟦邈臣貂苣膀菣ꒂ菣뾂菣ꪃ菣隃铧꺁菣ꊃ菣ꮁ꿥鞁臣膀䑌䍐곧랏臣ꚬ迥鎃菣袃苣뢛臣벾臣膀臣覂臣궪臣몇臣鎁臣ꞁ胣ꮂ菣ꂃ菣ꒂ苣袃菣ꒂ菣뾂菣ꪃ菣隃苣財臣芀㰊䐯噉ਾ䐼噉㰾䥄㹖胣邼볯隼볯醀⼼䥄㹖 蚽臣膀苣ꦃ菣蒃苣릂菣螃苣뎃苣벃菣벃菣閼볯ꞁ臣膀곧랏菣莃菣꺁鯦趁뻨뾁臣膀菣ꊃ菣鎼볯讁苣꺁곧랏菣莃菣꺁ꫨ뾁蟥鞁駦꺁ꫨ뾁蟥鞁苣覃菣릂苣膀鯦趁뻨뾁苣覃菣릂臣鞁臣ꢔ臣ꚁ胣螃苣뎃苣벃菣벃菣ꢔ臣ꆃ菣ꪃ臣궃苣릖郥ꮁꇨ辂苣讂胣뺁臣膀곧랏菣莃菣꺁ꫨ뾁蟥鞁臣膀菣ꊃ菣鎼볯뢁臣ꚬ迥鎃菣袃臣뢛臣벾臣芙臣뢛臣벾臣ꊂ菣것苣銂胣궪臣몇臣ꊂ菣것苣ꢁ臣ꚁ铧蒁臣膀菣ꒂ菣뾂菣ꪃ菣隃铧꺁菣ꊃ菣꺁苣ꦃ菣릖郥ꮁꇨ辂苣讂胣ં⼼䥄㹖㰊䥄㹖䐼噉邀볯颼볯钼胣㲑䐯噉ਾ†苣ꦃ菣蒃苣릂菣螃苣뎃苣벃菣벃菣꺁뗧鲞뻥覂苣讂䑌䍐곧랏臣膀苣ꦃ菣蒃苣릂菣螃苣뎃苣벃菣벃菣閼볯讁苣䲉偄螃苣벃菣醼볯隼臣鮾뗧閁苣讂胣ં⼼䥄㹖㰊䥄㹖䐼噉邀볯颼볯閼胣㲑䐯噉ਾ†臣鎁臣膀䅑螃苣벃菣醼볯钼臣覂胣鎃菣袃菣ꒂ菣뾂菣ꪃ菣邃볯隼볯ꮁ뻤ꚵ臣貂苣䲋偄ꚬ迥ꮁ臣膀菣ꪃ菣ꎂ苣뎃苣벃菣벃菣膀苣ꦃ菣蒃苣릂菣ꒂ菣뾂菣ꪃ菣隃胣誏臣ꖅ苣뾛臣ꚇ郧貁胣鶁臣蚠闧ꞁ雦閁苣ꚁ臣讂臣膀菣莃菣螃苣뎃苣벃菣벃菣醼볯閼臣꾁胣ꖅ苣뾛臣ꚇ郧ꮁ꿥鲿臣讂胩ꖅ苣뾛臣ꚇ郧膀迥뎁胣ꮂ菣ꂃ菣ꒂ苣袃苣뎃苣벃菣벃菣ꮁ꿥鲿臣讂苣ꦃ菣蒃苣릂菣螃苣뎃苣벃菣벃菣鞁臣財苣貂臣膀臣龁臣ꎁ臣膀菣ꪃ菣ꎂ苣뎃苣벃菣벃菣ꮁ꿥鲿臣讂菣ꪃ菣ꎂ菣ꒂ菣뾂菣ꪃ菣隃볯醃菣蚃苣ꒂ菣뾂菣ꪃ菣隃臣蚀臣ꚇ郧覼胣馁臣辂臣膀菣ꪃ菣ꎂ苣뎃苣벃菣벃菣ꮁ苣ꎁ臣ꚸ臣貁ꓥ뒛臣貂臣䲟偄ꚬ迥꺁곧랏菣莃菣銂胣莅臣ꚸ臣ꮁ裦馁菣ꪃ菣ꎂ菣ꒂ菣뾂菣ꪃ菣隃臣膀ꇨ辂苣ꪁ臣芀㰊䐯噉ਾ䐼噉㰾䥄㹖胣邼볯隼볯醀⼼䥄㹖 鞁臣貁臣ꚁ胣鎃菣袃菣ꒂ菣뾂菣ꪃ菣邃볯隼볯袼臣ꮂ菣ꂃ菣ꒂ苣袃菣ꒂ菣뾂菣ꪃ菣邃볯閼볯讁苣膀䑌䍐菣뎂菣肃볯隼볯ꮁ臣膀胩ꖅ苣뾛臣ꚇ郧膀迥뎁胣ꮂ菣ꂃ菣ꒂ苣袃菣ꒂ菣뾂菣ꪃ菣隃臣財苣貂胣讁臣膀菣ꪃ菣ꎂ菣ꒂ菣뾂菣ꪃ菣隃臣財苣貂臣蒁臣蒁䑌䍐곧랏臣鮾뗧閁苣讂胣ં⼼䥄㹖㰊䥄㹖䐼噉邀볯颼볯鞼胣㲑䐯噉ਾ†䑌䍐菣뎂菣肃볯隼볯꾁胣鎃菣袃菣ꒂ菣뾂菣ꪃ菣邃볯隼볯讁苣꺁䑌䍐곧랏臣䲮偄ꦾ迥銂胣뎛볯꺁䑌䍐苣뎃苣벃菣醼볯閼臣䲌偄ꚬ迥隌臣ꢔ臣龁ꓦ뮟ꇨ鞈ꮁ꿥鞁臣膀菣ꪃ菣ꎂ苣뎃苣벃菣벃菣ꮁ鯧鎽臣讂裥꺽迦銂냥ꪁ臣ꢁ苣財臣ꚁ뻥覂苣讂ꓥ鮏ꓦ뮟ꇨ鞈苣ꢔ臣ꚁꇨ蒁胣鶁臣邵黦鞾苣貂苣螃菣뾂苣膀䑌䍐꿥ꆱ菣벃苣꺁뻥랏뗧鲞臣鞁臣몇諥馁苣芀㰊䐯噉ਾ䐼噉㰾䥄㹖胣邼볯隼볯醀⼼䥄㹖 뎛볯銼볯꾁胣뎛볯銼볯꺁䅑螃苣벃菣醼볯钼胣鎃菣袃菣ꒂ菣뾂菣ꪃ菣邃볯隼볯膀迥뎁胣䲁偄螃苣벃菣醼볯隼臣財臣ꚇ郧銂ꫨ躘臣讂菣궃菣膃菣벃菣ꞁ臣讂胣ં⼼䥄㹖㰊䥄㹖䐼噉邀볯颼볯馼胣㲑䐯噉ਾ†苣蚃菣鞃볯醼볯醼臣誁臣ꚁ胣冁䵁菣뎂菣肃볯隼볯꾁胣芙雩螃苣뎃苣벃菣벃菣醼볯鎼臣覂臣랂菣鲃菣袼뿤랏苧ꮁ菣莃菣뎃苣閁苣龁苣뎃菣ꮃ볯銂菣麃菣钃菣낂臣ꚁ鯧꒺뻥뾪臣膀菣莃菣螃苣뎃苣벃菣벃菣醼볯閼臣鮾뗧鞁臣膀蟥蚐臣膀苣蚃菣鞃볯醼볯銼臣늀苣芀㰊䐯噉ਾ䐼噉㰾䥄㹖胣邼볯鞼볯醀⼼䥄㹖 릂菣莃菣뎼볯醼볯ꞁ臣膀菣莃菣螃苣뎃苣벃菣벃菣醼볯閼臣膀䅑螃苣벃菣醼볯钼臣覂臣랂菣鲃菣꺁苣뎃菣ꮃ菣莃菣꺁菣ꒂ菣뾂菣ꪃ菣隃볯鎃菣袃菣ꒂ菣뾂菣ꪃ菣隃볯銂ꇨꎁ臣膀蟥蚐臣膀苣蚃菣鞃볯醼볯鎼臣늀苣芀㰊䐯噉ਾ䐼噉㰾䥄㹖胣邼볯鞼볯醀⼼䥄㹖 馁臣辂臣膀苣蚃菣鞃볯醼볯銼臣꾁胣鎃菣袃菣ꒂ菣뾂菣ꪃ菣邃볯隼볯ꮁ臣蒁臣膀菣ꮃ菣鞃菣꾂苣閼볯貁胣冁䵁菣뎂菣肃볯隼볯讁苣꺁苣뎃菣ꮃ臣랂菣鲃菣鎃菣袃苣뺯뇨ꢁ臣ꚁ胣蚀藥貂鯦袁蟥蚐苣財臣膀臣꺁뗧鲞뻥覂苣讂䑌䍐곧랏臣ꚬ迥鎃菣袃苣膀苣ꦃ菣蒃苣릂菣螃苣뎃苣벃菣벃菣閼볯ꮁ뻤ꚵ臣讂胣ં⼼䥄㹖㰊䥄㹖䐼噉邀볯颼볯銼胣㲑䐯噉ਾ†苣ꦃ菣蒃苣릂菣螃苣뎃苣벃菣벃菣閼볯꾁胣麃菣膃菣것苣떂볯钼臣覂臣䲮偄ꚬ迥銂꿥ꆱ臣鞁臣膀苣ꦃ菣蒃苣릂菣螃苣뎃苣벃菣벃菣銂ꇨ蒁胣鶁臣邵黦鞾苣貂苣䲋偄ꚬ迥銂胣䲁偄螃苣벃菣醼볯隼臣鮾뗧馁苣芀㰊䐯噉ਾ䐼噉㰾䥄㹖胣邼볯鞼볯醀⼼䥄㹖 릂菣莃菣뎼볯醼볯ꞁ臣膀䑌䍐菣뎂菣肃볯隼볯貁胣ꮂ菣ꂃ菣ꒂ苣袃菣ꒂ菣뾂菣ꪃ菣邃볯閼臣覂臣䲮偄ꚬ迥꺁䑌䍐뻥랏苣膀鯥颼臣䲮偄ꢂ菣뎂菣肃볯醼볯貁䑌䍐곧랏賥ꮁ铧蒁臣鲤鿦財裥䢗臣뺯臣ꚁ胣醃菣蚃苣ꒂ菣뾂菣ꪃ菣隃臣뢛뷥馁苣鞈뷧鮏苣醰臣辁臣节ꇨꎁ臣鞾苣貂苣覤迦鲤鿦財裥銂铧蒁臣財臣膀臣꺁뗧鲞뻥覂苣讂菣벃苣銂胣䲁偄뺯뇨螃菣뾂臣ꦾ迥邵黦ꢁ臣ꚁ胣䊁䡃菣뎂菣肃볯隼볯ꮁ蟥鮊臣讂胣ં⼼䥄㹖㰊䥄㹖䐼噉邀볯颼볯钼胣㲑䐯噉ਾ†臣誁胣뎛볯銼볯ꞁ苣膀鯥馼臣뒠郥ꢁ郥颧臣膀ꫨ躘臣뾾껥꺁臣膂胣蚀藥貂鯦袁蟥蚐苣財臣麃菣膃菣것苣떂볯钼臣膀苣ꦃ菣蒃苣릂菣螃苣뎃苣벃菣벃菣銂ꇨ蚁苣ꦃ菣蒃苣릂菣螃苣뎃苣벃菣벃菣閼볯ꢁ苣膀裥讀臣讧裦馁苣袂臣ꮁ臣龁臣膀菣ꮃ菣鞃菣꾂苣閼볯ꢁ苣ꦃ菣蒃苣릂菣螃苣뎃苣벃菣벃菣閼볯ꢁ臣膀룤鎽髧ꮁ꟦邈臣讂臣ꢁ臣ꞁ臣讂胣ં⼼䥄㹖㰊䥄㹖䐼噉邀볯颼볯閼胣㲑䐯噉ਾ†臣龁胣뎛볯꺁菣莃菣ꒂ菣뾂菣ꪃ菣邃볯醼볯ꮁ臣蒁臣膀苣ꦃ菣蒃苣릂菣ꒂ菣뾂菣ꪃ菣隃苣財苣ꪁ臣뒠郥ꮁ臣膀鯥醼볯閼臣鎃菣袃菣ꒂ菣뾂菣ꪃ菣邃볯隼볯ꮁ臣蒁臣膀苣ꦃ菣蒃苣릂菣螃苣뎃苣벃菣벃菣閼볯꾁胣궨臣讂뿥膦臣ꪁ臣芀㰊䐯噉ਾ䐼噉㰾䥄㹖胣邼볯鞼볯醀⼼䥄㹖 ꆬ臣膀鯥醼볯钼臣䲮偄螃苣벃菣醼볯隼臣財苣貂苣䲋偄ꦾ迥ꮁ臣蒁臣膀臣覂臣겪飦馁苣芀㰊䐯噉ਾ䐼噉㰾䥄㹖胣邼볯鞼볯醀⼼䥄㹖 뎛볯銼볯꺁䑌䍐菣뎂菣肃볯隼볯ꞁ臣膀룤낿臣龁苣蚁臣膀苣ꦃ菣蒃苣릂菣螃苣뎃苣벃菣벃菣閼볯讁苣꺁胣蚀藥貂鯦袁蟥蚐胣誏臣膀苣ꦃ菣蒃苣릂菣螃苣뎃苣벃菣벃菣貁ꇨ辂苣膀臣ꒁ胣醃菣蚃苣螃苣뎃苣벃菣벃菣貁ꇨ辂苣ꚁ臣ꪁ臣䲄偄ꚬ迥꺁䑌䍐뻥랏臣膀鯥颼臣䲮偄ꢂ菣뎂菣肃볯醼볯貁䑌䍐곧랏賥ꮁ铧蒁臣鲤鿦財裥䢗臣뺯臣ꚁ胣醃菣蚃苣ꒂ菣뾂菣ꪃ菣隃臣뢛뷥馁苣鞈뷧鮏苣醰臣辁臣节ꇨꎁ臣鞾苣貂苣覤迦鲤鿦財裥銂铧蒁臣財苣貂苣芀㰊䐯噉ਾ䐼噉㰾䥄㹖胣邼볯鞼볯醀⼼䥄㹖 鎁臣ꞁ胣䲁偄ꦾ迥銂胣覤迦鲤鿦財裥銂铧蒁臣財臣鎁臣ꞁ胣麛럨辦꣦銂諦뚈臣ꒁ臣膀该鲽釥ꊳ闦銂跥蚈껥뺏迥붃臣蒯鯥ꮁ諦袁苣鎁臣貁迥붃臣ꪁ苣䲋偄ꦾ迥貁藥ꮁ迦袡臣貂臣蒁苣袼뻤袁臣膀觧놨곧㒬㈲㜴㜷迥銂迥ꞅ볯芀㰊䐯噉ਾ䐼噉㰾䥄㹖胣邼볯鞼볯醀⼼䥄㹖 鶁臣ꞁ胣뺁臣膀鯥醼볯鞼臣蒁臣뎛볯鎼볯銂迥ꞅ臣ꚁ胣袅臣邏ꇦ閁苣ꚁ臣讂胣覤迦鲤鿦財裥銂铧蒁臣䲟偄ꦾ迥ꮁ臣蒁臣겪飦馁苣芀㰊䐯噉ਾ䐼噉㰾䥄㹖胣邼볯颼볯醀⼼䥄㹖 뎛볯銼볯꾁胣ꚬ迥랕貁〹臣膀곧랏賥螎臣㊌㌯臣䲮偄ꚬ迥꺁ꓦ뮟ꇨ鞈꺁뻤銂ꓧ鞁臣蒁苣芀㰊䐯噉ਾ䐼噉㰾䥄㹖胣邼볯颼볯醀⼼䥄㹖 ꪁ臣膀鯥醼볯鞼臣꾁볯貾뿨馁苣뎛볯銼볯誏臣뎛볯銼볯ꮁ臣蒁臣节郥颧볯膀銂胣钃菣ꪂ菣⢉⤮臣ꢡ迧鞁臣蒁苣芀㰊䐯噉ਾ䐼噉㰾䥄㹖胣邼볯颼볯醀⼼䥄㹖 뎛볯銼볯꺁ꓦ뮟ꇨ鞈ꞁ臣膀菣ꪃ菣ꎂꇨ鞈臣躚껦讧胩ꮁ臣ꎁ臣蒁苣芀㰊䐯噉ਾ䐼噉㰾䥄㹖胣邼볯颼볯醀⼼䥄㹖 뎛볯銼볯꾁胣뎛볯銼볯꺁ꓦ뮟ꇨ鞈ꮁ胣込볯醼볯覼臣財뷧鮏臣膀볥袼볯銼볯꺁裥꺽迦銂雦鞁臣鞾苣貂苣鲤鿦財裥䢗銂ꓧ鞁臣蒁苣芀㰊䐯噉ਾ䐼噉㰾䥄㹖胣邼볯颼볯醀⼼䥄㹖 財뷧鮏㘺⭳⭴財鯧銆琵猫ㄫꇨ꺛戼㹲 †††††††††††††††††††††††뮃菣뮃볯醼볯覼㰊䐯噉ਾ䐼噉㰾䥄㹖胣邼볯颼볯醀⼼䥄㹖 鞈뷧鮏㘺⭸⭹ㄶ裥꺛蛢㖒⭹⭸ㄶ裥꺛戼㹲 †††††††††††††††††††††††뮃菣뮃볯醼볯覼㰊䐯噉ਾ䐼噉㰾䥄㹖胣邼볯颼볯醀⼼䥄㹖 蚽臣膀볥袼볯醼볯誏臣袼볯銼볯ꮁ臣蒁臣膀貼貼貼꾁胣鶁苣麁苣膀볯ꚉ鲼볯貼볯ꚉ鲼볯貼볯ꚉ鲼볯貼볯ꚉ鲼볯꺁꿧늛臣뒕闦ꞁ臣讂胣ં⼼䥄㹖㰊䥄㹖䐼噉邀볯颼볯鞼胣㲑䐯噉ਾ†볥袼볯醼볯꺁ꇨ꺽迦ꮁ苣貂臣膀볯ꞁ觥ꎁ臣馽苣貁볯ꮁ臣讂볯貼볯貼볯鎼볯醼볯貼볯閼ꇨ꺛苣膀臣貂臣貂胣醼볯銼볯鎼볯钼볯閼ꇨ꺛臣膀볯ꞁ觥ꎁ臣馽苣貁볯ꮁ臣讂볯貼볯貼볯钼볯銼볯貼볯隼ꇨ꺛苣膀臣貂臣貂胣隼볯鞼볯颼볯馼볯醼볯財鯧ꮁ胣ꢁ臣蚁藥袐臣꺽迦貁ꇨ辂苣讂胣ં⼼䥄㹖㰊䥄㹖䐼噉邀볯颼볯颼胣㲑䐯噉ਾ†臣龁胣込볯醼볯覼臣鞈뷧鮏臣袂苣낁胣隼볯鞈鯧ꖻ駩袼菣ꪃ菣ꎂꇨ鞈볯ꮁ꿥鞁臣膀볯ꞁ觥ꎁ臣馽苣貁볯ꮁ臣讂볯醼볯隼볯貼볯鎼볯鞼볯貼볯閼裥꺛苣膀臣貂臣貂胣隼볯貼볯銼볯隼볯貼볯钼볯隼볯鞈鯧ꮁ胣隼臣늉臣ꚁ뷤誂臣銼臣ꪁ苣隼볯貼볯颼볯鞼볯貼볯邼볯颼볯鞈鯧銂胣鶁苣麁苣膀볯隼볯隼볯貼볯颼볯隼볯貼볯邼裥꺛臣膀臣蒁臣랅郥ꮁ뷧鮏臣財苣貂苣芀㰊䐯噉ਾ䐼噉㰾䥄㹖胣邼볯颼볯醀⼼䥄㹖 鎁臣袂臣ꮁ臣ꚁ胣뎛볯銼볯꺁ꓦ뮟ꇨ鞈ꮁ꿥鞁臣膀ꇨꢁ裥꺁뷧鮏苣財臣ꚁ뻥覂苣龁ꇨ鞈洨瑡楲⥸臣膀鯥醼볯颼臣鲤鿦財裥䢗ꞁ臣讂胣ં⼼䥄㹖㰊䥄㹖䐼噉邀볯颼볯邼胣㲑䐯噉ਾ†臣鎁臣膀ꓦ뮟ꇨ鞈꺁ꇨ꺽迦銂ꇨꎁ臣节胣䲁偄ꚬ迥꺁곧랏菣莃菣꺁룤뎁臣꾁뷥뾟臣ꪁ臣芀㰊䐯噉ਾ䐼噉㰾䥄㹖胣邼볯馼볯醀⼼䥄㹖 뺁臣膀볥袼볯銼볯꺁裥꺽迦꾁胣誸뿨꺁胣䮁焫⭸⭹ꪕ鯧꺁곧랏菣莃菣銂胣䮁倫⭹⭸ꪕ鯧꺁곧랏菣莃菣꺁뷤꺽臣ꒂ菣뾂菣ꪃ菣隃臣讂菣ꪃ菣ꎂ苣뎃苣벃菣벃菣꺁胣薃ꃥ랕銂〶臣膀럥麛꟦ꂀ臣颍뷤꺁裥낕銂ꢁ胣醃菣蚃苣랕袼臣鎁臣꾁胣㎁覼臣蒴闦熰㴨⽍⥐苣隼臣膀臣貂臣貂臣龁臣趁臣醃菣蚃苣ꒂ菣뾂菣ꪃ菣隃臣뢛뷥馁苣芀㰊䐯噉ਾ䐼噉㰾䥄㹖胣邼볯馼볯醀⼼䥄㹖 뎛볯銼볯꺁ꓦ뮟ꇨ鞈볯ꖻ룤膀臩鲮胣覤迦鲤鿦財裥ꢁ臣蚁볯䢉ꮁ꿥鞁臣膀鯥醼볯鞼臣鲤鿦財裥袼믤许胣ꦁ껥膀藥꺁ꓦ뮟ꇨ鞈臣蒁臣覼꺁䑌䍐곧랏臣膀볥袼볯銼볯ꢁ郥肸臣꺽迦銂ꇨꎁ臣节臣銂매颁苣ꢁ胣邼菣꾂菣ꮃ臣몇諥閁苣讂胣馁臣辂臣膀藥꺁ꓦ뮟ꇨ鞈꺁䑌䍐곧랏볯醼곧랏ꫨ覼臣鞁臣꺁ꇨ馃苣袃菣掫臣膀볥袼볯銼볯꺁裥꺽迦銂雦鞁臣鞾苣貂苣財菣꾂菣ꮃ苣排ꢁꇨ馁臣ꢁ臣馁苣ꢁ胣鲤鿦財裥꺁胦ꪳ臣覂胣䢁㱣畳⁰浸湬㩳灪∽瑨灴⼺眯睷樮潰朮⹯灪㸢㱔猯灵꾁胣邼菣꾂菣ꮃ臣ꪁ苣讁苣膀❈❣猼灵砠汭獮樺㵰栢瑴㩰⼯睷⹷灪⹯潧樮≰吾⼼畳㹰苣膀뷥뚄胣邼菣꾂菣ꮃ臣ꪁ苣芀㰊䐯噉ਾ䐼噉㰾䥄㹖胣邼볯馼볯醀⼼䥄㹖 ꖻ룤讁苣膀鯥醼볯颼臣覤迦鲤鿦財裥䢗꾁胣莅臣鲤鿦財裥䢗臣䲮偄ꚬ迥掷臣膀볥袼볯銼볯꺁裥꺽迦銂ꇨꎁ臣鞾苣貂苣䲋偄ꚬ迥掷꺁ꓦ뮟ꇨ鞈臣ꪁ臣ꚁ臣讂胣ં⼼䥄㹖㰊䥄㹖䐼噉邀볯颼볯钼胣㲑䐯噉ਾ†臣龁臣ꎁ臣膀藥꺁ꓦ뮟ꇨ鞈꺁䑌䍐곧랏ꮁ胣込볯醼볯覼臣鞈뷧鮏苣財臣膀臣꺁裥꺽迦貾臣䲮偄ꚬ迥掷銂胣뎛볯銼볯꺁ꓥ鮏ꓦ뮟ꇨ鞈❈苣ꢔ臣ꚁ뻥랏볯䲈偄ꦾ迥覼臣膀臣꺁뻥랏뗧鲞臣膀볥袼볯銼볯꺁裥꺽迦꺁胩꺽迦銂雦馁臣ꢁ臣膀藥꺁ꓦ뮟ꇨ鞈꺁䑌䍐곧랏苣膀臣꺁ꓦ뮟ꇨ鞈銂铧蒁臣ꦾ迥馁苣뒠郥ꢁ郥颧臣ꦾ迥邵黦銂뻥讂臣ꢁ臣ꞁ臣讂胣ં⼼䥄㹖㰊䥄㹖䐼噉邀볯颼볯閼胣㲑䐯噉ਾ†鯥醼볯馼臣膀볯쎕閼臣財裥꺁跥趽臣鎖髩銂ꧧ醁臣膀鯥醼볯颼臣覤迦鲤鿦財裥䢗銂ꓧ鞁臣蒁苣芀㰊䐯噉ਾ䐼噉㰾䥄㹖胣邼볯馼볯醀⼼䥄㹖 뎛볯銼볯ꮁ臣蒁臣꾁胣覤迦鲤鿦財裥䢗꾁胣閼韃볯꺁跥趽ꇨ鞈胣鶁臣颍뷤財裥꺁볯꺁臣ꆁ볯讀믤誸臣邼臣ꪁ臣龁ꇨ鞈볯ꖻ룤膀臩鲮胣隺跥趽ꇨ鞈臣蒁臣覼胣颍뷤財裥뺁臣꾁뫦颍뷤財裥銂苣ꒂ苣ꪃ菣꾂苣閃菣⢈祣汣捩猠楨瑦鞁臣財裥袼믤许胣ꦁ껥膀苣閃菣財裥ꢁ臣蚁볯膀跥趽ꇨ鞈胣隺跥趽ꇨ鞈胣뺁臣꾁苣閃菣財裥꺁臣ꆁ臣銼믤誸臣貒볯ꖻ룤膀臩鲮胣貒ꇨ鞈臣蒁臣覼胣閼韃볯꺁볯財裥꺁뗧袐苣鮁臣ꢡ臣貂臣蒁苣芀㰊䐯噉ਾ䐼噉㰾䥄㹖胣邼볯馼볯醀⼼䥄㹖 뎛볯銼볯꺁ꓥ鮏ꓦ뮟ꇨ鞈❈臣膀볯쎕閼臣颍뷤財裥膀뫦颍뷤財裥膀苣閃菣財裥膀鋥財裥膀볯財裥ꞁ꟦邈臣貂臣蒁苣ꢁ臣蚁臣ꢁ臣ꞁ臣讂胣鶁臣ꞁ胣覤迦鲤鿦財裥䢗銂꟦邈臣讂胣鎁苣覂臣閼韃볯꺁ꇨ鞈苣膀믤许胣ꦁ껥膀꟦邈ꇨ鞈臣蒁臣芀㰊䐯噉ਾ䐼噉㰾䥄㹖胣邼볯馼볯醀⼼䥄㹖 倠韃꺁꟦邈ꇨ鞈臣ꢡ臣貂苣鲤鿦財裥꺁䑌䍐곧랏臣ꦾ迥ꮁ臣膀菣Ꞃ菣꾂菣벃菣钼껧膀迥뎁菣ꪃ苣隃菣躃菣覃볦鞮苣膀讀郥芙臣財臣ꊂ菣궂菣꾂菣ꎃ愨捲楨整瑣牵⥥苣ꢔ臣讂臣ꢁ臣ꞁ臣讂胣ં⼼䥄㹖㰊䥄㹖䐼噉邀볯颼볯馼胣㲑䐯噉ਾ†鯥醼볯邼臣膀臣꺁苣蚁臣ꦾ迥銂ꇨ蚁뻥랏ꏨ꺽臣讧裦设苣몤臣隃菣莃苣뎛臣芁苣芀㰊䐯噉ਾ䐼噉㰾䥄㹖胣邼볯邼볯醀⼼䥄㹖 馁臣辂臣膀鯥醼볯邼臣膀鯥醼볯鞼臣莅臣鲤鿦財裥䢗臣뺯臣ꚁ胣醰臣辁臣节胣込볯醼볯覼臣鞈뷧鮏苣財臣ꚁ뻥覂苣讂鯥醼볯馼臣覤迦鲤鿦財裥䢗銂铧蒁臣膀䑌䍐곧랏臣ꦾ迥銂ꇨ蚁뻥랏ꏨ꺽臣讧裦设苣몤臣ꚁ臣讂胣ં⼼䥄㹖㰊䥄㹖䐼噉邀볯馼볯醼胣㲑䐯噉ਾ†鯥醼볯邼臣ꦾ迥薣뷧꾁胣隼臣꺁䥆但볯邼볯㲐畳⁢浸湬㩳灪∽瑨灴⼺眯睷樮潰朮⹯灪㸢㰱猯扵ꪁ臣鞁볯邼볯㲐畳⁢浸湬㩳灪∽瑨灴⼺眯睷樮潰朮⹯灪㸢㰶猯扵讁苣ꪁ苣鶞菣벃苣베듧ꢔ菣ꊃ菣鎼볯邼胣䚁䙉鎼볯邼猼扵砠汭獮樺㵰栢瑴㩰⼯睷⹷灪⹯潧樮≰ㄾ⼼畳㹢臣蒁臣鎼볯邼猼扵砠汭獮樺㵰栢瑴㩰⼯睷⹷灪⹯潧樮≰㘾⼼畳㹢苣뢁諦馁苣뮂菣꾂苣鎼볯醼胣膃苣莃苣躃菣覃꣨鞮菩鎼볯銼胣銼臣꺁苣ꒂ苣ꪃ菣꾂苣閃菣麛럨鎼볯鎼迥뎁볯邼볯膀볯颼胥꺁䥆但볯邼볯㲔畳⁢浸湬㩳灪∽瑨灴⼺眯睷樮潰朮⹯灪㸢㰱猯扵ꪁ臣鞁볯邼볯㲔畳⁢浸湬㩳灪∽瑨灴⼺眯睷樮潰朮⹯灪㸢㠱⼼畳㹢臣覂臣讂黦螃菣뾂ꃦ趴铧ꆃ菣ꪃ볯邼볯膀䥆但볯邼볯㲔畳⁢浸湬㩳灪∽瑨灴⼺眯睷樮潰朮⹯灪㸢㰱猯扵ꪁ臣鞁볯邼볯㲔畳⁢浸湬㩳灪∽瑨灴⼺眯睷樮潰朮⹯灪㸢㠱⼼畳㹢苣뢁諦馁苣뮂菣꾂苣鎼볯閼胣鞏뿤螃菣뾂苣베듧馁苣鞏뿤螃菣뾂铧ꆃ菣ꪃ볯邼볯膀菣ꪃ苣隃菣躃菣覃꣨鞮菩鎼볯鞼胣ꦾ迥麪꣨鞮菩鎼볯馼胣鞏뿤螃菣뾂룤릁鯦袁菩鎼볯邼胣ꦾ迥螃菣뾂룤릁鯦袁菩鎼볯醼臣覂臣讂胣ં⼼䥄㹖㰊䥄㹖䐼噉邀볯馼볯銼胣㲑䐯噉ਾ†臣骁胣鶞菣벃苣베듧ꢔ菣ꊃ菣鎼볯邼臣鎼볯钼臣꺁菣벃苣꺁ꃦ趴雦閳臣ꒁ臣ꚁꫨ躘臣讂胣ં⼼䥄㹖㰊䥄㹖䐼噉邀볯馼볯鎼胣㲑䐯噉ਾ†黦螃菣뾂ꃦ趴铧ꆃ菣ꪃ볯邼볯꾁胣뎛볯銼볯꺁ꓥ鮏ꓦ뮟ꇨ鞈❈臣財闦鎼볯銂꟦邈ꇨ鞈臣財闦閼臣꒙껧鞁臣낕臣芁苣隼臣꺁䥆但볯邼볯㲐畳⁢浸湬㩳灪∽瑨灴⼺眯睷樮潰朮⹯灪㸢㰱猯扵ꪁ臣鞁볯邼볯㲐畳⁢浸湬㩳灪∽瑨灴⼺眯睷樮潰朮⹯灪㸢㰶猯扵讁苣讧裦閁苣ꚁ臣讂胣䚂䙉鎼볯邼猼扵砠汭獮樺㵰栢瑴㩰⼯睷⹷灪⹯潧樮≰社⼼畳㹢볯馽볯醼볯銼볯뮃菣뮃볯隼볯꾁胣螤闦꺁껦낕臣風蛦颠鿥讁苣ꪁ苣膀郥떮臣風蛦颠鿥ꮁ臣蒁臣꾁胣讧裦財裥꺁ꇨ낕迥뎁裥낕臣芁苣閼臣꺁黦ꮁ꿥鲿臣讂菣莃苣벃苣銂郥芙臣궪臣몇臣鎁臣膀迥뎁胣뢛臣벾苣鎁臣貁臣趁苣袂臣ꮁ臣ꎁ臣蒁苣芀臣龁胣䚁䙉鎼볯邼猼扵砠汭獮樺㵰栢瑴㩰⼯睷⹷灪⹯潧樮≰社⼼畳㹢臣風蛦颠鿥꺁껦낕臣膀鯥醼볯馼臣覤迦鲤鿦財裥꺁ꇨ릖郥꺁볯꺁闦袼菣龃菣낂蟩뾁볯꺁鳦Ꞥ闦ꞁ臣讂볯ꮁ臣ꎁ臣蒁苣芀㰊䐯噉ਾ䐼噉㰾䥄㹖胣邼볯邼볯醀⼼䥄㹖 䘠䙉鎼볯邼猼扵砠汭獮樺㵰栢瑴㩰⼯睷⹷灪⹯潧樮≰ㄾ⼼畳㹢臣꾁胣뎛볯銼볯꺁ꓥ鮏ꓦ뮟ꇨ鞈❈臣견볯財鯧讁苣견볯財鯧뺁臣꺁볯꺁뷤꺽臣뺯뿥馁苣螃菣뾂볯邃菣ꊂ菣ꮃ菣벃菣讁苣꺁菣莃苣벃苣皸猼扵砠汭獮樺㵰栢瑴㩰⼯睷⹷灪⹯潧樮≰椾⼼畳㹢볯貁胣蒐ꇨ놅臣ꪨ雦醐臣납苣龁뷥ꮁ볯邼苣ꆄꛨ鞁臣ꊽ臣覼ꃦ趴臣貂苣芀臣ꪁ苣ꆁ胣견뷯財곧覽裥銂胣⢁ⱪ⥩臣ꢡ臣鎁臣ꢁ臣讂臣膀䥆但볯邼볯㲐畳⁢浸湬㩳灪∽瑨灴⼺眯睷樮潰朮⹯灪㸢㰱猯扵꺁곧醼껦꺁꣨뚆ꃩ龟臣꾁胣覤迦鲤鿦財裥䢗꺁ㄨㄬ讁苣⢉ⰵ⤵臣閼韃볯꺁跥趽ꇨ鞈臣醼臣趽뷧ꮁ꿥鲿臣讂菣벃苣貁ꃦ趴臣貂苣芀곧銼껦꺁꣨뚆ꃩ龟臣꾁胣覤迦鲤鿦財裥䢗꺁ㄨ㈬⤱臣覂㔨㈬⤵臣랂菣袃ꇨ鞈볯閼韃볯꺁跥趽ꇨ鞈苣뎏雦醐臣鎼臣ꂁ臣떂苣꾂菣莃苣랂菣袃臣龁苣閃菣財裥覼臣醼臣趽뷧ꮁ꿥鲿臣讂菣벃苣貁ꃦ趴臣貂苣芀곧鎼臣覂곧颼껦꺁꣨뚆ꃩ龟苣貐꟦ꮁ胣覤迦鲤鿦財裥䢗ꢁ꿥鲿믤醁臣螃菣뾂臣베듧閁苣讂胣鶁臣ꚁ胣견볯떮臣風蛦颠鿥ꮁ臣膀ꓥ鮏ꓦ뮟ꇨ鞈❈臣⢮ⰱ㘸讁苣⢉ⰵ〹꺁苣閃菣財裥袼볯쎕閼臣颍뷤財裥꺁臣ꆁ臣醼ꇨ꺛臣醼苣邼臣꺽臣鮏臣ꚁ볯ꒁ臣醁럥ꮁ苣ꒂ苣ꪃ菣꾂苣閃菣鞁臣랂菣袃ꇨ鞈볯꺁볯꺁뷤꺽臣뺯뿥馁苣螃菣뾂臣베듧閁苣讂胣ં⼼䥄㹖㰊䥄㹖䐼噉邀볯馼볯閼胣㲑䐯噉ਾ†䥆但볯邼볯㲐畳⁢浸湬㩳灪∽瑨灴⼺眯睷樮潰朮⹯灪㸢㰲猯扵ꮁ臣膀鯥醼볯馼臣覤迦鲤鿦財裥䢗꺁곧隼ꇨ꺛臣覂곧醼볯財鯧뺁臣꺁볯꺁뷤꺽臣뺯뿥馁苣螃菣뾂臣베듧閁苣讂胣馁臣辂臣膀䥆但볯邼볯㲐畳⁢浸湬㩳灪∽瑨灴⼺眯睷樮潰朮⹯灪㸢㰲猯扵꺁곧醼껦꺁꣨뚆ꃩ龟臣꾁胣覤迦鲤鿦財裥䢗꺁㘨ㄬ讁苣⢉〱㔬꺁鋥財裥袼볯쎕閼臣颍뷤財裥銂迥ꮁ볯ꒁ臣醁苣ꒂ苣ꪃ菣꾂苣閃菣鞁臣견볯꺁苣閃菣財裥ꢁ胣뎏臣銼臣ꂁ臣떂苣꾂菣莃苣랂菣袃臣龁곧銼臣랂菣袃ꇨ鞈臣貒臣芁苣貒ꇨ鞈볯銂꟦邈臣讂곧醼臣랂菣袃ꇨ鞈臣醼臣趽뷧ꮁ꿥鲿臣讂菣벃苣貁ꃦ趴臣貂苣芀臣龁胣견볯떮臣風蛦颠鿥ꮁ臣膀ꓥ鮏ꓦ뮟ꇨ鞈❈臣⢮ⰶ⤱臣覂ㄨⰰ⤵臣貒ꇨ鞈苣讧裦馁苣견볯꺁苣閃菣財裥꺁볯꺁뷤꺽臣뺯뿥馁苣螃菣뾂臣베듧閁苣讂胣ં⼼䥄㹖㰊䥄㹖䐼噉邀볯馼볯隼胣㲑䐯噉ਾ†臣ꪁ苣ꆁ胣趇臣貁볯ꖻ룤꺁꟦邈ꇨ鞈臣ꒁ臣ꚁ臣膀臣꺁꟦邈ꇨ鞈苣膀蟩뾁臣醼臣芁苣傋韃꺁跥趽ꇨ鞈胣颍뷤財裥꺁ꛨꂴ臣醼臣蚁臣醼胥ꖻ룤貁볯ꮁ臣ꎁ臣隺跥趽ꇨ鞈胣袏臣颍뷤財裥节臣辁臣隺跥趽ꇨ鞈苣떂苣꾂菣莃苣랂菣袃臣龁苣閃菣財裥꺁臣ꆁ臣螤闦꺁鋥꺁뷥ꞁꇨ뺏臣龁臣趁臣膀臣꺁蟩뾁臣醼臣颍뷤財裥膀뫦颍뷤財裥膀迥꾁苣閃菣財裥꺁볯꺁뷤꺽臣뺯뿥馁苣螃菣뾂볯颍뷤財裥膀뫦颍뷤財裥膀迥꾁苣閃菣財裥ꮁ뇥馁苣鶞臣뺯뿥馁苣ꆃ菣뮂菣뢂볯꾁胣貐룤ꊂ菣것苣袼䥆但볯邼볯㲐畳⁢浸湬㩳灪∽瑨灴⼺眯睷樮潰朮⹯灪㸢㰱猯扵ꪁ臣鞁볯邼볯㲐畳⁢浸湬㩳灪∽瑨灴⼺眯睷樮潰朮⹯灪㸢㰶猯扵꺁臣ꆁ臣貐룤꺁䥆但볯ꮁꃦ趴臣貂苣芀㰊䐯噉ਾ䐼噉㰾䥄㹖胣邼볯邼볯醀⼼䥄㹖 ꖻ룤膀곧鎼臣覂곧馼껦꺁꣨뚆ꃩ龟臣ꒁ臣ꚁ苣膀ꓥ鮏ꓦ뮟ꇨ鞈❈臣뺯뿥颻臣ꚁ菣벃苣貁ꃦ趴臣貂苣芀㰊䐯噉ਾ䐼噉㰾䥄㹖胣邼볯邼볯醀⼼䥄㹖 䘠䙉鎼볯邼猼扵砠汭獮樺㵰栢瑴㩰⼯睷⹷灪⹯潧樮≰㌾⼼畳㹢臣蒁臣鎼볯邼猼扵砠汭獮樺㵰栢瑴㩰⼯睷⹷灪⹯潧樮≰㘾⼼畳㹢苣貐꟦ꮁꓥ鮏ꓦ뮟ꇨ鞈❈臣뺯뿥颻臣ꚁ菣벃苣銂ꃦ趴臣讂胣ં⼼䥄㹖㰊䥄㹖䐼噉邀볯馼볯馼胣㲑䐯噉ਾ†黦螃菣뾂ꃦ趴铧ꆃ菣ꪃ볯邼볯꾁胣覤迦鲤鿦財裥䢗꺁裥낕볯邼苣膀꟦邈ꇨ鞈臣鞈闦ꞁ臣讂볯ꞁ觥ꎁ臣醼볯讀臣䚮䙉鎼볯钼猼扵砠汭獮樺㵰栢瑴㩰⼯睷⹷灪⹯潧樮≰ㄾ⼼畳㹢臣蒁臣鎼볯钼猼扵砠汭獮樺㵰栢瑴㩰⼯睷⹷灪⹯潧樮≰ㄾ㰸猯扵讁苣讧裦閁苣ꚁ臣讂胣䚂䙉鎼볯钼猼扵砠汭獮樺㵰栢瑴㩰⼯睷⹷灪⹯潧樮≰砾⼼畳㹢볯颽볯醼볯銼볯뮃菣뮃볯醼볯覼臣膀ꓨ낕臣떮闦꺁꣨뚆ꃩ龟臣覂臣誂胣蒐껦꺁꣨뚆ꃩ龟臣ꒁ臣ꚁ臣膀ꓥ鮏꟦邈ꇨ鞈❈臣財闦誏臣鞈闦ꞁ臣讂볯ꒁ臣鶞臣뺯뿥馁苣ꆃ菣뮂菣뢂苣貐駦ꮁꫨ뾁蟥馁臣ꢁ胣誏臣膀鯦趁뻨肂臣ꢁ臣ꞁ臣讂苣蚁臣ꪁ臣ꚁ臣讂胣ં⼼䥄㹖㰊䥄㹖䐼噉邀볯馼볯邼胣㲑䐯噉ਾ†䥆但볯邼볯㲔畳⁢浸湬㩳灪∽瑨灴⼺眯睷樮潰朮⹯灪㸢㰱猯扵ꮁ臣膀鯥醼볯馼臣覤迦鲤鿦財裥䢗꺁곧醼裥꺛臣覂곧閼裥꺛臣ꞁ臣醼臣趽뷧ꮁ꿥鲿臣讂菣벃苣袼菣Ꞃ菣꾂菣벃菣讁苣꺁菣莃苣벃苣疸猼扵砠汭獮樺㵰栢瑴㩰⼯睷⹷灪⹯潧樮≰樾⼼畳㹢볯貁胣蒐裥놅臣ꚸ雦醐臣납苣龁뷥ꮁ볯邼苣ꆄꛨ鞁臣ꊽ臣覼ꃦ趴臣貂苣芀臣ꪁ苣ꆁ胣䚁䙉鎼볯钼猼扵砠汭獮樺㵰栢瑴㩰⼯睷⹷灪⹯潧樮≰ㄾ⼼畳㹢臣견볯떮臣風蛦颠鿥ꮁ臣膀ꓥ鮏ꓦ뮟ꇨ鞈❈臣⢮ⰱ⤱臣覂㔨㔬꺁볯쎕閼臣颍뷤財裥꺁볯꺁뷤꺽臣뺯뿥馁苣螃菣뾂臣베듧閁苣讂胣견볯떮臣風蛦颠鿥ꮁ臣膀ꓥ鮏ꓦ뮟ꇨ鞈❈臣⢮ⰶ⤱臣覂ㄨⰰ⤵臣貒ꇨ鞈볯閼韃볯꺁跥趽ꇨ鞈苣뎏臣醼臣ꂁ臣떂苣꾂菣莃苣랂菣袃臣龁곧醼臣랂菣袃ꇨ鞈臣膀迥ꮁ볯ꒁ臣醁苣ꒂ苣ꪃ菣꾂苣閃菣鞁臣견볯꺁苣閃菣財裥ꢁ臣貒臣芁苣貒ꇨ鞈볯銂꟦邈臣讂곧醼臣랂菣袃ꇨ鞈臣醼臣趽뷧ꮁ꿥鲿臣讂菣벃苣貁ꃦ趴臣貂苣芀臣龁胣견볯떮臣風蛦颠鿥ꮁ臣膀ꓥ鮏ꓦ뮟ꇨ鞈❈臣⢮ⰶ⤱臣覂ㄨⰰ⤵臣貒ꇨ鞈苣讧裦馁苣견볯꺁苣閃菣財裥꺁볯꺁뷤꺽臣뺯뿥馁苣螃菣뾂臣베듧閁苣讂胣ં⼼䥄㹖㰊䥄㹖䐼噉邀볯馼볯醼胣㲑䐯噉ਾ†臣ꪁ苣ꆁ胣趇臣貁볯ꖻ룤꺁꟦邈ꇨ鞈臣ꒁ臣ꚁ臣膀臣꺁꟦邈ꇨ鞈苣膀蟩뾁臣醼臣芁苣傋韃꺁跥趽ꇨ鞈胣颍뷤財裥꺁ꛨꂴ臣醼臣蚁臣醼胥ꖻ룤貁볯ꮁ臣ꎁ臣隺跥趽ꇨ鞈胣袏臣颍뷤財裥节臣辁臣隺跥趽ꇨ鞈苣떂苣꾂菣莃苣랂菣袃臣龁苣閃菣財裥꺁臣ꆁ臣螤闦꺁鋥꺁뷥ꞁꇨ뺏臣龁臣趁臣膀臣꺁蟩뾁臣醼臣颍뷤財裥膀뫦颍뷤財裥膀迥꾁苣閃菣財裥꺁볯꺁뷤꺽臣뺯뿥馁苣螃菣뾂볯颍뷤財裥膀뫦颍뷤財裥膀迥꾁苣閃菣財裥ꮁ뇥馁苣鶞臣뺯뿥馁苣ꆃ菣뮂菣뢂볯꾁胣貐룤ꊂ菣것苣袼䥆但볯邼볯㲔畳⁢浸湬㩳灪∽瑨灴⼺眯睷樮潰朮⹯灪㸢㰱猯扵ꪁ臣鞁볯邼볯㲔畳⁢浸湬㩳灪∽瑨灴⼺眯睷樮潰朮⹯灪㸢㠱⼼畳㹢臣蚁臣꺁郥肸臣䚮䙉覼臣베듧閁苣讂胣ં⼼䥄㹖㰊䥄㹖䐼噉邀볯馼볯銼胣㲑䐯噉ਾ†믤许胣견볯誏臣견볯떮臣風蛦颠鿥ꮁ臣蒁臣节胣覤迦鲤鿦財裥䢗ꮁ꿥鲿믤醁臣膀菣벃苣貁ꃦ趴臣貂苣芀臣꺁䥆但볯邼볯㲔畳⁢浸湬㩳灪∽瑨灴⼺眯睷樮潰朮⹯灪㸢㰱猯扵꺁꣨뚆ꃩ龟臣떮闦꾁胣覤迦鲤鿦財裥䢗꺁곧醼裥讁苣견볯鞈臣誁臣讂ꇨ릖郥꺁볯꺁闦袼菣龃菣낂蟩뾁볯꺁鳦Ꞥ闦ꞁ臣讂볯ꮁ臣ꎁ臣蒁苣芀㰊䐯噉ਾ䐼噉㰾䥄㹖胣邼볯醼볯醀⼼䥄㹖 䘠䙉鎼볯钼猼扵砠汭獮樺㵰栢瑴㩰⼯睷⹷灪⹯潧樮≰㈾⼼畳㹢臣鎼볯钼猼扵砠汭獮樺㵰栢瑴㩰⼯睷⹷灪⹯潧樮≰㌾⼼畳㹢苣貐꟦ꮁꓥ鮏ꓦ뮟ꇨ鞈❈臣뺯뿥颻臣ꚁ菣벃苣銂ꃦ趴臣膀臣貂臣貂臣랕臣袼껦낕볯꾁胣閼臣芁苣芀䥆但볯邼볯㲔畳⁢浸湬㩳灪∽瑨灴⼺眯睷樮潰朮⹯灪㸢㰴猯扵ꪁ臣鞁볯邼볯㲔畳⁢浸湬㩳灪∽瑨灴⼺眯睷樮潰朮⹯灪㸢㈱⼼畳㹢苣貐꟦ꮁ胣覤迦鲤鿦財裥䢗ꮁ꿥鲿믤醁臣螃菣뾂苣베듧鞁胣鶁苣麁苣꺁闩閁臣鎼臣芁苣芀䥆但볯邼볯㲔畳⁢浸湬㩳灪∽瑨灴⼺眯睷樮潰朮⹯灪㸢㌱⼼畳㹢臣蒁臣鎼볯钼猼扵砠汭獮樺㵰栢瑴㩰⼯睷⹷灪⹯潧樮≰ㄾ㰸猯扵节郥颧臣膀ꓥ鮏ꓦ뮟ꇨ鞈❈臣뺯뿥颻臣ꚁ菣벃苣銂ꃦ趴臣膀臣貂臣貂臣랕臣꾁볯ꞁ臣讂胣ં⼼䥄㹖㰊䥄㹖䐼噉邀볯馼볯钼胣㲑䐯噉ਾ†곦ꮁ胣뎛볯鎼볯꺁뻥랏ꏨ꺽臣開뷤ꮁ臣蒁臣겪飦馁苣芀㰊䐯噉ਾ䐼噉㰾䥄㹖胣邼볯醼볯醀⼼䥄㹖 鶞菣벃苣베듧ꢔ菣ꊃ菣鎼볯邼臣膀볯ꒁ臣䚮䙉鎼볯邼猼扵砠汭獮樺㵰栢瑴㩰⼯睷⹷灪⹯潧樮≰ㄾ⼼畳㹢臣蒁臣鎼볯邼猼扵砠汭獮樺㵰栢瑴㩰⼯睷⹷灪⹯潧樮≰㘾⼼畳㹢臣覂臣誂胣趉껦꺁苣ꒂ苣ꪃ菣꾂苣閃菣麛럨鎼볯颼臣覂뻤ꚵ臣貂苣閼臣꺁菣莃苣벃苣䒸ㄳ貁胣覤迦鲤鿦財裥䢗꺁臣꺁ꇨꮁ뇥馁苣讁臣薃ꃥ袼慍牴硩菣벃苣覼㍄㈱臣鎾臣ꚁ胣螃菣뾂苣베듧馁苣䚋䙉銂胣䚁䙉鎼볯邼猼扵砠汭獮樺㵰栢瑴㩰⼯睷⹷灪⹯潧樮≰ㄾ⼼畳㹢臣蒁臣鎼볯邼猼扵砠汭獮樺㵰栢瑴㩰⼯睷⹷灪⹯潧樮≰㘾⼼畳㹢臣궸臣覂臩뎁胣뢁苣ꂁ䥆但臣閼臣꺁菣莃苣벃苣䒸ㄳ銂臣ꢁ苣ꚁꃩꪕ臣베듧鞁臣蒁臣芀臣龁胣鶞菣벃苣베듧ꢔ菣ꊃ菣鎼볯邼臣膀菣벃苣銂ꫨ뾁蟥馁髩ꮁ臣膀䥆但볯邼볯㲐畳⁢浸湬㩳灪∽瑨灴⼺眯睷樮潰朮⹯灪㸢㰱猯扵讁苣閼臣꺁菣莃苣벃苣䒸〳㰰畳⁢浸湬㩳灪∽瑨灴⼺眯睷樮潰朮⹯灪㸢㰱猯扵銂ꃩꪕ臣궪臣몇臣膀곦떮臣뮂菣꾂苣鎼볯醼臣鮾뗧馁苣芀黦螃菣뾂ꃦ趴铧ꆃ菣ꪃ볯邼볯꾁胣䚁䙉鎼볯邼猼扵砠汭獮樺㵰栢瑴㩰⼯睷⹷灪⹯潧樮≰ㄾ⼼畳㹢臣覂臣ꆃ菣뮂菣뢂臣궪臣몇臣꺁뗧蚺뻥膀䥆但볯邼볯㲐畳⁢浸湬㩳灪∽瑨灴⼺眯睷樮潰朮⹯灪㸢㰲猯扵ꪁ臣鞁볯邼볯㲐畳⁢浸湬㩳灪∽瑨灴⼺眯睷樮潰朮⹯灪㸢㰶猯扵讁苣节胣蚠闧ꮁ胣ꆃ菣뮂菣뢂苣궪臣몇臣膀苣것苣뾂볯邼볯ꮁ뻤ꚵ臣讂胣ં⼼䥄㹖㰊䥄㹖䐼噉邀볯馼볯隼胣㲑䐯噉ਾ†苣것苣뾂볯邼볯꾁胣뮂菣꾂菣ꆿ迥䒷〳ꮁ뻥ꎁ臣膀䥆但볯邼볯㲐畳⁢浸湬㩳灪∽瑨灴⼺眯睷樮潰朮⹯灪㸢㰱猯扵ꪁ臣鞁볯邼볯㲐畳⁢浸湬㩳灪∽瑨灴⼺眯睷樮潰朮⹯灪㸢㰶猯扵꺁臣ꆁ臣膀迧ꢜ菣벃苣貁ꫨ뾁蟥閁苣ꚁ臣讂䥆但臣覂臣閼臣꺁菣莃苣벃苣銂臩麊臣膀菣莃苣벃苣䒸〳ꢁ臣ꚁ胣膃苣莃苣躃菣覃꣨鞮菩鎼볯銼臣鮾뗧馁苣芀㰊䐯噉ਾ䐼噉㰾䥄㹖胣邼볯醼볯醀⼼䥄㹖 膃苣莃苣躃菣覃꣨鞮菩鎼볯銼臣膀볯ꒁ臣膃苣莃苣躃菣覃꣨鞮駥鎼볯銼猼扵砠汭獮樺㵰栢瑴㩰⼯睷⹷灪⹯潧樮≰ㄾ⼼畳㹢臣蒁臣鎼볯銼猼扵砠汭獮樺㵰栢瑴㩰⼯睷⹷灪⹯潧樮≰㔾⼼畳㹢臣覂臣誂胣뮂菣꾂苣鎼볯醼苣骀臣ꚁ뻤ꚵ臣貂苣ꆃ菣뮂菣뢂㍄㈰䐨〳㰲畳⁢浸湬㩳灪∽瑨灴⼺眯睷樮潰朮⹯灪㸢㰱猯扵ꪁ臣鞁㍄㈰猼扵砠汭獮樺㵰栢瑴㩰⼯睷⹷灪⹯潧樮≰㔾⼼畳㹢袼볥袼볯覼臣ꆃ菣뮂菣뢂㱶畳⁢浸湬㩳灪∽瑨灴⼺眯睷樮潰朮⹯灪㸢㱩猯扵覼苣ꢔ臣ꚁ胣込볯鞼볯ꮁ뻥ꎁ臣膃苣莃苣躃菣覃볦鞮苣財臣膀臣꺁菣Ꞃ菣꾂菣벃菣钼껧꺁뗧鲞뻥覂苣讂볯ꒁ臣ꆃ菣뮂菣뢂㍄㌰䐨〳㰳畳⁢浸湬㩳灪∽瑨灴⼺眯睷樮潰朮⹯灪㸢㰱猯扵ꪁ臣鞁㍄㌰猼扵砠汭獮樺㵰栢瑴㩰⼯睷⹷灪⹯潧樮≰㔾⼼畳㹢袼볥袼볯覼臣ꆃ菣뮂菣뢂㱵畳⁢浸湬㩳灪∽瑨灴⼺眯睷樮潰朮⹯灪㸢㱪猯扵⤾苣떂苣꾂菣莃苣랂菣袃鯥꾷볯邼볯ꮁ뻤ꚵ臣讂胣ં⼼䥄㹖㰊䥄㹖䐼噉邀볯馼볯颼胣㲑䐯噉ਾ†苣ꒂ苣ꪃ菣꾂苣閃菣麛럨鎼볯鎼臣膀菣Ꞃ菣꾂菣벃菣袨껧ꢃ볯邼볯ꞁ뇦膂苣貂臣閼臣꺁菣莃苣벃苣䒸〳㰳畳⁢浸湬㩳灪∽瑨灴⼺眯睷樮潰朮⹯灪㸢㰱猯扵ꪁ臣鞁㍄㌰猼扵砠汭獮樺㵰栢瑴㩰⼯睷⹷灪⹯潧樮≰㔾⼼畳㹢苣膀꿥鲿臣讂黦貁ꓥ鮏ꓦ뮟ꇨ鞈❈臣誁臣ꚁ藥ꢁ臣讂跥趽ꇨ鞈苣뺹臣떂苣꾂菣莃苣랂菣袃臣龁苣꺁臣芁苣讁臣薃ꃥ袼慍牴硩菣벃苣覼㍄㔰苣莅臣떂苣꾂菣莃苣랂菣袃臣膀臣꺁뗧鲞苣ꆃ菣뮂菣뢂㍄㐰臣鞁臣膀黦螃菣뾂ꃦ趴铧ꆃ菣ꪃ볯邼볯ꮁ뻤ꚵ臣讂胣ં⼼䥄㹖㰊䥄㹖䐼噉邀볯馼볯馼胣㲑䐯噉ਾ†黦螃菣뾂ꃦ趴铧ꆃ菣ꪃ볯邼볯꾁胣醼볯讀臣䚮䙉鎼볯钼猼扵砠汭獮樺㵰栢瑴㩰⼯睷⹷灪⹯潧樮≰ㄾ⼼畳㹢臣蒁臣鎼볯钼猼扵砠汭獮樺㵰栢瑴㩰⼯睷⹷灪⹯潧樮≰ㄾ㰸猯扵讁苣ꪁ苣膀觥떮臣떂苣꾂菣莃苣랂菣袃鯥꾷볯邼볯讁苣鮾뗧閁苣讂볯ꒁ臣ꆃ菣뮂菣뢂㍄㐰臣覤迦鲤鿦財裥䢗꺁臣꺁ꇨꮁ뇥馁苣讁臣薃ꃥ䒱〳ꮁ뻥ꎁ臣膀菣벃苣銂ꃦ趴臣讂䥆但苣膀䥆但볯邼볯㲔畳⁢浸湬㩳灪∽瑨灴⼺眯睷樮潰朮⹯灪㸢㰱猯扵ꪁ臣鞁볯邼볯㲔畳⁢浸湬㩳灪∽瑨灴⼺眯睷樮潰朮⹯灪㸢㠱⼼畳㹢臣궸臣覂臩뎁胣뢁苣ꂁ䥆但臣閼臣꺁菣莃苣벃苣䒸〳銂臣ꢁ苣ꚁꃩꪕ臣베듧鞁臣蒁臣芀臣龁胣鶞菣벃苣베듧ꢔ菣ꊃ菣鎼볯钼臣膀菣벃苣銂ꫨ뾁蟥馁髩ꮁ臣膀䥆但볯邼볯㲔畳⁢浸湬㩳灪∽瑨灴⼺眯睷樮潰朮⹯灪㸢㰱猯扵讁苣閼臣꺁菣莃苣벃苣䒸〳㰶畳⁢浸湬㩳灪∽瑨灴⼺眯睷樮潰朮⹯灪㸢㰱猯扵銂ꃩꪕ臣궪臣몇臣膀곦떮臣뮂菣꾂苣鎼볯閼臣鮾뗧馁苣芀黦螃菣뾂ꃦ趴铧ꆃ菣ꪃ볯邼볯꾁胣䚁䙉鎼볯钼猼扵砠汭獮樺㵰栢瑴㩰⼯睷⹷灪⹯潧樮≰ㄾ⼼畳㹢臣覂臣螃菣뾂臣궪臣몇臣꺁뗧蚺뻥膀䥆但볯邼볯㲔畳⁢浸湬㩳灪∽瑨灴⼺眯睷樮潰朮⹯灪㸢㰲猯扵ꪁ臣鞁볯邼볯㲔畳⁢浸湬㩳灪∽瑨灴⼺眯睷樮潰朮⹯灪㸢㠱⼼畳㹢臣覂苣膀ꃩꪕ臣膀菣莃苣벃苣銂ꫨ뾁蟥鞁胣뮂菣꾂苣鎼볯閼臣鮾뗧馁苣芀㰊䐯噉ਾ䐼噉㰾䥄㹖胣邼볯銼볯醀⼼䥄㹖 뮂菣꾂苣鎼볯閼臣膀苣것苣袃뿤랏㍄㜰臣鎾臣ꚁ胣䚁䙉鎼볯钼猼扵砠汭獮樺㵰栢瑴㩰⼯睷⹷灪⹯潧樮≰ㄾ⼼畳㹢臣蒁臣鎼볯钼猼扵砠汭獮樺㵰栢瑴㩰⼯睷⹷灪⹯潧樮≰ㄾ㰸猯扵꺁臣ꆁ臣膀迧ꢜ菣벃苣貁ꫨ뾁蟥閁苣ꚁ臣讂䥆但臣覂臣閼臣꺁菣莃苣벃苣銂臩麊臣膀菣莃苣벃苣䒸〳ꢁ臣ꚁ胣邃菣ꊂ菣ꮃ菣벃菣袨껧ꢃ볯邼볯ꢁ뻥랏ꫨ袨껧ꢃ볯邼볯ꮁ뻤ꚵ臣讂胣ં⼼䥄㹖㰊䥄㹖䐼噉邀볯馼볯醼胣㲑䐯噉ਾ†룤릖胣鞏뿤螃菣뾂룤릁鯦袁菩鎼볯邼臣膀胩ꆿ럨醼볯銂胩鞁臣鞏뿤鞁臣䲟偄ꚬ迥䒷ㄳ銂胣込볯醼볯覼臣鞈뷧鮏苣財臣鎁臣ꮁ苣誂룤릁鯦袁胣鞏뿤螃菣뾂㍄㐱臣鞁臣膀迥ꆿ菣벃苣ꢔ菣ꊃ菣鎼볯隼臣鮾뗧馁苣芀迥ꆿ菣벃苣ꢔ菣ꊃ菣鎼볯隼臣膀迥ꆿ菣벃苣ꚸ臣뾛臣ꢃ볯醼볯讁苣鮾뗧閁苣讂迥ꆿ菣벃苣䒿ㄳ讁苣膀迥ꆿ䱌袼꿥낕냥ꚺ꿦覼苣袨껧鞁臣風蛦鞁胣鶁臣鞏뿤䲡剌苣閼胥骁臣뺁臣膂臣鞏뿤ꒀ㍄㤰臣鞁臣膀菣ꪃ苣隃菣躃菣覃꣨鞮菩鎼볯鞼臣ꦾ迥麪꣨鞮菩鎼볯馼臣鮾뗧馁苣芀㰊䐯噉ਾ䐼噉㰾䥄㹖胣邼볯銼볯醀⼼䥄㹖 邃菣ꊂ菣ꮃ菣벃菣袨껧ꢃ볯邼볯꾁胣閼臣꺁菣ꪃ苣隃菣躃菣覃꣨鞮駥鎼볯鞼猼扵砠汭獮樺㵰栢瑴㩰⼯睷⹷灪⹯潧樮≰ㄾ⼼畳㹢臣蒁臣鎼볯鞼猼扵砠汭獮樺㵰栢瑴㩰⼯睷⹷灪⹯潧樮≰㔾⼼畳㹢臣覂臣誂胣뮂菣꾂苣鎼볯閼苣骀臣ꚁ뻤ꚵ臣貂苣ꆃ菣뮂菣뢂㍄㠰䐨〳㰸畳⁢浸湬㩳灪∽瑨灴⼺眯睷樮潰朮⹯灪㸢㰱猯扵ꪁ臣鞁㍄㠰猼扵砠汭獮樺㵰栢瑴㩰⼯睷⹷灪⹯潧樮≰㔾⼼畳㹢袼볥袼볯覼臣ꆃ菣뮂菣뢂㱵畳⁢浸湬㩳灪∽瑨灴⼺眯睷樮潰朮⹯灪㸢㱪猯扵覼臣膀迥ꆿ菣벃苣ꢔ菣ꊃ菣鎼볯隼臣覂뻤ꚵ臣貂苣閼臣꺁迥ꆿ胥䒤〳袼볥袼볯覼臣鞏뿤ꒀ㱵畳⁢浸湬㩳灪∽瑨灴⼺眯睷樮潰朮⹯灪㸢椰⼼畳㹢볯銂铧蒁臣膀볥袼볯覼臣鎾臣ꚁ菣ꪃ苣隃菣躃菣覃볦鞮苣財臣膀臣꺁볦鞮臣邵黦鞾苣貂苣ꆃ菣뮂菣뢂㍄〱䐨ㄳ㰰畳⁢浸湬㩳灪∽瑨灴⼺眯睷樮潰朮⹯灪㸢㰱猯扵ꪁ臣鞁㍄〱猼扵砠汭獮樺㵰栢瑴㩰⼯睷⹷灪⹯潧樮≰㔾⼼畳㹢袼볥袼볯覼臣ꆃ菣뮂菣뢂㱶畳⁢浸湬㩳灪∽瑨灴⼺眯睷樮潰朮⹯灪㸢㱩猯扵覼苣膀苣ꒂ苣ꪃ菣꾂苣閃菣麛럨鎼볯颼臣鮾뗧馁苣芀㰊䐯噉ਾ䐼噉㰾䥄㹖胣邼볯銼볯醀⼼䥄㹖 떂苣꾂菣莃苣랂菣袃鯥꾷볯邼볯꾁胣邃菣ꊂ菣ꮃ菣벃菣袨껧ꢃ볯邼볯ꞁ꣨鞮臣貂臣ꆃ菣뮂菣뢂㍄〱猼扵砠汭獮樺㵰栢瑴㩰⼯睷⹷灪⹯潧樮≰ㄾ⼼畳㹢臣蒁臣䒗ㄳ㰰畳⁢浸湬㩳灪∽瑨灴⼺眯睷樮潰朮⹯灪㸢㰵猯扵銂胣뺯뿥馁苣鶞臣覤迦鲤鿦財裥䢗ꮁ臣蒁臣莅臣ꪁ苣颍뷤財裥銂맥ꒁ苣ꒂ苣ꪃ菣꾂苣閃菣鞁臣节臣ꞁ臣讂臣꺁菦놠苣莅臣떂苣꾂菣莃苣랂菣袃臣膀臣꺁뗧鲞苣ꆃ菣뮂菣뢂㍄ㄱ臣鞁臣膀黦螃菣뾂ꃦ趴铧ꆃ菣ꪃ볯邼볯ꮁ뻤ꚵ臣讂胣ં⼼䥄㹖㰊䥄㹖䐼噉邀볯馼볯钼胣㲑䐯噉ਾ†믤誸臣開뷤銂볯ꆷ臣讂臣ꢁ臣膀䑌䍐곧랏臣醼鯥꺁뻥랏苣財臣鎁臣貁臣趁苣芀鯥醼볯邼臣ꦾ迥薣뷧꾁胣肉껥꺁鯥낕臣醁䑌䍐곧랏苣ꦾ迥鞁臣貾胣ꦾ迥麪꣨鞮菩鎼볯馼迥뎁뻥랏菣벃苣ꚸ臣뾛臣ꢃ볯醼볯ꮁ臣蒁臣膀鳦芵髧ꪁ뻥랏뗧鲞苣花苣ꚁ蟥鮊臣讂胣ં⼼䥄㹖㰊䥄㹖䐼噉邀볯馼볯閼胣㲑䐯噉ਾ†臣ꪁ苣ꆁ胣ꦾ迥麪꣨鞮菩鎼볯馼臣膀볯ꒁ臣ꦾ迥麪꣨鞮駥鎼볯馼猼扵砠汭獮樺㵰栢瑴㩰⼯睷⹷灪⹯潧樮≰ㄾ⼼畳㹢臣蒁臣鎼볯馼猼扵砠汭獮樺㵰栢瑴㩰⼯睷⹷灪⹯潧樮≰㔾⼼畳㹢臣覂臣誂胣뮂菣꾂苣鎼볯閼臣몇諥馁苣閼臣꺁菣莃苣벃苣䒸〳⠸㍄㠰猼扵砠汭獮樺㵰栢瑴㩰⼯睷⹷灪⹯潧樮≰ㄾ⼼畳㹢臣蒁臣䒗〳㰸畳⁢浸湬㩳灪∽瑨灴⼺眯睷樮潰朮⹯灪㸢㰵猯扵⤾볯込볯閼볯꺁菣莃苣벃苣疸猼扵砠汭獮樺㵰栢瑴㩰⼯睷⹷灪⹯潧樮≰樾⼼畳㹢볯ꢁ胣鞏뿤螃菣뾂铧ꆃ菣ꪃ볯邼볯讁苣鮾뗧閁苣讂볯ꒁ臣鞏뿤ꒀ㍄㤰볯込볯閼볯꺁迥ꆿ胥疤猼扵砠汭獮樺㵰栢瑴㩰⼯睷⹷灪⹯潧樮≰〾㱩猯扵覼苣ꢔ臣膀ꓨ낕鯥꺁뻥랏臣肜뗧떮臣鞁臣膀볥袼볯覼臣몟臣蒁臣膀뻥랏뗧鲞볯ꦾ迥麪볯銂꣨鞮臣ꚁ胣鶁臣邵黦鞾苣貂苣ꦾ迥螃菣뾂㍄㔱苣膀뻥랏菣벃苣ꚸ臣뾛臣ꢃ볯醼볯ꮁ뻤ꚵ臣讂胣ં⼼䥄㹖㰊䥄㹖䐼噉邀볯馼볯隼胣㲑䐯噉ਾ†뻥랏菣벃苣ꚸ臣뾛臣ꢃ볯醼볯꾁胣ꦾ迥麪꣨鞮菩鎼볯馼臣覂뻤ꚵ臣貂苣ꦾ迥螃菣뾂㍄㔱苣뺯뇨ꮁ胣込볯醼볯覼臣鞈뷧鮏臣蚀뷧鮏苣財臣鎁臣ꮁ苣誂胣鶁臣蚠뫥銂룤릁鯦袁胣肜뗧蒚臣ꦾ迥邵黦䒜ㄳꢁ臣ꚁ蟥鮊臣讂胣ં⼼䥄㹖㰊䥄㹖䐼噉邀볯馼볯鞼胣㲑䐯噉ਾ†믤誸臣袂臣ꮁ胣鲤鿦財裥袼藥꺁ꓦ뮟ꇨ鞈볯ꮁ꿥鞁臣膀ꇨ꺽迦ꢁ裥꺽迦꺁臣ꆁ臣肸雦袏臣ꆸ雦銂雦鞁胣傁韃꺁跥趽ꇨ鞈胣鶁臣膦듧꺁볯꺁臣ꆁ볯讀믤誸臣邼臣ꪁ臣龁뫦颍뷤財裥膀跥趽ꇨ鞈苣鞁臣꾁뫦颍뷤財裥銂苣ꒂ苣ꪃ菣꾂苣閃菣鞁臣랂菣袃ꇨ鞈胣颍뷤財裥膀뫦颍뷤財裥膀苣鞁臣꾁苣閃菣財裥꺁ꓨ낕臣貒臣芁苣貒ꇨ鞈胣傁韃꺁볯財裥꺁뗧袐臣膀臣뺁苣膀꟦邈ꇨ鞈臣蒵臣袐苣鮁臣ꢡ臣鎁臣貁臣趁苣鲤鿦財裥袼ꓥ鮏ꓦ뮟ꇨ鞈볯ꮁꓥ鮏臣讂臣ꢁ臣膀䑌䍐곧랏臣ꦾ迥銂胣膃苣莃苣躃菣覃볦鞮臣邃菣ꊂ菣ꮃ菣벃菣钼껧銂讀郥芙臣財臣ꊂ菣궂菣꾂菣ꎃ愨捲楨整瑣牵⥥苣ꆎ铧馁苣鎁臣貁迥붃臣ꪁ苣膀臣貂臣袂苣膀菣벃菣钼껧銂胣傁胥貐駦ꮁꇨ蚁臣ꢁ臣開뷤ꢑ돦낕苣龮迧꾏菨ꪁ꿧늛臣醊臣ꚁ胣骤闦꺁맧誂뿨鞁뻥랏苣財臣鎁臣貁臣趁苣芀㰊䐯噉ਾ䐼噉㰾䥄㹖胣邼볯銼볯醀⼼䥄㹖 뎛볯銼볯꺁迥ꆿꏨ꺽볯銼苣讧裦馁苣䲋偄螃苣벃菣醼볯隼臣膀鯥醼볯邼臣ꦾ迥薣뷧ꢁ郥颧臣膀菣Ꞃ菣꾂菣벃菣钼껧ꢁ菣ꪃ苣隃菣躃菣覃볦鞮苣傒胥貐駦ꮁꇨ蚁臣ꢁ臣膀䑌䍐뻥랏苣財臣袂臣ꮁ臣ꎁ臣蒁苣芀㰊䐯噉ਾ䐼噉㰾䥄㹖胣邼볯銼볯醀⼼䥄㹖 馁臣辂臣膀臣뺁胣겪飦銂냧颍臣馁苣龁苣ꮁ胣뎛볯꺁胩ꆿꏨ꺽볯醼苣讧裦馁苣䲋偄ꢂ菣뎂菣肃볯醼볯貁蟥鮊臣讂䑌䍐곧랏臣鲤鿦財裥貁胣设臣낁胣뎛볯銼볯ꮁꓧ鞁臣膀菣ꪃ菣ꎂꇨ鞈臣躚껦讧胩ꮁ臣ꎁ臣蒁苣鲤鿦財裥䢗臣芁苣ꢁ臣讂臣膀胩ꆿꏨ꺽볯醼臣醃菣蚃苣ꒂ菣뾂菣ꪃ菣邃볯鎼臣꾁胣䮁焫⭸⭹ꪕ鯧꺁곧랏菣莃菣銂胣䮁倫⭹⭸ꪕ鯧꺁곧랏菣莃菣꺁뷤꺽臣ꒂ菣뾂菣ꪃ菣隃臣讂菣ꪃ菣ꎂ苣뎃苣벃菣벃菣貁胣薃ꃥ랕銂〶臣膀럥麛꟦ꂀ臣颍뷤꺁裥낕銂ꮁ胣醃菣蚃苣랕꺁듧낕⡱䴽倯銂볯ꮁ胣鶁苣麁苣鞁臣財苣貂苣芀㰊䐯噉ਾ䐼噉㰾䥄㹖胣邼볯鎼볯醀⼼䥄㹖 鎁臣醃菣蚃苣ꒂ菣뾂菣ꪃ菣隃臣膀룤낿臣龁苣蚁臣膀볥袼볯銼볯꺁裥꺽迦ꮁ鯧鎽臣讂臣覂胣䲁偄螃苣벃菣醼볯隼臣꾁胣込볯醼볯覼臣鞈뷧鮏苣財臣薿ꛨ貁臣蒁胣ં⼼䥄㹖㰊䥄㹖䐼噉邀볯馼볯醼胣㲑䐯噉ਾ†臣꺁臣膂胣뎛볯銼볯꺁迥ꆿꏨ꺽볯銼臣꾁胣誸뿨鞁臣袂臣ꮁ胣ꮂ菣ꂃ菣ꒂ苣袃菣ꒂ菣뾂菣ꪃ菣邃볯閼臣覂胣䲁偄螃苣벃菣醼볯隼臣뺯臣ꚁ胣醃菣蚃苣螃苣뎃苣벃菣벃菣貁ꇨ辂苣ꚁ臣ꪁ臣䲄偄ꚬ迥膀臣뺁苣膀볥袼볯銼볯꺁裥꺽迦貁ꇨ辂苣龁諧讅臣䲮偄ꚬ迥貁뻤ꚵ臣貂胣䲁偄螃苣벃菣醼볯隼臣꾁胣込볯醼볯覼臣鞈뷧鮏苣財苣ꪁ臣鎁臣銂駩醁臣膀鯥醼볯邼臣ꦾ迥薣뷧ꢁ郥颧臣ꚇ郧貁ꇨ辂苣讂胣ં⼼䥄㹖㰊䥄㹖䐼噉邀볯馼볯銼胣㲑䐯噉ਾ†臣ꪁ苣ꆁ胣뎛볯鎼볯꾁胣뎛볯銼볯꺁䑌䍐菣뎂菣肃볯隼볯꺁꟦邈뻤銂ꓧ鞁臣蒁苣芀㰊䐯噉ਾ䐼噉㰾䥄㹖胣邼볯鎼볯醀⼼䥄㹖 뎛볯鎼볯ꮁ臣蒁臣膀䑌䍐菣뎂菣肃볯隼볯꾁胣뎛볯鎼볯꺁迥ꆿ菣벃苣ꚸ臣뾛臣ꢃ볯醼볯貁꣨醁苣貂臣蒁臣蒁臣ꢁ苣꒙臣낁胣뎛볯鎼볯꺁뻥랏ꏨ꺽臣貐꟦ꮁ꟦邈臣貂臣誁苣膀볥袼볯銼볯꺁裥꺽迦貁ꇨ辂苣ꪁ臣鎁臣銂駩蒁臣膀鯥醼볯邼臣ꦾ迥薣뷧ꢁ郥颧臣ꚇ郧銂ꇨ蚁臣膂胣鶁臣겪飦꾁鳧ꖕ臣讂胣ં⼼䥄㹖㰊䥄㹖䐼噉邀볯馼볯钼胣㲑䐯噉ਾ†믤誸臣袂臣ꮁ胣䲁偄螃苣벃菣醼볯隼臣膀迥ꆿ菣벃苣ꚸ臣뾛臣ꢃ볯醼볯銂꣨醁臣ꮁ꟦邈臣讂臣ꢁ臣ꞁ臣讂臣ꞁ胣뎛볯鎼볯꺁뻥랏ꏨ꺽苣誂苣膀ꛨꆨ苣誉룦馁苣鎁臣貁臣趁苣芀㰊䐯噉ਾ䐼噉㰾䥄㹖胣邼볯鎼볯醀⼼䥄㹖 ꪁ臣膀鯥醼볯鞼臣蒁臣뎛볯鎼볯ꞁ臣膀ꫨ躘苣ꆰ跥ꮁ臣讂臣膂臣膀䑌䍐곧랏臣ꚬ迥랕銂〹臣膀菦놠闩䮷苣㚒ꢁ胣ꆷ鯥讧胩꺁跥趽臣鞈闦袼꟦邈ꇨ鞈臣財闦誏臣鞈闦覼銂ꢁ胣醃菣蚃苣랕꺁듧낕⡱䴽倯銂볯ꢁ胣鶁苣麁苣鞁臣貁胣ꚬ迥랕膀菦놠闩䮷胣ꆷ鯥讧胩꺁跥趽臣鞈闦傰胣誏臣蒴闦熰㴨⽍⥐臣鶁苣麁苣꾁胣誸뿨鞁臣ꒀ臣邙껥閁苣讂苣꺁臣꾁臣蒁胣ં⼼䥄㹖㰊䥄㹖䐼噉邀볯馼볯隼胣㲑䐯噉ਾ†臣ꪁ苣ꆁ胣뎛볯꺁胩ꆿꏨ꺽볯醼臣誁臣ꚁ胣䲁偄ꢂ菣뎂菣肃볯醼볯貁蟥鮊臣讂臣꾁胣设臣낁胣ꚬ迥랕銂㐶〸蒂㘱〲覭臣膀菦놠闩䮷苣互倭⡱丽䴭ꢁ胣ꆷ鯥讧胩꺁跥趽臣鞈闦傰苣㎒〶臣膀듧낕銂⽍ꢁ胣鶁苣麁苣馁苣䲋偄ꚬ迥ꞁ臣讂臣膀鯥醼볯醼臣䲮偄螃苣벃菣醼볯隼臣膀臣꺁苣蚁臣䲪偄ꚬ迥銂꿥ꆱ臣鞁臣膀菣Ꞃ菣꾂菣벃菣钼껧ꢁ菣ꪃ苣隃菣躃菣覃볦鞮苣傒胥貐駦ꮁꇨ蚁臣ꢁ臣膀䑌䍐뻥랏苣財臣뒠郥ꮁ苣ꦁ铧꾏菨ꞁ臣讂胣ં⼼䥄㹖㰊䥄㹖䐼噉邀볯馼볯鞼胣㲑䐯噉ਾ†鯥醼볯銼臣膀鯥醼볯閼臣鎃菣袃菣ꒂ菣뾂菣ꪃ菣邃볯隼볯銂꟦邈臣讂菣ꮃ菣鞃菣꾂苣閼볯꺁蟥蚐苣겪飦馁苣뎛臣芁苣芀㰊䐯噉ਾ䐼噉㰾䥄㹖胣邼볯鎼볯醀⼼䥄㹖 馁臣辂臣膀鯥醼볯銼臣ꆼ臣膀菣ꮃ菣鞃菣꾂苣閼볯꺁ꧦ붃髧ꪁ꟦邈뻤銂ꓧ鞁臣蒁苣芀㰊䐯噉ਾ䐼噉㰾䥄㹖胣邼볯鎼볯醀⼼䥄㹖 麃菣膃菣것苣떂볯钼臣膀胩ꖅ苣뾛臣ꢃ볯邼볯醼胣誏臣ꆃ菣ꪃ볯邼볯銼臣覂꟦邈臣貂苣芀㰊䐯噉ਾ䐼噉㰾䥄㹖胣邼볯钼볯醀⼼䥄㹖 麃菣膃菣것苣떂볯钼臣膀觥떮臣冮䵁菣뎂菣肃볯隼볯讁苣鮾뗧閁苣讂苣뎃菣ꮃ臣랂菣鲃菣鎃菣袃苣뺯뇨ꢁ臣ꚁ胣膀뿤薣뷧醼볯꺁菣麃菣膃菣것苣떂볯閼臣財臣ꖅ苣뾛臣ꚇ郧ꮁ꿥鲿臣讂胩ꖅ苣뾛臣ꚇ郧袼藥貂鯦袁蟥蚐臣蚀臣ꚇ郧覼胣馁臣辂臣膀藥貂鯦袁蟥蚐臣袂臣ꚁ藥貂鯦袁苣貂臣䲟偄ꚬ迥꺁곧랏菣莃菣袼苣뎃菣ꮃ菣莃菣覼臣趽뷧銂藥꺁뷤꺽臣뮈臣蚀藥貂鯦袁蟥蚐苣財臣膀臣꺁뗧鲞뻥覂苣讂䑌䍐곧랏苣膀뻥떮臣ꮂ菣ꂃ菣ꒂ苣袃菣ꒂ菣뾂菣ꪃ菣邃볯閼臣鮾뗧馁苣芀㰊䐯噉ਾ䐼噉㰾䥄㹖胣邼볯钼볯醀⼼䥄㹖 馁臣辂臣膀菣ꮃ菣鞃菣꾂苣閼볯ꮁ臣蒁臣膀胩ꖅ苣뾛臣ꢃ볯邼볯醼臣꾁胣袼胩骶臣讂볯抉胥꺁苣뎃菣ꮃ臣颍뷤ꞁ胣鶁臣抮胥꺁苣뎃菣ꮃ臣涮鎃菣袃臣랂菣鲃菣鎃菣袃㱹畳⁢浸湬㩳灪∽瑨灴⼺眯睷樮潰朮⹯灪㸢㰰猯扵ⰾ㱹畳⁢浸湬㩳灪∽瑨灴⼺眯睷樮潰朮⹯灪㸢㰱猯扵ⰾ菣뮃菣ⲻ㱹畳⁢浸湬㩳灪∽瑨灴⼺眯睷樮潰朮⹯灪㸢扭ㄭ⼼畳㹢臣鮾뗧閁苣讂胣ં⼼䥄㹖㰊䥄㹖䐼噉邀볯馼볯銼胣㲑䐯噉ਾ†胩ꖅ苣뾛臣ꢃ볯邼볯醼臣膀扭菣莃菣꺁苣뎃菣ꮃ菣莃菣禈猼扵砠汭獮樺㵰栢瑴㩰⼯睷⹷灪⹯潧樮≰〾⼼畳㹢臣蒁臣禗猼扵砠汭獮樺㵰栢瑴㩰⼯睷⹷灪⹯潧樮≰派ⵢ㰱猯扵銂胣莅臣涮鎃菣袃臣ꚬ迥鎃菣袃㱢畳⁢浸湬㩳灪∽瑨灴⼺眯睷樮潰朮⹯灪㸢㰰猯扵ⰾ㱢畳⁢浸湬㩳灪∽瑨灴⼺眯睷樮潰朮⹯灪㸢㰱猯扵ⰾ菣뮃菣ⲻ㱢畳⁢浸湬㩳灪∽瑨灴⼺眯睷樮潰朮⹯灪㸢扭ㄭ⼼畳㹢臣ꚸ臣袼胩ꆿꏨ꺽볯醼臥꺁菣麃菣膃菣것苣떂볯閼苣讧裦馁苣ꖅ苣뾛臣ꢃ볯銼臣꺁藥貂鯦袁臣財苣貂苣趉臣ꚬ迥鎃菣袃㱢畳⁢浸湬㩳灪∽瑨灴⼺眯睷樮潰朮⹯灪㸢㰰猯扵ꪁ臣鞁㱢畳⁢浸湬㩳灪∽瑨灴⼺眯睷樮潰朮⹯灪㸢扭ㄭ⼼畳㹢臣ꚸ臣覼臣뮈臣蚀藥貂鯦袁苣財臣膀臣꺁뗧鲞뻥覂苣讂扭菣莃菣꺁곧랏菣莃菣抈猼扵砠汭獮樺㵰栢瑴㩰⼯睷⹷灪⹯潧樮≰〾⼼畳㹢臣蒁臣抗猼扵砠汭獮樺㵰栢瑴㩰⼯睷⹷灪⹯潧樮≰派ⵢ㰱猯扵銂蟥鮊臣讂胣ં⼼䥄㹖㰊䥄㹖䐼噉邀볯馼볯鎼胣㲑䐯噉ਾ†菣ꊃ菣醼볯邼볯꾁胣膀뿤薣뷧醼볯뒁臣螃菣ꮃ菣鞃菣꾂苣銼볯銂꟦邈臣讂菣ꊃ菣鎼볯ꢁ郥颧臣膀菣Ꚃ爨睯袼꣦覼雦醐臣涫鎃菣袃苣風蛦馁苣ꢁ臣节臣膀苣ꦃ菣⢠潣畬湭袼룧覼雦醐臣享⠯扭鎃菣袃苣風蛦馁苣風蛦릮蟩銂鳦馁苣芀臣ꪁ苣ꆁ胣ꆃ菣ꪃ볯邼볯銼臣膀⽎洨⥢菣莃菣銂꣨뚆臣讂扭胥꺁苣ꦃ菣讁苣讧裦閁苣讂胣ં⼼䥄㹖㰊䥄㹖䐼噉邀볯馼볯钼胣㲑䐯噉ਾ†뷤鞁胣ꆃ菣ꪃ볯邼볯銼臣꾁胣膀뿤薣뷧醼볯꺁菣麃菣膃菣것苣떂볯閼臣ꆃ菣ꪃ볯醼臣覂臣ꚬ迥鎃菣袃臣궪臣몇臣貁ꇨ辂苣讂雦醐臣膀胩ꖅ苣뾛臣ꢃ볯邼볯醼臣몇諥馁苣䲋偄ꚬ迥꺁곧랏菣莃菣꺁鯦趁뻨뾁臣財苣貂胣ꆃ菣ꪃ볯醼臣꺁곧랏菣莃菣꺁鯦趁뻨뾁臣財苣貂苣릖郥ꮁ胣ꆃ菣ꪃ볯邼볯銼臣뢛臣벾臣貂臣ꚬ迥鎃菣袃臣궪臣몇臣貁ꇨ辂苣讂胣ં⼼䥄㹖㰊䥄㹖䐼噉邀볯馼볯閼胣㲑䐯噉ਾ†臣ꪁ苣ꆁ胣鞏뿤薣뷧醼볯꺁菣ꮃ菣鞃菣꾂苣閼볯ꞁ臣膀鯥醼볯銼臣ꆼ臣몤臣袂臣ꮁ胣蚀藥貂鯦袁菩醼볯邼볯貁蟥鮊臣讂䑌䍐곧랏臣ꚬ迥鎃菣袃苣膀扭菣莃菣颍뷤ꞁ胣궃苣릖郥ꮁ鯦趁뻨肂臣ꢁ臣膀菣ꊃ菣醼볯邼볯꺁볯財鯧讁苣许臣財臣醐臣ꎁ臣蚠곦財苣貂苣芀㰊䐯噉ਾ䐼噉㰾䥄㹖胣邼볯钼볯醀⼼䥄㹖 鶁臣ꚁ胣醼곧랏闩蚈臣ꚬ迥鎃菣袃臣뢛臣벾臣貁뗧蚺臣讂臣膀菣ꮃ菣鞃菣꾂苣閼볯ꞁ臣膀菣ꊃ菣醼볯邼볯讁苣膀곧랏菣莃菣銂胣ꮂ菣ꂃ雦醐臣궪臣몇臣ꚁ胣貾껦꺁苣ꦃ菣蒃苣릂菣螃苣뎃苣벃菣벃菣閼볯ꮁ뻤ꚵ臣讂胣ં⼼䥄㹖㰊䥄㹖䐼噉邀볯馼볯鞼胣㲑䐯噉ਾ†臣鎁臣膀鯥醼볯銼볯꾁胣ꆃ菣ꪃ볯邼볯銼臣覂臣ꚬ迥鎃菣袃臣궪臣몇臣銂ꓧ馁鯥ꞁ臣讂胣ં⼼䥄㹖㰊䥄㹖䐼噉邀볯馼볯颼胣㲑䐯噉ਾ†菣ꮃ菣鞃菣꾂苣閼볯ꞁ臣膀䑌䍐곧랏臣ꚬ迥鎃菣袃苣膀菣ꊃ菣醼볯邼볯銂꟦邈臣讂苣ꦃ菣꺁룤讁苣许雦醐볯ꮂ菣ꂃ雦醐볯ꮁꫨ뾁蟥馁臣ꢁ臣膀럥讁苣뎏雦醐臣ꮂ菣ꂃ臣醐臣ꎁ臣財苣貂苣芀㰊䐯噉ਾ䐼噉㰾䥄㹖胣邼볯钼볯醀⼼䥄㹖 뎛볯鎼볯꾁胣뎛볯銼볯꺁菣莃菣螃苣뎃苣벃菣벃菣醼볯閼苣讧裦馁苣ꮂ菣ꂃ菣ꒂ苣袃菣ꒂ菣뾂菣ꪃ菣邃볯閼臣ꚇ郧銂ꫨ躘臣讂鯥ꞁ臣讂胣ં⼼䥄㹖㰊䥄㹖䐼噉邀볯馼볯邼胣㲑䐯噉ਾ†臣ꪁ苣ꆁ胣뎛볯鎼볯꾁胣麃菣膃菣것苣떂볯钼臣ꆃ菣ꪃ볯邼볯銼臣讧裦设苣몤臣ꚁ臣讂胣ં⼼䥄㹖㰊䥄㹖䐼噉邀볯馼볯醼胣㲑䐯噉ਾ†菣ꊃ菣醼볯邼볯꾁胣ꮂ菣ꂃ볯ꚸ볯릖郥ꮁ扭菣莃菣銂꣨뚆臣讂臣ꢁ苣ꮁ胣궃苣袼꣦覼雦醐臣享⠯扭鎃菣袃苣風蛦馁苣風蛦릮蟩銂鳦鞁胣涁讀臣ꮂ菣ꂃ臣覂꟦邈臣貂苣芀㰊䐯噉ਾ䐼噉㰾䥄㹖胣邼볯閼볯醀⼼䥄㹖 ꮂ菣ꂃ菣ꒂ苣袃菣ꒂ菣뾂菣ꪃ菣邃볯閼臣膀菣ꊃ菣醼볯邼볯ꮁ꿥鞁臣膀䑌䍐곧랏臣ꚬ迥鎃菣袃苣膀菣Ꚃ雦醐臣뢛臣벾臣膀苣ꦃ菣릖郥ꮁꫨ뾁蟥馁臣趁臣궪臣몇臣讧苣꺁뷤꺽苣뚈뻥馁苣鎁臣ꞁ胣ꮂ菣ꂃ菣ꒂ苣袃菣ꒂ菣뾂菣ꪃ菣隃苣財臣芀㰊䐯噉ਾ䐼噉㰾䥄㹖胣邼볯閼볯醀⼼䥄㹖 馁臣辂臣膀苣ꦃ菣蒃苣릂菣螃苣뎃苣벃菣벃菣閼볯ꞁ臣膀ꓨ낕臣ꮂ菣ꂃ臣貂臣貂臣ꒁ臣ꚁ胣ꚬ迥鎃菣袃臣궪臣몇臣銂雩讧臣讂ꫨ뾁蟥鞁꟥膂臣趽뷧銂胣ꦁ껥覤鯦馁苣鎁臣ꞁ胣ꮂ菣ꂃ菣ꒂ苣袃苣뎃苣벃菣벃菣ꞁ룤뎁鯦袁苣貂臣ꚬ迥鎃菣袃臣ꚸ臣銂胣莅臣ꚸ臣ꮁ裦馁胩ꚸ臣뾛臣ꚇ郧銂ꇨ蚁胣ં⼼䥄㹖㰊䥄㹖䐼噉邀볯馼볯钼胣㲑䐯噉ਾ†臣鎁臣膀鯥醼볯鎼臣膀鯥銼볯ꞁꫨ躘臣龁胣覤ꫨ릖볥貁㘱䅑ꞁ臣誂胣讁臣膀胥낕貁ꞁ臣讂ꃥ袐臣膀菣ꊃ菣醼볯邼볯꺁꟦邈뻤銂ꓧ鞁臣蒁苣芀臣龁臣ꎁ臣膀볯랂菣鲃菣꺁菣莃菣낕꾁胣钼菣莃菣ꞁ臣誂胣뺁臣膀菣ꊃ菣醼볯邼볯꾁胣钼㴨扭讀臣ꮂ菣ꂃ臣讧裦閁苣讂胣ં⼼䥄㹖㰊䥄㹖䐼噉邀볯馼볯閼胣㲑䐯噉ਾ†苣ꦃ菣蒃苣릂菣螃苣뎃苣벃菣벃菣閼볯꾁胣麃菣膃菣것苣떂볯钼臣ꎻ苣誂胣ꖅ苣뾛臣ꢃ볯邼볯醼臣몇諥馁苣䲋偄ꚬ迥꺁곧랏菣莃菣꺁菣Ꚃ雦醐臣꺁鯦趁뻨뾁苣膀菣ꊃ菣醼볯邼볯꺁볯財鯧讁苣许臣財臣醐臣ꎁ臣蚠곦財臣芀㰊䐯噉ਾ䐼噉㰾䥄㹖胣邼볯閼볯醀⼼䥄㹖 鶁臣ꚁ胣醼곧랏闩蚈臣ꚬ迥鎃菣袃臣뢛臣벾臣貁뗧蚺臣讂臣膀苣ꦃ菣蒃苣릂菣螃苣뎃苣벃菣벃菣閼볯꾁胣ꚬ迥鎃菣袃苣膀菣ꊃ菣醼볯邼볯꺁룤讁苣许雦醐볯ꮂ菣ꂃ雦醐볯ꮁꫨ뾁蟥馁臣ꢁ苣膀럥讁苣뎏雦醐臣ꮂ菣ꂃ臣醐臣ꎁ臣財臣芀㰊䐯噉ਾ䐼噉㰾䥄㹖胣邼볯閼볯醀⼼䥄㹖 蚽臣膀苣ꦃ菣蒃苣릂菣螃苣뎃苣벃菣벃菣閼볯꾁胣膀뿤薣뷧醼볯뒁臣ꮂ菣ꂃ菣ꒂ苣袃苣뎃苣벃菣벃菣銼볯貁곧랏菣莃菣銂鯦趁뻨肂鯦趁꟥膂臣趽뷧銂胣ꚬ迥鎃菣袃臣궪臣몇臣讧苣꺁뷤꺽臣鞁臣膀菣ꊃ菣醼볯邼볯讁苣꺁곧랏菣莃菣꺁ꫨ뾁蟥鞁苣財臣芀㰊䐯噉ਾ䐼噉㰾䥄㹖胣邼볯閼볯醀⼼䥄㹖 馁臣辂臣膀郥ꮂ菣ꂃ臣袅ꃩ袼룤ꪕ룤覼臣趽뷧꺁苣覃菣릂苣を臣鞁臣膀苣ꦃ菣릖郥꺁郥趽뷧꺁苣覃菣릂苣膀飦蚠臣뒕闦ꞁꇨ馁臣ꢁ臣馁苣ꢁ胣覤ꫨ릖볥貁㘱䅑ꞁ臣誂胣讁臣膀胥낕貁ꞁ臣讂ꃥ袐臣꾁胣ꮂ菣ꂃ菣ꒂ苣袃菣ꒂ菣뾂菣ꪃ菣邃볯閼臣꾁胣肜苣ꚷ臣ꮂ菣ꂃ臣ꒁ臣ꚁ臣膀ꫨ뾁蟥鞁꟥膂臣趽뷧銂胣ꊂ菣것苣貁꺁뷤꺽臣鞁胣袼럥讁苣覼볯ꪕ鯧꺁苣ꦃ菣ꮁ臣蒁臣꾁胣궪臣몇臣讧苣꺁뷤꺽苣膀苣覃菣릂臣㊌臣趽뷧ꢁ臣膀볯ꪕ鯧꺁苣ꦃ菣ꮁ臣蒁臣꾁胣궪臣몇臣讧苣꺁뷤꺽苣膀苣覃菣릂臣㒌臣趽뷧ꢁ臣膀볯ꪕ鯧꺁苣ꦃ菣ꮁ臣蒁臣꾁胣궪臣몇臣讧苣꺁뷤꺽苣膀苣覃菣릂臣㞌臣趽뷧ꢁ臣讂胣ં⼼䥄㹖㰊䥄㹖䐼噉邀볯馼볯馼胣㲑䐯噉ਾ†臣誁胣궪臣몇臣讧苣꺁뷤꺽臣膀苣覃菣릂臣れ臣趽뷧ꖻꓥ꺁뷤꺽臣ꮂ菣ꂃ臣ꒁ臣ꚁ臣膀곧랏菣莃菣꺁ꫨ뾁蟥鞁苣膀鳦节룤꺁뷤꺽臣ꞁꇨꎁ臣貾臣膀藥궠볯ꊂ菣것苣貁꺁뷤꺽볯ꮁ裦誂胣궪臣몇臣讧苣꺁뷤꺽臣뒛觥꺁뷤꺽臣ꞁ臣궪臣몇臣貁ꇨ辂苣讂胣鶁臣ꚁ胣鶁臣貾胣ꆬ볯뎏볯꺁苣ꦃ菣讁苣꺁ꫨ뾁蟥鞁臣財苣貂苣芀㰊䐯噉ਾ䐼噉㰾䥄㹖胣邼볯隼볯醀⼼䥄㹖 ꖻ룤꺁苣蚁臣ꮂ菣ꂃ菣ꒂ苣袃菣ꒂ菣뾂菣ꪃ菣隃苣財臣鎁臣ꮁ苣誂胣ꮂ菣ꂃ菣ꒂ苣袃苣뎃苣벃菣벃菣ꞁ룤뎁鯦袁苣貂臣ꚬ迥鎃菣袃臣ꚸ臣貁胣莅臣ꚸ臣ꮁ裦閁苣讂胣ં⼼䥄㹖㰊䥄㹖䐼噉邀볯馼볯醼胣㲑䐯噉ਾ†臣誁胣뎛볯銼볯ꞁꫨ躘臣龁胣䲁胥꺁곧랏ꫨ颍뷤ꞁ臣ꮂ菣ꂃ菣ꒂ苣袃苣뎃苣벃菣벃菣ꢁ郥颧臣膀苣ꦃ菣蒃苣릂菣螃苣뎃苣벃菣벃菣节胣䲁胥꺁곧랏ꫨ颍뷤ꞁꇨ蚁臣ꢁ臣ꞁ臣讂胣ં⼼䥄㹖㰊䥄㹖䐼噉邀볯馼볯銼胣㲑䐯噉ਾ†臣꺁ꃥ袐胣ꆃ菣ꪃ볯邼볯銼臣膀鯥醼볯鎼臣겪飦鞁臣ꆃ菣ꪃ볯醼臣貐꟦ꮁ胣䲁胥꺁跥趽꣨뚆ꃩ龟苣覜臣膀讀臣ꚬ迥麪臣膀讀臣颍뷤風蛦颠鿥ꮁ胣蚠곦膀菣Ꚃ雦醐臣뢛臣벾臣貂苣芀㰊䐯噉ਾ䐼噉㰾䥄㹖胣邼볯隼볯醀⼼䥄㹖 鶁臣ꚁ胣䲁胥꺁곧랏ꫨ꺁鯦趁뻨뾁臣芵뫤貾胣䲁胥꺁곧랏ꫨ貁胣䲁胥꺁跥趽꣨뚆ꃩ龟臣覂胣蚠곦膀苣ꦃ菣릖郥ꮁꫨ뾁蟥閁苣讂胣ં⼼䥄㹖㰊䥄㹖䐼噉邀볯馼볯钼胣㲑䐯噉ਾ†郥颍뷤風蛦颠鿥讁苣꺁곧랏ꫨ꺁ꫨ뾁蟥鞁臣膀苣ꦃ菣蒃苣릂菣ꒂ菣뾂菣ꪃ菣邃볯钼臣䲌偄ꚬ迥銂鯦趁뻨肂鯦趁꟥膂臣趽뷧銂胣궪臣몇臣讧苣꺁뷤꺽臣鞁臣財苣貂苣芀㰊䐯噉ਾ䐼噉㰾䥄㹖胣邼볯隼볯醀⼼䥄㹖 뎛볯鎼볯꾁胣뎛볯銼볯꺁菣莃菣螃苣뎃苣벃菣벃菣醼볯閼臣隻臣讧裦设苣몤臣隃菣莃苣뎛臣芁苣芀㰊䐯噉ਾ䐼噉㰾䥄㹖胣邼볯隼볯醀⼼䥄㹖 ꪁ臣膀鯥궸胣뎛볯銼볯꺁ꃥ袐臣뺯뿥馁苣ꢃ裥ꮁ臣蒁臣꾁胣貐룤꺁곧랏苣颻臣ꚁ臣誂胣ꖻ룤ꞁ臣膀臣꺁ꫨ躘臣膀臩鲮鳧ꖕ臣讂胣ં⼼䥄㹖㰊䥄㹖䐼噉邀볯馼볯鞼胣㲑䐯噉ਾ†臣ꪁ苣ꆁ胣뎛볯鎼볯꺁菣莃菣螃苣뎃苣벃菣벃菣醼볯閼臣膀菣ꪃ菣ꎂ菣ꒂ菣뾂菣ꪃ菣邃볯邼볯醼臣낖臣ꮁ꣨醁苣貂臣蒁苣隻臣膀鯥醼볯閼臣뒠郥ꢁ郥颧臣讧裦閁苣ꚁ臣讂胣ં⼼䥄㹖㰊䥄㹖䐼噉邀볯馼볯颼胣㲑䐯噉ਾ†鯥醼볯钼臣꾁胣鎃菣袃菣ꒂ菣뾂菣ꪃ菣邃볯隼볯꾁胣麃菣膃菣것苣떂䴨塕閼볯膀苣ꦃ菣蒃苣릂菣螃苣뎃苣벃菣벃菣閼볯膀迥뎁胣醃菣蚃苣螃苣뎃苣벃菣벃菣醼볯醼볯讁苣讧裦閁苣膀䅑螃苣벃菣醼볯钼臣覂臣䲮偄ꚬ迥꺁곧랏菣莃菣꺁菣莃菣螃苣뎃苣벃菣벃菣銂ꇨ蚁胣ં⼼䥄㹖㰊䥄㹖䐼噉邀볯馼볯馼胣㲑䐯噉ਾ†臣ꪁ苣ꆁ胣麃菣膃菣것苣떂볯钼臣膀䅑螃苣벃菣醼볯钼臣覂臣䲮偄ꚬ迥銂꿥ꆱ臣鞁臣膀胩ꆿꏨ꺽볯醼臣螃菣ꮃ菣鞃菣꾂苣銼볯貁ꇨ蚁藥貂鯦袁蟥蚐臣뺯뿥馁苣蚀藥貂鯦袁蟥蚐볯ꖅ苣뾛臣ꚇ郧꺁胩꺁蟥蚐볯膀臣ꪁ苣ꆁ胣ꖅ苣뾛臣ꚇ郧ꮁ苣ꎁ臣ꖅ苣뾛臣覂苣龁곧랏菣莃菣꺁뷤꺽苣莅臣趽뷧ꮁ裦馁胩ꖅ苣뾛臣ꚇ郧銂ꇨ蒁胣鶁臣邵黦鞾苣貂苣䲋偄ꚬ迥銂胣ꮂ菣ꂃ菣ꒂ苣袃菣ꒂ菣뾂菣ꪃ菣邃볯閼臣鮾뗧馁苣芀㰊䐯噉ਾ䐼噉㰾䥄㹖胣邼볯鞼볯醀⼼䥄㹖 ꮂ菣ꂃ菣ꒂ苣袃菣ꒂ菣뾂菣ꪃ菣邃볯閼臣膀菣ꮃ菣鞃菣꾂苣閼볯讁苣꺁䑌䍐곧랏苣뺯뇨ꢁ臣ꚁ胣膀뿤薣뷧醼볯꺁苣ꦃ菣蒃苣릂菣ꒂ菣뾂菣ꪃ菣邃볯钼臣財臣ꚸ臣뾛臣ꚇ郧ꢁ臣ꚁ臣ꮂ菣ꂃ菣ꒂ苣袃苣뎃苣벃菣벃菣ꮁ꿥鲿臣讂苣ꦃ菣蒃苣릂菣螃苣뎃苣벃菣벃菣銂ꇨ蚁胣ં⼼䥄㹖㰊䥄㹖䐼噉邀볯馼볯醼胣㲑䐯噉ਾ†苣ꦃ菣蒃苣릂菣螃苣뎃苣벃菣벃菣꺁뗧鲞뻥覂苣讂䑌䍐곧랏臣膀苣ꦃ菣蒃苣릂菣螃苣뎃苣벃菣벃菣閼볯讁苣醃菣蚃苣螃苣뎃苣벃菣벃菣醼볯醼볯ꮁ뻤ꚵ臣貂苣芀㰊䐯噉ਾ䐼噉㰾䥄㹖胣邼볯鞼볯醀⼼䥄㹖 醃菣蚃苣螃苣뎃苣벃菣벃菣醼볯醼볯꾁胣ꮂ菣ꂃ菣ꒂ苣袃菣ꒂ菣뾂菣ꪃ菣邃볯閼臣꺁苣ꦃ菣蒃苣릂菣螃苣뎃苣벃菣벃菣貾臣ꚬ迥鎃菣袃苣뺯뇨ꢁ臣ꚁ胣膀뿤薣뷧醼볯꺁菣ꪃ菣ꎂ苣뎃苣벃菣벃菣銼볯貁ꇨ蚁菣ꪃ菣ꎂ苣뎃苣벃菣벃菣ꮁ꿥鲿臣讂菣ꪃ菣ꎂ菣ꒂ菣뾂菣ꪃ菣隃볯醃菣蚃苣ꒂ菣뾂菣ꪃ菣隃臣蚀臣ꚇ郧覼胣馁臣辂臣膀菣ꪃ菣ꎂ苣뎃苣벃菣벃菣ꮁ苣ꎁ臣ꚸ臣貁ꓥ뒛臣貂臣䲟偄ꚬ迥꺁곧랏菣莃菣銂胣莅臣ꚸ臣ꮁ裦馁菣ꪃ菣ꎂ菣ꒂ菣뾂菣ꪃ菣隃苣財臣芀㰊䐯噉ਾ䐼噉㰾䥄㹖胣邼볯鞼볯醀⼼䥄㹖 醃菣蚃苣螃苣뎃苣벃菣벃菣꺁뗧鲞뻥覂苣讂䑌䍐곧랏臣膀菣ꪃ菣ꎂ菣ꒂ菣뾂菣ꪃ菣邃볯邼볯醼臣覂䑌䍐菣뎂菣肃볯隼볯ꮁ뻤ꚵ臣貂苣芀㰊䐯噉ਾ䐼噉㰾䥄㹖胣邼볯鞼볯醀⼼䥄㹖 鞁臣貁臣ꚁ胣뎛볯鎼볯꺁菣莃菣螃苣뎃苣벃菣벃菣醼볯閼臣꾁胣䲁偄螃苣벃菣醼볯隼臣꾁胣蚀藥貂鯦袁蟥蚐胣ꮂ菣ꂃ菣ꒂ苣袃菣ꒂ菣뾂菣ꪃ菣隃胣誏臣膀菣ꪃ菣ꎂ菣ꒂ菣뾂菣ꪃ菣隃臣財苣貂臣䲟偄ꚬ迥膀臣ꪁ苣ꆁ胣鲤鿦財裥䢗臣鎾臣龁䑌䍐곧랏賥ꮁ苣ꎁ臣鞾苣貂苣䲋偄ꚬ迥貁뻤ꚵ臣貂苣芀㰊䐯噉ਾ䐼噉㰾䥄㹖胣邼볯鞼볯醀⼼䥄㹖 䰠偄螃苣벃菣醼볯隼臣膀菣莃菣螃苣뎃苣벃菣벃菣醼볯閼臣覂臣䲮偄ꚬ迥꺁䑌䍐뻥랏苣膀胩ꆿꏨ꺽볯醼臣䲮偄ꢂ菣뎂菣肃볯醼볯貁䑌䍐곧랏賥ꮁ铧蒁臣鲤鿦財裥䢗臣꺁苣꺁胣袏臣膀臣꺁ꓦ뮟ꇨ鞈ꮁ꿥鞁臣膀菣ꪃ菣ꎂ苣뎃苣벃菣벃菣ꮁ鯧鎽臣讂裥꺽迦銂냥ꪁ臣ꢁ苣財臣ꚁ뻥覂苣讂ꓥ鮏ꓦ뮟ꇨ鞈苣ꢔ臣ꚁꇨ蒁胣鶁臣邵黦鞾苣貂苣螃菣뾂苣膀䑌䍐꿥ꆱ菣벃苣꺁뻥랏뗧鲞臣鞁臣몇諥馁苣芀㰊䐯噉ਾ䐼噉㰾䥄㹖胣邼볯鞼볯醀⼼䥄㹖 鎁臣ꞁ胣뎛볯鎼볯ꞁ臣膀菣莃菣螃苣뎃苣벃菣벃菣醼볯閼볯꺁菣ꪃ菣ꎂ菣ꒂ菣뾂菣ꪃ菣邃볯邼볯醼볯讁苣䲉偄螃苣벃菣醼볯隼臣뺯臣ꚁ胣鲤鿦財裥䢗臣鎾臣龁䑌䍐곧랏賥ꮁ苣ꎁ臣鞾苣貂苣䲋偄ꚬ迥貁뻤ꚵ臣貂苣龁苣膀臣꺁䑌䍐곧랏臣䲮偄ꦾ迥銂胣膀뿤薣뷧醼볯꺁䑌䍐苣뎃苣벃菣醼볯閼臣䲌偄ꚬ迥隌臣ꢔ臣龁ꓦ뮟ꇨ鞈鶁臣节臣銂铧蒁臣財臣뒠郥ꮁ臣膀䑌䍐菣뎂菣肃볯隼볯꾁胣设臣낁胣ꆃ菣뮂菣뢂볯膃苣莃苣躃菣覃菣莃苣벃苣膀菣ꪃ菣隃菣躃菣覃菣莃苣벃苣覼臣钼껧銂볯讀臣躃菣覃臣ꒁꃩꆬꇨ蚁菣ꮃ苣ꪃ苣ꮃ菣뎂菣螃苣뎃苣⢰畦汬猠牥慩⁬敤潣楤杮릖볥ꮁ苣讂䑌䍐뻥랏苣財臣ꦾ迥薣뷧蒂胣ꆃ菣뮂菣뢂臣钼껧銂臣릁臣꺁菣벃菣ꮁ臣蒁臣貐駦袼룤鞈볯ꮁꇨ蚁菣ꮃ菣ꦃ菣ꮃ菣뎂菣螃苣뎃苣⢰畦汬瀠牡污敬⁬敤潣楤杮릖볥ꮁ苣讂䑌䍐뻥랏苣財臣ꦾ迥薣뷧ꞁ꟦邈臣讂臣ꢁ臣ꞁ臣讂胣ં⼼䥄㹖㰊䥄㹖䐼噉邀볯馼볯鞼胣㲑䐯噉ਾ†臣龁胣䲁偄螃苣벃菣醼볯隼臣誁臣ꚁ胣䲁偄ꚬ迥꺁䑌䍐뻥랏苣膀胩ꆿꏨ꺽볯醼臣䲮偄ꢂ菣뎂菣肃볯醼볯貁䑌䍐곧랏賥ꮁ铧蒁臣鲤鿦財裥䢗臣뺯臣ꚁ胣醃菣蚃苣ꒂ菣뾂菣ꪃ菣隃臣뢛뷥馁苣鞈뷧鮏苣醰臣辁臣节ꇨꎁ臣鞾苣貂苣覤迦鲤鿦財裥銂铧蒁臣財臣뒠郥ꮁ臣膀䑌䍐菣뎂菣肃볯隼볯꾁胣膃苣莃苣躃菣覃볦鞮胣誏臣邃菣ꊂ菣ꮃ菣벃菣钼껧銂胣傁볯袏臣傯臣ㆮ믤隤臣蒴闦覼胥貐駦ꮁꇨ蚁苣벃苣蚃苣膃菣⢣牡档瑩捥畴敲꺁뻥랏ꏨ꺽臣芁臣ꚁ胣覤迦鲤鿦財裥銂뻥讂臣膂臣鞈뷧鮏臣貐꟦꺁裥꺽迦銂胣䲁偄ꚬ迥ꮁ雦馁臣ꢁ臣袂苣膀臣꺁䑌䍐곧랏臣ꚬ迥鎃菣袃苣ꚸ臣뾛臣讂迥ꆿ菣벃苣ꚸ臣뾛臣ꢃ볯醼볯銂鳦馁苣ꦾ迥薣뷧袼鯥醼볯邼볯ꞁ꟦邈臣讂臣ꢁ臣ꞁ臣讂胣ં⼼䥄㹖㰊䥄㹖䐼噉邀볯馼볯颼胣㲑䐯噉ਾ†臣誁胣뎛볯鎼볯ꞁ臣膀ꫨ躘臣뾾껥꺁臣膂胣蚀藥貂鯦袁蟥蚐苣財臣麃菣膃菣것苣떂볯钼胣ꮂ菣ꂃ菣ꒂ苣袃菣ꒂ菣뾂菣ꪃ菣隃苣財臣ꮂ菣ꂃ菣ꒂ苣袃菣ꒂ菣뾂菣ꪃ菣邃볯閼胣誏臣膀菣ꪃ菣ꎂ菣ꒂ菣뾂菣ꪃ菣隃苣財臣醃菣蚃苣螃苣뎃苣벃菣벃菣醼볯醼볯鶁苣麁苣銂胣ꖈ胥ꮁ꟦邈臣讂苣蚁臣鞁臣貁胣麃菣膃菣것苣떂볯钼胣ꮂ菣ꂃ菣ꒂ苣袃菣ꒂ菣뾂菣ꪃ菣邃볯閼胣誏臣膀菣ꪃ菣ꎂ菣ꒂ菣뾂菣ꪃ菣邃볯邼볯醼臣銼믤誸臣膀胩ꆿꏨ꺽볯醼臣醃菣蚃苣ꒂ菣뾂菣ꪃ菣邃볯鎼胣ꮂ菣ꂃ菣ꒂ苣袃苣뎃苣벃菣벃菣銼볯膀迥뎁胣螃菣ꮃ菣鞃菣꾂苣銼볯ꢁ郥颧臣膀룤鎽髧ꮁ꟦邈臣讂臣ꢁ臣ꞁ臣讂胣ં⼼䥄㹖㰊䥄㹖䐼噉邀볯馼볯馼胣㲑䐯噉ਾ†볯鞏뿤랂苣蚃菣꺁꟦邈뻤붼㰊䐯噉ਾ䐼噉㰾䥄㹖胣邼볯颼볯醀⼼䥄㹖 뎛볯鎼볯꾁胣鞏뿤薣뷧醼볯銂臩ꢔ迥붃臣鞏뿤랂苣蚃菣꺁곧醼臣讧裦设苣몤臣隃菣莃苣뎛臣芁苣芀㰊䐯噉ਾ䐼噉㰾䥄㹖胣邼볯颼볯醀⼼䥄㹖 뎛볯鎼볯ꮁ臣蒁臣膀迥ꆿ苣릂菣ꂃ臣膀迥鞾菩醼볯邼볯膀볤膀럨ꦾ迥ꚇ郧ꢃ볯醼볯銼胣誏臣膀菦놠뫦ꦾ迥ꚇ郧ꢃ볯醼볯鎼臣覂꟦邈臣貂苣芀㰊䐯噉ਾ䐼噉㰾䥄㹖胣邼볯颼볯醀⼼䥄㹖 随뻥ꢃ볯醼볯醼臣膀闧蒵臣뮔菥螃菣뾂苣뎟ꏥ螃菣뾂귧꺁䑌䍐꿥ꆱ菣벃苣銂胣醰臣辁臣节䑌䍐곧랏賥馁苣鎁臣ꞁ뻥覂苣讂䑌䍐곧랏苣ꮐ苣ꆿ迥銂胣设臣낁胣난룤螃苣뢂苣ꮃ铦膀胣鮡飦螃苣뢂苣ꮃ铦膀胣䎁呁늶胣ꒂ菣뾂菣趃菣袃臣꺁믤꺁菣莃菣꾃菣꾂귧꺁胣뎛ꓧ鮁臣鶼胩꾷볯骀뿤꾷볯銂믤鞁臣随뻥鞁胣鶼胩꾷뻥랏蟥蚐菩醼볯邼볯ꮁ뻤ꚵ臣讂胣ં⼼䥄㹖㰊䥄㹖䐼噉邀볯馼볯鎼胣㲑䐯噉ਾ†臣鎁臣膀迥鞾菩醼볯邼볯貁迥鞾臣讂뿤랏臣膀뻤袁臣膀铦膀뇥讁苣膀鳥誸돦蒂胣鮡飦ꊳ胣䎁呁⡖慃汢⁥敔敬楶楳湯늶귧銂믤鞁臣뺔胩閁苣ꚁ臣讂ꃥ袐臣꾁胣随뻥ꢃ볯醼볯醼臣膀菣ꖃ菣誃苣厄䉔匨瑥吠灯䈠硯覭臣讧裦閁苣讂胣뺁臣膀迥鞾菩醼볯邼볯貁迥鞾臣讂뿤랏臣膀뻤袁臣膀敷떂菣邃臣覂胣䦁呐⡖湉整湲瑥倠潲潴潣⁬敔敬楶楳湯꺁苣蚁臣麃菣膃苣ꎃ苣袃臣膀뿤閁苣ꚁ臣讂ꃥ袐臣꾁胣随뻥ꢃ볯醼볯醼臣膀뻤袁臣膀䥎⡃敎睴牯⁫湉整晲捡⁥慃摲覭臣趃菣袃菣벃苣䦯䘯䤨瑮牥映捡⥥臣讧裦閁苣讂胣ં⼼䥄㹖㰊䥄㹖䐼噉邀볯馼볯钼胣㲑䐯噉ਾ†볤膀럨ꦾ迥ꚇ郧ꢃ볯醼볯銼臣膀迥ꆿꏨ꺽볯銼臣뢛뷥馁苣芀볤膀럨ꦾ迥ꚇ郧ꢃ볯醼볯銼臣膀迥鞾菩醼볯邼볯貁볤膀럨銂믤鞁臣随뻥鞁臣ꆿ迥ꮁ꿥鞁臣膀볤膀럨ꞁ铧颁苣꒪苣銂꣨ꎭ臣讂蟥蚐苣醰臣辁臣节郥肂볤膀럨ꦾ迥ꚇ郧銂雦鞁胣鶁臣邵黦鞾苣貂苣ꆿ迥銂胣薃ꃥ邺뻥랏蟥蚐菩醼볯邼볯ꮁ뻤ꚵ臣讂胣ં⼼䥄㹖㰊䥄㹖䐼噉邀볯馼볯閼胣㲑䐯噉ਾ†臣ꪁ苣ꆁ胣随뻥ꢃ볯醼볯醼臣鶼胩꾷苣讻臣ꚁ迥鞾臣龁뿤랏臣膀볤膀럨ꞁ铧颁苣꒪苣銂꣨ꎭ臣讂臣膂臣꒪苣芨귦ꚬ迥隌苣膀냥ꪁ臣ꢁ苣財臣鎁臣ꞁ뻥覂苣龁뿤랏臣芁苣膀볤膀럨ꦾ迥ꚇ郧ꢃ볯醼볯銼臣膀臣꺁苣蚁臣ꆿ迥ꮁ꿥鞁臣膀뻤袁臣膀ꫨ誂꣨ꎭ蟥蚐귧꺁볤膀럨ꦾ迥ꚇ郧銂雦馁胣ં⼼䥄㹖㰊䥄㹖䐼噉邀볯馼볯隼胣㲑䐯噉ਾ†臣鎁臣膀ꫨ誂꣨ꎭ곧랏賥ꢁ臣ꚁ臣膀뻤袁臣膀䑌䍐곧랏賥蒂胣䊁䡃곧랏賥覭臣芁苣芀臣鎁臣꾁胣꒪苣芨귦ꚬ迥隌臣鞁臣膀냥ꪁ臣ꢁ苣膀䑌䍐곧랏賥貁ꇨ辂苣ꚁ臣讂胣ં⼼䥄㹖㰊䥄㹖䐼噉邀볯馼볯鞼胣㲑䐯噉ਾ†臣龁胣鶼胩꾷뻥랏蟥蚐臣꾁胣覤ꫨꆿ迥꺁뻥뾪귧貁郥뺁苣讂臣ꢁ臣芁苣芀㰊䐯噉ਾ䐼噉㰾䥄㹖胣邼볯颼볯醀⼼䥄㹖 薃ꃥ邺뻥랏蟥蚐菩醼볯邼볯꾁胣鶼胩꾷뻥랏蟥蚐臣붖臣貂臣ꆿ迥ꮁ꿥鞁臣膀鳥꺸臣貂臣薃ꃥ銂藥꺁菦놠臣뢼볥馁苣ꚇ郧銂냥ꪁ臣ꢁ苣ꮐ苣薃ꃥ邺뻥랏蟥蚐苣붖臣芀㰊䐯噉ਾ䐼噉㰾䥄㹖胣邼볯颼볯醀⼼䥄㹖 馁臣辂臣膀迥鞾菩醼볯邼볯貁볤膀럨銂믤鞁臣随뻥鞁臣ꆿ迥ꮁ臣膀菦놠臣鞁臣꺁铧较苣뎟ꏥ覭臣螃菣뾂蟩銂냥ꪁ臣馁苣龁苣ꮁ胣薃ꃥ銂鳥꺸臣讂鳥꺸곧랏賥貁雦閁苣ꚁ臣讂臣ꢁ臣芁苣膀臣꺁ꃥ袐胣薃ꃥ邺뻥랏蟥蚐菩醼볯邼볯꾁胣鶼胩꾷뻥랏蟥蚐臣붖臣貂臣ꆿ迥ꮁ꿥鞁臣膀鳥꺸臣貂臣薃ꃥ銂藥꺁菦놠臣뢼볥馁苣ꚇ郧⢆볤떼蟥蚐볯覭臣薃ꃥ邺뻥랏蟥蚐苣붖臣芀㰊䐯噉ਾ䐼噉㰾䥄㹖胣邼볯馼볯醀⼼䥄㹖 ꪁ臣膀迥鞾菩醼볯邼볯貁볤膀럨銂믤鞁臣随뻥鞁臣ꆿ迥ꮁ胣Ꞝ룧ꚬ迥隌臣붖臣貂臣蒁臣蒁ꃥ袐臣꾁胣薃ꃥ邺뻥랏蟥蚐菩醼볯邼볯ꞁ臣膀鳥꺸臣貂臣薃ꃥ銂藥꺁菦놠臣뢼볥馁苣ꚇ郧꾁ꇨ辂苣ꪁ臣芀㰊䐯噉ਾ䐼噉㰾䥄㹖胣邼볯馼볯醀⼼䥄㹖 鎁臣ꞁ胣뢼볥ꚇ郧ꢁ臣ꚁ臣膀뻤袁臣膀偍䝅菣뎂菣覃귧貁臣讂胣뺁臣膀볤膀럨ꦾ迥ꚇ郧ꮁ臣膀볤떼蟥蚐臣隻胣螃苣꾂菣뎃菣ꮃ귧貁郥뺁苣讂臣ꢁ臣芁苣芀㰊䐯噉ਾ䐼噉㰾䥄㹖胣邼볯馼볯醀⼼䥄㹖 ꖻ룤꺁苣蚁臣讧裦閁苣讂迥ꆿ苣릂菣ꂃ臣꾁胣随뻥ꢃ볯醼볯醼臣誁臣ꚁ胣设臣낁胣뮔菥蒂鿩낣귧꺁菣벃苣ꮁ꿥鞁臣膀偍䝅곧랏賥覭臣Ꞝ룧ꚬ迥隌臣붖臣貂胣閁苣ꮁ胣䲁偄ꚬ迥隌귧꺁ꫨ誂꣨ꎭ곧랏賥貁雦閁苣龁뿤랏臣膀볤膀럨銂믤鞁臣随뻥閁苣膀볤膀럨ꦾ迥ꚇ郧ꢃ볯醼볯銼臣鮾뗧閁苣讂胣ં⼼䥄㹖㰊䥄㹖䐼噉邀볯馼볯鎼胣㲑䐯噉ਾ†볤膀럨ꦾ迥ꚇ郧ꢃ볯醼볯銼臣꾁胣随뻥ꢃ볯醼볯醼臣覂臣ꆿ迥ꮁ꿥鞁臣膀뻤袁臣膀迥ꆿꏨ꺽볯銼臣財臣꺁臣貐꟦꺁蟥蚐귧貁胣鶼胩꾷뻥랏蟥蚐臣鞁臣붖臣貂胣鶁臣邵黦鞾苣貂苣ꆿ迥貁胣薃ꃥ邺뻥랏蟥蚐菩醼볯邼볯ꮁ뻤ꚵ臣貂苣芀㰊䐯噉ਾ䐼噉㰾䥄㹖胣邼볯馼볯醀⼼䥄㹖 薃ꃥ邺뻥랏蟥蚐菩醼볯邼볯ꞁ臣膀볤膀럨ꦾ迥ꚇ郧ꢃ볯醼볯銼臣覂臣ꆿ迥ꮁ꿥鞁臣膀偍䝅菣뎂菣覃귧꺁菦놠뫦ꦾ迥ꚇ郧貁雦閁苣膀臣꺁뗧鲞뻥覂苣讂铧较胣袏臣뎟ꏥ貁蟥鮊臣貂苣芀㰊䐯噉ਾ䐼噉㰾䥄㹖胣邼볯馼볯醀⼼䥄㹖 ꖻ룤꺁苣蚁臣뎛볯鎼볯꺁迥ꆿ苣릂菣ꂃ臣膀뻤袁臣膀菣ꎂ苣뾂菣뺔胩ꢁ臣ꚁ臣蚃菣鎃苣ꞃ菣뺔胩銂迥ꆿ臣讂菣것菣膃菣벃菣覭臣ꦁ铧馁苣鎁臣貁臣趁苣芀㰊䐯噉ਾ䐼噉㰾䥄㹖胣邼볯馼볯醀⼼䥄㹖 ꪁ臣膀迥鞾菩醼볯邼볯膀볤膀럨ꦾ迥ꚇ郧ꢃ볯醼볯銼胣誏臣膀菦놠뫦ꦾ迥ꚇ郧ꢃ볯醼볯鎼臣膀臣貂臣貂胣醼臣꺁诧讫臣龁ꏨ꺽볯较菣覃苣Ꞃ苣袼䍉䤨瑮来慲整⁤楃捲極⥴귧覼볯膀迥꾁苣閃菣Ꚃ苣ꊂ菣뢂菣벃菣覼臣鞁臣讧裦馁苣鎁臣貁迥붃臣芁苣芀㰊䐯噉ਾ䐼噉㰾䥄㹖胣邼볯馼볯醀⼼䥄㹖 뺁臣膀迥鞾菩醼볯邼볯膀볤膀럨ꦾ迥ꚇ郧ꢃ볯醼볯銼胣誏臣膀菦놠뫦ꦾ迥ꚇ郧ꢃ볯醼볯鎼臣ꒁ臣ꚁ臣膀迥鞾菩醼볯邼볯ꢁ볤膀럨ꦾ迥ꚇ郧ꢃ볯醼볯銼臣꺁苣莃菣蒂胣鶼胩꾷뻥랏蟥蚐菩醼볯邼볯ꢁ菦놠뫦ꦾ迥ꚇ郧ꢃ볯醼볯鎼臣꺁苣莃菣膀迥鞾菩醼볯邼볯膀볤膀럨ꦾ迥ꚇ郧ꢃ볯醼볯銼胣誏臣膀菦놠뫦ꦾ迥ꚇ郧ꢃ볯醼볯鎼臣뮂菣袃苣膀볯ꒁ臣겋ꯧ鞁臣薣뷧ꢁ臣ꚁ꟦邈臣讂臣ꢁ臣꾏菨ꞁ臣讂胣ં⼼䥄㹖㰊䥄㹖䐼噉邀볯馼볯颼胣㲑䐯噉ਾ†鯥醼볯隼臣膀迥ꆿꏨ꺽볯銼苣ꦁ铧꾏菨ꪁ迥ꆿ苣릂菣ꂃ臣견볯꺁꟦邈뻤銂ꓧ馁菣궃菣꾂鯥ꞁ臣讂胣ં⼼䥄㹖㰊䥄㹖䐼噉邀볯馼볯馼胣㲑䐯噉ਾ†臣誁胣뎛룤膀鯥醼볯閼臣뒠郥ꢁ꿥鲿臣讂菩蚈臣ꒁ臣ꚁ臣膀郥肸臣ꚬ迥銂믤鞁臣芁苣膀믤许臣꾁胣鶁臣겪飦꾁胣ꦁ껥膜闧馁苣芀㰊䐯噉ਾ䐼噉㰾䥄㹖胣醼볯邼볯醀⼼䥄㹖 뎛볯鎼볯꺁迥ꆿ苣릂菣ꂃ臣膀迥鞾菩醼볯邼볯膀볤膀럨ꦾ迥ꚇ郧ꢃ볯醼볯銼胣誏臣膀菦놠뫦ꦾ迥ꚇ郧ꢃ볯醼볯鎼苣覜臣讂苧ꞁ胣뎛볯鎼볯꺁ꃥ袐臣놅胩鞁胣몇諥ꢃ볯醼볯醼臣낖臣ꮁ꣨醁苣貂臣蒁苣릂臣膀鯥醼볯閼臣뒠郥ꢁ鯧閁臣讂胣ં⼼䥄㹖㰊䥄㹖䐼噉邀볯邼볯醼胣㲑䐯噉ਾ†蟥鮊菩醼볯醼볯꾁胣设臣낁胣뮔菥銂ꇨ몤臣讂ꇨ몤ꏨ꺽苣膀鿩낣苣몇諥馁苣릂菣벃苣ꞁ臣誂胣薃ꃥ邺뻥랏蟥蚐菩醼볯邼볯讁苣몇諥閁苣讂뿤랏臣鞁臣꺁铧较苣뎟ꏥ覭苣몇諥馁苣芀臣ꪁ苣ꆁ胣몇諥ꢃ볯醼볯醼臣膀铧较苣ꢡꓧ鞁胣芁苣蒁臣膀鿩낣苣몇諥馁苣芀㰊䐯噉ਾ䐼噉㰾䥄㹖胣醼볯邼볯醀⼼䥄㹖 ꖻ룤꺁苣蚁臣뎛볯鎼볯꺁迥ꆿ苣릂菣ꂃ臣膀뻤袁臣膀菣ꎂ苣뾂菣뺔胩ꢁ臣ꚁ臣蚃菣鎃苣ꞃ菣뺔胩銂迥ꆿ臣讂噔볯蚃菣鎃苣ꞃ菣鞏菥龩볯蒂胣ꦃ苣ꪂ铦膀苣鞏뿤馁苣ꦃ苣ꪂ迥ꆿꧦ覭臣ꦁ铧馁苣鎁臣貁臣趁苣芀㰊䐯噉ਾ䐼噉㰾䥄㹖胣醼볯邼볯醀⼼䥄㹖 ꪁ臣膀迥鞾菩醼볯邼볯ꮁ臣蒁臣随뻥閁苣龁뿤랏臣膀鳥꺸곧랏賥貁雦閁苣ꚁ臣ꪁ臣뒠郥ꮁ臣膀볤膀럨ꦾ迥ꚇ郧ꢃ볯醼볯銼臣몇諥馁苣ꆿ迥貁胣몇諥ꢃ볯醼볯醼臣鮾뗧閁苣讂胣ં⼼䥄㹖㰊䥄㹖䐼噉邀볯邼볯钼胣㲑䐯噉ਾ†鯥醼볯鞼臣膀迥ꆿꏨ꺽볯銼苣ꦁ铧꾏菨ꪁ迥ꆿ苣릂菣ꂃ臣견볯꺁꟦邈뻤銂ꓧ馁菣궃菣꾂鯥ꞁ臣讂胣ં⼼䥄㹖㰊䥄㹖䐼噉邀볯邼볯閼胣㲑䐯噉ਾ†臣誁胣뎛룤膀鯥醼볯閼臣뒠郥ꢁ꿥鲿臣讂菩蚈臣ꒁ臣ꚁ臣膀郥肸臣ꚬ迥銂믤鞁臣芁苣膀믤许臣꾁胣鶁臣겪飦꾁胣ꦁ껥膜闧馁苣芀㰊䐯噉ਾ䐼噉㰾䥄㹖胣醼볯邼볯醀⼼䥄㹖 뎛볯鎼볯꺁迥ꆿ苣릂菣ꂃ臣膀迥鞾菩醼볯邼볯膀迥뎁胣鶼胩꾷뻥랏蟥蚐菩醼볯邼볯銂鳦馁苣릂臣膀鯥醼볯閼臣뒠郥ꢁ藥骀臣讂胣ં⼼䥄㹖㰊䥄㹖䐼噉邀볯邼볯鞼胣㲑䐯噉ਾ†뷤鞁胣뎛볯鎼볯꺁迥ꆿ苣릂菣ꂃ臣膀菦놠뫦ꦾ迥ꚇ郧ꢃ볯醼볯鎼臣궨臣覂苣ꚁ臣覂臣膀꣨늌菩醼볯銼볯貁雦龁臣궨臣覂苣ꚁ臣讂苧ꞁ胣뎛볯鎼볯꺁ꃥ袐臣뢛臩馁苣芀㰊䐯噉ਾ䐼噉㰾䥄㹖胣醼볯邼볯醀⼼䥄㹖 風賩ꢃ볯醼볯醼臣膀볤膀럨ꦾ迥ꚇ郧ꢃ볯醼볯銼臣몇諥馁苣ꆿ迥袼뻤袁臣膀偍䝅臣咮꺁協菣놂菣袃볯銂胣覅菣ꎂ苣꾂苣膀菣벃菣螃苣릂苣袼ꏧ鞰菣ꎂ苣꾂볯膀菣ꦃ菣랂菣ꆃ菣ꪃ귧꺁꣨늌볯風蛦覼ꫥ鎽臣風賩馁苣袼꣨뚆臣鮁苣覼胣ં⼼䥄㹖㰊䥄㹖䐼噉邀볯邼볯馼胣㲑䐯噉ਾ†믤誸臣袂臣ꪁ鯥醼볯鞼臣鞏뿤랂苣蚃菣꾁胣蚃菣鎃苣ꞃ菣뺔胩銂賩뮔臣讂菣뎂菣肃귧ꮁ臩ꢔ臣讂臣ꢁ臣ꞁ臣讂胣ં⼼䥄㹖㰊䥄㹖䐼噉邀볯邼볯邼胣㲑䐯噉ਾ†臣誁胣뎛볯鎼볯ꮁ臣蒁臣膀迥ꆿ苣릂菣ꂃ臣膀菦놠뫦ꦾ迥ꚇ郧ꢃ볯醼볯鎼苣궨臣ꚁ꟦邈臣膀菦놠뫦ꦾ迥ꚇ郧ꢃ볯醼볯鎼臣膀菦놠뫦ꦾ迥ꚇ郧貁雦閁苣龁뻥꺁뿤랏胣馁臣辂臣膀菣뎂菣覃臣袂臣ꚁ뻥覂苣讂铧较苣뎟ꏥ銂胣風賩ꢃ볯醼볯醼臣風賩馁苣鎁臣貁臣趁苣芀㰊䐯噉ਾ䐼噉㰾䥄㹖胣醼볯醼볯醀⼼䥄㹖 뮼苣뎃菣ꖃ菣뾂臣肸껥붖臣ꊽ藦붼㰊䐯噉ਾ䐼噉㰾䥄㹖胣醼볯醼볯醀⼼䥄㹖 ꆬ臣膀룤낿臣龁룤ꎀ臣ꚇ郧꾁胣较菣覃苣Ꞃ苣ꮁ苣誂ꇨ蚁臣ꢁ苣ꞁ臣讂臣膀苣閃菣Ꚃ苣ꊂ臣袂苣財臣鎁臣节臣趁苣芀룤ꎀ臣ꚇ郧銂苣閃菣Ꚃ苣ꊂ臣袂臣ꚁꇨ蚁ꃥ袐臣꾁胣鶁臣붂菣袃苣Ꞃ苣銂꟦邈臣讂菣궃苣ꦃ菣貁胣躱铧꺁苣뎃菣ꖃ菣뾂귧ꮁ苣뎃苣袃菣ꮃ臣貂苣芀㰊䐯噉ਾ䐼噉㰾䥄㹖胣醼볯醼볯醀⼼䥄㹖 鶁臣ꞁ胣뎛볯鎼볯꾁胣誸뿨鞁臣肸胩꺁蟥蚐苣龮ꇨ馁苣鞃菣낂菣ꂃ臣ꒂ菣릂菣벃菣閁苣讂苣뎃菣ꖃ菣뾂臣肸껥붖臣ꊽ藦꺁꟦邈뻤銂ꓧ鞁臣蒁苣芀㰊䐯噉ਾ䐼噉㰾䥄㹖胣醼볯醼볯醀⼼䥄㹖 鞃菣낂菣ꂃ臣膀苣뎃菣ꖃ菣뾂臣薆铨閁苣ꚁ臣讂꣨늌ꫥ鎽臣鞁臣꺁菣벃菣螃苣릂苣鞼볯閼苣늼볯궼볯邼볯ꮁ뫤膂꣨늌臣ꚁ臣辁臣ꢁ臣ꞁ臣讂胣ં⼼䥄㹖㰊䥄㹖䐼噉邀볯邼볯閼胣㲑䐯噉ਾ†臣讂臣꾁臣龁胣鞃菣낂菣ꂃ臣膀菣것苣랂菣ꮃ菣ꎂ苣꾂胣䎁ⵄ佒⡍潃灭捡⁴楄捳删慥⁤湏祬䴠浥牯⥹볯䶌⡏慍湧瑥⁯灏楴慣⥬菣ꎂ苣꾂볯䒌䑖䐨杩瑩污嘠牥慳楴敬䐠獩⥣胣膣냦螃苣릂苣膀跥躰뷤ꆃ菣ꪃ臣ꦁ臣ꪃ菣벃菣隃菣風賩銪뷤鞼볯醼臣膀룤芙髧芁苣蒁臣뢰뛧蒚臣베듧袼꣨늌볯鞁臣誁臣鎁臣貁臣趁苣芀臣꺁苣蚁臣ꪃ菣벃菣隃菣風賩銪뷤鞼볯醼臣膀臣辂苣讂菣莃苣벃苣붂菣袃苣ꢂ苣ꢁ臣ꚁ迦鮾臣讂臣ꢁ臣ꞁ臣讂胣ં⼼䥄㹖㰊䥄㹖䐼噉邀볯邼볯隼胣㲑䐯噉ਾ†臣誁胣鞃菣낂菣ꂃ臣膀룤낿臣龁苣蚁臣ꪃ菣벃菣隃菣風賩銪뷤鞼볯醼臣覂苣뎃菣ꖃ菣뾂臣ꒂ菣릂菣벃菣馁苣隻胣肃苣뎃菣벃菣떂苣袃臣覂胣螃苣뢂苣ꮃꇨ龘铦膀铧꺁뫤ꖷꇨ龘苣讻臣ꚁ胣뎂菣钃菣벃苣ꮁ蓧骷臣ꊻ胩鞁臣誂胣䲁乁䰨捯污䄠敲⁡敎睴牯⥫胣ꒂ菣뾂菣趃菣袃臣蒁臣龁菣莃菣꾃菣꾂苣讻臣ꚁ胣뎂菣钃菣벃苣ꮁ鳦骷臣ꊻ胩鞁胣뎂菣钃菣벃苣ꞁ臣膀臣꺁苣蚁臣鞁臣ꊻ胩閁苣ꚁ臣讂菣궃苣ꦃ菣銂胣骀뿤ꢃ볯邼볯ꞁ迥ꆿ臣膀蛥떔臣讂菣벃菣螃苣릂苣鞼볯閼臣ꒂ菣릂菣벃菣馁苣鎁臣貁臣趁苣芀㰊䐯噉ਾ䐼噉㰾䥄㹖胣醼볯醼볯醀⼼䥄㹖 뎂菣钃菣벃苣꾁胣䎁啐䌨湥牴污倠潲散獳湩⁧湕瑩鞼볯銼苣薆铨鞁臣蒁苣芀偃鞼볯銼臣꾁胣邃苣鞼볯醼苣讻臣ꚁ胣ꖅ蟥鮊苣뎃苣閃苣벃苣鞼볯邼臣ꖎ뛧閁苣ꚁ臣誂胣䎁啐볯邼볯꾁胣ꖅ蟥鮊苣뎃苣閃苣벃苣鞼볯邼苣讻臣ꚁ胣ꚃ菣뚂臣袂臣ꚁ胣궂菣鲃菣覃苣膀菣Ꚃ苣膀菣ꒂ苣覭臣讧裦閁苣讂藥鮊菩鞼볯鞼臣趓뷤覭臣貂苣鎁臣ꮁ苣誂賦꒻臣ꖅ諥閁苣讂臣膀臣貂臣鎾臣ꚁ胣劁䵏刨慥⁤湏祬䴠浥牯⥹볯邼볯ꮁꃦ趴臣貂臣蒁苣鞃菣낂菣ꂃ苣龮ꇨ馁苣芀臣讂臣꾁胣뺁臣膀偃鞼볯銼臣膀菣벃菣螃苣릂苣鞼볯閼臣베듧閁苣ꚁ臣讂菣궃苣ꦃ菣膀ꇨ龘诨鞁臣꾁菣莃菣꾃菣꾂臣覂믨膀臣貂胣骀뿤ꢃ볯邼볯ꞁ迥ꆿ臣貂臣较菣覃菣ꎂ苣꾂볯邼볯ꮁ苣뎃苣袃菣ꮃ臣貂臣鞃菣낂菣ꂃ胣袏臣覃菣ꒂ菣鞼볯馼臣薣鷧閁苣龁菣ꂃ菣邃菣ꮃ꣨늌ꫥ鎽볯醼볯讁苣궪臣몇臣貂臣较菣覃菣ꎂ苣꾂볯邼볯ꮁ苣뎃苣袃菣ꮃ臣貂臣鞃菣낂菣ꂃ苣膀䅒⡍慒摮浯䄠捣獥⁳敍潭祲鞼볯钼臣궃菣覃臣ꚁ껥財臣讂胣鎁苣ꮁ苣誂胣䎁啐볯邼볯꾁胣誸뿨鞁臣閃菣벃菣ꎃ菣袃臣鎾臣龁蟥蚐胣芁苣蒁臣誸뿨鞁臣隃菣莃苣뎛臣讧裦ꮁ苣誂ꇨ辂苣讂蟥蚐苣財臣芀臣鞁臣膀偃鞼볯銼臣膀臣꺁蟥蚐뗧鲞苣膀뿥膦臣鲿臣ꚁ胣设臣낁胣ꖅ蟥鮊苣뎃苣閃苣벃苣鞼볯邼苣讻臣ꚁ胣䲁䑃䰨煩極⁤牃獹慴⁬楄灳慬⥹苣릂菣벃苣覭臣讧裦閁苣讂蟥鮊菩鞼볯隼臣覂蟥鮊胣芁苣蒁臣膀胩ꆿ菩鞼볯颼臣覂胩ꆿ胣閁苣ꮁ臣膀菣벃菣螃苣릂苣鞼볯閼臣風賩覭臣鮁苣芀㰊䐯噉ਾ䐼噉㰾䥄㹖胣醼볯醼볯醀⼼䥄㹖 鎁臣ꞁ胣겜飦내鯦ꮁ臣蒁臣膀苣뎃菣ꖃ菣뾂臣蒐꣧꺁蟥蚐苣財苣鮁苣龁苣꺁菣궃苣ꦃ菣銂꣨낿臣讂蟥蚐苣蚃菣鞃臣膀뿥骁臣节菣궃菣膃菣벃菣ꢁ臣ꚁ꣨覼臣貂臣蚠뫥ꮁ닦ꎁ臣芙돧鞈臣ꚇ郧馁苣薿ꛨ꾁臣辁胣ꚸ裥蒚臣讂臣꾁胥ꖈ臣龮ꇨ閁苣讂蟥蚐볯设臣낁胣ꚸ裥ꚇ郧芁苣蒁臣ꪂ菣뢂苣꾂菣ꮁ苣讂蟥蚐볯节郥肂苣꺁臣芁苣芀㰊䐯噉ਾ䐼噉㰾䥄㹖胣醼볯醼볯醀⼼䥄㹖 뺁臣膀菣궃苣ꦃ菣꾁胣醼臣꺁苣뎃菣ꖃ菣뾂臣袂苣ꚇ郧閁苣讂苣꺁臣芁臣ꚁ苣꾉臣鞁胣螤闦꺁苣뎃菣ꖃ菣뾂臣袂臣ꚁ裥ꎕ蟥蚐臣貂苣节臣ꞁ臣ꎁ臣节觨蒁胣閁苣ꮁ胣鞃菣낂菣ꂃ臣膀臩릖臣뎂菣钃菣벃苣ꮁ믨膀臣貂臣龮ꇨ閁苣讂苣꺁臣芁臣ꚁ苣꾉臣芀㰊䐯噉ਾ䐼噉㰾䥄㹖胣醼볯銼볯醀⼼䥄㹖 ꪁ臣膀鳦肊ꇨ꺁껥붖臣ꊽ藦꾁胣誸뿨鞁臣龮雦꺁뷥讅臣邙껥閁苣讂苣꺁臣꾁臣辁胣겜諦鎡臣膦韦銂胩놄臣ꪁ臣蒯鯥ꮁ臣蒁臣꺨胣꺁ꓥ뒛臣꾏菨ꞁ臣讂胣ં⼼䥄㹖㰊䥄㹖䐼噉邀볯邼볯醼胣㲑䐯噉ਾ†臣ꪁ苣ꆁ胣誸뿨鞁臣膀郦꾸ꯧꮜ郥醁臣螃苣뢂苣ꮃ铦膀귧ꞁ軦ꢔ臣讂䑌䍐곧랏볯꺁ꓦ뮟ꇨ鞈裥龜胥蚃菣隃菣覼귧꾁胣몛껥꾫鳦醐臣꺁菣ꎂ苣뾂菣뺔胩覭臣ꢔ臣讂臣ꢁ臣꾏菨ꞁ臣讂胣ં⼼䥄㹖㰊䐯噉ਾ䐼噉㰾䥄㹖胣ꚬ迥꺁ꫨ躘胣㲑䐯噉ਾ䐼噉邀볯邼볯銼胣㲑䐯噉ਾ†볯醼†胩ꆿꏨ꺽볯₌醼볯ₒ鞏뿤薣뷧貼†볯鎼†菣ꪃ菣ꎂ苣뎃苣벃菣벃菣貼†볯钼†苣ꦃ菣蒃苣릂菣ꒂ菣뾂菣ꪃ菣邃볯₌銼볯ₕ螃菣ꮃ菣鞃菣꾂苣貼†볯醼†菣ꊃ菣貼†볯銼†藥貂鯦袁菩貼†볯钼†菣ꮃ菣鞃菣꾂苣貼†볯閼†苣ꦃ菣蒃苣릂菣ꒂ菣뾂菣ꪃ菣邃볯㲌牢ਾ†볯醼볯ₑꊃ菣覃苣肃菣蚃菣랂菣뎃볯麃菣膃菣것苣떂볯₌醼볯銼†菣肃菣貼†볯醼볯ₓ䈠릂苣ꦃ菣隃菣貼†볯醼볯ₔ䈠䡃苣뎃苣벃菣貼†볯醼볯ₕ䰠偄ꢂ菣뎂菣肃볯₌醼볯隼†菣莃菣ꒂ菣뾂菣ꪃ菣邃볯₌醼볯鞼†䅑ꢂ菣뎂菣肃볯₌醼볯颼†駦鎖苣뎃苣벃菣벃菣貼†볯醼볯ₙ䴠卉⽏䥍位苣뎃苣벃菣貼†볯銼볯ₐꢑ돦낕苣뎃苣벃菣벃菣貼†볯銼볯ₑ䈠䡃苣뎃苣벃菣貼†볯銼볯ₒ䰠偄ꢂ菣뎂菣肃볯₌醼볯鎼†䅑ꢂ菣뎂菣肃볯₌醼볯钼†釥ꊳ闦ꒂ菣뾂菣ꪃ菣邃볯₌醼볯醼†菣것菣ꂃ菣ꮃ菣込菣붂菣릂苣궃苣벃苣ꞃ菣ꢃ†볯鎼볯ₒ传䑆龔裦ꢃ볯₌醼볯醼†䙏䵄蟥蚐菩貼†볯閼볯ₒ閃菣벃菣ꆮ郧ꢃ볯₌醼볯鎼†釥ꊳ闦螃苣뎃苣벃菣벃菣貼戼㹲 醼볯钼†䅑螃苣벃菣貼†볯閼볯ₕ䰠偄螃苣벃菣貼†볯閼볯ₖ䈠䡃菣뎂菣肃볯₌醼볯醼†釥ꊳ闦螃苣뎃苣벃菣벃菣貼†볯隼볯ₒ䴠卉⽏䥍位菣뎂菣肃볯₌醼볯鎼†駦鎖菣ꒂ菣뾂菣ꪃ菣邃볯₌醼볯钼†䅑螃苣벃菣貼†볯隼볯ₕ鎃菣袃菣ꒂ菣뾂菣ꪃ菣邃볯₌醼볯隼†䑌䍐菣뎂菣肃볯₌醼볯鞼†䍂螃苣벃菣貼†볯隼볯ₘ䈠螃苣꾂菣뎃菣ꦃ볯₌醼볯馼†菣ꮃ觥꒙菩貼†볯鞼볯ₐ螃菣ꮃ菣鞃菣꾂苣貼†볯邼볯ₐ鶞菣벃苣베듧ꢔ菣ꊃ菣貼†볯邼볯ₑ뮂菣꾂苣貼†볯邼볯ₒ膃苣莃苣躃菣覃꣨鞮菩貼†볯邼볯ₓ떂苣꾂菣莃苣랂菣袃鯥꾷볯₌鎼볯钼†黦螃菣뾂ꃦ趴铧ꆃ菣ꪃ볯₌鎼볯閼†苣것苣뾂볯₌鎼볯隼†迥ꆿ菣벃苣ꢔ菣ꊃ菣貼†볯邼볯ₗ邃菣ꊂ菣ꮃ菣벃菣袨껧ꢃ볯₌鎼볯颼†苣ꒂ苣ꪃ菣꾂苣閃菣麛럨貼†볯邼볯ₙꦾ迥麪꣨鞮菩貼†볯醼볯ₐ鞏뿤螃菣뾂룤릁鯦袁菩貼†볯醼볯ₑꦾ迥螃菣뾂룤릁鯦袁菩貼†볯邼볯ₑꚬ迥隌蟥蚐菩貼†볯邼볯ₒ風蛦ꢃ볯₌隼볯醼†곧랏賥螎꣨骮菩貼†볯醼볯ₒ鶈鳦ꒀ菣벃菣ꮃꫨ뾁蟥鞁菩貼†볯醼볯ₓ鲤鿦財裥龔裦ꢃ볯₌隼볯钼†菦놠菣莃菣궪臣몇臣ꢃ볯₌隼볯閼†곧랏賥醃菣蚃苣钼껧ꢃ볯₌隼볯隼†裥ꆾ菩貼†볯邼볯ₑ邃苣貼†볯邼볯ₒ䌠啐볯₌鞼볯鎼†佒貼†볯邼볯ₔ删䵁볯₌鞼볯閼†菣벃菣螃苣릂苣貼†볯邼볯ₖ몇諥ꢃ볯₌鞼볯鞼†藥鮊菩貼†볯邼볯ₘ骀뿤ꢃ볯₌鞼볯馼†菣ꦃ苣隃볯₌鞼볯邼†藥몇諥ꒂ菣뾂菣Ꞃ菣릂볯₌鞼볯醼戼㹲 ꪃ菣벃菣隃菣風賩銪뷤貼†볯邼볯醼†胩ꖅ苣뾛臣ꢃ볯₌醼볯邼볯ₒꆃ菣ꪃ볯₌醼볯醼볯㲑牢ਾ†菣ꪃ菣ꎂ菣ꒂ菣뾂菣ꪃ菣邃볯₌醼볯邼볯ₑ随뻥ꢃ볯₌醼볯邼볯ₑ鶼胩꾷뻥랏蟥蚐菩貼†볯醼볯鎼†菦놠뫦ꦾ迥ꚇ郧ꢃ볯₌醼볯醼볯ₑ몇諥ꢃ볯₌醼볯銼볯ₑ風賩ꢃ㰊䐯噉ਾ䐼噉㰾䥄㹖胣뎛볯醀⼼䥄㹖㰊䥄㹖愼栠敲㵦〢〰㘵㈷㠴⸹楴≦〾〰㘵㈷㠴⸹楴쉦゠〰〰㰹愯㰾䐯噉ਾ䐼噉邀鯥銼胣㲑䐯噉ਾ䐼噉㰾⁡牨晥∽〰㔰㜶㐲㤸琮晩㸢〰㔰㜶㐲㤸琮晩ꃂ〰〰〱⼼㹡⼼䥄㹖㰊䥄㹖胣뎛볯醀⼼䥄㹖㰊䥄㹖愼栠敲㵦〢〰㘵㈷㠴⸹楴≦〾〰㘵㈷㠴⸹楴쉦゠〰㄰㰱愯㰾䐯噉ਾ䐼噉邀鯥钼胣㲑䐯噉ਾ䐼噉㰾⁡牨晥∽〰㔰㜶㐲㤸琮晩㸢〰㔰㜶㐲㤸琮晩ꃂ〰〰㈱⼼㹡⼼䥄㹖㰊䥄㹖胣뎛볯醀⼼䥄㹖㰊䥄㹖愼栠敲㵦〢〰㘵㈷㠴⸹楴≦〾〰㘵㈷㠴⸹楴쉦゠〰㄰㰳愯㰾䐯噉ਾ䐼噉邀鯥隼胣㲑䐯噉ਾ䐼噉㰾⁡牨晥∽〰㔰㜶㐲㤸琮晩㸢〰㔰㜶㐲㤸琮晩ꃂ〰〰㐱⼼㹡⼼䥄㹖㰊䥄㹖胣뎛볯醀⼼䥄㹖㰊䥄㹖愼栠敲㵦〢〰㘵㈷㠴⸹楴≦〾〰㘵㈷㠴⸹楴쉦゠〰㄰㰵愯㰾䐯噉ਾ䐼噉邀鯥颼胣㲑䐯噉ਾ䐼噉㰾⁡牨晥∽〰㔰㜶㐲㤸琮晩㸢〰㔰㜶㐲㤸琮晩ꃂ〰〰㘱⼼㹡⼼䥄㹖㰊䥄㹖胣뎛볯醀⼼䥄㹖㰊䥄㹖愼栠敲㵦〢〰㘵㈷㠴⸹楴≦〾〰㘵㈷㠴⸹楴쉦゠〰㄰㰷愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㄰㰸愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㄰㰹愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㈰㰰愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㈰㰱愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㈰㰲愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㈰㰳愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㈰㰴愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㈰㰵愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㈰㰶愯㰾䐯噉ਾ䐼噉邀鯥醼볯醀⼼䥄㹖㰊䥄㹖愼栠敲㵦〢〰㘵㈷㠴⸹楴≦〾〰㘵㈷㠴⸹楴쉦゠〰㈰㰷愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㈰㰸愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㈰㰹愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㌰㰰愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㌰㰱愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㌰㰲愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㌰㰳愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㌰㰴愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㌰㰵愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㌰㰶愯㰾䐯噉ਾ䐼噉邀鯥銼볯醀⼼䥄㹖㰊䥄㹖愼栠敲㵦〢〰㘵㈷㠴⸹楴≦〾〰㘵㈷㠴⸹楴쉦゠〰㌰㰷愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㌰㰸愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㌰㰹愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㐰㰰愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㐰㰱愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㐰㰲愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㐰㰳愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㐰㰴愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㐰㰵愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㐰㰶愯㰾䐯噉ਾ䐼噉邀鯥鎼볯醀⼼䥄㹖㰊䥄㹖愼栠敲㵦〢〰㘵㈷㠴⸹楴≦〾〰㘵㈷㠴⸹楴쉦゠〰㐰㰷愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㐰㰸愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㐰㰹愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㔰㰰愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㔰㰱愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㔰㰲愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㔰㰳愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㔰㰴愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㔰㰵愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㔰㰶愯㰾䐯噉ਾ䐼噉邀鯥钼볯醀⼼䥄㹖㰊䥄㹖愼栠敲㵦〢〰㘵㈷㠴⸹楴≦〾〰㘵㈷㠴⸹楴쉦゠〰㔰㰷愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㔰㰸愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㔰㰹愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㘰㰰愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㘰㰱愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㘰㰲愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㘰㰳愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㘰㰴愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㘰㰵愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㘰㰶愯㰾䐯噉ਾ䐼噉邀鯥閼볯醀⼼䥄㹖㰊䥄㹖愼栠敲㵦〢〰㘵㈷㠴⸹楴≦〾〰㘵㈷㠴⸹楴쉦゠〰㘰㰷愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㘰㰸愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㘰㰹愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㜰㰰愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㜰㰱愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㜰㰲愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㜰㰳愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㜰㰴愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㜰㰵愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㜰㰶愯㰾䐯噉ਾ䐼噉邀鯥隼볯醀⼼䥄㹖㰊䥄㹖愼栠敲㵦〢〰㘵㈷㠴⸹楴≦〾〰㘵㈷㠴⸹楴쉦゠〰㜰㰷愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㜰㰸愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㜰㰹愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㠰㰰愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㠰㰱愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㠰㰲愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㠰㰳愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㠰㰴愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㠰㰵愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㠰㰶愯㰾䐯噉ਾ䐼噉邀鯥鞼볯醀⼼䥄㹖㰊䥄㹖愼栠敲㵦〢〰㘵㈷㠴⸹楴≦〾〰㘵㈷㠴⸹楴쉦゠〰㠰㰷愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㠰㰸愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㠰㰹愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㤰㰰愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㤰㰱愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㤰㰲愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㤰㰳愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㤰㰴愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㤰㰵愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㤰㰶愯㰾䐯噉ਾ䐼噉邀鯥颼볯醀⼼䥄㹖㰊䥄㹖愼栠敲㵦〢〰㘵㈷㠴⸹楴≦〾〰㘵㈷㠴⸹楴쉦゠〰㤰㰷愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰㤰㰸愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰㤰㰹愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰〱㰰愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰〱㰱愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰〱㰲愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰〱㰳愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰〱㰴愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰〱㰵愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰〱㰶愯㰾䐯噉ਾ䐼噉邀鯥馼볯醀⼼䥄㹖㰊䥄㹖愼栠敲㵦〢〰㘵㈷㠴⸹楴≦〾〰㘵㈷㠴⸹楴쉦゠〰〱㰷愯㰾䐯噉ਾ䐼噉邀鯥醼볯邼胣㲑䐯噉ਾ䐼噉㰾⁡牨晥∽〰㔰㜶㐲㤸琮晩㸢〰㔰㜶㐲㤸琮晩ꃂ〰㄰㠰⼼㹡⼼䥄㹖㰊䥄㹖胣뎛볯邼볯醀⼼䥄㹖㰊䥄㹖愼栠敲㵦〢〰㘵㈷㠴⸹楴≦〾〰㘵㈷㠴⸹楴쉦゠〰〱㰹愯㰾䐯噉ਾ䐼噉邀鯥醼볯銼胣㲑䐯噉ਾ䐼噉㰾⁡牨晥∽〰㔰㜶㐲㤸琮晩㸢〰㔰㜶㐲㤸琮晩ꃂ〰㄰〱⼼㹡⼼䥄㹖㰊䥄㹖胣뎛볯邼볯醀⼼䥄㹖㰊䥄㹖愼栠敲㵦〢〰㘵㈷㠴⸹楴≦〾〰㘵㈷㠴⸹楴쉦゠〰ㄱ㰱愯㰾䐯噉ਾ䐼噉邀鯥醼볯钼胣㲑䐯噉ਾ䐼噉㰾⁡牨晥∽〰㔰㜶㐲㤸琮晩㸢〰㔰㜶㐲㤸琮晩ꃂ〰㄰㈱⼼㹡⼼䥄㹖㰊䥄㹖胣뎛볯邼볯醀⼼䥄㹖㰊䥄㹖愼栠敲㵦〢〰㘵㈷㠴⸹楴≦〾〰㘵㈷㠴⸹楴쉦゠〰ㄱ㰳愯㰾䐯噉ਾ䐼噉邀鯥醼볯隼胣㲑䐯噉ਾ䐼噉㰾⁡牨晥∽〰㔰㜶㐲㤸琮晩㸢〰㔰㜶㐲㤸琮晩ꃂ〰㄰㐱⼼㹡⼼䥄㹖㰊䥄㹖胣뎛볯邼볯醀⼼䥄㹖㰊䥄㹖愼栠敲㵦〢〰㘵㈷㠴⸹楴≦〾〰㘵㈷㠴⸹楴쉦゠〰ㄱ㰵愯㰾䐯噉ਾ䐼噉邀鯥醼볯颼胣㲑䐯噉ਾ䐼噉㰾⁡牨晥∽〰㔰㜶㐲㤸琮晩㸢〰㔰㜶㐲㤸琮晩ꃂ〰㄰㘱⼼㹡⼼䥄㹖㰊䥄㹖胣뎛볯邼볯醀⼼䥄㹖㰊䥄㹖愼栠敲㵦〢〰㘵㈷㠴⸹楴≦〾〰㘵㈷㠴⸹楴쉦゠〰ㄱ㰷愯㰾䐯噉ਾ䐼噉邀鯥醼볯邼胣㲑䐯噉ਾ䐼噉㰾⁡牨晥∽〰㔰㜶㐲㤸琮晩㸢〰㔰㜶㐲㤸琮晩ꃂ〰㄰㠱⼼㹡⼼䥄㹖㰊䥄㹖胣뎛볯醼볯醀⼼䥄㹖㰊䥄㹖愼栠敲㵦〢〰㘵㈷㠴⸹楴≦〾〰㘵㈷㠴⸹楴쉦゠〰ㄱ㰹愯㰾䐯噉ਾ䐼噉邀鯥醼볯銼胣㲑䐯噉ਾ䐼噉㰾⁡牨晥∽〰㔰㜶㐲㤸琮晩㸢〰㔰㜶㐲㤸琮晩ꃂ〰㄰〲⼼㹡⼼䥄㹖㰊䥄㹖胣뎛볯醼볯醀⼼䥄㹖㰊䥄㹖愼栠敲㵦〢〰㘵㈷㠴⸹楴≦〾〰㘵㈷㠴⸹楴쉦゠〰㈱㰱愯㰾䐯噉ਾ䐼噉邀鯥醼볯钼胣㲑䐯噉ਾ䐼噉㰾⁡牨晥∽〰㔰㜶㐲㤸琮晩㸢〰㔰㜶㐲㤸琮晩ꃂ〰㄰㈲⼼㹡⼼䥄㹖㰊䥄㹖胣뎛볯醼볯醀⼼䥄㹖㰊䥄㹖愼栠敲㵦〢〰㘵㈷㠴⸹楴≦〾〰㘵㈷㠴⸹楴쉦゠〰㈱㰳愯㰾䐯噉ਾ䐼噉邀鯥醼볯隼胣㲑䐯噉ਾ䐼噉㰾⁡牨晥∽〰㔰㜶㐲㤸琮晩㸢〰㔰㜶㐲㤸琮晩ꃂ〰㄰㐲⼼㹡⼼䥄㹖㰊䥄㹖胣뎛볯醼볯醀⼼䥄㹖㰊䥄㹖愼栠敲㵦〢〰㘵㈷㠴⸹楴≦〾〰㘵㈷㠴⸹楴쉦゠〰㈱㰵愯㰾䐯噉ਾ䐼噉邀鯥醼볯颼胣㲑䐯噉ਾ䐼噉㰾⁡牨晥∽〰㔰㜶㐲㤸琮晩㸢〰㔰㜶㐲㤸琮晩ꃂ〰㄰㘲⼼㹡⼼䥄㹖㰊䥄㹖胣뎛볯醼볯醀⼼䥄㹖㰊䥄㹖愼栠敲㵦〢〰㘵㈷㠴⸹楴≦〾〰㘵㈷㠴⸹楴쉦゠〰㈱㰷愯㰾䐯噉ਾ䐼噉邀鯥醼볯邼胣㲑䐯噉ਾ䐼噉㰾⁡牨晥∽〰㔰㜶㐲㤸琮晩㸢〰㔰㜶㐲㤸琮晩ꃂ〰㄰㠲⼼㹡⼼䥄㹖㰊䥄㹖胣뎛볯銼볯醀⼼䥄㹖㰊䥄㹖愼栠敲㵦〢〰㘵㈷㠴⸹楴≦〾〰㘵㈷㠴⸹楴쉦゠〰㈱㰹愯㰾䐯噉ਾ䐼噉邀鯥醼볯銼胣㲑䐯噉ਾ䐼噉㰾⁡牨晥∽〰㔰㜶㐲㤸琮晩㸢〰㔰㜶㐲㤸琮晩ꃂ〰㄰〳⼼㹡⼼䥄㹖㰊䥄㹖胣뎛볯銼볯醀⼼䥄㹖㰊䥄㹖愼栠敲㵦〢〰㘵㈷㠴⸹楴≦〾〰㘵㈷㠴⸹楴쉦゠〰㌱㰱愯㰾䐯噉ਾ䐼噉邀鯥醼볯钼胣㲑䐯噉ਾ䐼噉㰾⁡牨晥∽〰㔰㜶㐲㤸琮晩㸢〰㔰㜶㐲㤸琮晩ꃂ〰㄰㈳⼼㹡⼼䥄㹖㰊䥄㹖胣뎛볯銼볯醀⼼䥄㹖㰊䥄㹖愼栠敲㵦〢〰㘵㈷㠴⸹楴≦〾〰㘵㈷㠴⸹楴쉦゠〰㌱㰳愯㰾䐯噉ਾ䐼噉邀鯥醼볯隼胣㲑䐯噉ਾ䐼噉㰾⁡牨晥∽〰㔰㜶㐲㤸琮晩㸢〰㔰㜶㐲㤸琮晩ꃂ〰㄰㐳⼼㹡⼼䥄㹖㰊䥄㹖胣뎛볯銼볯醀⼼䥄㹖㰊䥄㹖愼栠敲㵦〢〰㘵㈷㠴⸹楴≦〾〰㘵㈷㠴⸹楴쉦゠〰㌱㰵愯㰾䐯噉ਾ䐼噉邀鯥醼볯颼胣㲑䐯噉ਾ䐼噉㰾⁡牨晥∽〰㔰㜶㐲㤸琮晩㸢〰㔰㜶㐲㤸琮晩ꃂ〰㄰㘳⼼㹡⼼䥄㹖㰊䥄㹖胣뎛볯銼볯醀⼼䥄㹖㰊䥄㹖愼栠敲㵦〢〰㘵㈷㠴⸹楴≦〾〰㘵㈷㠴⸹楴쉦゠〰㌱㰷愯㰾䐯噉ਾ䐼噉邀鯥醼볯邼胣㲑䐯噉ਾ䐼噉㰾⁡牨晥∽〰㔰㜶㐲㤸琮晩㸢〰㔰㜶㐲㤸琮晩ꃂ〰㄰㠳⼼㹡⼼䥄㹖㰊䥄㹖胣뎛볯鎼볯醀⼼䥄㹖㰊䥄㹖愼栠敲㵦〢〰㘵㈷㠴⸹楴≦〾〰㘵㈷㠴⸹楴쉦゠〰㌱㰹愯㰾䐯噉ਾ䐼噉邀鯥醼볯銼胣㲑䐯噉ਾ䐼噉㰾⁡牨晥∽〰㔰㜶㐲㤸琮晩㸢〰㔰㜶㐲㤸琮晩ꃂ〰㄰〴⼼㹡⼼䥄㹖㰊䥄㹖胣뎛볯鎼볯醀⼼䥄㹖㰊䥄㹖愼栠敲㵦〢〰㘵㈷㠴⸹楴≦〾〰㘵㈷㠴⸹楴쉦゠〰㐱㰱愯㰾䐯噉ਾ䐼噉邀鯥醼볯钼胣㲑䐯噉ਾ䐼噉㰾⁡牨晥∽〰㔰㜶㐲㤸琮晩㸢〰㔰㜶㐲㤸琮晩ꃂ〰㄰㈴⼼㹡⼼䥄㹖㰊䥄㹖胣뎛볯鎼볯醀⼼䥄㹖㰊䥄㹖愼栠敲㵦〢〰㘵㈷㠴⸹楴≦〾〰㘵㈷㠴⸹楴쉦゠〰㐱㰳愯㰾䐯噉ਾ䐼噉邀鯥醼볯隼胣㲑䐯噉ਾ䐼噉㰾⁡牨晥∽〰㔰㜶㐲㤸琮晩㸢〰㔰㜶㐲㤸琮晩ꃂ〰㄰㐴⼼㹡⼼䥄㹖㰊䥄㹖胣뎛볯鎼볯醀⼼䥄㹖㰊䥄㹖愼栠敲㵦〢〰㘵㈷㠴⸹楴≦〾〰㘵㈷㠴⸹楴쉦゠〰㐱㰵愯㰾䐯噉ਾ䐼噉邀鯥醼볯颼胣㲑䐯噉ਾ䐼噉㰾⁡牨晥∽〰㔰㜶㐲㤸琮晩㸢〰㔰㜶㐲㤸琮晩ꃂ〰㄰㘴⼼㹡⼼䥄㹖㰊䐯噉ਾ⼼潢祤ਾ⼼瑨汭ਾ